(57)【要約】【課題】大入賞口と振分部との動作関係の良好な遊技機を提供すること。【解決手段】開閉板６５０ｂが所定の動作を行った後に流下防止板１０１５の状態が遊技者にとって有利な突出状態となる動作態様であれば、遊技者は、開閉板６５０ｂの動作態様が所定の動作になったか否かを確認すれば良いので流下防止板１０１５の状態の把握が容易であるが、開閉板６５０ｂの状態変化の回数により流下防止板１０１５を状態変化させる場合、開閉板６５０ｂの状態変化の態様（動作態様）は全く同じものであっても、それが基準回数の内の何回目の状態変化なのかで、流下防止板１０１５へ及ぼす影響は全く異なる。そのため、流下防止板１０１５が、前触れ無く、遊技者にとって有利な突出状態となるという遊技性を実現することができる。【選択図】図３９
2020175286.tif 000002
【特許請求の範囲】
【請求項１】
遊技球が流下する遊技領域に配置される入賞口と、その入賞口に遊技球が入賞可能な可能状態と、入賞不能な不能状態とを動作により切り替える第１切替手段と、その第１切替手段を駆動する第１駆動手段と、前記入賞口に入賞した遊技球が流下することで、遊技者に所定の利益を与える利益取得手段と、を備える遊技機において、
前記入賞口に入賞した遊技球を停留可能に構成され、その停留した遊技球を前記利益取得手段へ流下可能に構成される停留手段と、
その停留手段に到達した遊技球を前記停留手段に停留可能な状態である停留状態と、前記停留手段に到達した遊技球を前記停留手段に停留させない非停留状態と、を切り替える第２切替手段と、を備え、
その第２切替手段は、前記第１切替手段が所定の基準回数だけ前記可能状態と不能状態とで状態変化するごとに、少なくとも一度は第２切替手段の状態を前記停留状態と非停留状態とで変化させる回数伝達手段を備えることを特徴とする遊技機。
【請求項２】
前記第１切替手段が１の契機により連続で状態変化するものであって、
その状態変化は、遊技球が入賞不可能な長さで行われる短期状態変化と、遊技球が入賞可能な長さで行われる長期状態変化との組み合わせで構成され、
前記所定の基準回数の整数倍数と同一の回数で行われることを特徴とする請求項１記載の遊技機。
【請求項３】
前記第１切替手段が１の契機により連続で状態変化するものであって、
前記回数伝達手段は、前記基準回数ごとに初期位置に戻る態様で循環動作する装置から形成され、前記回数伝達手段の姿勢によらず回数伝達手段を初期位置に戻す復帰手段を備えることを特徴とする請求項１又は２に記載の遊技機。
【発明の詳細な説明】
【技術分野】
【０００１】
本発明は、パチンコ機などの遊技機に関するものである。
【背景技術】
【０００２】
パチンコ機等の遊技機において、大入賞口に入賞した遊技球が到達する第２利益状態決定部で、振分部を左右方向に動作させることにより、遊技者が得られる利益の異なる２の流路に遊技球を振り分ける遊技機がある（特許文献１）。
【先行技術文献】
【特許文献】
【０００３】
【特許文献１】特開２０１４−１５５５３８号公報
【発明の概要】
【発明が解決しようとする課題】
【０００４】
しかしながら、上述した従来の遊技機では、大入賞口と振分部との動作関係について改良の余地があるという問題点があった。
【０００５】
本発明は、上記例示した問題点を解決するためになされたものであり、大入賞口と振分部との動作関係の良好な遊技機を提供することを目的とする。
【課題を解決するための手段】
【０００６】
この目的を達成するために請求項１記載の遊技機は、遊技球が流下する遊技領域に配置される入賞口と、その入賞口に遊技球が入賞可能な可能状態と、入賞不能な不能状態とを動作により切り替える第１切替手段と、その第１切替手段を駆動する第１駆動手段と、前記入賞口に入賞した遊技球が流下することで、遊技者に所定の利益を与える利益取得手段と、を備える遊技機において、前記入賞口に入賞した遊技球を停留可能に構成され、その停留した遊技球を前記利益取得手段へ流下可能に構成される停留手段と、その停留手段に到達した遊技球を前記停留手段に停留可能な状態である停留状態と、前記停留手段に到達した遊技球を前記停留手段に停留させない非停留状態と、を切り替える第２切替手段と、を備え、その第２切替手段は、前記第１切替手段が所定の基準回数だけ前記可能状態と不能状態とで状態変化するごとに、少なくとも一度は第２切替手段の状態を前記停留状態と非停留状態とで変化させる回数伝達手段を備える。
【０００７】
請求項２記載の遊技機は、請求項１記載の遊技機において、前記第１切替手段が１の契機により連続で状態変化するものであって、その状態変化は、遊技球が入賞不可能な長さで行われる短期状態変化と、遊技球が入賞可能な長さで行われる長期状態変化との組み合わせで構成され、前記所定の基準回数の整数倍数と同一の回数で行われる。
【０００８】
請求項３記載の遊技機は、請求項１又は２に記載の遊技機において、前記第１切替手段が１の契機により連続で状態変化するものであって、前記回数伝達手段は、前記基準回数ごとに初期位置に戻る態様で循環動作する装置から形成され、前記回数伝達手段の姿勢によらず回数伝達手段を初期位置に戻す復帰手段を備える。
【発明の効果】
【０００９】
請求項１記載の遊技機によれば、大入賞口と振分部との動作関係を良好にすることができる。
【００１０】
請求項２記載の遊技機によれば、請求項１記載の遊技機の奏する効果に加え、大入賞口の状態変化の長さを極端に異ならせることにより、大入賞口と振分部との動作関係を良好にすることができる。
【００１１】
請求項３記載の遊技機によれば、請求項１又は２に記載の遊技機の奏する効果に加え、１の契機による連続動作の回数の自由度を向上させることができる。
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】遊技盤の右側に設けられた経路（流路）のうち、貯留装置よりも上流側の部分の部分正面図である。
【図６】遊技盤の右側に設けられた経路（流路）のうち、第２入球口よりも下流側の部分の部分正面図である。
【図７】（ａ）及び（ｂ）は、第１可変入賞装置、第２可変入賞装置及び貯留装置の正面図である。
【図８】（ａ）は、貯留装置の正面斜視図であり、（ｂ）は貯留装置の背面斜視図である。
【図９】（ａ）は、貯留装置の正面図であり、（ｂ）は、貯留装置の上面図である。
【図１０】（ａ）は、貯留装置の背面図であり、（ｂ）は、図９（ａ）のＸｂ−Ｘｂ線における貯留装置の部分断面図である。
【図１１】（ａ）は、図１０（ａ）の矢印ＸＩａ方向視における貯留装置の部分側面図であり、（ｂ）は、図１０（ａ）の矢印ＸＩｂ方向視における貯留装置の部分側面図である。
【図１２】（ａ）及び（ｂ）は、第２可変入賞装置の部分正面図である。
【図１３】（ａ）から（ｃ）は、貯留装置の部分正面図である。
【図１４】（ａ）から（ｃ）は、貯留装置の部分正面図である。
【図１５】（ａ）及び（ｂ）は、第１可変入賞装置の部分正面斜視図である。
【図１６】（ａ）は、大当たりＡの１２ラウンド目における、第２特定入賞口の計時変化を示した図であり、（ｂ）は、大当たりＢの１２ラウンド目における、第２特定入賞口の計時変化を示した図である。
【図１７】（ａ）は、主制御装置内のＲＯＭの電気的構成を示すブロック図であり、（ｂ）は、第１当たり種別カウンタと特別図柄における大当たり種別との対応関係を模式的に示した模式図であり、（ｃ）は、第２当たり乱数カウンタと普通図柄における当たりとの対応関係を模式的に示した模式図である。
【図１８】（ａ）は、第２実施形態における環状溝の正面図であり、（ｂ）は、図１８（ａ）のＸＶＩＩＩｂ−ＸＶＩＩＩｂ線における環状溝の断面図であり、（ｃ）は、図１８（ａ）のＸＶＩＩＩｃ−ＸＶＩＩＩｃ線における環状溝の断面図である。
【図１９】（ａ）から（ｄ）は、球止め装置を模式的に示した側面図である。
【図２０】（ａ）から（ｄ）は、球止め装置を模式的に示した側面図である。
【図２１】（ａ）は、大当たりＡの１２ラウンド目における、第２特定入賞口の計時変化を示した図であり、（ｂ）は、大当たりＢの１２ラウンド目における、第２特定入賞口の計時変化を示した図である。
【図２２】（ａ）及び（ｂ）は、第３実施形態における貯留装置の背面斜視図である。
【図２３】（ａ）は、貯留装置の正面図であり、（ｂ）は、貯留装置の上面図である。
【図２４】貯留装置の背面図である。
【図２５】（ａ）は、球止め装置の背面図であり、（ｂ）は、図２５（ａ）の矢印ＸＸＶｂ方向視における球止め装置の側面図である。
【図２６】（ａ）は、球止め装置の背面図であり、（ｂ）は、図２６（ａ）の矢印ＸＸＶＩｂ方向視における球止め装置の側面図である。
【図２７】（ａ）は、球止め装置の背面図であり、（ｂ）は、図２７（ａ）の矢印ＸＸＶＩＩｂ方向視における球止め装置の側面図である。
【図２８】（ａ）は、大当たりＡの１２ラウンド目における、第２特定入賞口の計時変化を示した図であり、（ｂ）は、大当たりＢの１２ラウンド目における、第２特定入賞口の計時変化を示した図である。
【図２９】第４実施形態における貯留装置の背面斜視図である。
【図３０】球止め装置の分解背面斜視図である。
【図３１】球止め装置の分解背面斜視図である。
【図３２】（ａ）及び（ｂ）は、球止め装置の背面図である。
【図３３】（ａ）から（ｃ）は、図３２（ａ）の矢印ＸＸＸＩＩＩａ方向視における駆動モータ、摩擦回転部材、回転円板及び流下防止板の模式図である。
【図３４】（ａ）から（ｃ）は、図３２（ａ）の矢印ＸＸＸＩＩＩａ方向視における駆動モータ、摩擦回転部材、回転円板及び流下防止板の模式図である。
【図３５】（ａ）は、大当たりＡの１２ラウンド目における、第２特定入賞口の計時変化を示した図であり、（ｂ）は、大当たりＢの１２ラウンド目における、第２特定入賞口の計時変化を示した図である。
【図３６】大当たりＢ（その２）の１２ラウンド目における、第２特定入賞口の計時変化を示した図である。
【図３７】（ａ）は、第５実施形態における貯留装置の正面図であり、（ｂ）は、図３７（ａ）の矢印ＸＸＸＶＩＩｂ方向視における貯留装置の上面図である。
【図３８】（ａ）は、回転部材の正面図であり、（ｂ）は、図３８（ａ）の矢印ＸＸＸＶＩＩＩｂ方向視における回転部材の上面図であり、（ｃ）は、図３８（ａ）のＸＸＸＶＩＩＩｃ−ＸＸＸＶＩＩＩｃ線における回転部材の部分断面図である。
【図３９】（ａ）は、貯留装置の正面図であり、（ｂ）は、図３９（ａ）の矢印ＸＸＸＩＸｂ方向視における貯留装置の上面図である。
【図４０】（ａ）は、大当たりＡの１２ラウンド目における、第２特定入賞口の計時変化を示した図であり、（ｂ）は、大当たりＢの１２ラウンド目における、第２特定入賞口の計時変化を示した図である。
【図４１】（ａ）は、大当たりＡ（その２）の１２ラウンド目における、第２特定入賞口の計時変化（開放状態であるか、閉鎖状態であるか）を示した図であり、（ｂ）及び（ｃ）は、流下防止板の計時変化（突出状態であるか、埋没状態であるか）を示した図である。
【図４２】（ａ）は、第６実施形態における貯留装置の正面図であり、（ｂ）は、図４２（ａ）の矢印ＸＬＩＩｂ方向視における貯留装置の側面図である。
【図４３】貯留装置６０００の背面図である。
【図４４】図４２（ａ）のＸＬＩＶ−ＸＬＩＶ線における貯留装置の部分断面図である。
【図４５】（ａ）は、貯留装置の正面図であり、（ｂ）は、図４５（ａ）の矢印ＸＬＶｂ方向視における貯留装置の側面図である。
【図４６】（ａ）は、貯留装置の正面図であり、（ｂ）は、図４６（ａ）の矢印ＸＬＶＩｂ方向視における貯留装置の側面図である。
【図４７】（ａ）は、第７実施形態における貯留装置の正面図であり、（ｂ）は、図４７（ａ）のＸＬＶＩＩｂ−ＸＬＶＩＩｂ線における貯留装置の部分断面図である。
【図４８】（ａ）は、貯留装置の正面図であり、（ｂ）は、図４８（ａ）のＸＬＶＩＩＩｂ−ＸＬＶＩＩＩｂ線における貯留装置の部分断面図である。
【図４９】（ａ）は、貯留装置の正面図であり、（ｂ）は、図４９（ａ）のＸＬＩＸｂ−ＸＬＩＸｂ線における貯留装置の部分断面図である。
【図５０】（ａ）は、第８実施形態における貯留装置の正面図であり、（ｂ）は、図５０（ａ）の矢印Ｌｂ方向視における貯留装置の部分側面図である。
【図５１】（ａ）は、貯留装置の正面図であり、（ｂ）は、図５１（ａ）の矢印ＬＩｂ方向視における貯留装置の部分側面図である。
【図５２】（ａ）は、第９実施形態における貯留装置の部分正面図であり、（ｂ）は、図５２（ａ）のＬＩＩｂ−ＬＩＩｂ線における貯留装置の部分断面図であり、（ｃ）は、貯留装置の部分正面図であり、（ｄ）は、図５２（ｃ）のＬＩＩｄ−ＬＩＩｄ線における貯留装置の部分断面図である。
【図５３】（ａ）は、貯留装置の部分正面図であり、（ｂ）は、図５３（ａ）のＬＩＩＩｂ−ＬＩＩＩｂ線における貯留装置の部分断面図であり、（ｃ）は、貯留装置の部分正面図であり、（ｄ）は、図５３（ｃ）のＬＩＩＩｄ−ＬＩＩＩｄ線における貯留装置の部分断面図である。
【発明を実施するための形態】
【００１３】
以下、本発明の実施形態について、添付図面を参照して説明する。まず、図１から図１７を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１４】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１５】
内枠１２には、多数の釘や入賞口６３，６４等を有する遊技盤１３（図２参照）が裏面側から着脱可能に装着される。この遊技盤１３の正面を球（以下、遊技球とも称す）が流下することにより弾球遊技が行われる。なお、内枠１２には、球を遊技盤１３の正面領域に発射する球発射ユニット１１２ａ（図４参照）やその球発射ユニット１１２ａから発射された球を遊技盤１３の正面領域まで誘導する発射レール（図示せず）等が取り付けられている。
【００１６】
内枠１２の正面側には、その正面上側を覆う正面枠１４と、その下側を覆う下皿ユニット１５とが設けられている。正面枠１４及び下皿ユニット１５を支持するために正面視（図１参照）左側の上下２カ所に金属製のヒンジ１９が取り付けられ、そのヒンジ１９が設けられた側を開閉の軸として正面枠１４及び下皿ユニット１５が正面手前側へ開閉可能に支持されている。なお、内枠１２の施錠と正面枠１４の施錠とは、シリンダ錠２０の鍵穴２１に専用の鍵を差し込んで所定の操作を行うことでそれぞれ解除される。
【００１７】
正面枠１４は、装飾用の樹脂部品や電気部品等を組み付けたものであり、その略中央部には略楕円形状に開口形成された窓部１４ｃが設けられている。正面枠１４の裏面側には２枚の板ガラスを有するガラスユニット１６が配設され、そのガラスユニット１６を介して遊技盤１３の正面がパチンコ機１０の正面側に視認可能となっている。
【００１８】
正面枠１４には、球を貯留する上皿１７が正面側へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００１９】
正面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、正面枠１４の正面視（図１参照）左上部には、ＬＥＤ等の発光手段が内蔵され賞球の払い出し中とエラー発生時とを表示可能な表示ランプ３４が設けられている。
【００２０】
また、右側の電飾部３２下側には、正面枠１４の裏面側を視認できるように裏面側より透明樹脂を取り付けて小窓３５が形成され、遊技盤１３正面の貼着スペースＫ１（図２参照）に貼付される証紙等がパチンコ機１０の正面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２１】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２２】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の正面へ打ち込むために遊技者によって操作される操作ハンドル５１が配設される。
【００２３】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の正面へ球が打ち込まれる。また、操作ハンドル５１が遊技者により操作されていない状態においては、タッチセンサ５１ａおよび発射停止スイッチ５１ｂがオフとなっている。
【００２４】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２５】
図２に示すように、遊技盤１３は、正面視略正方形状に切削加工したベース板６０に、球案内用の多数の釘（図示せず）や風車の他、レール６１，６２、一般入賞口６３、第１入球口６４、第２入球口６４０、第一可変入賞装置６５、第２可変入賞装置６５０、普通入球口（スルーゲート）６７、可変表示装置ユニット８０、貯留装置１０００等を組み付けて構成され、その周縁部が内枠１２（図１参照）の裏面側に取り付けられる。ベース板６０は光透過性の樹脂材料からなり、その正面側からベース板６０の背面側に配設された各種構造体を遊技者に視認させることが可能に形成される。一般入賞口６３、第１入球口６４、第２入球口６４０、第１可変入賞装置６５、第２可変入賞装置６５０、可変表示装置ユニット８０、貯留装置１０００は、ルータ加工によってベース板６０に形成された貫通穴に配設され、遊技盤１３の正面側からタッピングネジ等により固定されている。
【００２６】
遊技盤１３の正面中央部分は、正面枠１４の窓部１４ｃ（図１参照）を通じて内枠１２の正面側から視認することができる。以下に、主に図２を参照して、遊技盤１３の構成について説明する。
【００２７】
遊技盤１３の正面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の正面外周が囲まれ、遊技盤１３とガラスユニット１６（図１参照）とにより前後が囲まれることにより、遊技盤１３の正面には、球の挙動により遊技が行われる遊技領域が形成される。遊技領域は、遊技盤１３の正面であって２本のレール６１，６２とレール間を繋ぐ樹脂製の外縁部材７３とにより区画して形成される領域（入賞口等が配設され、発射された球が流下する領域）である。
【００２８】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。また、内レール６１の右下側の先端部と外レール６２の右上側の先端部との間には、レール間を繋ぐ円弧を内面側に設けて形成された樹脂製の円弧部材７０がベース板６０に打ち込んで固定されている。
【００２９】
本パチンコ機１０では、第１入球口６４、および第２入球口６４０へ入賞があったことを契機として特別図柄（第１図柄）の抽選が行われ、球が普通入球口６７を通過した場合に普通図柄（第２図柄）の抽選が行われる。第１入球口６４、および第２入球口６４０への入球に対して行われる特別図柄の抽選では、特別図柄の大当たりか否かの当否判定が行われると共に、特別図柄の大当たりと判定された場合にはその大当たり種別の判定も行われる。なお、本パチンコ機１０では、特別図柄の低確率状態では、例えば、３２０分の１の確率で特別図柄の大当たりと判定され、特別図柄の高確率状態（特別図柄の確変状態とも称する）では、例えば、６０分の１の確率で特別図柄の大当たりと判定される。なお、説明の便宜上、第１入球口６４への入球に対して行われる特別図柄の抽選を「特別図柄１の抽選」と称し、第２入球口６４０への入球に対して行われる特別図柄の抽選を「特別図柄２の抽選」と称する。
【００３０】
特別図柄の大当たりになると、パチンコ機１０が特別遊技状態へ移行すると共に、通常時には閉鎖されている第１特定入賞口６５ａ、または第２特定入賞口６５０ａが所定時間（例えば、３０秒経過するまで、或いは、球が１０個入賞するまで）開放される動作が１５回（１５ラウンド）繰り返される。より具体的には、１〜１１ラウンド、および１３〜１５ラウンドでは、第１特定入賞口６５ａが所定時間（例えば、３０秒経過するまで、或いは、球が１０個入賞するまで）開放され、１２ラウンドでは第２特定入賞口６５０ａが所定時間（例えば、３０秒経過するまで、或いは、球が１０個入賞するまで）開放される。その結果、その第１特定入賞口６５ａ、および第２特定入賞口６５０ａに多量の球が入賞するので、通常時より多量の賞球の払い出しが行われる。
【００３１】
また、第２可変入賞装置６５０の下流に配置される貯留装置１０００の内部には、特別遊技状態の終了後に付与される大当たり終了後の付加価値を決定するための２種類の入球口（確変入球口１０３１、および通常入球口１０３３）が設けられている。詳細については後述するが、特別遊技状態において確変入球口１０３１に対して球が入球した場合は、大当たり終了後の付加価値として「特別図柄の高確率状態」が付与される。一方、特別遊技状態中に一度も確変入球口１０３１へと球が入球しなかった場合は、大当たり終了後の付加価値として「普通図柄の時短状態」が付与される。なお、特別図柄の大当たり種別としては、「大当たりＡ」、「大当たりＢ」の２種類が設けられている（図１７参照）。詳細については後述するが、大当たり種別によって、第２特定入賞口６５０ａの開放パターンが異なって構成されており、確変入球口１０３１への球の入球のしやすさを異ならせている。
【００３２】
特別図柄（第１図柄）の抽選が行われると、第１図柄表示装置３７において特別図柄の変動表示が開始されて、所定時間（例えば、１１秒〜６０秒など）が経過した後に、抽選結果を示す特別図柄が停止表示される。第１図柄表示装置３７において変動表示が行われている間に球が第１入球口６４、または第２入球口６４０へと入球すると、その入球回数は入球口の種別毎にそれぞれ最大４回まで保留され、その保留球数が第１図柄表示装置３７により示されると共に、第３図柄表示装置８１においても示される。第１図柄表示装置３７において変動表示が終了した場合に、第１入球口６４についての保留球数（特別図柄１の保留球数）、または第２入球口６４０についての保留球数（特別図柄２の保留球数）が残っていれば、次の特別図柄の抽選が行われると共に、その抽選に応じた変動表示が開始される。なお、特別図柄１の保留球数と特別図柄２の保留球数が共に残っている場合は、特別図柄２の保留球に基づく抽選が優先的に実行される。
【００３３】
普通図柄（第２図柄）の抽選では、普通図柄の当たりか否かの当否判定が行われる。普通図柄の当たりになると、所定時間（例えば、０．２秒または１秒）だけ第２入球口６４０に付随する電動役物６４０ａが開放され、第２入球口６４０へ球が入球し易い状態になる。つまり、普通図柄の当たりになると、球が第２入球口６４０へ入球し易くなり、その結果、特別図柄の抽選が行われ易くなる。
【００３４】
また、普通図柄（第２図柄）の抽選が行われると、第２図柄表示装置８３において普通図柄の変動表示が開始されて、所定時間（例えば、３秒や３０秒など）が経過した後に、抽選結果を示す普通図柄が停止表示される。第２図柄表示装置８３において変動表示が行われている間に球が普通入球口６７を通過すると、その通過回数は最大４回まで保留され、その保留球数が第１図柄表示装置３７により表示されると共に、第２図柄保留ランプ８４においても示される。第２図柄表示装置８３において変動表示が終了した場合に、普通入球口６７についての保留球数が残っていれば、次の普通図柄の抽選が行われると共に、その抽選に応じた変動表示が開始される。
【００３５】
「大当たりＡ」、および「大当たりＢ」になるといずれも、ラウンド数が１５ラウンドの特別遊技状態（１５Ｒ大当たり）となる。また、特別遊技状態において、確変入球口１０３１（図２参照）へと球が入球すると、大当たり終了後の付加価値として、その大当たり終了後から次に大当たりとなるまでの間、パチンコ機１０が特別図柄の高確率状態（特別図柄の確変中）へ移行する。一方、特別遊技状態において１度も確変入球口１０３１へと球が入球しなかった場合は、大当たり終了後の付加価値として、その大当たり終了後から特別図柄の抽選が１００回終了するまでの間、普通図柄の時短状態へ移行する。なお、大当たり終了後に普通図柄の時短状態へと移行する場合は、あわせて特別図柄の低確率状態へと移行する。この特別図柄の低確率状態は、次に大当たりとなるまで継続する。なお、詳細については後述するが、「大当たりＢ」では、「大当たりＡ」に比較して、特別遊技状態中（大当たり状態中）に球を確変入球口１０３１へと入球させやすくなる。即ち、「大当たりＢ」の方が大当たり終了後に特別図柄の確変状態へと移行しやすくなるので、大当たりの終了後に短い間隔で再度大当たりとなりやすくなる。よって、「大当たりＢ」の方が、「大当たりＡ」よりも遊技者にとって有利な大当たりとなる。
【００３６】
ここで、「特別図柄の高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における特別図柄の高確率状態（特別図柄の確変中）は、普通図柄（第２図柄）の当たり確率がアップして第２入球口６４０へ球が入賞し易い遊技の状態を含む。一方、「特別図柄の低確率状態」とは、特別図柄の確変中でない時をいい、大当たり確率が通常の状態、即ち、特別図柄の確変中よりも大当たり確率が低い状態をいう。
【００３７】
また、普通図柄の時短状態（時短中）とは、普通図柄の当たり確率がアップして第２入球口６４０へ球が入賞し易い遊技の状態のことをいう。また、通常状態とは、特別図柄の確変中でも普通図柄の時短中でもない遊技の状態（大当たり確率も普通図柄（第２図柄）の当たり確率もアップしていない状態）のことをいう。
【００３８】
特別図柄の確変中や、普通図柄の時短中では、普通図柄の当たり確率がアップするだけではなく、第２入球口６４０に付随する電動役物６４０ａが開放される時間も変更され、通常状態に比較して長い時間が設定される。電動役物６４０ａが開放された状態（開放状態）にある場合は、その電動役物６４０ａが閉鎖された状態（閉鎖状態）にある場合と比較して、第２入球口６４０へ球が入賞しやすい状態となる。よって、特別図柄の確変中や普通図柄の時短中は、第２入球口６４０へ球が入球し易い状態となる。即ち、特別図柄の抽選が行われやすくなる。
【００３９】
なお、特別図柄の確変中や普通図柄の時短中において、第２入球口６４０に付随する電動役物６４０ａの開放時間を変更するのではなく、または、その開放時間を変更することに加えて、普通図柄の当たりとなった場合における電動役物６４０ａの開放回数を、通常状態よりも増やすように構成してもよい。また、特別図柄の確変中や普通図柄の時短中において、普通図柄（第２図柄）の当たり確率は変更せず、第２入球口６４０に付随する電動役物６４０ａが開放される時間、および電動役物６４０ａの開放回数のうち少なくとも一方を変更するものとしてもよい。また、特別図柄の確変中や普通図柄の時短中において、第２入球口６４０に付随する電動役物６４０ａが開放される時間や、電動役物６４０ａの開放回数は変更せず、普通図柄（第２図柄）の当たり確率だけを、通常状態に比較してアップするように構成してもよい。
【００４０】
本実施形態では、特別遊技状態の終了後に特別図柄の確変状態が付与される場合は、その特別図柄の確変状態が次の大当たりまで継続するように構成したが、これに限られるものではなく、回数を限ってもよい。具体的には、例えば、特別遊技状態が終了してから特別図柄の抽選が１２０回終了するまで特別図柄の確変状態（高確率状態）が付与され、特別図柄の抽選が１２０回終了して以降は通常状態に設定されるように構成してもよい。また、特別図柄の確変状態となる回数は１２０回に限られず、任意に定めてもよい。同様に、本実施形態では、特別遊技状態において確変入球口１０３１へと球が入球しなかった場合に、特別図柄の抽選が１００回終了するまで普通図柄の時短状態となるように構成されているが、普通図柄の時短期間は１００回に限られず、任意に定めてもよい。
【００４１】
遊技領域の正面視左側下部（図２の左側下部）には、発光手段である複数の発光ダイオード（以下、「ＬＥＤ」と略す）３７ａと７セグメント表示器３７ｂとが設けられた第１図柄表示装置３７が配設されている。第１図柄表示装置３７は、後述する主制御装置１１０で行われる各制御に応じた表示がなされるものであり、主にパチンコ機１０の遊技状態の表示が行われる。複数のＬＥＤ３７ａは、第１入球口６４、または第２入球口６４０への入球（始動入賞）に伴って行われる特別図柄の抽選が実行中であるか否かを点灯状態により示すことによって変動表示を行ったり、変動終了後の停止図柄として、その特別図柄の抽選結果に応じた特別図柄（第１図柄）を点灯状態により示したり、第１入球口６４に入球された球のうち変動が未実行である球（保留球）の数である保留球数を点灯状態により示すものである。
【００４２】
この第１図柄表示装置３７において特別図柄（第１図柄）の変動表示が行われている間に球が第１入球口６４、または第２入球口６４０へと入球した場合、その入球回数は入球口の種別毎にそれぞれ最大４回まで保留され、その保留球数は第１図柄表示装置３７により示されると共に、第３図柄表示装置８１においても示される。なお、本実施形態においては、第１入球口６４、および第２入球口６４０への入球は、それぞれ最大４回まで保留されるように構成したが、最大保留回数は４回に限定されるものでなく、３回以下、又は、５回以上の回数（例えば、８回）に設定しても良い。
【００４３】
７セグメント表示器３７ｂは、大当たり中のラウンド数やエラー表示を行うものである。なお、ＬＥＤ３７ａは、それぞれのＬＥＤの発光色（例えば、赤、緑、青）が異なるよう構成され、その発光色の組み合わせにより、少ないＬＥＤでパチンコ機１０の各種遊技状態（特別図柄の高確率状態や、普通図柄の時短中など）を表示することができる。また、ＬＥＤ３７ａには、変動終了後の停止図柄として特別図柄の抽選結果が大当たりであるか否かが示されるだけでなく、大当たりである場合はその大当たり種別（大当たりＡ、大当たりＢ）に応じた特別図柄（第１図柄）が示される。
【００４４】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入球口６４及び第２入球口６４０への入賞（始動入賞）をトリガとして、第１図柄表示装置３７における変動表示と同期させながら、第３図柄の変動表示を行う液晶ディスプレイ（以下単に「表示装置」と略す）で構成された第３図柄表示装置８１と、普通入球口（スルーゲート）６７の球の通過をトリガとして第２図柄を変動表示するＬＥＤで構成される第２図柄表示装置８３とが設けられている。この可変表示装置ユニット８０には、第３図柄表示装置８１の外周を囲むようにして、センターフレーム８６が配設されている。
【００４５】
第３図柄表示装置８１は９インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７で行われるのに対して、その第１図柄表示装置３７の表示に応じた装飾的な表示を行うものである。なお、表示装置に代えて、例えばリール等を用いて第３図柄表示装置８１を構成するようにしても良い。
【００４６】
本実施形態では、第３図柄は、「０」から「９」の数字を付した１０種類の主図柄により構成されている。本実施形態のパチンコ機１０においては、後述する主制御装置１１０（図４参照）により行われる特別図柄の抽選結果が大当たりであった場合に、同一の主図柄が揃う変動表示が行われ、その変動表示が終わった後に大当たりが発生するよう構成されている。一方、特別図柄の抽選結果が外れであった場合は、同一の主図柄が揃わない変動表示が行われる。
【００４７】
例えば、特別図柄の抽選結果が「大当たりＡ」であれば、偶数番号である「０，２，４，６，８」が付加された主図柄が揃う変動表示が行われる。一方、「大当たりＢ」であれば、奇数番号も加えたすべての番号「０，１，２，３，４，５，６，７，８，９」のうちいずれかの番号が付加された主図柄が揃う変動表示が行われる。一方、特別図柄の抽選結果が外れであれば、同一番号の主図柄が揃わない変動表示が行われる。
【００４８】
次に、第３図柄表示装置８１に表示される、遊技盤１３の右側の経路（流路）を狙って球を打ち出すように促す表示（右打ちナビ）について説明する。
【００４９】
上述した通り、本実施形態のパチンコ機１０では、特別図柄の確変状態や、普通図柄の時短状態となった場合に、電動役物６４０ａが開放しやすくなるので、遊技盤１３の右側へと球を打ち出す（右打ちする）ことにより、第２入球口６４０へと球を入球させやすくなる。また、詳細については後述するが、第２入球口６４０へと球が入球したことに基づいて行われる特別図柄の抽選（特別図柄２の抽選）により大当たりとなると、第１入球口６４へと球が入球したことに基づいて行われる特別図柄の抽選（特別図柄１の抽選）により大当たりとなる場合に比較して「大当たりＢ」となりやすい。よって、大当たりの終了後に付与される特別図柄の確変状態や、普通図柄の時短状態では、右打ちを実行することにより、遊技者にとって有利となる。換言すれば、特別図柄の確変状態や、普通図柄の時短状態に設定されたとしても、遊技者が右打ちしなければ第２入球口６４０へと球を入球させることができないため、特別図柄の確変状態や、普通図柄の時短状態の恩恵を遊技者が十分に受けることができなくなってしまう。
【００５０】
そこで、本実施形態では、特別図柄の確変状態や、普通図柄の時短状態においては、特定の画像（右打ちナビ）を表示させることにより、遊技者が特別図柄の確変状態や普通図柄の時短状態となることによる恩恵を確実に得られるように構成している。
【００５１】
右打ちナビでは、第３図柄表示装置８１に「右を狙え！！」との文字が表示されると共に、その文字の上下に右向きの矢印が３つずつ表示される。これらの文字、および矢印が表示されることにより、遊技者に対して球を遊技盤１３の右側に設けられた経路（流路）へと打ち出すべきであると感じさせることができる。よって、遊技者に対して、特別図柄の確変状態、および普通図柄の時短状態となることによる恩恵を確実に獲得させることができる。
【００５２】
次に、本実施形態のパチンコ機１０において第３図柄表示装置８１に対して表示される警告画像の一例について説明する。この警告画像は、遊技者が遊技盤１３の右側に設けられた経路（流路）へと球を打ち出す（右打ちする）べき期間でないにもかかわらず、右打ちを実行していると判別された場合に第３図柄表示装置８１に対して表示される画像（右打ち警告画像）である。より具体的には、通常状態（特別図柄の確変状態でも、普通図柄の時短状態でもない状態）において、遊技者が右打ちを行っていると判別した場合に表示される。
【００５３】
本実施形態のパチンコ機１０では、通常状態において電動役物６４０ａが開放されにくくなるように制御される（右打ちを行ったとしても第２入球口６４０へと球を入球させにくい）。このため、通常状態において右打ちを行うと、左打ちにより第１入球口６４を狙って球を打ち出す場合に比較して、特別図柄の抽選を受ける機会が少なくなってしまう。即ち、通常状態において右打ちを行うと、大当たりとなりにくくなるので、遊技者にとって損となってしまう。よって、右打ち警告画像を表示させて左打ちを促すことにより、遊技者が損をしてしまうことを防止（抑制）できるように構成している。
【００５４】
通常状態において遊技者が右打ちを行っていると判別した場合には、第３図柄表示装置８１に対して、「警告」との文字と、「左打ちで遊技してね！！」との文字とが表示される。これらの文字が表示されることにより、遊技者に対して右打ちをすべきではない（左打ちを行うべきである）と気付かせることができる。また、ホールの店員も右打ち警告画面の有無を確認することにより、通常状態において右打ちを行う変則的な遊技方法を実行している遊技者がいるか否かを容易に判別することができる。
【００５５】
なお、右打ちを行っているか否かの判断方法としては、例えば、右打ちを行った場合に球が流入し得る普通入球口（スルーゲート）６７（図２参照）に対して球が入球したか否かによって判断する。
【００５６】
本実施形態では、通常状態において普通入球口（スルーゲート）６７（図２参照）に球が入球したことを検出した場合に、右打ち警告画像を表示させるように構成していたが、これに限られるものではない。例えば、特別遊技状態（大当たり状態）以外の状態において、第２特定入賞口６５０ａへと球が入賞（入球）したことを検出した場合に、不正遊技が行われていると判別して、右打ち警告画像を表示させるように構成してもよい。これにより、ホールの店員は右打ち警告画像の有無を確認するだけで容易に不正の有無を判別することができる。また、特別遊技状態（大当たり状態）以外の状態において、第２特定入賞口６５０ａへと球が入球したことを検出した場合に、ホールコンピュータに対して不正が行われていることを示す信号を出力するように構成してもよい。これにより、ホールコンピュータの操作者は容易に不正が行われている可能性の有無、および不正行為が行われているパチンコ機１０の台番号（位置）を判断することができる。
【００５７】
次に、貯留装置１０００において異常が発生していることを検知した場合に表示される警告画像について説明する。ここで、貯留装置１０００の異常とは、例えば、特別遊技状態（大当たり状態）でないにもかかわらず確変入球口１０３１や通常入球口１０３３への入球を検出した場合などが例示される。
【００５８】
貯留装置１０００において異常が発生していると判別した場合は、第３図柄表示装置８１の中央部分に「警告」との文字が大きく表示される。また、その下部には、「ゲートエラー係員を呼んで下さい」との文字が表示される。これらの文字により、遊技者は、パチンコ機１０においてエラーが発生していると判別することができるので、ホールの店員等に対して迅速に修理等を依頼することができる。
【００５９】
第２図柄表示装置８３は、球が普通入球口（スルーゲート）６７を通過する毎に表示図柄（第２図柄（図示せず））としての「○」の図柄と「×」の図柄とを所定時間交互に点灯させる変動表示を行うものである。パチンコ機１０では、球が普通入球口（スルーゲート）６７を通過したことが検出されると、当たり抽選が行われる。その当たり抽選の結果、当たりであれば、第２図柄表示装置８３において、第２図柄の変動表示後に「○」の図柄が停止表示される。また、当たり抽選の結果、外れであれば、第２図柄表示装置８３において、第２図柄の変動表示後に「×」の図柄が停止表示される。
【００６０】
パチンコ機１０は、第２図柄表示装置８３における変動表示が所定図柄（本実施形態においては「○」の図柄）で停止した場合に、第２入球口６４０に付随された電動役物６４０ａが所定時間だけ作動状態となる（開放される）よう構成されている。
【００６１】
第２図柄の変動表示にかかる時間（変動時間）は、遊技状態が通常状態中よりも、特別図柄の確変中、または普通図柄の時短中の方が短くなるように設定される。これにより、特別図柄の確変中、および普通図柄の時短中は、第２図柄の変動表示が短い時間で行われるので、普通図柄（第２図柄）の抽選を通常状態中よりも多く行うことができる。よって、普通図柄の当たりとなる機会が増えるので、第２入球口６４０の電動役物６４０ａが開放状態となる機会を遊技者に多く与えることができる。従って、特別図柄の確変中、および普通図柄の時短中は、第２入球口６４０へ球が入賞しやすい状態とすることができる。
【００６２】
なお、特別図柄の確変中、または普通図柄の時短中において、当たり確率をアップさせたり、電動役物６４０ａの開放時間や開放回数を増やしたりするなど、その他の方法によって第２入球口６４０へ球が入賞しやすい状態としている場合は、第２図柄の変動表示にかかる時間を遊技状態にかかわらず一定としてもよい。一方、第２図柄の変動表示にかかる時間を、特別図柄の確変中、または普通図柄の時短中において、通常状態中よりも短く設定する場合は、普通図柄の当たり確率を遊技状態にかかわらず一定にしてもよいし、１回の普通図柄の当たりに対する電動役物６４０ａの開放時間や開放回数を遊技状態にかかわらず一定にしてもよい。
【００６３】
普通入球口（スルーゲート）６７は、可変表示装置ユニット８０の下側の領域における右方において遊技盤に組み付けられ、遊技盤に発射された球のうち、遊技盤の右方を流下する球の一部が通過可能に構成されている。普通入球口（スルーゲート）６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００６４】
球の普通入球口（スルーゲート）６７の通過回数は、合計で最大４回まで保留され、その保留球数が上述した第１図柄表示装置３７により表示されると共に第２図柄保留ランプ８４においても点灯表示される。第２図柄保留ランプ８４は、最大保留数分の４つ設けられ、第３図柄表示装置８１の下方に左右対称に配設されている。
【００６５】
なお、第２図柄の変動表示は、本実施形態のように、第２図柄表示装置８３において複数のランプの点灯と非点灯を切り換えることにより行うものの他、第１図柄表示装置３７及び第３図柄表示装置８１の一部を使用して行うようにしても良い。同様に、第２図柄保留ランプ８４の点灯を第３図柄表示装置８１の一部で行うようにしても良い。また、普通入球口（スルーゲート）６７の球の通過に対する最大保留球数は４回に限定されるものでなく、３回以下、又は、５回以上の回数（例えば、８回）に設定しても良い。また、普通入球口（スルーゲート）６７の組み付け数は１つに限定されるものではなく、複数（例えば、２つ）であっても良い。また、普通入球口（スルーゲート）６７の組み付け位置は可変表示装置ユニット８０の右方に限定されるものではなく、例えば、可変表示装置ユニット８０の左方でも良い。また、第１図柄表示装置３７により保留球数が示されるので、第２図柄保留ランプ８４により点灯表示を行わないものとしてもよい。
【００６６】
可変表示装置ユニット８０の下方には、球が入賞し得る第１入球口６４が配設されている。この第１入球口６４へ球が入賞すると遊技盤１３の裏面側に設けられる第１入球口スイッチ（図示せず）がオンとなり、その第１入球口スイッチのオンに起因して主制御装置１１０（図４参照）で大当たりの抽選がなされ、その抽選結果に応じた表示が第１図柄表示装置３７で示される。
【００６７】
一方、第１入球口６４の正面視右方には、球が入賞し得る第２入球口６４０が配設されている。この第２入球口６４０へ球が入賞すると遊技盤１３の裏面側に設けられる第２入球口スイッチ（図示せず）がオンとなり、その第２入球口スイッチのオンに起因して主制御装置１１０（図４参照）で大当たりの抽選がなされ、その抽選結果に応じた表示が第１図柄表示装置３７で示される。
【００６８】
また、第１入球口６４および第２入球口６４０は、それぞれ、球が入賞すると５個の球が賞球として払い出される入賞口の１つにもなっている。なお、本実施形態においては、第１入球口６４へ球が入賞した場合に払い出される賞球数と第２入球口６４０へ球が入賞した場合に払い出される賞球数とを同じに構成したが、第１入球口６４へ球が入賞した場合に払い出される賞球数と第２入球口６４０へ球が入賞した場合に払い出される賞球数とを異なる数、例えば、第１入球口６４へ球が入賞した場合に払い出される賞球数を３個とし、第２入球口６４０へ球が入賞した場合に払い出される賞球数を５個として構成してもよい。
【００６９】
第２入球口６４０には電動役物６４０ａが付随されている。この電動役物６４０ａは開閉可能に構成されており、通常は電動役物６４０ａが閉鎖状態（縮小状態）となって、球が第２入球口６４０へ入賞しにくい状態となっている。一方、普通入球口（スルーゲート）６７への球の通過を契機として行われる第２図柄の変動表示の結果、「○」の図柄が第２図柄表示装置８３に表示された場合、電動役物６４０ａが開放状態（拡大状態）となり、球が第２入球口６４０へ入賞しやすい状態となる。
【００７０】
上述した通り、特別図柄の確変中および普通図柄の時短中は、通常状態中に比較して普通図柄の当たり確率が高く、また、普通図柄の変動表示にかかる時間も短いので、普通図柄の変動表示において「○」の図柄が表示され易くなる。よって、電動役物６４０ａが開放状態（拡大状態）となる回数が増える。更に、特別図柄の確変中および普通図柄の時短中は、電動役物６４０ａが開放される時間も、通常状態中より長くなる。よって、特別図柄の確変中および普通図柄の時短中は、通常状態に比較して、第２入球口６４０へ球が入賞しやすい状態を作ることができる。一方、第１入球口６４は、第２入球口６４０に設けられているような電動役物は有しておらず、球が常時入賞可能な状態となっている。
【００７１】
ここで、第１入球口６４に球が入賞した場合と第２入球口６４０へ球が入賞した場合とで、大当たりとなる確率は、低確率状態であっても高確率状態でも同一である。しかしながら、大当たりとなった場合に選定される大当たりの種別として、特別遊技状態中に確変入球口１０３１へと球を入球させ易い大当たり（大当たりＢ）となる確率は、第２入球口６４０へ球が入賞した場合のほうが第１入球口６４へ球が入賞した場合よりも高く設定されている（図１７参照）。
【００７２】
通常中においては、第２入球口６４０に付随する電動役物が閉鎖状態にある場合が多く、第２入球口６４０に入賞しづらいので、電動役物のない第１入球口６４へ向けて、可変表示装置ユニット８０の左方を球が通過するように球を発射し（所謂「左打ち」）、第１入球口６４への入賞によって大当たり抽選の機会を多く得て、大当たりとなることを狙った方が、遊技者にとって有利となる。
【００７３】
一方、特別図柄の確変中や普通図柄の時短中は、普通入球口（スルーゲート）６７に球を通過させることで、第２入球口６４０に付随する電動役物６４０ａが開放状態となりやすく、第２入球口６４０に入賞しやすい状態であるので、第２入球口６４０へ向けて、可変表示装置８０の右方を球が通過するように球を発射し（所謂「右打ち」）、普通入球口（スルーゲート）６７を通過させて電動役物６４０ａを開放状態にすると共に、第２入球口６４０への入賞によって大当たりＢとなることを狙った方が、遊技者にとって有利となる。
【００７４】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００７５】
第１入球口６４の下方右側（第２入球口６４０の下方左側）には、第１可変入賞装置６５が配設されており、その略中央部分に横長矩形状の第１特定入賞口（大開放口）６５ａが設けられている。パチンコ機１０においては、第１入球口６４、または第２入球口６４０への入賞に起因して行われた特別図柄の抽選で大当たりになると、所定時間（変動時間）が経過した後に、大当たりの停止図柄となるよう第１図柄表示装置３７を点灯させる。加えて、大当たりに対応した停止図柄を第３図柄表示装置８１に表示させて、大当たりの発生が報知される。その後、球が入賞し易い特別遊技状態（大当たり）に遊技状態が遷移する。この特別遊技状態として、通常時には閉鎖されている第１特定入賞口６５ａが、所定時間（例えば、３０秒経過するまで、或いは、球が１０個入賞するまで）開放される。
【００７６】
この第１特定入賞口６５ａは、所定時間が経過すると閉鎖され、その閉鎖後、再度、その特定入賞口６５ａが所定時間開放される。この第１特定入賞口６５ａの開閉動作は、最高で例えば１４回（１４ラウンド）繰り返し可能にされている。より具体的には、特別遊技状態の１〜１１ラウンドと、１３〜１５ラウンドにおいて、第１特定入賞口６５ａの開閉動作が実行される。この開閉動作が行われている状態が、遊技者にとって有利な特別遊技状態の一形態であり、遊技者には、遊技上の価値（遊技価値）の付与として通常時より多量の賞球の払い出しが行われる。
【００７７】
第１可変入賞装置６５は、具体的には、第１特定入賞口６５ａを覆うと共に、正面視手前側に突出することにより球を第１可変入賞装置６５へと入球することを妨げる閉状態を形成する開閉板６５ｂと、その開閉板６５ｂを動作させるソレノイド（図示せず）とを備えている。第１特定入賞口６５ａは、通常時は、球が入賞できないか又は入賞し難い閉状態になっている。大当たりの際にはソレノイドを駆動して開閉板６５ｂを正面視奥側に引き込み、球が第１特定入賞口６５ａに入賞しやすい開状態を一時的に形成し、その開状態と通常時の閉状態とを交互に繰り返すように作動する。
【００７８】
第１可変入賞装置６５の上方右側には、第２可変入賞装置６５０が設けられている。第２可変入賞装置６５０は、具体的には、正面視手前側に突出することにより球を第２可変入賞装置６５０へと入球することを妨げる閉状態を形成する開閉板６５０ｂと、その開閉板６５０ｂを動作させるソレノイド６５０ｃ（図８参照）とを備えている。第２特定入賞口６５０ａは、通常時は、球が入賞できないか又は入賞し難い閉状態になっている（図７（ｂ）参照）。一方、特別図柄の抽選により大当たりとなり、１２ラウンド目になると、第２特定入賞口６５０ａを覆う開閉版６５０ｂが正面視奥側へ引き込み、球が第２可変入賞装置６５０へと入球可能な開状態を所定パターン（図１６参照）で形成する（図７（ａ）参照）。
【００７９】
上述した通り、特別遊技状態（大当たり中）において第２特定入賞口６５０ａへと入球した球が貯留装置１０００の内部に設けられた確変入球口１０３１へと入球することに基づき、大当たりの終了後に特別図柄の確変状態へと移行する。一方、特別遊技状態において球が第２特定入賞口６５０ａへ入球しなかった場合や、第２特定入賞口６５０ａへと入球しても、全ての球が通常入球口１０３３へと入球した場合は大当たりの終了後に普通図柄の時短状態へと移行する。
【００８０】
なお、特別遊技状態は上記した形態に限定されるものではない。特別遊技状態において開放される入賞口として第１特定入賞口６５ａ、第２特定入賞口６５０ａに加え、更に他の入賞口を設けてもよい。また、逆に、入賞口を第１特定入賞口６５ａのみとしてもよい。また配置位置も本実施形態の配置に限られるものではなく、任意の位置に配設してもよい。
【００８１】
遊技盤１３の下側における右隅部には、証紙や識別ラベル等を貼着するための貼着スペースＫ１が設けられ、貼着スペースＫ１に貼られた証紙等は、正面枠１４の小窓３５（図１参照）を通じて視認することができる。
【００８２】
遊技盤１３には、第１入球口６４の下方に第１アウト口６６が設けられている。遊技領域を流下する球であって、いずれの入球口６３，６４，６５ａ，６４０，６５０ａにも入賞しなかった球は、第１アウト口６６を通って図示しない球排出路へと案内される。遊技盤１３には、球の落下方向を適宜分散、調整等するために多数の釘が植設されていると共に、風車等の各種部材（役物）が配設されている。
【００８３】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００８４】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００８５】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００８６】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００８７】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００８８】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００８９】
次に、図４を参照して、本パチンコ機１０の電気的構成について説明する。図４は、パチンコ機１０の電気的構成を示すブロック図である。
【００９０】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７及び第３図柄表示装置８１における表示の設定、第２図柄表示装置における表示結果の抽選といったパチンコ機１０の主要な処理を実行する。
【００９１】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００９２】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００９３】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００９４】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７、第２図柄表示装置、第２図柄保留ランプ、第１特定入賞口６５ａの開閉板の下辺を軸として正面側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００９５】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００９６】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００９７】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００９８】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００９９】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【０１００】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【０１０１】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には、遊技中に動作する可動役物を駆動させる駆動モーター等が含まれる。
【０１０２】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた後面画像を第３図柄表示装置８１に表示させるべく、変更後のステージに関する情報を含めた後面画像変更コマンドを表示制御装置１１４へ送信する。ここで、後面画像とは、第３図柄表示装置８１に表示させる主要な画像である第３図柄の後面側に表示される画像のことである。表示制御装置１１４は、この音声ランプ制御装置１１３から送信されるコマンドに従って、第３図柄表示装置８１に各種の画像を表示する。
【０１０３】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【０１０４】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【０１０５】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【０１０６】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【０１０７】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【０１０８】
次いで、図５及び図６を参照して、遊技者が遊技盤１３の右側へと球を射出した場合（右打ちした場合）の経路について説明する。まず、図５は、遊技盤１３の右側に設けられた経路（流路）のうち、貯留装置１０００よりも上流側の部分の部分正面図である。図５に示した通り、遊技盤１３の右側の流路（経路）には、その上部に普通入球口６７が設けられている。
【０１０９】
上述した通り、この普通入球口６７を球が通過すると、普通図柄の抽選が実行される。そして、普通図柄の当たりとなると、第２図柄表示装置８３において、普通図柄の抽選結果を示すための変動演出が実行された後で、普通図柄の当たりを示す「○」図柄が表示される。そして、第２図柄表示装置８３に対して「○」図柄が表示されることに基づいて、普通入球口６７の下流に設けられている第２入球口６４０に付随する電動役物６４０ａが所定期間（０．２秒間×１回、または１秒×２回）開放される。
【０１１０】
電動役物６４０が開放されている間は、右打ちした球が第２入球口６４０へと入球しやすくなる。上述した通り、特別図柄の確変中や、普通図柄の時短中においては、普通図柄の当たり確率がアップすると共に、普通図柄の変動時間が短くなり、電動役物の開放期間が長くなるので、第２入球口６４０へと球が入球しやすい状態となる。よって、右打ちを実行することにより、球を減らすことなく特別図柄の抽選を受けることができる。
【０１１１】
次に、図６を参照して、遊技盤１３の右側に設けられた経路（流路）のうち、第２入球口６４０よりも下流側の部分について説明する。図６は、遊技盤１３の右側に設けられた経路（流路）のうち、第２入球口６４０よりも下流側の部分の部分正面図である。図６に示した通り、遊技盤１３の右側に設けられた経路（流路）の下流には、第２可変入賞装置６５０が設けられており、その第２可変入賞装置６５０の下流には、第１可変入賞装置６５が設けられている。
【０１１２】
即ち、遊技者が右打ちを行うことにより、右側の経路（流路）の下流へと流下した球のうち、第２入球口６４０へと流入（入球）せずに下流へと流下した球が第２可変入賞装置６５０の方向へと流下する。第２可変入賞装置６５０の方向へと流下し、第２特定入賞口６５０ａへと入球した球は、誘導流路１０２０を通って、貯留装置１０００の内部へ案内される。また、第２可変入賞装置６５０の方向へと流下し、第２特定入賞口６５０ａへと入球しなかった球は、第１可変入賞装置６５の方向へと流下する。そして、第１可変入賞装置６５へと流下し、第１特定入賞口６５ａへと入球しなかった球は、第１アウト口６６（図２参照）を通って図示しない球排出路へと案内される。
【０１１３】
このように、遊技者が右打ちを行うだけで、貯留装置１０００、第１可変入賞装置６５、および第２可変入賞装置６５０の方向へと球を流下させることができる。よって、特別遊技状態（大当たり状態）において、遊技者は右打を行うだけで、球を第１特定入賞口６５ａ、または第２特定入賞口６５０ａへと球を入球させることができ、多量の賞球を獲得することができる。
【０１１４】
また、第１特定入賞口６５ａ、または第２特定入賞口６５０ａを狙って打ち出した球の一部は、貯留装置１０００へと入球する。そして、詳細については後述するが、特別遊技状態（大当たり状態）では、貯留装置１０００へと複数個の球が入球することにより、傾倒部材１０４０を傾倒させることができ（初期状態から傾倒状態へと変化させることができ）、これにより確変入球口１０３１へ球を流下させることができる。本実施形態における遊技機１３は、確変入球口１０３１へと入球することに基づき、大当たりの終了後に特別図柄の確変状態へと移行するように設定されているため、遊技者に対して、大当たりとなることをより楽しみに遊技を行わせることができ、遊技者の遊技に対する興趣を向上させることができる。
【０１１５】
次に、図７を参照して、第１可変入賞装置６５、第２可変入賞装置６５０及び貯留装置１０００の動作について説明する。図７（ａ）及び図７（ｂ）は、第１可変入賞装置６５、第２可変入賞装置６５０及び貯留装置１０００の正面図である。なお、図７（ａ）では、第１可変入賞装置６５の閉鎖状態、第２可変入賞装置６５０の開放状態、および流下防止板１０１５の突出状態が図示され、図７（ｂ）では、第１可変入賞装置６５の開放状態、第２可変入賞装置６５０の閉鎖状態、および流下防止板１０１５の埋没状態が図示される。
【０１１６】
図７（ａ）に示した通り、第２可変入賞装置６５０の第２特定入賞口６５０ａは、開閉板６５０ｂが正面視奥側へとスライド動作することにより、遊技盤１３の内部へと埋没し、第２特定入賞口６５０ａを開放することが可能に構成されている。この第２特定入賞口６５０ａが開放されることにより、遊技盤１３の右側に設けられた経路（流路）を流下した遊技球が第２特定入賞口６５０ａへと入球可能な状態となる。なお、上述した通り、第２特定入賞口６５０ａは、特別遊技状態（大当たり状態）の１２ラウンド目において所定期間（例えば、３０秒経過するまで、或いは、球が１０個入賞するまで）開放される。そして、第２特定入賞口６５０ａへと球が入球すると、１球の入球に対して１５個の賞球が払い出される。よって、遊技者は多量の賞球を獲得することができる。
【０１１７】
第２特定入賞口６５０ａへと入球した球は、誘導流路１０２０を介して貯留装置１０００の内部へ案内される。そして、その球は傾倒部材１０４０の上面に到達し、傾倒部材１０４０の上面が作る傾斜に従って流下する。なお、図７（ａ）に示す傾倒部材１０４０の初期状態では、傾倒部材１０４０の上面へ到達した球は、流下防止板１０１５が配設される側である左側下方へ流下する。そのため、流下防止板１０１５が突出状態を維持する限り、球は傾倒部材１０４０の上面に停留する。
【０１１８】
また、図７（ｂ）に示した通り、第１可変入賞装置６５の第１特定入賞口６５ａは、開閉板６５ｂが正面視奥側へとスライド動作することにより、遊技盤１３の内部へと埋没することが可能に構成されている。これにより第１可変入賞装置６５の上部が開放され、遊技盤１３の右側に設けられた経路（流路）を流下した遊技球が入球可能な状態となる。なお、上述した通り、第１特定入賞口６５ａは、特別遊技状態（大当たり状態）の１〜１１ラウンド目、および１３〜１５目ラウンドにおいて所定期間（例えば、３０秒経過するまで、或いは、球が１０個入賞するまで）開放される。そして、第１特定入賞口６５ａへと球が入球すると、１球の入球に対して１５個の賞球が払い出される。よって、遊技者は多量の賞球を獲得することができる。
【０１１９】
図７（ｂ）に示した通り、第２特定入賞装置６５０が閉鎖状態となることと連動して、流下防止板１０１５が埋没状態に変化する。そのため、第２特定入賞装置６５０が閉鎖状態となった時に、傾倒部材１０４０が初期状態を維持していた場合、傾倒部材１０４０の上面に停留していた球は、左側下方へ流下し、通常入球口１０３３を通って、図示しない球排出路へと排出される。
【０１２０】
次いで、図８から図１０を参照して、貯留装置１０００の構成の概要について説明する。図８（ａ）は、貯留装置１０００の正面斜視図であり、図８（ｂ）は貯留装置１０００の背面斜視図である。また図９（ａ）は、貯留装置１０００の正面図であり、図９（ｂ）は、貯留装置１０００の上面図であり、図１０（ａ）は、貯留装置１０００の背面図であり、図１０（ｂ）は、図９（ａ）のＸｂ−Ｘｂ線における貯留装置１０００の部分断面図である。
【０１２１】
なお、図８から図１０において、ベース板６０が部分的に破断して図示される。また、図８（ａ）及び図８（ｂ）において、ベース板６０の奥側が視認可能とされ、誘導流路１０２０の下流側に配設される分岐流路１０３０の手前側の側壁が透明視される。
【０１２２】
図８（ａ）及び図８（ｂ）に示すように、貯留装置１０００は、ベース板６０に締結固定される板形状の本体板部１００１と、その本体板部１００１の背面に固定される球止め装置１０１０と、本体板部１００１の正面側において流下し第２特定入賞口６５０ａに入球した球を、本体板部１００１の背面側へ流下させてから再び本体板部１００１の正面側へ向けて流下させる態様で形成される流路である誘導流路１０２０と、その誘導流路１０２０から排出された球が到達する流路であって左右に球を分岐させる二股の分岐流路１０３０と、その分岐流路１０３０の内側においてベース板６０に回転可能に軸支されると共に、誘導流路１０２０の排出口の下方に配設される傾倒部材１０４０と、を主に備える。
【０１２３】
球止め装置１０１０は、流下防止板１０１５の突出状態において、傾倒部材１０４０の上面を流下する球の流下を防止するか、流下防止板１０１５を埋没状態として、球を下流へ流下させるかの切り替えを行う装置である。なお、詳細は後述する。
【０１２４】
誘導流路１０２０は、第２特定入賞口６５０ａに入球した球を受け止める正面視Ｕ字形状の凹部である球受け凹部１０２１と、その球受け凹部１０２１から後側へ向けて本体板部１００１を貫通して形成される通過口１０２２と、その通過口１０２２の後側において正面視左下方へ傾斜形成される傾斜流路１０２３と、その傾斜流路１０２３の左側において正面側へ向けて本体板部１００１を貫通して形成される排出口１０２４と、を主に備える（図１０（ｂ）参照）。
【０１２５】
球受け凹部１０２１は、底部が後側へ向けて下降傾斜する態様で形成される。これにより、第２特定入賞口６５０ａに入球した球を、通過口１０２２へ向けてスムーズに流下させることができる。
【０１２６】
通過口１０２２は、球の通過を検出する検出口の一つであり、球の通過により、第２可変入賞装置６５０への球の入賞が検出されて賞球の払い出しが行われる。
【０１２７】
傾斜流路１０２３は、左下方へ向けて延びる流路であって、底部が正面側へ緩やかに下方傾斜して形成される（前後方向の傾斜が、左右方向の傾斜に比較して緩やかに形成される）と共に、左側端部に傾斜面部１０２３ａを備える。傾斜面部１０２３ａは、正面側へ向かう程、左方へ向けて傾斜する傾斜面として形成される。
【０１２８】
このような構成から、通過口１０２２を通過した球は、傾斜流路１０２３の途中で正面側へ流下することは少なく、その多くが、正面視左下方へ流下した後で、傾斜面部１０２３ａに衝突することで正面側へ向きを変え、排出口１０２４から下方へ落下する態様で流下する。このように、本実施形態では、排出口１０２４の左端から球を排出しやすくしている。
【０１２９】
排出口１０２４は、傾斜流路１０２３を流下した球を、正面側へ排出する貫通孔である。本実施形態では、球を横並びで複数個（最大で３個）同時に排出可能な左右幅で形成される。これにより、例えば、球が傾斜流路１０２３を１個流下した場合と、球が傾斜流路１０２３を複数個まとまって流下した場合とで、球の排出の態様を異ならせることができるので、球の流下態様が毎回同じことが原因で、貯留装置１０００を視認する遊技者が飽きることを防止することができ、遊技者を楽しませることができる。
【０１３０】
分岐流路１０３０は、本体板部１００１の正面側に延設される板により区画される流路であると共に排出口１０２４から排出された球が流下可能な二股の流路であって、上述した確変入球口１０３１と、その確変入球口１０３１へ球を案内する流路であって傾倒部材１０４０の正面視右方に形成される確変側流路１０３２と、上述した通常入球口１０３３と、その通常入球口１０３３へ球を案内する流路であって傾倒部材１０４０の正面視左方に形成される通常側流路１０３４と、を主に備える。
【０１３１】
傾倒部材１０４０は、正面視矩形状の矩形錘部１０４１と、本体板部１００１の前面から正面側へ向けて突設される棒状部分であって矩形錘部１０４１を偏心して（右側に偏心して）軸支する軸棒部１０４２と、上面が矩形錘部１０４１の上面と面位置となるように正面視右方へ向けて延設される板状の延設板部１０４３と、を主に備える。
【０１３２】
傾倒部材１０４０は、上面に球が乗っていない状態において、自らの重心位置側（矩形錘部１０４１がある側（正面視左側））に傾倒する状態（初期状態、図９（ａ）参照）となる。この初期状態において、傾倒部材１０４０の上面に着地した球は、左方へ流下し、通常側流路１０３４へ向けて流下する。
【０１３３】
一方、図１４で後述するように、傾倒部材１０４０の上面に複数個（本実施形態では、３個以上）の球が停留した場合、傾倒部材１０４０と球とを合わせた重心位置（延設板部１０４３がある側（正面視右側））に応じて、延設板部１０４３が傾倒する状態（傾倒状態）となる。この傾倒状態において、傾倒部材１０４０の上面に着地した球は、右方へ流下し、確変側流路１０３２へ向けて流下する。このように、傾倒部材１０４０は、上面に着地した球との関係により、状態を変化させ、球の分岐を補助する部材として作用する。
【０１３４】
次いで、図１１を参照して、球止め装置１０１０の動作について説明する。なお、図１１では、図８から図１０を適宜参照して説明する。図１１（ａ）は、図１０（ａ）の矢印ＸＩａ方向視における貯留装置１０００の部分側面図であり、図１１（ｂ）は、図１０（ａ）の矢印ＸＩｂ方向視における貯留装置１０００の部分側面図である。
【０１３５】
図１１（ａ）及び図１１（ｂ）に示すように、球止め装置１０１０は、保体板部１００１から背面側へ向けて板状に延設される基礎板部１０１１と、その基礎板部１０１１に溝として形成される環状溝１０１２と、その環状溝１０１２の環の内側において基礎板部１０１１に回転可能に軸支されるＬ回転歯車１０１３と、そのＬ回転歯車を歯合すると共に基礎板部１０１１に回転可能に軸支される反転歯車１０１４と、その反転歯車１０１４に連結されると共に反転歯車１０１４の回転に基づいて本体板部１００１の正面側へ突出可能に形成される流下防止板１０１５と、第２可変入賞装置６５０の開閉板６５０ｂに固定される細径の金属棒であって先端が環状溝１０１２に押し付けられる態様で構成される伝達棒１０１６と、を主に備える。
【０１３６】
環状溝１０１２は、前後方向（図１１（ａ）左右方向）に長い楕円形状に沿って形成される溝であって、上溝１０１２ａと下溝１０１２ｂとの底部同士で互いに段が形成されることで、底部に当接して移動する伝達棒１０１６の進行方向を一方向に限定する溝である。
【０１３７】
即ち、環状溝１０１２の後側端部（図１１（ａ）左側端部）において、下溝１０１２ｂの方が上溝１０１２ａに比較して溝深さ（図１１（ａ）紙面奥方向への長さ）が大きくされ、上溝１０１２ａと下溝１０１２ｂとが前後方向の途中位置では互いに逆の傾斜方向で溝深さが変化し、環状溝１０１２の前側端部（図１１（ａ）右側端部）において、上溝１０１２ａの方が、下溝１０１２ｂに比較して溝深さ（図１１（ａ）紙面奥方向への長さ）が大きくされる。このように構成することで、伝達棒１０１６の移動経路を、図１１（ａ）において、一方向（反時計回りの方向）に限定することができる。従って、開閉板６５０ｂの開閉動作に基づいて、伝達棒１０１６を一方向に動作させることができる。
【０１３８】
Ｌ回転歯車１０１３は、基礎板部１０１１に回転軸を挿通する態様で、基礎板部１０１１に回転可能に軸支される歯車１０１３ａと、その歯車１０１３ａの回転軸に固定されることにより歯車１０１３ａと同角度で回転する十字部材１０１３ｂと、を主に備える。
【０１３９】
十字部材１０１３ｂは、基礎板部１０１１の環状溝１０１２が形成される側面と対向配置され、歯車１０１３ａは、基礎板部１０１１を挟んで十字部材１０１３ｂとは反対側に配置される。
【０１４０】
図１１（ａ）に示すように、十字部材１０１３ｂは、環状溝１０１２の前後方向（図１１（ａ）左右方向）の途中位置において、環状溝１０１２と干渉する位置まで延設される。そのため、伝達棒１０１６が上溝１０１２ａを左方へ移動したり、下溝１０１２ｂを右方へ移動したりすることに基づいて、伝達棒１０１６が十字部材１０１３ｂを押進し、環状溝１０１２と干渉する部分（長手方向を上下に向ける部分）が、長手方向を前後方向（図１１（ａ）左右方向）へ向ける姿勢となる態様で、９０度ずつ、回転動作する。
【０１４１】
即ち、伝達棒１０１６が環状溝１０１２を半周移動することで、十字部材１０１３ｂは９０度回転し、伝達棒１０１６が環状溝１０１２を一周移動することで、十字部材１０１３ｂは１８０度回転する。
【０１４２】
反転歯車１０１４は、Ｌ回転歯車１０１３の歯車１０１３ａに歯合される歯車１０１４ａと、その歯車１０１４ａの軸方向一側に一体で形成される円板形状の円板部１０１４ｂと、その円板部１０１４ｂから偏心して突設される突設ピン１０１４ｃと、を主に備える。
【０１４３】
歯車１０１４ａは、歯車１０１３ａに対して、歯車比が倍となる態様で形成される。即ち、歯車１０１３ａの回転角度の倍の角度で、歯車１０１４ａが回転する歯車として設計される。即ち、歯車１０１３ａ（十字部材１０１３ｂ）が９０度回転することで歯車１０１４ａは１８０度回転し、歯車１０１３ａ（十字部材１０１３ｂ）が１８０度回転することで、歯車１０１４ａは３６０度回転する。従って、伝達棒１０１６が環状溝１０１２を半周移動するたびに、突設ピン１０１４ｃが前後で位置を入れ替えられる。
【０１４４】
流下防止板１０１５は、反転歯車１０１４の回転に基づいて前後に往復動作する板部材であり、上下方向に延設され突設ピン１０１４ｃが挿通される連結長孔１０１５ａと、突出状態において球と当接する側面である当接側面１０１５ｂと、を備える。なお、図１１（ａ）では、流下防止板１０１５の突出状態が図示される。また、当接側面１０１５ｂは、初期状態における傾倒部材１０４０の上面となす角度が９０度となる態様で形成される。
【０１４５】
図１１（ａ）に示す状態から、反転歯車１０１４が１８０度回転し、突設ピン１０１４ｃが後側に配置されると、流下防止板１０１５が後方へ引き込まれ、埋没状態が形成される（図７（ｂ）参照）。従って、伝達棒１０１６が環状溝１０１２を半周移動するたびに、流下防止板１０１５の状態が変化する。これにより、第２可変入賞装置６５０の状態変化と、流下防止板１０１５の状態変化とを同期可能となっている。
【０１４６】
なお、本実施形態では、Ｌ回転歯車１０１３が９０度ごとにしか回転しない態様で形成されることから、Ｌ回転歯車１０１３に歯合される反転歯車１０１４が１８０度ごとにしか回転しない態様が形成され、流下防止板１０１５が突出状態か埋没状態か、のみをとることができる態様で形成される。従って、反転歯車１０１４が中途半端な角度で止まることで、流下防止板１０１５が中途半端な位置で止まることを防止することができる。
【０１４７】
なお、流下防止板１０１５は、その移動方向（前後方向）と、球から負荷を受ける方向（左右方向、図１３参照）とが、直角に交差する。そのため、流下防止板１０１５に複数個の球が負荷を与える場合に、流下防止板１０１５が移動方向に移動することを防止することができる。これにより、流下防止板１０１５と連結される反転歯車１０１４に、球の重さによる負荷が加わりにくくすることができ、反転歯車１０１４の耐久性を向上することができる。
【０１４８】
伝達棒１０１６は、その延設先端を、環状溝１０１２の溝深さ方向の底部に、弾性力で常時押し付ける態様で配設される。また、細径であることから、径方向等への多少の弾性変形が可能とされる。そのため、本実施形態のように、開閉板６５０ｂが開閉動作する際に、その往路と復路とで伝達棒１０１６が案内される経路が上溝１０１２ａと下溝１０１２ｂとで位置ずれするとしても、そのずれを、伝達棒１０１６自体の弾性変形で吸収することができる。
【０１４９】
次に、図１２を参照して、右打ちにより遊技盤１３の右側の経路（流路）を流下して第２特定入賞口６５０ａへと到達した球の動作について説明する。図１２（ａ）及び図１２（ｂ）は、第２可変入賞装置６５０の部分正面図である。なお、図１２（ａ）では、第２特定入賞口６５０ａが閉鎖された状態において球が第２特定入賞口６５０ａへと到達した場合が図示され、図１２（ｂ）では、第２特定入賞口６５０ａが開放された状態において球が第２特定入賞口６５０ａへと到達した場合が図示される。
【０１５０】
図１２（ａ）に示した通り、第２特定入賞口６５０ａが閉鎖された状態で球が第２特定入賞口６５０ａへと到達した場合、球は第２特定入賞口６５０ａへと入球することができないので、第２特定入賞口６５０ａの左方へ流下する（図１２（ａ）参照）。そして、第２特定入賞口６５０ａの左方へと流下した球は、第２特定入賞口６５０ａの左方の流路を流下する。なお、この第２特定入賞口６５０ａの左方の流路は、第１特定入賞口６５ａの方向へ傾斜しているため、球は第１特定入賞口６５ａの方向へと流下する。
【０１５１】
一方、第２特定入賞口６５０ａが開放された状態で球が第２特定入賞口６５０ａへと到達した場合、図１２（ｂ）に示した通り、球が流下してきた流路の延長線上に第２特定入賞口６５０ａの開口部分が位置する。よって、球は第２特定入賞口６５０ａへと入球する。なお、図１２（ｂ）に示した通り、第２可変入賞装置６５０の内部には、球を貯留装置１０００へと排出するための通過口１０２２が設けられている。この通過口１０２２へと入球することにより、球の入賞が検出されて賞球の払い出しが行われると共に、第２特定入賞口６５０ａから第２可変入賞装置６５０の内部へと入球した球を貯留装置１０００へ排出することができる。
【０１５２】
図１３及び図１４を参照して、貯留装置１０００へ遊技球が流入する態様について説明する。図１３（ａ）から図１３（ｃ）及び、図１４（ａ）から図１４（ｃ）は、貯留装置１０００の部分正面図である。なお、第２可変入賞装置６５０に入球した球が入球する順に加算される番号付きで図示される。
【０１５３】
図１３（ａ）に示すように、第２特定入賞口６５０ａに１球目の球が入球すると、傾斜流路１０２３の左側端部に配置される傾斜面部１０２３ａに到達するまで、球が傾斜流路１０２３の左下方へ流下する。
【０１５４】
図１３（ｂ）に示すように、傾斜面部１０２３ａに球が衝突すると、球の流下方向が正面側へ向き変わり、排出口１０２４から正面側へ排出され、傾倒部材１０４０の上面に着地する。傾倒部材１０４０の上面に乗る球が１球の場合、傾倒部材１０４０は初期状態を維持するので、球は左方へ流下し、流下防止板１０１５が突出状態である限り（本実施形態において、第２特定入賞口６５０ａが開放状態である限り）において、傾倒部材１０４０の上面に維持される。
【０１５５】
なお、図１３（ｂ）の状態において、流下防止板１０１５が埋没状態となると（本実施形態において、第２特定入賞口６５０ａが閉鎖状態となると）、傾倒部材１０４０の上面に乗っていた球は傾倒部材１０４０から左方へ流下し、通常入球口１０３３（図９参照）へ入球する。これにより、後述する大当たりＡ（図１６（ａ）、図１７参照）において、球が誤って確変入球口１０３１（図９参照）に入球することを防止することができる。
【０１５６】
即ち、大当たりＡでは、第２特定入賞口６５０ａが、球が入球不能な程度に短い期間（０．２秒間）で開放動作する。しかし、この短い期間で、球が誤って入球する場合は、不正無く遊技している場合であっても生じ得る。一方で、誤って入球するといっても、せいぜい１球程度であって、３球入ることは無い。
【０１５７】
そのため、大当たりＡにおいて、第２特定入賞口６５０ａに誤って球が入球した場合であっても、球が傾倒部材１０４０を傾倒動作させることは無く、また、第２特定入賞口６５０ａの閉鎖後は、流下防止板１０１５が埋没状態となるので、球は傾倒部材１０４０から左方へ流される。したがって、大当たりＡにおいて、球が誤って確変入球口１０３１（図９参照）に入球することを防止することができる。
【０１５８】
図１３（ｃ）及び図１４（ａ）に示すように、傾斜流路１０２３を２球目、３球目の球が流下し、傾斜面部１０２３ａに衝突して正面側へ排出されると、球は１球目の球を避けた位置において傾倒部材１０４０の上面に着地する。即ち、２球目の球は、１球目の球の右方に並んで配置され（図１３（ｃ）参照）、３球目の球は、１球目の球と２球目の球との間に割って入る（図１４（ａ）参照）。即ち、後から来た球が上から落下することにより、自重で、先に配置された球に当接作用して、最も安定する配置へ移動する。
【０１５９】
このように、球が別々のタイミングで排出口１０２４から排出されたとしても、複数の球を傾倒部材１０４０の上面に横並びに並べることを、それぞれの球の自重による作用でスムーズに行うことができる。従って、傾倒部材１０４０の重心位置を左右方向にずらすまでの期間を短縮化することができる。
【０１６０】
なお、第２特定入賞口６５０ａに、３個の球が同時に入球した場合においては、１球目の球が傾斜面部１０２３ａに衝突して正面側へ向きを変えている間に、２球目、３球目の球が１球目の球と衝突することで正面側へ向き変わり、傾斜流路１０２３の途中の位置で排出口１０２４から正面側へ排出される場合が生じる。この場合であっても、図１４（ａ）に示す状態と、球に付記する番号は異なるものの（図１４（ａ）では左から「１、３、２」とされる番号が、左から「１、２、３」となる）、３個の球が横並びで並ぶことは、変化しない。従って、滞り無く、遊技を進めることができる。
【０１６１】
図１４（ａ）に示すように、傾倒部材１０４０の上面に球が３個横並びに並ぶと、傾倒部材１０４０と球とを一体とした場合の重心位置が回転軸の右側へ移動し、傾倒部材１０４０が傾倒状態となる（図１４（ｂ）参照）。
【０１６２】
図１４（ｂ）に示すように、傾倒状態において、傾倒部材１０４０の上面に乗った球は右方へ流下し、確変入球口１０３１（図９参照）へ流下する。なお、傾倒部材１０４０の傾倒状態において、４球目以降の球が傾斜流路１０２３を流下し排出口１０２４から正面側へ排出されたとしても、傾倒部材１０４０に未だ球が乗っていた場合には、４球目以降の球が先に傾倒部材１０４０に乗っていた球を右方へ押し出す態様で球同士が移動することになり、傾倒部材１０４０を傾倒状態に維持できるし（図１４（ｂ）参照）、既に球が傾倒部材１０４０から無くなっていた場合には、既に何球かの球が確変入球口１０３１を通過しているので、問題とはならない。従って、第２特定入賞口６５０ａへの球の入り方（頻度）によって、傾倒部材１０４０が誤動作する（傾倒状態が予期せず戻るとか、球が噛み込んで傾倒部材１０４０が止まってしまう等）ことを防ぎ、球が確変入球口１０３１に通過し易くすることができる。
【０１６３】
第２特定入賞口６５０ａへ球が入球する間、傾倒部材１０４０の上面に球が複数個到達し、上面に乗っている個数によって、傾倒部材１０４０は傾倒状態となったり初期状態となったりする。そのため、図１４（ｃ）に示すように、３個未満（図１４（ｃ）では１個）の球が、傾倒部材１０４０の上面に残存する場合が生じる。
【０１６４】
この残存した球は、上述したように、第２特定入賞口６５０ａが閉鎖状態となることに基づいて流下防止板１０１５が埋没状態となることで、傾倒部材１０４０から左下方へ流下し、通常入球口１０３３から図示しない球排出路へ排出される。
【０１６５】
従って、本実施形態では、第２特定入賞口６５０ａが閉鎖状態となった後において、傾倒部材１０４０の上面に残存する球の数を０個とすることができる。これにより、傾倒部材１０４０に複数個の球を０個から順に貯めて、傾倒部材１０４０を傾倒させ、球を確変側流路１０３２（図９参照）へ向けて流すという一連の流れ（動作演出）を、毎回の大当たりＢ（図１６（ｂ）参照）で実行することができる。これにより、傾倒部材１０４０の演出効果を向上させることができる。
【０１６６】
次に、図１５を参照して、右打ちにより遊技盤１３の右側の経路（流路）を流下して第１特定入賞口６５ａへと到達した球の動作について説明する。なお、図１５（ａ）では、第１特定入賞口６５ａが閉鎖された状態において球が第１特定入賞口６５ａへと到達した場合が図示され、図１５（ｂ）では、第１特定入賞口６５ａが開放された状態において球が第１特定入賞口６５ａへと到達した場合が図示される。
【０１６７】
図１５（ａ）に示した通り、第１特定入賞口６５ａが閉鎖された状態で球が第１特定入賞口６５ａへと到達した場合、球は第１特定入賞口６５ａへと入球することができないので、第１特定入賞口６５ａの上部を流下し、第１可変入賞装置６５の左側へと落下する（図１５（ａ）参照）。そして、第１特定入賞口６５ａの左側へと落下した球は、第１特定入賞口６５ａの左方に設けられているアウト口６６（図２参照）へと流下する。
【０１６８】
一方、第１特定入賞口６５ａが開放された状態で球が第１特定入賞口６５ａへと到達した場合、図１５（ｂ）に示した通り、球が流下してきた流路の延長線上に第１特定入賞口６５ａの開口部分が位置する。よって、球は第１特定入賞口６５ａへと入球する。なお、図１５（ｂ）に示した通り、第１可変入賞装置６５の内部には、球をパチンコ機１０の外部へと排出するための球排出口６５ｄが設けられている。この球排出口６５ｄへと入球することにより、球の入賞が検出されて賞球の払い出しが行われると共に、第１特定入賞口６５ａから第１可変入賞装置６５の内部へと入球した球を排出させることができる。なお、第１可変入賞装置６５の底面部は、球排出口６５ｄの方向へと傾斜しているため、第１特定入賞口６５ａへと入球した全ての球を球排出口６５ｄへと入球させることができる。よって、全ての球を確実に排出させることができる。
【０１６９】
次いで、図１６を参照して、本実施形態における第２特定入賞口６５０ａの開放パターンについて説明する。図１６（ａ）は、大当たりＡの１２ラウンド目における、第２特定入賞口６５０ａの計時変化を示した図であり、図１６（ｂ）は、大当たりＢの１２ラウンド目における、第２特定入賞口６５０ａの計時変化を示した図である。
【０１７０】
まず、図１６（ａ）について説明する。図１６（ａ）の上側のグラフが、第２特定入賞口（第２大開放口）６５０ａの計時変化（開放状態であるか、閉鎖状態であるか）を示しており、図１６（ａ）の下側のグラフが流下防止板１０１５の計時変化（突出状態であるか、埋没状態であるか）を示している。
【０１７１】
図１６（ａ）に示した通り、１２ラウンド目が開始されると、所定時間（例えば、０．２秒間）だけ第２特定入賞口（第２大開放口）６５０ａが開放され、その所定時間（例えば、０．２秒）が経過すると、第２特定入賞口（第２大開放口）６５０ａが閉鎖される。そして、その閉鎖状態は、１２ラウンド目の開始から７秒間が経過するまで保たれ、７秒間が経過することに基づいて１２ラウンド目が終了する。また、この閉鎖状態は、特別遊技状態（大当たり状態）が終了し、次に大当たりの１２ラウンドとなるまで継続する。
【０１７２】
また、大当たりＡの１２ラウンド目において、流下防止板１０１５は、第２特定入賞口６５０ａが開放された時において、突出状態となり、第２特定入賞口６５０ａが閉鎖された時において、埋没状態となる。ここで、第２特定入賞口６５０ａが開放される時間が極めて短いので、複数個の球が貯留装置１００１に入球する事態を生じ難くでき、加えて、流下防止板１０１５が突出状態となる時間も極めて短いので、傾倒部材１０４０に複数個の球が貯留され、傾倒部材１０４０が傾倒する事態を生じ難くできる。これにより、大当たりＡにおいて、球が確変入球口１０３１を通過しにくくすることができる。
【０１７３】
このように、大当たりＡの１２ラウンド目において、第２特定入賞口（第２大開放口）６５０ａが開放されている期間が極めて短くなるように、第２特定入賞口（第２大開放口）６５０ａの開放パターンが設定される。よって、大当たりＡとなった場合の多くは、特別遊技状態中（大当たり中）に確変入球口１０３１へと球が入球しないので、大当たりの終了後に特別図柄の確変状態に設定されにくくなる。
【０１７４】
なお、１２ラウンドが開始された直後の０．２秒間に第２特定入賞口（第２大開放口）６５０ａを開放するのは、１２ラウンドの開始直後に大当たりＡであることを分かり難くするためである。詳細については図１６（ｂ）を参照して後述するが、確変入球口１０３１へと球を入球させやすい大当たりＢにおいて、１２ラウンドの開始直後から第２特定入賞口（第２大開放口）６５０ａが開放される。よって、大当たりＡと、大当たりＢとで１２ラウンドの開始直後の第２特定入賞口（第２大開放口）６５０ａの動作を共通化することにより、今回の大当たりが大当たりＢであることを期待させることができる。
【０１７５】
次に、図１６（ｂ）を参照して、大当たりＢの１２ラウンド目における、第２特定入賞口（第２大開放口）６５０ａの計時変化について説明する。図１６（ｂ）の上側のグラフが、第２特定入賞口（第２大開放口）６５０ａの計時変化（開放状態であるか、閉鎖状態であるか）を示しており、図１６（ｂ）の下側のグラフが、流下防止板１０１５の計時変化（突出状態であるか、埋没状態であるか）を示している。
【０１７６】
図１６（ｂ）に示した通り、１２ラウンド目が開始されると、第２特定入賞口（第２大開放口）６５０ａが開放状態に設定される。そして、その開放状態は、１２ラウンド目の開始から５秒間が経過するまで保たれ、５秒間が経過することに基づいて閉鎖状態に設定される。なお、５秒間が経過する前に、１０個の球が第２特定入賞口（第２大開放口）６５０ａへと入球した場合も、第２特定入賞口（第２大開放口）６５０ａは閉鎖される。この閉鎖状態は、特別遊技状態（大当たり状態）が終了し、次に大当たりの１２ラウンドとなるまで継続する。
【０１７７】
また、大当たりＢの１２ラウンド目において、流下防止板１０１５は、大当たりＡの１２ラウンド目とは異なった動作をおこなう。即ち、流下防止板１０１５は、第２特定入賞口６５０ａが開放された時において、突出状態となり、第２特定入賞口６５０ａが閉鎖された時において、埋没状態となることは、大当たりＡと同じであるが、第２特定入賞口６５０ａの状態変化と連動して、１２ラウンド目の開始から突出状態を維持し、５秒間が経過することに基づいて埋没状態へと状態変化する。なお、５秒間が経過する前に、１０個の球が第２特定入賞口（第２大開放口）６５０ａへと入球した場合も、流下防止板１０１５が埋没状態へと状態変化する。
【０１７８】
そのため、大当たりＢの１２ラウンド目の開始から、５秒間の間は、第２特定入賞口６５０ａに球が入球し易い状態が維持されると共に、傾倒部材１０４０に球を貯留し易い状態が維持される。これにより、傾倒部材１０４０を球の重みで傾倒動作させやすくでき、大当たりＢにおいて、球が確変入球口１０３１を通過し易くすることができるので、大当たりの終了後に特別図柄の確変状態に設定されやすくなる。
【０１７９】
なお、第２特定入賞口（第２大開放口）６５０ａの開放パターンはこれに限られるものではなく、確変入球口１０３１へと球が入球し易いパターンと、確変入球口１０３１へと球が入球しにくいパターンとを設定することができれば任意に定めてもよい。例えば、大当たりＡでは、第２特定入賞口６５０ａが、状態を２秒ごとに切り変える態様で動作し、大当たりＢでは、第２特定入賞口６５０ａが、所定時間（例えば、３０秒経過するまで、或いは、球が１０個入賞するまで）開放状態を維持する態様で動作するようにしても良い。
【０１８０】
また、第２特定入賞口（第２大開放口）６５０ａを開放するラウンド数は、１２ラウンド目に限られるものではなく、任意のラウンドに設定してもよい。更に、複数ラウンドにおいて第２特定入賞口６５０ａを開放するように構成してもよく、例えば、１ラウンド目と１５ラウンド目とで第２特定入賞口（第２大開放口）６５０ａを開放するように設定してもよい。これにより、確変入球口１０３１へと球を入球させる機会を増やすことができるので、大当たりＢの終了後に、より特別図柄の確変状態となりやすくすることができる。よって、大当たりＢに当選したにもかかわらず、第２特定入賞口（第２大開放口）６５０ａへと球を入球させることができず、遊技者の遊技に対するモチベーションを低下させてしまうことを防止（抑制）することができる。
【０１８１】
図１７を参照して、ＲＯＭ２０２（図４参照）の内容について説明する。図１７（ａ）は、主制御装置１１０内のＲＯＭ２０２の電気的構成を示すブロック図であり、図１７（ｂ）は、第１当たり種別カウンタＣ２と特別図柄における大当たり種別との対応関係を模式的に示した模式図であり、図１７（ｃ）は、第２当たり乱数カウンタＣ４と普通図柄における当たりとの対応関係を模式的に示した模式図である。
【０１８２】
図１７（ａ）に示すように、主制御装置１１０のＲＯＭ２０２には、上記した固定値データの一部として、第１当たり乱数テーブル２０２ａ、第１当たり種別選択テーブル２０２ｂ、第２当たり乱数テーブル２０２ｃ、および変動パターン選択テーブル２０２ｄが少なくとも記憶されている。
【０１８３】
第１当たり乱数テーブル２０２ａは、定期的（例えば、２ｍｓｅｃごと）に更新される第１当たり乱数カウンタの大当たり判定値が記憶されているデータテーブルである。始動入賞に基づいて取得した第１当たり乱数カウンタの値が、第１当たり乱数テーブル２０２ａに規定されているいずれかの判定値と一致した場合に、特別図柄の大当たりであると判別される。
【０１８４】
第１当たり種別選択テーブル２０２ｂ（図１７（ｂ）参照）は、大当たり種別を決定するための判定値が記憶されているデータテーブルであり、第１当たり種別カウンタＣ２の判定値が、各大当たり種別、および特別図柄の抽選契機となった入球口の種別に対応付けて規定されている。本実施形態のパチンコ機１０では特別図柄の大当たりと判定された場合に、始動入賞に基づいて取得した第１当たり種別カウンタＣ２の値と、第１当たり種別選択テーブル２０２ｂとが比較され、第１当たり種別カウンタＣ２の値に対応する大当たり種別が選択される。
【０１８５】
具体的には、特別図柄１の抽選（第１入球口６４への入球に基づく抽選）で大当たりとなった場合には、第１当たり種別カウンタＣ２の値が「０〜４９」の範囲には、大当たりＡが対応付けられて規定されている（図１７（ｂ）の２０２ｂ１参照）。上述した通り、大当たりＡとなった場合は、１２ラウンド目において第２特定入賞口（第２大開放口）６５０ａが開放される期間が極めて短くなるように構成されている（図１６（ａ）参照）。よって、傾倒部材１０４０に複数個の球を貯留することが困難となるので、確変入球口１０３１へと球を入球させにくくなる。即ち、大当たりＡとなった場合は、その大当たりの終了後に特別図柄の確変状態に移行しにくくなる。
【０１８６】
また、第１当たり種別カウンタＣ２の値が「５０〜９９」の範囲には、大当たりＢが対応付けられて規定されている（図１７（ｂ）の２０２ｂ２参照）。上述した通り、大当たりＢとなった場合は、１２ラウンド目において第２特定入賞口（第２大開放口）６５０ａが開放される期間が長くなり、第２特定入賞口（第２大開放口）６５０ａの開放期間中、流下防止板１０１５が突出状態を維持するように構成されている（図１６（ｂ）参照）。よって、第２特定入賞口（第２大開放口）６５０ａが開放されている間に球を第２特定入賞口（第２大開放口）６５０ａへと複数個入球させることで、傾倒部材１０４０に複数個の球を貯留させることができ、傾倒部材１０４０を球の重みで傾倒動作させることができる。そして、上述した通り、傾倒部材１０４０を傾倒動作した状態において球が流れる先には、確変入球口１０３１が設けられている。よって、大当たりＢとなった場合は、その大当たりの終了後に特別図柄の確変状態に移行しやすくなる。
【０１８７】
一方、特別図柄２の抽選（第２入球口６４０への入球に基づく抽選）で大当たりとなった場合には、第１当たり種別カウンタＣ２の値が「０〜１９」の範囲には、大当たりＡが対応付けられて規定されている（図１７（ｂ）の２０２ｂ３参照）。また、第１当たり種別カウンタＣ２の値が「２０〜９９」の範囲には、大当たりＢが対応付けられて規定されている（図１７（ｂ）の２０２ｂ４参照）。即ち、特別図柄１の抽選により大当たりとなった場合に比較して、特別図柄２の抽選により大当たりとなった場合に、大当たりＢとなる判定値の個数が多くなっている。よって、特別図柄２の抽選により大当たりとなった場合の方が大当たりＢとなりやすく構成されている。
【０１８８】
上述した通り、特別図柄の確変中は、普通図柄の当たり確率がアップし、普通図柄の変動時間が短くなり（３秒）、普通図柄の当たりとなった場合における電動役物６４０ａの開放時間が長くなる（１秒×２回）ように設定される。よって、第２入球口６４０へと球を入球させやすくなるので、特別図柄２の抽選が行われやすくなる。従って、一旦特別図柄の確変状態へと移行させることができれば、特別図柄の大当たりとなりやすく、且つ、大当たりとなった場合に大当たりＢとなりやすい特別図柄の確変状態と、大当たりの終了後に特別図柄の確変状態となりやすい大当たりＢとが繰り返されやすくなるので、遊技者が多量の賞球を獲得し易くなる。これにより、遊技者に対して特別図柄の確変状態へと移行させることを強く期待させながら遊技を行わせることができるので、遊技者の遊技に対する興趣を向上させることができる。
【０１８９】
第２当たり乱数テーブル２０２ｃ（図１７（ｃ）参照）は、普通図柄の当たり判定値が記憶されているデータテーブルである。具体的には、普通図柄の通常状態において、普通図柄の当たりとなる判定値として、「５〜２８」が規定されている（図１７（ｃ）の２０２ｃ１参照）。また、普通図柄の高確率状態において、普通図柄の当たりとなる判定値として、「５〜２０４」が規定されている（図１７（ｃ）の２０２ｃ２参照）。本実施形態のパチンコ機１０では、普通入球口６７を球が通過することに基づいて取得される第２当たり乱数カウンタＣ４の値と、第２当たり乱数テーブル２０２ｃとを参照し、普通図柄の当たりであるか否かを判定している。変動パターン選択テーブル２０２ｄは、変動パターンの表示態様を決定するための変動種別カウンタの判定値が表示態様毎にそれぞれ規定されているデータテーブルである。
【０１９０】
このように、第１実施形態によれば、傾倒部材１０４０に球を所定個数貯留させることにより球が確変側流路１０３２へ流下し易くなるとい遊技機を構成する方法として、傾倒部材１０４０への球の貯まり易さと、第２可変入賞装置６５０の開閉動作とを関連づけるという方法を採用することにより、一の駆動手段（ソレノイド６５０ｃ）で上述した目的を達成することができる。
【０１９１】
次いで、図１８から図２１を参照して、第２実施形態について説明する。第１実施形態では、第２可変入賞装置６５０が開閉動作するごとに、流下防止板１０１５が動作する場合を説明したが、第２実施形態における貯留装置２０００は、第２可変入賞装置６５０の開閉の動作態様によって、流下防止板１０１５を動作させる開閉動作と、流下防止板１０１５を動作させない（維持する）開閉動作とを、可能に形成される。なお、上述した各実施形態と同一の部分には同一の符号を付して、その説明は省略する。
【０１９２】
まず、図１８を参照して、第２実施形態における環状溝２０１２について説明する。図１８（ａ）は、第２実施形態における環状溝２０１２の正面図であり、図１８（ｂ）は、図１８（ａ）のＸＶＩＩＩｂ−ＸＶＩＩＩｂ線における環状溝２０１２の断面図であり、図１８（ｃ）は、図１８（ａ）のＸＶＩＩＩｃ−ＸＶＩＩＩｃ線における環状溝２０１２の断面図である。
【０１９３】
図１８（ａ）に示すように、環状溝２０１２は、前後方向（図１８（ａ）左右方向）に長い楕円形状に沿って形成される溝であり、Ｌ回転歯車１０１３の上側に形成される上溝２０１２ａと、Ｌ回転歯車１０１３の下側に形成されると共に分岐する下溝２１１０と、を主に備える。
【０１９４】
上溝２０１２ａは、第１実施形態の上溝１０１２ａに比較して曲率半径が小さくされ、図１８（ａ）において、十字部材１０１３ｂと干渉しない位置に形成される。そのため、伝達棒１０１６が、上溝２０１２ａを通過することにより、十字部材１０１３ｂと伝達棒１０１６とが当接することは無く、Ｌ回転歯車１０１３は姿勢を維持する。
【０１９５】
下溝２１１０は、上溝２０１２ａの後側端部（図１８（ａ）左側端部）に連結される開始溝２１１１と、その開始溝２１１１から前方へ延設され上溝２０１２ａの前側端部（図１８（ａ）右側端部）に連結される当接溝２１１２と、開始溝２１１１と当接溝２１１２との連結位置から後方へ延設される分岐溝２１１３と、その分岐溝２１１３の後側端部（図１８（ａ）左側端部）から前方へ延設され上溝２０１２ａの前側端部（図１８（ａ）右側端部）に連結される離間溝２１１４と、を主に備える。
【０１９６】
なお、図１８（ｂ）及び図１８（ｃ）に示すように、環状溝２０１２は、底部の深さが一定ではなく、溝の延設方向に傾斜して変化する。これにより、伝達棒１０１６の移動経路を限定することができる。
【０１９７】
即ち、図１８（ｂ）に示すように、上溝２０１２ａと開始溝２１１１との連結位置では、上溝２０１２ａよりも開始溝２１１１の方が溝深さは深くされ、開始溝２１１１と当接溝２１１２との連結位置では、開始溝２１１１よりも当接溝２１１２の方が溝深さは深くされ、当接溝２１１２と上溝２０１２ａとの連結位置では、当接溝２１１２よりも上溝２０１２ａの方が溝深さは深くされる。
【０１９８】
そのため、図１８（ｂ）に示す断面において、左端から右方へ移動する移動方向でのみ伝達棒１０１６は移動可能となる。従って、環状溝２０１２に沿って伝達棒１０１６が移動する方向を一方向（図１８（ｂ）反時計回り方向）に定めることができる。
【０１９９】
また、図１８（ｃ）に示すように、上溝２０１２ａと開始溝２１１１との連結位置では、上溝２０１２ａよりも開始溝２１１１の方が溝深さは深くされ、開始溝２１１１と当接溝２１１２との連結位置では、開始溝２１１１よりも当接溝２１１２の方が溝深さは深くされ、当接溝２１１２と離間溝２１１４との連結位置では、当接溝２１１２よりも離間溝２１１４の方が溝深さは深くされ、離間溝２１１４と上溝２０１２ａとの連結位置では、離間溝２１１４よりも上溝２０１２ａの方が溝深さは深くされる。
【０２００】
そのため、図１８（ｃ）に示す断面において、左端から右方へ移動する移動方向でのみ伝達棒１０１６は移動可能となる。従って、当接溝２１１２を伝達棒１０１６が右方へ移動している途中で再度左方へ移動させる態様でソレノイド６５０ｃ（図９参照）を駆動した場合の、伝達棒１０１６の移動経路を定めることができる。即ち、当接溝２１１２を伝達棒１０１６が右方へ移動している途中で再度左方へ移動させた場合、伝達棒１０１６は図１８（ｃ）で断面視される経路に沿って移動するように、伝達棒１０１６の移動経路を制限することができる。
【０２０１】
次いで、図１９及び図２０を参照して、伝達棒１０１６が環状溝２０１２を移動することにより生じる流下防止板１０１５の動作について説明する。まず、伝達棒１０１６が下溝２１１０を通る間に前後方向（図１９左右方向、図１９右側が正面側）に折り返し動作しない場合について説明する。この動作は、詳しくは、ソレノイド６５０ｃ（図９参照）の駆動態様として、電流の印加を止めてから、短期間（例えば、０．２秒未満の期間）の内に再度電流の印加は行わない場合に対応する。
【０２０２】
図１９（ａ）から図１９（ｄ）は、球止め装置２０１０を模式的に示した側面図である。なお、図１９（ａ）では、伝達棒１０１６が環状溝２０１２の正面側端部に配置された状態（第２特定入賞口６５０ａの閉鎖状態に対応）が、図１９（ｂ）では、伝達棒１０１６が環状溝２０１２の背面側端部に配置された状態（第２特定入賞口６５０ａの開放状態に対応）が、図１９（ｃ）では、伝達棒１０１６が十字部材１０１３ｂと当接している状態が、図１９（ｄ）では、伝達棒１０１６が十字部剤１０１３ｂから離れ右方へ配置された状態が、それぞれ図示される。なお、図１９（ｄ）に示す状態から、第２特定入賞口６５０ａが閉鎖状態となることで、図１９（ａ）に示す状態へ復帰する。なお、図１９（ａ）から図１９（ｄ）、そして図１９（ａ）へ戻る一連の動作は、第２特定入賞口６５０ａが閉鎖状態から開放状態へ変化し、その後、閉鎖状態へ復帰する動作に対応する。
【０２０３】
図１９（ａ）及び図１９（ｂ）に示すように、第２特定入賞口６５０ａが閉鎖状態から開放状態へ変化することに伴って（ソレノイド６５０ｃの駆動により、約０．２秒間で状態変化）、伝達棒１０１６が後方へ移動し、伝達棒１０１６の先端が開始溝２１１１に当接する（図１９（ｂ）参照）。
【０２０４】
図１９（ｂ）に示す状態から、第２特定入賞口６５０ａを閉鎖状態へ変化させることに伴って（ソレノイド６５０ｃの駆動解除により、弾性バネで状態変化）、伝達棒１０１６が前方へ移動し、Ｌ回転歯車１０１３が回転することに基づいて反転歯車１０１４が１８０度回転し、流下防止板１０１５が状態変化する。
【０２０５】
即ち、本実施形態では、第２特定入賞口６５０ａが開閉動作を１回行うことにより、流下防止板１０１５が異なる状態に状態変化する。そのため、図１９（ｄ）に示す埋没状態から、流下防止板１０１５を図１９（ａ）に示す突出状態とするには、もう一度、第２特定入賞口６５０ａの開閉動作を１回行えば良い。
【０２０６】
図２０（ａ）から図２０（ｄ）は、球止め装置２０１０を模式に示した側面図である。なお、図２０（ａ）では、伝達棒１０１６が環状溝２０１２の正面側端部に配置された状態（第２特定入賞口６５０ａの閉鎖状態に対応）が、図２０（ｂ）では、伝達棒１０１６が当接溝２１１２の背面側端部に配置された状態が、図２０（ｃ）では、伝達棒１０１６が離間溝２１１４の背面側端部に配置された状態が、図２０（ｄ）では、伝達棒１０１６が離間溝２１１４と上溝２０１２ａとの連結位置付近まで移動した状態が、それぞれ図示される。なお、図２０（ｄ）に示す状態から、第２特定入賞口６５０ａが閉鎖状態となることで、図２０（ａ）に示す状態へ復帰する。なお、図２０（ａ）から図２０（ｄ）、そして図２０（ａ）へ戻る一連の動作は、第２特定入賞口６５０ａが閉鎖状態から開放状態へ変化し、その後、閉鎖状態へ復帰する動作に対応する。
【０２０７】
図２０（ａ）及び図２０（ｂ）に示すように、第２特定入賞口６５０ａが閉鎖状態から開放状態へ変化し、その後ソレノイド６５０ｃの駆動を解除して閉鎖板６５０ｂを正面側へ僅かに戻すことに伴って、伝達棒１０１６が上溝２０１２ａの後側端部から正面側へ僅かに移動し、伝達棒１０１６の先端が当接溝２１１２と分岐溝２１１３との合流する部分と当接する（図２０（ｂ）参照）。
【０２０８】
図２０（ｂ）に示す状態から、再度ソレノイド６５０ｃを駆動させることにより（例えば、ソレノイド６５０ｃの駆動解除から０．１秒後に再度ソレノイド６５０ｃを駆動させることにより）、伝達棒１０１６が十字部材１０１３ｂに当接する前に、伝達棒１０１６を背面側へ移動させることができ、この場合、伝達棒１０１６は、下溝２１１０の形状に沿って、分岐溝２１１３に沿って移動し、離間溝２１１３へ到達する（図２０（ｃ）参照）。
【０２０９】
その後、ソレノイド６５０ｃの駆動を解除することで、第２特定入賞口６５０ａが閉鎖状態となることに伴って伝達棒１０１６が離間溝２１１４に沿って正面側へ移動する。そのため、図２０（ａ）から図２０（ｄ）で図示する一連の動作において、伝達棒１０１６と十字部材１０１３ｂは当接しないので、流下防止板１０１５の状態を不変とすることができる。
【０２１０】
図１９に示す動作と、図２０に示す動作とを組み合わせることにより、第２特定入賞口６５０ａが開放状態で維持される時に、流下防止板１０１５が突出状態とされ、貯留装置２０００に球を貯留できる場合と、流下防止板１０１５が埋没状態とされ、貯留装置２０００に球を貯留できない場合と、の両方を形成することが可能となる。その一例について、図２１を参照して説明する。
【０２１１】
図２１（ａ）は、大当たりＡの１２ラウンド目における、第２特定入賞口６５０ａの計時変化を示した図であり、図２１（ｂ）は、大当たりＢの１２ラウンド目における、第２特定入賞口６５０ａの計時変化を示した図である。
【０２１２】
まず、図２１（ａ）について説明する。図２１（ａ）の上側のグラフが、第２特定入賞口（第２大開放口）６５０ａの計時変化（開放状態であるか、閉鎖状態であるか）を示しており、図２１（ａ）の下側のグラフが流下防止板１０１５の計時変化（突出状態であるか、埋没状態であるか）を示している。
【０２１３】
図２１（ａ）に示した通り、１２ラウンド目が開始されると、所定時間（例えば、０．２秒間）だけ第２特定入賞口（第２大開放口）６５０ａが開放され、その所定時間（例えば、０．２秒）が経過すると、第２特定入賞口（第２大開放口）６５０ａが閉鎖状態へ向けて動作される。その後、第２特定入賞口（第２大開放口）６５０ａが閉鎖状態になるのを待たない所定の極短時間（例えば、０．１秒）経過後、再び第２特定入賞口（第２大開放口）６５０ａが開放される。この開放状態は、所定時間（例えば、３０秒経過するまで、或いは、球が１０個入賞するまで）維持され、その所定時間経過後、第２特定入賞口（第２大開放口）６５０ａは閉鎖され、１２ラウンド目が終了する。また、この閉鎖状態は、特別遊技状態（大当たり状態）が終了し、次に大当たりの１２ラウンドとなるまで継続する。
【０２１４】
また、大当たりＡの１２ラウンド目において、流下防止板１０１５は、第２特定入賞口（第２大開放口）６５０ａの状態変化と独立して、埋没状態を維持する。従って、第２特定入賞口（第２大開放口）６５０ａに球を入球可能な状態を維持しながら、貯留装置２０００に球を維持することは困難な状態を形成することができる。これにより、大当たりＡにおいて、球が確変入球口１０３１を通過しにくくすることができる。よって、大当たりＡとなった場合の多くは、特別遊技状態中（大当たり中）に確変入球口１０３１へと球が入球しないので、大当たりの終了後に特別図柄の確変状態に設定されにくくなる。
【０２１５】
次に、図２１（ｂ）を参照して、大当たりＢの１２ラウンド目における、第２特定入賞口（第２大開放口）６５０ａの計時変化について説明する。図２１（ｂ）の上側のグラフが、第２特定入賞口（第２大開放口）６５０ａの計時変化（開放状態であるか、閉鎖状態であるか）を示しており、図２１（ｂ）の下側のグラフが、流下防止板１０１５の計時変化（突出状態であるか、埋没状態であるか）を示している。
【０２１６】
図２１（ｂ）に示した通り、１２ラウンド目が開始されると、所定時間（例えば、０．２秒間）だけ第２特定入賞口（第２大開放口）６５０ａが開放され、その所定時間（例えば、０．２秒）が経過すると、第２特定入賞口（第２大開放口）６５０ａが閉鎖される。そして、その閉鎖状態は、所定の待ち時間（例えば、１秒間）維持され、その所定の待ち時間が経過すると、第２特定入賞口（第２大開放口）６５０ａは開放される。この開放状態は、所定時間（例えば、３０秒経過するまで、或いは、球が１０個入賞するまで）維持され、その所定時間経過後、第２特定入賞口（第２大開放口）６５０ａは閉鎖され、１２ラウンド目が終了する。また、この閉鎖状態は、特別遊技状態（大当たり状態）が終了し、次に大当たりの１２ラウンドとなるまで継続する。
【０２１７】
また、大当たりＢの１２ラウンド目において、流下防止板１０１５は、第２特定入賞口（第２大開放口）６５０ａが開放状態から閉鎖状態へ変化する度に、状態変化する。即ち、１２ラウンド目の開始時に第２特定入賞口（第２大開放口）６５０ａが開放された後で閉鎖されることに基づいて埋没状態から突出状態へと変化し、その後、所定時間開放されたあとに閉鎖されることに基づいて、突出状態から埋没状態へと変化する。
【０２１８】
このように、大当たりＢの１２ラウンド目において、第２特定入賞口（第２大開放口）６５０ａが所定期間だけ開放状態を維持する期間、流下防止板１０１５が突出状態に維持されるので、特定入賞口６５０ａに球が入球し易い状態が維持されると共に、傾倒部材１０４０に球を貯留し易い状態が維持される。これにより、傾倒部材１０４０を球の重みで傾倒動作させやすくでき、大当たりＢにおいて、球が確変入球口１０３１を通過し易くすることができるので、大当たりの終了後に特別図柄の確変状態に設定されやすくなる。
【０２１９】
従って、本実施形態では、第１実施形態と異なり、第２特定入賞口（第２大開放口）６５０ａは開放状態を維持するものの、その開放状態を維持する間の流下防止板１０１５の状態を変えることができるので、大当たり種別によらず、第２特定入賞口（第２大開放口）６５０ａに球を入球させることにより賞球を得られる機会を遊技者に十分に与えながら、大当たり種別の違いにより生じるのは、大当たり終了後に特別図柄の確変状態となり易いか、否かの違いのみとすることができる。これにより、大当たりＡを獲得した遊技者が獲得可能な出球を多くすることができる。
【０２２０】
なお、１２ラウンドが開始された直後の開放期間を０．２秒間に共通化するのは、１２ラウンドの開始直後に大当たりＡであることを分かり難くするためである。確変入球口１０３１へと球を入球させやすい大当たりＢにおいて、１２ラウンドの開始直後から第２特定入賞口（第２大開放口）６５０ａが開放される。よって、大当たりＡと、大当たりＢとで１２ラウンドの開始直後の第２特定入賞口（第２大開放口）６５０ａの動作を共通化することにより、今回の大当たりが大当たりＢであることを期待させることができる。
【０２２１】
一方で、その後に第２特定入賞口（第２大開放口）６５０ａの閉鎖時間を異ならせているので、この閉鎖時間を確認することにより、遊技者が、今回の大当たりの大当たり種別が大当たりＡなのか、大当たりＢなのかを判別し易くすることができる。これにより、遊技者の注目を、特に１２ラウンド目の開始時の第２特定入賞口（第２大開放口）６５０ａの開閉動作に注目させることができる。
【０２２２】
従って、本実施形態において、第２特定入賞口（第２大開放口）６５０ａ付近（遊技者が注目する部分）をＬＥＤで煌びやかに光らせる一方で、第２特定入賞口（第２大開放口）６５０ａから離れた部分（遊技者がほとんど見ない部分）のＬＥＤは消灯させることにより、電力消費量を削減することができる。また、遊技領域における第２特定入賞口（第２大開放口）６５０ａから離れた部分の球の視認性を悪くすることができる。
【０２２３】
なお、遊技領域における球の視認性に関しては、例えば、第２特定入賞口（第２大開放口）６５０ａの上流側を流下する球の視認性を悪くすることにより、予想外の位置から球が第２特定入賞口（第２大開放口）６５０ａへ流下する状態を形成でき、遊技者を飽きさせにくくできる。
【０２２４】
また、例えば、第２特定入賞口（第２大開放口）６５０ａが不能状態の時に第２特定入賞口（第２大開放口）６５０ａの左方へ流下し、外縁部材７３（図２参照）を伝って下流へ（第１アウト口６６へ向かって）流下する球の視認性を悪くすることにより、第１アウト口６６へ向かって流れる球に遊技者が集中することを防止することができる。これにより、第２特定入賞口（第２大開放口）６５０ａ付近の注目度を維持することができる。
【０２２５】
このように、第２実施形態によれば、ソレノイド６５０ｃの駆動態様により、第２可変入賞装置６５０の開閉動作に対する流下防止板１０１５の動作に違いを持たせることができる。これにより、第２可変入賞装置６５０の注目力を向上させることができる。
【０２２６】
次いで、図２２から図２８を参照して、第３実施形態について説明する。第１実施形態では、第２可変入賞装置６５０の開閉動作の駆動力により流下防止板１０１５が駆動される場合を説明したが、第３実施形態における貯留装置３０００は、常時動作する駆動モータ３０１２を備え、第２可変入賞装置６５０の開閉動作の駆動力により、その駆動モータ３０１２から流下防止板１０１５への駆動力の伝達および遮断を切り替える態様で構成される。なお、上述した各実施形態と同一の部分には同一の符号を付して、その説明は省略する。
【０２２７】
図２２（ａ）及び図２２（ｂ）は、第３実施形態における貯留装置３０００の背面斜視図である。また、図２３（ａ）は、貯留装置３０００の正面図であり、図２３（ｂ）は、貯留装置３０００の上面図であり、図２４は、貯留装置３０００の背面図である。なお、図２２から図２４では、第２可変入賞装置６５０の上方においてベース板６０の図示が省略され、図２２（ａ）では、貯留装置３０００を上方から見た斜視図が、図２２（ｂ）では、貯留装置３０００を下方から見た斜視図が、それぞれ図示される。
【０２２８】
図２２（ａ）及び図２２（ｂ）に示すように、貯留装置３０００は、本体板部１００１と、その本体板部１００１の背面側に配設される球止め装置３０１０と、上述した誘導流路１０２０と、分岐流路１０３０と、傾倒部材１０４０と、を主に備える。
【０２２９】
球止め装置３０１０は、本体板部１００１の背面から後方へ向けて延設される板状の基礎板部３０１１と、その基礎板部３０１１と平行に延設されるフランジに固定される駆動モータ３０１２と、その駆動モータ３０１２の回転軸に固定されると共に外周に亘って軸方向一側の面に鋭利な凹凸形状が形成される固定クラッチ３０１３ａと、その固定クラッチ３０１３ａと歯合可能な形状の凹凸形状を有し駆動モータ３０１２の回転軸に空回り支持される移動クラッチ３０１３ｂと、から形成される切替クラッチ３０１３と、移動クラッチ３０１３ｂと位相を同期して回転する回転円板３０１４と、その回転円板３０１４の回転に基づいて前後方向に移動する流下防止板１０１５と、第２可変入賞装置６５０の駆動により移動クラッチ３０１３ｂの位置を移動させる切替部材３０１６と、を主に備える。
【０２３０】
基礎板部３０１１は、流下防止板１０１５を正面側へ張り出す方向へ付勢する弾性バネ３０１１ａと、背面側へ棒状に突設されると共に突設切替部材３０１６を回転可能に軸支する軸棒３０１１ｂと、を備える。この弾性バネ３０１１ａの作用により、流下防止板１０１５は正面側へ張り出し、突出状態を維持する。
【０２３１】
駆動モータ３０１２は、常時一方向に回転駆動するＤＣモータであり、ゆっくりとした回転速度で動作する。なお、本実施形態では、３秒間で１回転の態様で回転動作する。
【０２３２】
回転円板３０１４は、上述した円板部１０１４ｂ及び突設ピン１０１４ｃと、その円板部１０１４ｂの中心位置から基礎板部３０１１を貫通して延設されると共に駆動モータ３０１２の回転軸と同軸で形成される貫通軸３０１４ａと、を備える。
【０２３３】
移動クラッチ３０１３ｂは、その中心位置に貫通軸３０１４ａに外嵌される貫通孔３０１３ｂ１と、凹凸形状が形成される部分よりも径方向外方へ円形に延設される支持縁部３０１３ｂ２と、を備える。貫通孔３０１３ｂ１と貫通軸３０１４ａとは、軸方向に相対動作可能である一方、周方向に相対動作不能な態様で構成される。例えば、貫通軸３０１４ａの外形がＤ字形状から形成され、貫通孔３０１３ｂ１の内形が貫通軸３０１４ａの外形よりも若干大きいＤ字形状から形成される。
【０２３４】
切替クラッチ３０１３は、移動クラッチ３０１３ｂと固定クラッチ３０１３ａとが離間している状態では、固定クラッチ３０１３ａのみが駆動モータ３０１２の駆動力で回転する。一方で、移動クラッチ３０１３ｂが固定クラッチ３０１３ａと噛み合う位置に配置されると、固定クラッチ３０１３ａの回転と同期して移動クラッチ３０１３ｂが回転する。
【０２３５】
これにより、移動クラッチ３０１３ｂが固定クラッチ３０１３ａと噛み合い始めてから、駆動モータ３０１２が半回転することで（本実施形態では、１．５秒間の遅延期間後）、流下防止板１０１５を埋没状態へ変化させることができる。
【０２３６】
図２２から図２４に示すように、本実施形態では、第２可変入賞装置６５０のソレノイド６５０ｃが左右方向に伸縮動作する。この左右方向の伸縮動作に基づいて、ソレノイド６５０ｃの伸縮方向に延設される剛体棒Ｂ３１が左右方向に動作する。剛体棒Ｂ３１の先端は、開閉板６５０ｂの下面に形成される連結溝Ｃ３１に連結されており、本実施形態では、その連結溝Ｃ３１が、ソレノイド６５０ｃから左右方向に離れる程、背面側へ傾斜する態様で形成される。そのため、ソレノイド６５０ｃを駆動させると（剛体棒Ｂ３１を引く方向に動作させると）、開閉板６５０ｂが引き込まれ、第２可変入賞装置６５０が開放状態となり、ソレノイド６５０ｃの駆動を解除すると、開閉板６５０ｂが正面側へ張り出され、第２可変入賞装置６５０が閉鎖状態となる。
【０２３７】
切替部材３０１６は、上下に長尺の棒部材から形成され、下端から僅かに上方へ変位した位置で軸棒３０１１ｂに回転可能に軸支される軸孔３０１６ａと、上端部分においてソレノイド６５０ｃの移動部分から軸棒３０１１ｂの突設方向と平行に突設される支持軸に支持される長孔状の支持長孔３０１６ｂと、下端部分において移動クラッチ３０１３ｂの支持縁部３０１３ｂ２を移動クラッチ３０１３ｂの軸方向両側から摺動可能に支持する爪部３０１６ｃと、を主に備える。
【０２３８】
本実施形態では、第２可変入賞装置６５０が開放状態となった場合（ソレノイド６５０ｃが駆動され、剛体棒Ｂ３１が背面視右方へ引かれた場合）に、切替部材３０１６がソレノイド６５０ｃ側に傾倒する解除姿勢となり、切替クラッチ３０１３が、伝達を解除する（クラッチの凹凸が互いに離間する）解除状態を形成し、第２可変入賞装置６５０が閉鎖状態となった場合（ソレノイド６５０ｃの駆動が解除され、剛体棒Ｂ３１が背面視左方へ押された場合）に、切替部材３０１６がソレノイド６５０ｃの反対側に傾倒する伝達姿勢となり、固定クラッチ３０１３ａと移動クラッチ３０１３ｂとが歯合され、切替クラッチ３０１３が、駆動力を伝達する伝達状態を形成する。
【０２３９】
なお、切替クラッチ３０１３が伝達状態となる際、固定クラッチ３０１３ａと移動クラッチ３０１３ｂとの凸部分が互いに軸方向で当接する場合があるが、凹凸部分が鋭利な形状（軸に垂直な平面をもたず、軸に対して傾斜する形状）から形成されるので、当接時に移動クラッチ３０１３ｂが回転することで、当接時の衝撃を逃がすことができる。これにより、凹凸部分を軸に対して垂直な面を持つ凹凸形状から形成する場合に比較して、切替クラッチ３０１３の耐久性を向上させることができる。
【０２４０】
次いで、図２５から図２７を参照して、駆動モータ３０１２の駆動力が伝達されて流下防止板１０１５が動作するまでの過程について説明する。図２５（ａ）は、球止め装置３０１０の背面図であり、図２５（ｂ）は、図２５（ａ）の矢印ＸＸＶｂ方向視における球止め装置３０１０の側面図であり、図２６（ａ）は、球止め装置３０１０の背面図であり、図２６（ｂ）は、図２６（ａ）の矢印ＸＸＶＩｂ方向視における球止め装置３０１０の側面図であり、図２７（ａ）は、球止め装置３０１０の背面図であり、図２７（ｂ）は、図２７（ａ）の矢印ＸＸＶＩＩｂ方向視における球止め装置３０１０の側面図である。
【０２４１】
なお、図２５では、第２可変入賞装置６５０が開放状態とされ、切替部材３０１６が解除姿勢とされた状態が図示され、図２６では、図２５に示す状態から第２可変入賞装置６５０が閉鎖状態とされ、切替部材３０１６が伝達姿勢とされた状態が図示され、図２７では、図２６に示す状態から、第２可変入賞装置６５０が閉鎖状態を所定時間（本実施形態では、１．５秒間）維持した後の状態が図示される。
【０２４２】
第２可変入賞装置６５０の動作と流下防止板１０１５の動作との関係について説明する。第２可変入賞装置６５０の開閉動作の開始前においては、第２可変入賞装置６５０は閉鎖状態を維持するので、図２６に示すように、切替クラッチ３０１３は伝達状態を維持し、駆動モータ３０１２の駆動力が常時、回転円板３０１４に伝達されるので、流下防止板１０１５の状態は、突出状態と埋没状態とで、所定時間（本実施形態では、１．５秒）ごとに変化する。この状態変化は、遊技者から視認可能な位置で行われるので、流下防止板１０１５が配置される付近（貯留装置３０００付近）への注目力を向上させることができる。
【０２４３】
大当たり遊技が始まり、１２ラウンド目が開始され、第２可変入賞装置６５０が開放状態となると、切替クラッチ３０１３が解除状態とされ、駆動モータ３０１２からの駆動力が流下防止板１０１５へ伝達されなくなるので、流下防止板１０１５は、弾性バネ３０１１ａの弾性力により、正面側へ押し出され、突出状態となる。この突出状態は、少なくとも、第２可変入賞装置６５０が開放状態を維持する間、維持される。
【０２４４】
図２５に示す状態から、所定時間経過し、第２可変入賞装置６５０が閉鎖状態に変化すると、図２６（ａ）に示すように、切替クラッチ３０１３は伝達状態となり、駆動モータ３０１２の駆動力が回転円板３０１４を介して流下防止板１０１５へ伝達し始める。
【０２４５】
ここで、流下防止板１０１５ｂが突出状態である場合、回転円板３０１４の突設ピン１０１４ｃが流下防止板１０１５の連結長孔１０１５ａの内側に配置されることにより、回転円板３０１４は、突設ピン１０１４ｃが正面側端部（回転円板３０１４の回転軸から正面側へ平行移動した位置）に配置された姿勢となる。
【０２４６】
流下防止板１０１５が埋没状態となるのは、回転円板３０１４の姿勢が、突設ピン１０１４ｃが背面側端部（回転円板３０１４の回転軸から背面側へ平行移動した位置）に配置された姿勢となる場合であるので、切替クラッチ３０１３が伝達状態となり始めたとしても、流下防止板１０１５が即座に埋没状態となるわけではなく、図２６（ａ）に示すように、突出状態を維持する。
【０２４７】
切替クラッチ３０１３の回転は、駆動モータ３０１２の回転により生じるものである。本実施形態では、駆動モータ３０１２は３秒間で１回転する速度で回転するため、第２可変入賞装置６５０が閉鎖状態を１．５秒間維持する場合、図２７に示すように、突設ピン１０１４ｃの位置が回転円板３０１４の回転軸から背面側へ平行移動した位置に移動され、流下防止板１０１５が埋没状態を形成する。これにより、第２可変入賞装置６５０が閉鎖状態となった後に、傾倒部材１０４０の上面に残存した球を通常入球口１０３３により図示しない球排出路へ排出することができる。
【０２４８】
即ち、本実施形態では、第２可変入賞装置６５０の閉鎖から、所定時間（本実施形態では１．５秒間）遅れて、流下防止板１０１５が埋没状態を形成し、残存球を排出する態様で形成される。また、第２可変入賞装置６５０が開放された際には、流下防止板１０１５は弾性バネ３０１１ａの弾性力で正面側へ張り出すので、時間遅れなく突出状態を形成する。従って、状態変化の方向によって、第２可変入賞装置６５０の動作タイミングを基準とした流下防止板１０１５の状態変化のタイミングを異ならせることができる。
【０２４９】
なお、上述したように、第２可変入賞装置６５０の閉鎖状態を１．５秒間維持することで、流下防止板１０１５を埋没状態へ変化させることができるが、例えば、１．５秒の経過前（例えば、１秒経過前）に、再度、第２可変入賞装置６５０を開放状態に変化すると、切替クラッチ３０１３は解除状態となり、弾性バネ３０１１ａの弾性力で流下防止板１０１５が張り出され、流下防止板１０１５は、突出状態を形成する。即ち、閉鎖状態を１．５秒以上維持するか、１．５秒以下（１秒程度）の維持に留め、再度開放状態とするかによって、流下防止板１０１５の動作態様を変化させることができる。以下、このことについて、図２８を参照して説明する。
【０２５０】
次いで、図２８を参照して、第２特定入賞口６５０ａの開放パターンについて説明する。図２８（ａ）は、大当たりＡの１２ラウンド目における、第２特定入賞口６５０ａの計時変化を示した図であり、図２８（ｂ）は、大当たりＢの１２ラウンド目における、第２特定入賞口６５０ａの計時変化を示した図である。
【０２５１】
まず、図２８（ａ）について説明する。図２８（ａ）の上側のグラフが、第２特定入賞口（第２大開放口）６５０ａの計時変化（開放状態であるか、閉鎖状態であるか）を示しており、図２８（ａ）の下側のグラフが流下防止板１０１５の計時変化（突出状態であるか、埋没状態であるか）を示している。
【０２５２】
図２８（ａ）に示した通り、１２ラウンド目が開始されると、所定時間（例えば、０．２秒間）だけ第２特定入賞口（第２大開放口）６５０ａが開放され、その所定時間（例えば、０．２秒）が経過すると、第２特定入賞口（第２大開放口）６５０ａが閉鎖される。その後、所定時間（例えば、１秒間）閉鎖状態を維持した後に、所定時間（例えば１秒間）だけ第２特定入賞口（第２大開放口）６５０ａが開放され、その所定時間（例えば１秒間）が経過すると、第２特定入賞口（第２大開放口）６５０ａが閉鎖される。その閉鎖状態は、１．５秒以上の所定時間（例えば、２秒間）維持される。その後、再度、所定時間（例えば１秒間）だけ第２特定入賞口（第２大開放口）６５０ａが開放され、その所定時間（例えば１秒間）が経過すると、第２特定入賞口（第２大開放口）６５０ａが閉鎖され１２ラウンド目が終了する。また、この閉鎖状態は、特別遊技状態（大当たり状態）が終了し、次に大当たりの１２ラウンドとなるまで継続する。
【０２５３】
また、大当たりＡの１２ラウンド目において、流下防止板１０１５は、第２特定入賞口（第２大開放口）６５０ａが１．５秒以上閉鎖状態を維持する度に、埋没状態に変化する。従って、第２特定入賞口（第２大開放口）６５０ａに球を入球可能な状態を作りながら、第２特定入賞口（第２大開放口）６５０ａの閉鎖の度に流下防止板１０１５を埋没状態に変化させることにより、傾倒部材１０４０の上面に球を貯留させ難くすることができる。即ち、１秒間の開放で第２特定入賞口６５０ａに入球した球を、第２特定入賞口（第２大開放口）６５０ａの閉鎖の度に通常入球口１０３３へ向けて流すことで、一度の開放で３個の球が第２特定入賞口（第２大開放口）６５０ａに入球しない限り、傾倒部材１０４０が傾倒することは無い態様とすることができる。
【０２５４】
これにより、大当たりＡにおいて、球が確変入球口１０３１を通過しにくくすることができる。よって、大当たりＡとなった場合の多くは、特別遊技状態中（大当たり中）に確変入球口１０３１へと球が入球しないので、大当たりの終了後に特別図柄の確変状態に設定されにくくなる。
【０２５５】
次に、図２８（ｂ）を参照して、大当たりＢの１２ラウンド目における、第２特定入賞口（第２大開放口）６５０ａの計時変化について説明する。図２８（ｂ）の上側のグラフが、第２特定入賞口（第２大開放口）６５０ａの計時変化（開放状態であるか、閉鎖状態であるか）を示しており、図２８（ｂ）の下側のグラフが、流下防止板１０１５の計時変化（突出状態であるか、埋没状態であるか）を示している。
【０２５６】
図２８（ｂ）に示した通り、１２ラウンド目が開始されると、所定時間（例えば、０．２秒間）だけ第２特定入賞口（第２大開放口）６５０ａが開放され、その所定時間（例えば、０．２秒）が経過すると、第２特定入賞口（第２大開放口）６５０ａが閉鎖される。その後、１．５秒以下の所定時間（例えば、１秒間）閉鎖状態を維持した後に、所定時間（例えば１秒間）だけ第２特定入賞口（第２大開放口）６５０ａが開放され、その所定時間（例えば１秒間）が経過すると、第２特定入賞口（第２大開放口）６５０ａが閉鎖される。その閉鎖状態は、１．５秒以下の所定時間（例えば、１秒間）維持される。その後、再度、所定時間（例えば１秒間）だけ第２特定入賞口（第２大開放口）６５０ａが開放され、その所定時間（例えば１秒間）が経過すると、第２特定入賞口（第２大開放口）６５０ａが閉鎖され、その後再度、第２特定入賞口（第２大開放口）６５０ａが所定時間（例えば、１２ラウンド目の開始から３０秒経過するまで、或いは、１２ラウンド目において球が１０個入賞するまで）開放され、その所定時間の経過後、第２特定入賞口（第２大開放口）６５０ａが閉鎖され、１２ラウンド目が終了する。この閉鎖状態は、特別遊技状態（大当たり状態）が終了し、次に大当たりの１２ラウンドとなるまで継続する。
【０２５７】
また、大当たりＢの１２ラウンド目において、流下防止板１０１５は、大当たりＡの１２ラウンド目とは異なった動作をおこなう。即ち、流下防止板１０１５は、第２特定入賞口６５０ａが１．５秒間閉鎖状態を維持した際に埋没状態を形成するところ、大当たりＢでは、閉鎖状態とされる期間が１．５秒よりも短い１秒間とされるので、１２ラウンド目の間中、流下防止板１０１５が突出状態を維持する。
【０２５８】
そのため、大当たりＢの１２ラウンド目の開始から、１２ラウンド目が終了するまでの間は、第２特定入賞口６５０ａに球が入球し易い状態が維持されると共に、傾倒部材１０４０に球を貯留し易い状態が維持される。これにより、傾倒部材１０４０を球の重みで傾倒動作させやすくでき、大当たりＢにおいて、球が確変入球口１０３１を通過し易くすることができるので、大当たりの終了後に特別図柄の確変状態に設定されやすくなる。
【０２５９】
このように、１２ラウンド目の開始後における第２特定入賞口６５０ａの動作態様を、１秒間開放させ、その後閉鎖させ、再度１秒間開放させるという、似通った動作態様としながら、大当たりＡと大当たりＢとで、大当たり終了後に特別図柄の確変状態に設定され易い場合（図２８（ｂ）参照）と、特別図柄の確変状態に設定され難い場合（図２８（ａ）参照）とを形成することができる。これにより、遊技者に、１２ラウンド目の開始後しばらくの間、大当たりが、大当たりＡなのか大当たりＢなのかを分かりがたくでき、遊技中において、遊技者の期待感をより長く保つことができる。
【０２６０】
なお、第２特定入賞口（第２大開放口）６５０ａを開放するラウンド数は、１２ラウンド目に限られるものではなく、任意のラウンドに設定してもよい。更に、複数ラウンドにおいて第２特定入賞口６５０ａを開放するように構成してもよく、例えば、１ラウンド目と１５ラウンド目とで第２特定入賞口（第２大開放口）６５０ａを開放するように設定してもよい。これにより、確変入球口１０３１へと球を入球させる機会を増やすことができるので、大当たりＢの終了後に、より特別図柄の確変状態となりやすくすることができる。よって、大当たりＢに当選したにもかかわらず、第２特定入賞口（第２大開放口）６５０ａへと球を入球させることができず、遊技者の遊技に対するモチベーションを低下させてしまうことを防止（抑制）することができる。
【０２６１】
また、大当たりＢ（図２８（ｂ））において、大当たり終了後（第２特定入賞口６５０ａが閉鎖後）に、所定期間（本実施形態では、１．５秒間）遅れて、流下防止板１０１５が埋没状態に変化する。そのため、例えば、球詰まりなどにより、ホール店員に修理を依頼し、その修理が１２ラウンド目の終了間際までかかった場合に、慌てて球を打ち出して、１２ラウンド目の終了間際に球が複数個入った場合であっても、１２ラウンド目の終了後、所定期間の間は、傾倒部材１０４０を傾倒動作させる余地を残すことができる。これにより、ますます、大当たりの終了後に特別図柄の確変状態に設定されやすくすることができる。
【０２６２】
このように、第３実施形態では、第２可変入賞装置６５０の閉鎖から所定時間遅れて流下防止板１０１５が埋没状態となるという動作態様を、ソレノイド６５０ｃの動作態様を制御することのみによって、実現することができる。
【０２６３】
次いで、図２９から図３６を参照して、第４実施形態について説明する。第３実施形態では、第２可変入賞装置６５０の閉鎖状態の長さに基づいて、流下防止板１０１５が駆動される場合を説明したが、第４実施形態における貯留装置４０００は、第２可変入賞装置６５０の開放状態の長さに基づいて、流下防止板１０１５を駆動するか否かを切り替える態様で構成される。なお、上述した各実施形態と同一の部分には同一の符号を付して、その説明は省略する。
【０２６４】
図２９は、第４実施形態における貯留装置４０００の背面斜視図である。なお、図２９では、第２可変入賞装置６５０（図２参照）が閉鎖状態となった状態が図示され、ベース板６０の図示が省略される。
【０２６５】
図２９に示すように、貯留装置４０００は、ベース板６０に締結固定される本体板部１００１と、その本体板部１００１の背面側に配設される球止め装置４０１０と、上述した誘導流路１０２０と、分岐流路１０３０と、傾倒部材１０４０と、を主に備える（図２３参照）。
【０２６６】
球止め部材４０１０は、本体板部１００１の背面から後方へ延設される複数の板状の基礎板部４０１１と、その基礎板部４０１１の内の一部に支持される駆動モータ４０１２と、その駆動モータ４０１２から駆動力を伝達される面を複数有し軸方向にスライド移動可能に構成される円板形状の摩擦回転部材４０１３と、その摩擦回転部材４０１３と同軸で配置され摩擦回転部材４０１３からの駆動力伝達が可能な態様で構成される回転円板４０１４と、その回転円板４０１４と連結される流下防止板１０１５と、ソレノイド６５０ｃの移動部分に連結されると共に摩擦回転部材４０１３をスライド移動させる切替部材３０１６と、を主に備える。
【０２６７】
なお、本実施形態では、第３実施形態の場合とは逆に、ソレノイド６５０ｃにより第２可変入賞装置６５０（図２４参照）が閉鎖状態となった時に、切替部材３０１６がソレノイド６５０ｃ側（背面視右側）に傾倒動作する一方で、ソレノイド６５０ｃにより第２可変入賞装置６５０が開放状態となった時に、切替部材３０１６がソレノイド６５０ｃから離反する側に傾倒動作する。この場合、ソレノイド６５０ｃは、電気駆動により延伸するタイプのソレノイドを用いることが、節電の面から好ましい。
【０２６８】
例えば、ソレノイド６５０ｃの連結溝Ｃ３１（図２２（ｂ）参照）の傾斜方向を左右で反転させることにより、上述した動作条件を満たす構成とすることができる。なお、閉鎖状態の時の姿勢（図２９参照）を、切替部材３０１６の第１伝達姿勢と称し、開放状態の時の姿勢を、切替部材３０１６の第２伝達姿勢と称する。
【０２６９】
基礎板部４０１１は、駆動モータ４０１２を支持する第１支持板４０１１ａと、その第１支持板４０１１ａと並設されると共に駆動モータ４０１２の駆動軸の先端部を支持する第２支持板４０１１ｂと、第１支持板４０１１ａの上方に配置され摩擦回転部材４０１３を回転可能に支持する軸棒部４０１１ｄが延設される第３支持板４０１１ｃと、回転円板４０１４を軸方向両側から摺動可能に挟み支持し、摩擦回転部材４０１３と同軸の位置に維持する第４支持板４０１１ｅと、を主に備える。
【０２７０】
第４支持板４０１１ｅは、回転円板４０１４の外周から若干内側に入った位置まで板が張り出し、約２００度の範囲に亘って軸方向から回転円板４０１４を摺動可能に挟み込む態様で、回転円板４０１４を支持する。また、回転円板４０１４の外周面を受け入れる部分は、回転円板４０１４の外径よりも若干大きな径の円形凹部として形成されることから、回転円板４０１４が径方向に位置ずれすることを防止している。なお、回転円板４０１４は、図示しない保持機構により、摩擦回転部材４０１３と同軸の状態で維持される。
【０２７１】
駆動モータ４０１２は、第１支持板４０１１ａにブラケットが固定され、第１支持板４０１１ａを挟んでブラケットの反対側において、回転軸に固定される一対の駆動円板４０１２ａ，４０１２ｂを備える。
【０２７２】
一対の駆動円板４０１２ａ，４０１２ｂは、外周面が摩擦回転部材４０１３の外周面と当接可能な位置に配置され、摩擦回転部材４０１３の配置により、擦れる駆動円板４０１２ａ，４０１２ｂをが入れ替えられる。なお、図２９に示す状態では、摩擦回転部材４０１３が、回転円板４０１４に近接する側に配置される駆動円板４０１２ａに当接可能な位置に配置される。なお、駆動モータ４０１２は、常時一定の速度で回転動作を継続する。本実施形態において、駆動モータ４０１２は、６秒で１回転の速度で回転する。
【０２７３】
次いで、図３０及び図３１を参照して、摩擦回転部材４０１３と回転円板４０１４とについて、説明する。図３０及び図３１は、球止め装置４０１０の分解背面斜視図である。なお、図３０では、駆動モータ４０１２のブラケット側から見た状態が図示され、図３１では、駆動モータ４０１２の軸側から見た状態が図示される。また、図３０及び図３１では、基礎板部４０１１及び切替部材３０１６の図示が省略される。
【０２７４】
摩擦回転部材４０１３は、中心に貫通孔が形成されるドーナツ形状の円板部材であって、最大外径を形成する境界円板部４０１３ａと、その境界円板部４０１３ａから駆動モータ４０１２のブラケット側へドーナツ形状に突設される第１摩擦円板４０１３ｂと、境界円板部４０１３ａを挟んだ第１摩擦円板４０１３ｂの逆側に第１摩擦円板４０１３ｂと同一外径でドーナツ状に突設される第２摩擦円板４０１３ｃと、その第２摩擦円板４０１３ｃの軸方向の面から偏心して突設される突設係合部４０１３ｄと、第２摩擦円板４０１３ｃの外周部分の一部を径方向内側へ凹設した部分である解除凹部４０１３ｅと、を主に備える。
【０２７５】
境界円板部４０１３ａは、外周位置付近において、切替部材３０１６の爪部３０１６ｃと係合する（図２９参照）。従って、切替部材３０１６が動作すると、境界円板部４０１３ａが爪部３０１６ｃに押されることで、摩擦回転部材４０１３が軸棒部４０１１ｄの延設方向に沿って移動する。
【０２７６】
第１摩擦円板４０１３ｂ及び第２摩擦円板４０１３ｃは、駆動モータ４０１２の駆動円板４０１２ａ，４０１２ｂと外径同一で形成される。そのため、駆動モータ４０１２の回転速度と、摩擦回転部材４０１３の回転速度とは、スリップが無いと仮定した状況において、同一となる。
【０２７７】
解除凹部４０１３ｅは、駆動円板４０１２ａと対向配置された場合に、駆動円板４０１２ａとの当接が解除される態様（大きさ、径方向深さ）で形成される。即ち、第２摩擦円板４０１３ｃと駆動円板４０１２ａとが当接し、駆動円板４０１２ａとの摩擦で第２摩擦円板４０１３ｃが回転している状態において、解除凹部４０１３ｅが駆動円板４０１２ａ側を向く姿勢（解除凹部４０１３ｅが軸棒部４０１１ｄと駆動モータ４０１２の回転軸とを結ぶ直線上に配置される姿勢）になったら、第２摩擦円板４０１３ｃへの駆動力伝達が解除され、摩擦回転部材４０１３はそのままの姿勢を維持する。
【０２７８】
回転円板４０１４は、上述した円板部１０１４ｂと、突設ピン１０１４ｃと、その突設ピン１０１４ｃが突設される側とは反対側において、突設ピン１０１４ｃの真逆の位相で突設される突設リブ４０１４ａと、を主に備える。
【０２７９】
突設リブ４０１４ａは、円板部１０１４ｂの径方向に沿って長尺の形状から形成され、摩擦回転部材４０１３が駆動モータ４０１２の軸側に配置された状態（図２９参照）において、突設係合部４０１３ｄと周方向で当接可能な高さであって、摩擦回転部材４０１３が駆動モータ４０１２のブラケット側に配置された状態において、突設係合部４０１３ｄと周方向で当接不能な高さで突設される。
【０２８０】
図３２を参照して、駆動モータ４０１２、摩擦回転部材４０１３及び回転円板４０１４の駆動力伝達態様の切替について説明する。図３２（ａ）及び図３２（ｂ）は、球止め装置４０１０の背面図である。なお、図３２（ａ）では、第２可変入賞装置６５０が閉鎖状態とされると共に、切替部材３０１６が第１伝達姿勢となった状態が図示され、図３２（ｂ）では、第２可変入賞装置６５０が開放状態とされると共に、切替部材３０１６が第２伝達姿勢となった状態が図示される。
【０２８１】
なお、図３２（ａ）及び図３２（ｂ）では、理解を容易とするために、回転円板４０１４は突設ピン１０１４ｃが正面側（図３２紙面奥側）に配置された状態（流下防止板１０１５の突出状態に対応）とされ、摩擦回転部材４０１３は解除凹部４０１３ｅが背面側（図３２紙面手前側）に配置された状態が図示される。
【０２８２】
図３２（ａ）に示すように、第２可変入賞装置６５０が閉鎖状態となると、第２摩擦円板４０１３ｃと、駆動円板４０１２ａとが当接する配置となる。従って、この状態において、駆動円板４０１２ａの回転速度（６秒で１回転する速度）で、摩擦回転部材４０１３は回転する。
【０２８３】
また、摩擦回転部材４０１３が継続して回転し、解除凹部４０１３ｅが駆動円板４０１２ａと対向配置される位置（図３２（ａ）下側）に配置される場合、駆動円板４０１２ａと第２摩擦円板４０１３ｃとが離間し、駆動力の伝達が解除される。従って、軸方向における摩擦回転部材４０１３の配置が図３２（ａ）に示す配置を継続して維持したとしても、摩擦回転部材４０１３は解除凹部４０１３ｅが駆動円板４０１２ａと対向配置される位置に配置される姿勢となることにより（一周未満の回転量で）、駆動力伝達が解除される。
【０２８４】
図３２（ｂ）に示すように、第２可変入賞装置６５０が開放状態となると、第１摩擦円板４０１３ｂと、駆動円板４０１２ｂとが当接する配置となる。従って、この状態において、駆動円板４０１２ｂの回転速度（６秒で１回転する速度）で、摩擦回転部材４０１３は回転する。
【０２８５】
なお、上述したように、図３２（ａ）に示す状態において（この状態を６秒以上維持した後であれば）、摩擦回転部材４０１３は解除凹部４０１３ｅが駆動円板４０１２ａと対向配置される姿勢で姿勢が維持されるので、第２可変入賞装置６５０が開放状態となった瞬間の摩擦回転部材４０１３の姿勢を、毎回統一することができる。即ち、解除凹部４０１３ｅが駆動円板４０１２ａと対向配置される姿勢で、第１摩擦円板４０１３ｂと駆動円板４０１２ｂとの駆動力伝達を開始することができる。これにより、第２可変入賞装置６５０を閉鎖状態から開放状態へ変化させてから、所定時間経過後の摩擦回転部材４０１３の姿勢を、制御側で把握することができる。
【０２８６】
また、図３２（ｂ）に示す状態においては、第２摩擦円板４０１３ｃと駆動円板４０１２ｂとは、常時当接するので、常時駆動力が伝達される。一方で、突設リブ４０１４ａと、突設係合部４０１３ｄとは、周方向で当接しないので、図３２（ｂ）の状態を長時間維持したとしても、流下防止板１０１５の状態は変化しないので、摩擦回転部材４０１３が姿勢変化を継続していることを、遊技者が意識し難くすることができる。これらの構成から、開放状態を維持する期間の長さによって、流下防止板１０１５を突出状態としたままにするか、埋没状態に変化させるかを切り替えることができる。このことについて、図３３及び図３４を参照して説明する。
【０２８７】
図３３（ａ）から図３３（ｃ）は、図３２（ａ）の矢印ＸＸＸＩＩＩａ方向視における駆動モータ４０１２、摩擦回転部材４０１３、回転円板４０１４及び流下防止板１０１５の模式図である。なお、図３３（ａ）では、第２可変入賞装置６５０の閉鎖状態が図示され、図３３（ｂ）では、閉鎖状態から開放状態に変化し２秒経過した状態が図示され、図３３（ｃ）では、図３３（ｂ）の状態で開放状態から閉鎖状態へと切り替わった上で図３３（ｂ）から４秒後の状態が図示される。
【０２８８】
図３３（ａ）に示すように、図３３（ａ）において、駆動モータ４０１２は時計回り方向ＣＷで回転する。図３３（ａ）に示す状態から、第２可変入賞装置６５０を開放すると、第１摩擦円板４０１３ｂと駆動円板４０１２ｂ（図３２参照）との当接により、摩擦回転部材４０１３が、図３３（ａ）において、反時計回りＣＣＷで回転する。
【０２８９】
２秒間の開放の後、閉鎖状態へと変化させると、図３３（ｂ）に示すように、突設係合部４０１３ｄの進行方向に突設リブ４０１４ａが配置されるので、摩擦円板部材４０１３が回転を継続する間、突設係合部４０１３ｄに突設リブ４０１４ａが押進されることにより、回転円板４０１４が回転する。これにより、流下防止板１０１５が突出状態から埋没状態へ状態変化する。
【０２９０】
その後、摩擦回転部材４０１３は、図３３（ｃ）に示す姿勢まで回転を継続し、駆動モータ４０１２からの駆動力伝達が解除される。流下防止板１０１５は弾性バネ３０１１ａにより突出状態へ復帰するので、その移動に基づいて、回転円板４０１４も図３３（ｃ）に示す状態から回転し、図３３（ａ）に示す状態に戻る。
【０２９１】
このように、駆動モータ４０１２の１回転にかかる時間の半分よりも若干短い期間（本実施形態では２．５秒以下）だけ開放状態を維持し、その後閉鎖状態を維持することで、流下防止板１０１５が埋没状態へ変化した状態を形成することができる。
【０２９２】
図３４（ａ）から図３４（ｃ）は、図３２（ａ）の矢印ＸＸＸＩＩＩａ方向視における駆動モータ４０１２、摩擦回転部材４０１３、回転円板４０１４及び流下防止板１０１５の模式図である。なお、図３４（ａ）では、第２可変入賞装置６５０の閉鎖状態が図示され、図３４（ｂ）では、閉鎖状態から開放状態に変化し４秒経過した状態が図示され、図３４（ｃ）では、図３４（ｂ）の状態で開放状態から閉鎖状態へと切り替わった上で図３４（ｂ）から２秒後の状態が図示される。
【０２９３】
図３４（ａ）に示す状態から、第２可変入賞装置６５０を開放すると、第１摩擦円板４０１３ｂと駆動円板４０１２ｂ（図３２参照）との当接により、摩擦回転部材４０１３が、図３４（ａ）において、反時計回りＣＣＷで回転する。
【０２９４】
４秒間の開放の後、閉鎖状態へと変化させると、図３４（ｂ）に示すように、突設係合部４０１３ｄの進行方向に突設リブ４０１４ａは配置されないので、摩擦円板部材４０１３が回転を継続する間、突設リブ４０１４ａはそのままの位置に配置される。そのため、回転円板４０１４は回転されず、流下防止板１０１５は突出状態で維持される。
【０２９５】
その後、摩擦回転部材４０１３は、図３４（ｃ）に示す姿勢まで回転を継続し、駆動モータ４０１２からの駆動力伝達が解除される。このように、駆動モータ４０１２の１回転にかかる時間の半分よりも若干長い期間（本実施形態では３．５秒以上）だけ開放状態を維持し、その後閉鎖状態を維持することで、流下防止板１０１５を突出状態で維持することができる。
【０２９６】
なお、開放状態を維持する期間が２．５秒から３．５秒までの１秒間は、突設係合部４０１３ｄと突設リブ４０１４ａとが軸方向で当接する可能性があり、故障の原因となるので、この期間においては、開放状態から閉鎖状態へ変化させないように、制御プログラムが構築される。上述したように、開放状態を維持する期間が数秒違うだけで、流下防止板１０１５の動作を変化させることができる。このことに関して、図３５を参照して説明する。
【０２９７】
次いで、図３５を参照して、第２特定入賞口６５０ａの開放パターンについて説明する。図３５（ａ）は、大当たりＡの１２ラウンド目における、第２特定入賞口６５０ａの計時変化を示した図であり、図３５（ｂ）は、大当たりＢの１２ラウンド目における、第２特定入賞口６５０ａの計時変化を示した図である。
【０２９８】
まず、図３５（ａ）について説明する。図３５（ａ）の上側のグラフが、第２特定入賞口（第２大開放口）６５０ａの計時変化（開放状態であるか、閉鎖状態であるか）を示しており、図３５（ａ）の下側のグラフが流下防止板１０１５の計時変化（突出状態であるか、埋没状態であるか）を示している。
【０２９９】
図３５（ａ）に示した通り、１２ラウンド目が開始されると、２．５秒よりも短い所定時間（例えば、２秒間）だけ第２特定入賞口（第２大開放口）６５０ａが開放され、その所定時間（例えば、２秒）が経過すると、第２特定入賞口（第２大開放口）６５０ａが閉鎖される。その後、１２ラウンド目の開始から６秒以上の所定時間（例えば、４秒間）閉鎖状態を維持した後に、所定時間（例えば２秒間）だけ第２特定入賞口（第２大開放口）６５０ａが開放され、その所定時間（例えば２秒間）が経過すると、第２特定入賞口（第２大開放口）６５０ａが閉鎖される。即ち、２秒間開放し、その後で４秒間閉鎖しを複数回繰り返し、所定時間（例えば、１２ラウンド目の開始から３０秒経過するまで、或いは、１２ラウンド目において球が１０個入賞するまで）経過することにより、第２特定入賞口（第２大開放口）６５０ａが閉鎖され、１２ラウンド目が終了する。また、この閉鎖状態は、特別遊技状態（大当たり状態）が終了し、次に大当たりの１２ラウンドとなるまで継続する。
【０３００】
また、大当たりＡの１２ラウンド目において、流下防止板１０１５は、第２特定入賞口（第２大開放口）６５０ａが４秒間閉鎖状態を維持する度に、埋没状態に変化する。従って、第２特定入賞口（第２大開放口）６５０ａに球を入球可能な状態を作りながら、第２特定入賞口（第２大開放口）６５０ａの閉鎖の度に流下防止板１０１５を埋没状態に変化させることにより、傾倒部材１０４０の上面に球を貯留させ難くすることができる。即ち、２秒間の開放で第２特定入賞口６５０ａに入球した球を、第２特定入賞口（第２大開放口）６５０ａの閉鎖の度に通常入球口１０３３へ向けて流すことで、一度の開放（２秒間）で３個の球が第２特定入賞口（第２大開放口）６５０ａに入球しない限り、傾倒部材１０４０が傾倒することは無い態様とすることができる。また、本実施形態では、１秒に約１球のペースで第２特定入賞口６５０ａに球が入球するように第２可変入賞装置６５０の上流側が形成される。そのため、第２特定入賞口６５０ａの一回開放の間に、第２特定入賞口６５０ａに球が１０個以上入球することは無い構成とされる。
【０３０１】
これにより、大当たりＡにおいて、第２特定入賞口（第２大開放口）６５０ａでの賞球は十分確保できる状態を維持しながら、球が確変入球口１０３１を通過しにくくすることができる。よって、大当たりＡとなった場合の多くは、特別遊技状態中（大当たり中）に確変入球口１０３１へと球が入球しないので、大当たりの終了後に特別図柄の確変状態に設定されにくくなる。
【０３０２】
次に、図３５（ｂ）を参照して、大当たりＢの１２ラウンド目における、第２特定入賞口（第２大開放口）６５０ａの計時変化について説明する。図３５（ｂ）の上側のグラフが、第２特定入賞口（第２大開放口）６５０ａの計時変化（開放状態であるか、閉鎖状態であるか）を示しており、図３５（ｂ）の下側のグラフが、流下防止板１０１５の計時変化（突出状態であるか、埋没状態であるか）を示している。
【０３０３】
図３５（ｂ）に示した通り、１２ラウンド目が開始されると、３秒以上の所定時間（例えば、４秒間）だけ第２特定入賞口（第２大開放口）６５０ａが開放され、その所定時間（例えば、４秒間）が経過すると、第２特定入賞口（第２大開放口）６５０ａが閉鎖される。その後、所定時間（例えば、２秒間）閉鎖状態を維持した後に、所定時間（例えば４秒間）だけ第２特定入賞口（第２大開放口）６５０ａが開放され、その所定時間（例えば４秒間）が経過すると、第２特定入賞口（第２大開放口）６５０ａが閉鎖される。その閉鎖状態は、所定時間（例えば、２秒間）維持される。そして再度、開放される。
【０３０４】
即ち、４秒間開放し、その後で２秒間閉鎖しを複数回繰り返し、所定時間（例えば、１２ラウンド目の開始から３０秒経過するまで、或いは、１２ラウンド目において球が１０個入賞するまで）経過することにより、第２特定入賞口（第２大開放口）６５０ａが閉鎖され、１２ラウンド目が終了する。そして、インターバル期間において、所定時間（例えば、１秒間）だけ第２第２特定入賞口（第２大開放口）６５０ａが開放され、その所定時間（例えば、１秒間）が経過すると、第２特定入賞口（第２大開放口）６５０ａが閉鎖される。また、この閉鎖状態は、特別遊技状態（大当たり状態）が終了し、次に大当たりの１２ラウンドとなるまで継続する。
【０３０５】
また、大当たりＢの１２ラウンド目において、流下防止板１０１５は、大当たりＡの１２ラウンド目とは異なった動作をおこなう。即ち、流下防止板１０１５は、第２特定入賞口６５０ａが２．５秒以下で開放され、その後３秒程度閉鎖状態を維持した時に埋没状態を形成するところ、大当たりＢでは、第２特定入賞口６５０ａの開放状態が４秒間維持された後で、閉鎖状態が２秒間維持されるので、上述した開閉の条件に合致せず、１２ラウンド目の間中、流下防止板１０１５が突出状態を維持する。
【０３０６】
そのため、大当たりＢの１２ラウンド目の開始から、１２ラウンド目が終了するまでの間は、第２特定入賞口６５０ａに球が入球し易い状態が維持されると共に、傾倒部材１０４０に球を貯留し易い状態が維持される。これにより、傾倒部材１０４０を球の重みで傾倒動作させやすくでき、大当たりＢにおいて、球が確変入球口１０３１を通過し易くすることができるので、大当たりの終了後に特別図柄の確変状態に設定されやすくなる。
【０３０７】
なお、大当たりＢにおいて、インターバル中に数秒間、開放状態とするのは、強制的に流下防止板１０１５を埋没状態とし、傾倒部材１０４０の上面に残存する球を通常入球口１０３３へ向けて流すためである。
【０３０８】
このように、１２ラウンド目の開始後における第２特定入賞口６５０ａの動作態様を、数秒間開放させ、その後閉鎖させ、再度数秒間開放させるという、似通った動作態様としながら、大当たりＡと大当たりＢとで、大当たり終了後に特別図柄の確変状態に設定され易い場合（図３５（ｂ）参照）と、特別図柄の確変状態に設定され難い場合（図３５（ａ）参照）とを形成することができる。これにより、遊技者に、１２ラウンド目の開始後しばらくの間、大当たりが、大当たりＡなのか大当たりＢなのかを分かり難くでき、遊技中において、遊技者の期待感をより長く保つことができる。
【０３０９】
なお、第２特定入賞口（第２大開放口）６５０ａを開放するラウンド数は、１２ラウンド目に限られるものではなく、任意のラウンドに設定してもよい。更に、複数ラウンドにおいて第２特定入賞口６５０ａを開放するように構成してもよく、例えば、１ラウンド目と１５ラウンド目とで第２特定入賞口（第２大開放口）６５０ａを開放するように設定してもよい。これにより、確変入球口１０３１へと球を入球させる機会を増やすことができるので、大当たりＢの終了後に、より特別図柄の確変状態となりやすくすることができる。よって、大当たりＢに当選したにもかかわらず、第２特定入賞口（第２大開放口）６５０ａへと球を入球させることができず、遊技者の遊技に対するモチベーションを低下させてしまうことを防止（抑制）することができる。
【０３１０】
上述したように、大当たり中に流下防止板１０１５が埋没状態となるのは、例えば、１２ラウンド目の開始から、第２特定入賞口６５０ａが２．５秒以下の所定時間（例えば、２秒間）開放状態を維持した後で、所定時間（例えば、４秒間）閉鎖状態を維持した場合という条件を満たした時である。即ち、流下防止板１０１５が突出状態を維持する第２特定入賞口６５０ａの開閉のパターンは、図３５（ｂ）に示したパターンに限られるものでは無い。その例について、図３６を参照して説明する。
【０３１１】
次に、図３６を参照して、大当たりＢ（その２）の１２ラウンド目における、第２特定入賞口（第２大開放口）６５０ａの計時変化について説明する。図３６の上側のグラフが、第２特定入賞口（第２大開放口）６５０ａの計時変化（開放状態であるか、閉鎖状態であるか）を示しており、図７の下側のグラフが、流下防止板１０１５の計時変化（突出状態であるか、埋没状態であるか）を示している。
【０３１２】
図３６に示した通り、１２ラウンド目が開始されると、所定時間（例えば、２秒間）だけ第２特定入賞口（第２大開放口）６５０ａが開放され、その所定時間（例えば、２秒間）が経過すると、第２特定入賞口（第２大開放口）６５０ａが閉鎖される。その後、所定時間（例えば、２秒間）閉鎖状態を維持した後に、所定時間（例えば２秒間）だけ第２特定入賞口（第２大開放口）６５０ａが開放され、その所定時間（例えば、２秒間）が経過すると、第２特定入賞口（第２大開放口）６５０ａが閉鎖される。その閉鎖状態は、所定時間（例えば、４秒間）維持される。その所定時間（例えば、４秒間）が経過すると、第２特定入賞口（第２大開放口）６５０ａが開放される。
【０３１３】
その後、所定時間（例えば、２秒間）開放状態を維持した後に、第２特定入賞口（第２大開放口）６５０ａが閉鎖される。その閉鎖状態は所定時間（例えば、４秒間）維持される。そして再度、開放される。
【０３１４】
即ち、１２ラウンド目の開始時のみ、２秒間開放した後の閉鎖時間を２秒間とし、その後は、２秒間開放し、その後で４秒間閉鎖を繰り返し、所定時間（例えば、１２ラウンド目の開始から３０秒経過するまで、或いは、１２ラウンド目において球が１０個入賞するまで）経過することにより、第２特定入賞口（第２大開放口）６５０ａが閉鎖され、１２ラウンド目が終了する。そして、インターバル期間において、所定時間（例えば、１秒間）だけ第２第２特定入賞口（第２大開放口）６５０ａが開放され、その所定時間（例えば、１秒間）が経過すると、第２特定入賞口（第２大開放口）６５０ａが閉鎖される。また、この閉鎖状態は、特別遊技状態（大当たり状態）が終了し、次に大当たりの１２ラウンドとなるまで継続する。
【０３１５】
このように第２特定入賞口６５０ａを開閉させることにより、１２ラウンド目の開始時の状態（即ち、摩擦回転部材４０１３が解除凹部４０１３ｅを駆動モータ４０１２側へ向けた姿勢である状態、換言すれば、図３６において、１２ラウンド目の開始から６ｎ（ｎは整数）秒後の状態）から、第２特定入賞口６５０ａが２．５秒以下の所定時間（例えば、２秒間）開放され、その後閉鎖され、所定時間（例えば、４秒間）閉鎖状態を維持するという動作パターンを排除することができる。従って、流下防止板１０１５を突出状態で維持できる。
【０３１６】
そのため、大当たりＢ（その２）の１２ラウンド目の開始から、１２ラウンド目が終了するまでの間は、第２特定入賞口６５０ａに球が入球し易い状態が維持されると共に、傾倒部材１０４０に球を貯留し易い状態が維持される。これにより、傾倒部材１０４０を球の重みで傾倒動作させやすくでき、大当たりＢ（その２）において、球が確変入球口１０３１を通過し易くすることができるので、大当たりの終了後に特別図柄の確変状態に設定されやすくなる。
【０３１７】
一方で、図３６に示す第２特定入賞口６５０ａの動作パターンは、開始から４秒間を経過して以降は、図３５（ａ）に示す大当たりＡの時の第２特定入賞口６５０ａの動作パターンと同一となる。従って、第２特定入賞口６５０ａの動作パターンから、大当たりの種別を判別し難くすることができる。これにより、傾倒部材１０４０に球を貯留できるか否かを目で見て確認するように遊技者に仕向けることができ、傾倒部材１０４０付近の注目力を向上させることができる。
【０３１８】
なお、大当たりＢ（その２）において、インターバル中に数秒間、開放状態とするのは、強制的に流下防止板１０１５を埋没状態とし、傾倒部材１０４０の上面に残存する球を通常入球口１０３３へ向けて流すためである。
【０３１９】
このように、１２ラウンド目の開始後における第２特定入賞口６５０ａの動作態様を、数秒間開放させ、その後閉鎖させ、再度数秒間開放させるという、似通った動作態様としながら、大当たりＡと大当たりＢ（その２）とで、大当たり終了後に特別図柄の確変状態に設定され易い場合（図３６参照）と、特別図柄の確変状態に設定され難い場合（図３５（ａ）参照）とを形成することができる。これにより、遊技者に、１２ラウンド目の開始後しばらくの間、大当たりが、大当たりＡなのか大当たりＢ（その２）なのかを分かり難くでき、遊技中において、遊技者の期待感をより長く保つことができる。
【０３２０】
このように、第４実施形態によれば、第２可変入賞装置６５０の開放時間の長さによって、閉鎖後に流下防止板１０１５が埋没状態となるか、否かを変化させることができる。また、開放時間の長さとしては、毎回の開放からの経過時間に限らず、最初の開放動作からの経過時間を採用可能な期間があり、この期間の途中から、最初の開放からの開放時間では流下防止板１０１５を状態変化させない開放時間で、第２可変入賞装置６５０を開放させ、その後閉鎖することで、流下防止板１０１５を埋没状態へ状態変化させることを可能に構成される。これにより、大当たり種別ごとの第２可変入賞装置６５０の動作で、動作態様が同じになる期間を形成できるので、遊技者が、第２可変入賞装置６５０の動作から、大当たり種別の違いに気付き難くすることができる。
【０３２１】
次いで、図３７から図４１を参照して、第５実施形態について説明する。第１実施形態では、第２可変入賞装置６５０の開閉動作の仕方に基づいて流下防止板１０１５が駆動される場合を説明したが、第５実施形態における貯留装置５０００は、２可変入賞装置６５０の開閉回数に基づいて流下防止板１０１５を駆動するか否かを切り替える態様で構成される。なお、上述した各実施形態と同一の部分には同一の符号を付して、その説明は省略する。
【０３２２】
また、本実施形態では、大当たり期間以外で第２可変入賞装置６５０が開閉すること（所謂、小当たり）は、生じないように設定される。そのため、後述する第２可変入賞装置６５０の開閉回数は、全て、大当たり遊技時の動作によるものとされる。
【０３２３】
図３７（ａ）は、第５実施形態における貯留装置５０００の正面図であり、図３７（ｂ）は、図３７（ａ）の矢印ＸＸＸＶＩＩｂ方向視における貯留装置５０００の上面図である。なお、図３７（ａ）では、本体板部１００１の図示が省略され、図３７（ａ）及び図３７（ｂ）では、誘導流路１０２０、分岐流路１０３０及び傾倒部材１０４０が、想像線で図示される。
【０３２４】
図３７（ａ）及び図３７（ｂ）に示すように、貯留装置５０００は、本体板部１００１と、その本体板部１００１の背面に配設される球止め装置５１００と、上述した誘導流路１０２０と、分岐流路１０３０と、傾倒部材１０４０と、を主に備える。
【０３２５】
本体板部１００１の背面側には、第２特定入賞装置６５０が配設される。本実施形態では、第２特定入賞装置６５０は、第３実施形態と同様、ソレノイド６５０ｃが左右方向に動作することにより、剛体棒Ｂ３１が連結溝Ｃ３１を介して開閉板６５０ｂに駆動力を伝達する態様で構成される。
【０３２６】
剛体棒Ｂ３１は、弾性部材から板バネ状に形成される爪部Ｂ５１を備える。爪部Ｂ５１は、後述する回転部材５１２０の外周面と対向配置されると共に、回転部材５１２０の中心から出され剛体棒Ｂ３１と垂直に交差する直線Ｌ５１に対して、回転部材５１２０の軸方向視でソレノイド６５０ｃに近接する側へ傾斜する姿勢で延設される。
【０３２７】
従って、回転部材５１２０と、爪部Ｂ５１とが当接している状態において、剛体棒Ｂ３１がソレノイド６５０ｃ側へ動作すると、爪部Ｂ５１の先端部が回転部材５１２０に突き刺さる（駆動力を点接触で伝達する）態様で回転部材５１２０に作用するので、回転部材５１２０を回転させ易くすることができる。一方で、剛体棒Ｂ３１がソレノイド６５０ｃから離反する方向へ動作すると、爪部Ｂ５１の腹部分が回転部材５１２０の外周と擦れる態様で回転部材５１２０に作用するので、回転部材５１２０を回転させ難くすることができる。これにより、ソレノイド６５０ｃの駆動と解除とを一回ずつ行うことにより（剛体棒Ｂ３１を左右に１往復動作させることにより）、第２可変入賞装置６５０は１回だけ開閉動作を行い、回転部材５１２０を所定方向（本実施形態では図３７（ａ）反時計回り方向）に回転動作させることができる。
【０３２８】
球止め装置５１００は、本体板部１００１の背面から後方へ棒状に突設される軸棒部５１１０と、その軸棒部５１１０に軸支される回転部材５１２０と、その回転部材５１２０の本体板部１００１と対向配置する面に負荷を与える付勢部５１３０と、回転部材５１２０の姿勢に対応して流下防止板５０１５を動作させる切替装置５１４０と、を主に備える。
【０３２９】
回転部材５１２０は、外周面が常時、爪部Ｂ５１と当接し、爪部Ｂ５１との作用により回転動作する部材である。この回転部材５１２０について、図３８を参照して説明する。
【０３３０】
図３８（ａ）は、回転部材５１２０の正面図であり、図３８（ｂ）は、図３８（ａ）の矢印ＸＸＸＶＩＩＩｂ方向視における回転部材５１２０の上面図であり、図３８（ｃ）は、図３８（ａ）のＸＸＸＶＩＩＩｃ−ＸＸＸＶＩＩＩｃ線における回転部材５１２０の部分断面図である。
【０３３１】
図３８（ａ）から図３８（ｃ）に示すように、回転部材５１２０は、軸棒部５１１０（図３７参照）に軸支される本体円板５１２１と、その本体円板５１２１の外周面に形成される鋸歯状部であって軸棒部５１１０から均等角度（本実施形態では、２２．５度ずつ、１６等分）でずれて並設される複数の外周係合部５１２２と、本体円板５１２１の本体板部１００１と対向配置する面に、軸棒部５１１０から等距離の位置において軸棒部５１１０から放射状に延びる直線に沿って延設される凹部であって、外周係合部５１２２の並べられる角度（２２．５度）と同様の角度だけずれて複数個配設される位置決め凹部５１２３と、その位置決め凹部５１２３の形成される位置よりも外周側において軸方向一側（図３８（ａ）紙面手前側）に突設される複数の切替突設部５１２４と、軸方向他側へ偏心して突設される検出ピン５１２５と、を主に備える。
【０３３２】
外周係合部５１２２は、本体円板５１２１の上側に配置された場合において、正面視右側で急激に立ち上がり、正面視左側は緩やかに下降する、左右不均等の傾斜態様で形成される。これにより、爪部Ｂ５１（図３７（ａ）参照）が左方へ移動する際の駆動力伝達を良好に行うと共に、爪部Ｂ５１が右方へ移動する際には爪部Ｂ５１から外周係合部５１２２に対して回転方向の負荷を生じ難くすることができる。
【０３３３】
位置決め凹部５１２３は、付勢部５１３０（図３７（ａ）参照）と正面視で重なる位置に配置され、付勢部５１３０の先端を内嵌可能な形状から形成される。本実施形態では、付勢部５１３０の先端が球状とされ、位置決め凹部５１２３の周方向の幅が付勢部５１３０の先端の球の直径以下とされるので、付勢部５１３０の先端が位置決め凹部５１２３に嵌り込むことで、位置ずれ少なく、回転部材５１２０の姿勢を維持することができる。
【０３３４】
切替突設部５１２４は、周方向両側へ向かうにつれて、なだらかに傾斜する傾斜面部５１２４ａを備える突設部である。傾斜面部５１２４ａにより、回転部材５１２０の回転により切替装置５１４０の短腕部５１４２ｂと当接する際に生じる抵抗を少なくすることができ、ソレノイド６５０ｃにかけられる負荷を低減することができる。
【０３３５】
本実施形態では、同様の形状から形成される一対の突起により構成され、それらは、軸棒部５１１０を中心として４５度だけ角度ずれした位置に配置される。検出ピン５１２５は、後述する位置センサ５１４４により検出され、回転部材５１２０の姿勢の把握に用いられる突起である。
【０３３６】
図３７に戻って説明する。付勢部５１３０は、本体板部１００１の背面から後方へ向けて筒状に延設される支持筒５１３１と、その支持筒５１３１の内側に配置される球状の嵌合片５１３２と、その嵌合片５１３２と本体板部１００１との間であって支持筒５１３１の内部に配置される弾性バネ５１３３と、を主に備える。
【０３３７】
なお、図３７（ｂ）に示すように、支持筒５１３１の先端は、回転部材５１２０との隙間が嵌合片５１３２の直径よりも小さくなる位置まで延設される。これにより、嵌合片５１３２が支持筒５１３１の内側に常時維持され、嵌合片５１３２が弾性バネ５１３３の弾性力で回転部材５１２０に押し付けられる。
【０３３８】
切替装置５１４０は、本体板部１００１の背面から後方へ延設される基礎板部５１４１と、その基礎板部５１４１に上下方向に挿通される軸で回転可能に軸支され、一方の腕部が流下防止板５０１５と連結される回転腕部５１４２と、その回転腕部５１４２の長腕部５１４２ａの先端付近と本体板部１００１とを連結し引っ張り方向の負荷を与える縮みバネ５１４３と、基礎板部５１４１に配設されると共に検出ピン５１２５が通過可能な位置に検出溝が配置される位置センサ５１４４と、を主に備える。
【０３３９】
回転腕部５１４２は、流下防止板５０１５に連結される長腕部５１４２ａと、回転軸を挟んで長腕部５１４２ａの反対側に延設される短腕部５１４２ｂと、を備え、短腕部５１４２ｂは、回転部材５１２０の正面側面に押し付けられている。
【０３４０】
次いで、図３９を参照して、回転部材５１２０と切替装置５１４０との動作について説明する。なお、図３９の説明において、図３７を適宜参照する。図３９（ａ）は、貯留装置５０００の正面図であり、図３９（ｂ）は、図３９（ａ）の矢印ＸＸＸＩＸｂ方向視における貯留装置５０００の上面図である。なお、図３９（ａ）では、本体板部１００１の図示が省略され、図３９（ａ）及び図３９（ｂ）では、誘導流路１０２０、分岐流路１０３０及び傾倒部材１０４０が、想像線で図示される。
【０３４１】
図３９（ａ）及び図３９（ｂ）に示すように、回転部材５１２０の切替突設部５１２４が切替装置５１４０の短腕部５１４２ｂに当接する位置まで、回転部材５１２０が回転することにより、切替突設部５１２４に短腕部５１４２ｂが押され、回転腕部５１４２が回転する（図３９（ｂ）参照）。この状態において、流下防止板５０１５が埋没状態を形成する。
【０３４２】
なお、上述した通り、回転腕部５１４２は、回転軸を基準として、回転部材５１２０側に延設される腕（短腕部５１４２ｂ）の方が、流下防止板５０１５側に延設される腕（長腕部５１４２ａ）よりも短い。そのため、短腕部５１４２ｂの先端の変位よりも大きな変位で長腕部５１４２ａを変位させることができるので、流下防止板５０１５を埋没状態にするために必要となる短腕部５１４２ｂの変位量を小さくすることができる。これにより、回転部材５１２０をコンパクトに形成することができる。
【０３４３】
本実施形態では、第２可変入賞装置６５０が閉鎖状態から開放状態へ変化することで、爪部Ｂ５１が回転部材５１２０の外周係合部５１２２を押進し、付勢部５１３０と嵌合する位置決め凹部５１２３が隣りにずれる態様で、回転動作する。換言すれば、第２可変入賞装置６５０が閉鎖状態から開放状態へ１回変化することにより、１／１６周（２２．５度）だけ、回転部材５１２０は回転動作する（開放状態へ１６回変化することにより、回転部材５１２０は１回転する）。なお、上述したように、第２可変入賞装置６５０が開放状態から閉鎖状態へ変化するときには、爪部Ｂ５１から回転部材５１２０へ周方向の負荷が生じ難く、回転部材５１２０は姿勢を維持するそのため、第２可変入賞装置６５０が開閉動作を繰り返すことで、回転部材５１２０の姿勢が順に変化することになる。
【０３４４】
本実施形態では、第２可変入賞装置６５０の開閉により、回転部材５１２０は正面視反時計回りに回転する。即ち、第２可変入賞装置６５０の開閉動作を４回行うことにより、図３９に示す状態から、図３７に示す状態に変化させることができる。
【０３４５】
本実施形態では、回転部材５１２０の初期姿勢が図３７（ａ）に示す姿勢（検出ピン５１２５が位置センサ５１４４の内側に配置される姿勢）とされ、初期姿勢から第２可変入賞装置６５０が１２回開閉動作をした後で形成される解除姿勢（図３９（ａ）参照）でのみ、流下防止板５０１５が埋没状態とされる。従って、第２可変入賞装置６５０の動作態様を異ならせることにより、貯留装置５０００の内部に球が貯まりやすいか、否かを変えることができる。このことについて、図４０を参照して説明する。
【０３４６】
次いで、図４０を参照して、第２特定入賞口６５０ａの開放パターンについて説明する。図４０（ａ）は、大当たりＡの１２ラウンド目における、第２特定入賞口６５０ａの計時変化を示した図であり、図４０（ｂ）は、大当たりＢの１２ラウンド目における、第２特定入賞口６５０ａの計時変化を示した図である。
【０３４７】
まず、図４０（ａ）について説明する。図４０（ａ）の上側のグラフが、第２特定入賞口（第２大開放口）６５０ａの計時変化（開放状態であるか、閉鎖状態であるか）を示しており、図４０（ａ）の下側のグラフが流下防止板５０１５の計時変化（突出状態であるか、埋没状態であるか）を示している。
【０３４８】
図４０（ａ）に示した通り、１２ラウンド目が開始されると、０．５秒間（球を入球不可能とする短時間）の開閉動作が所定回数（例えば、１１回）繰り返され、その後、第２特定入賞口（第２大開放口）６５０ａが開放（１２回目の開放）され、所定時間（例えば、１２ラウンド目の開始から３０秒経過するまで、或いは、１２ラウンド目において球が１０個入賞するまで）経過することにより、第２特定入賞口（第２大開放口）６５０ａが閉鎖され、その後、インターバルの間に、１２ラウンド目の開始からの開閉回数が１６回となる所定回数（例えば、４回）で、一回あたり０．５秒間（球を入球不可能とする短時間）の開閉動作を行い、その開閉動作の後、閉鎖状態を維持し、１２ラウンド目が終了する。また、この閉鎖状態は、特別遊技状態（大当たり状態）が終了し、次に大当たりの１２ラウンドとなるまで継続する。
【０３４９】
なお、所定回数（例えば、１１回）の開閉動作の内に、球が第２可変入賞装置６５０に１０個以上入ることは生じないように設定される。本実施形態では、第２可変入賞装置６５０へ球が約１秒間に１球到達するように第２可変入賞装置６５０の上流側の経路が形成されることにより、１１回の開閉動作中（約５．５秒間の動作中）には、１０個以上の球が第２可変入賞装置６５０へ到達しないように構成することで、これを担保している。
【０３５０】
また、大当たりＡの１２ラウンド目において、流下防止板５０１５は、第２特定入賞口（第２大開放口）６５０ａが１２回目の開放動作をする直前まで、突出状態を維持し、１２回目の開放動作がされることで埋没状態に変化し、１３回目の開放動作がされることで再度、突出状態となる。また、１４回目の開放動作がされることで埋没状態となり、１５回目の開放動作がされることで、突出状態となる。ここで、第２可変入賞装置６５０が長時間開放され球が多量に入球可能な状態においては、流下防止板５０１５が埋没状態となるので、貯留装置５０００に球を貯めにくい態様となる。また、第２可変入賞装置６５０の１２回目の開放動作の後で、再び流下防止板５０１５を埋没状態とすることにより、球を残らず流下防止板５０１５の先へ流すことができる。従って、１２回目の開放の終了直前に第２可変入賞装置６５０に入球した球が傾倒部材１０４０の上面に残存したまま特別遊技状態（大当たり状態）が終了することを防止することができる。
【０３５１】
このように第２特定入賞口（第２大開放口）６５０ａに球を入球可能な状態を作りながら、流下防止板５０１５は埋没状態で維持することで、球が貯留装置５０００に貯まりにくい状態を形成することができる。
【０３５２】
これにより、大当たりＡにおいて、第２特定入賞口（第２大開放口）６５０ａでの賞球は十分確保できる状態を維持しながら、球が確変入球口１０３１を通過しにくくすることができる。よって、大当たりＡとなった場合の多くは、特別遊技状態中（大当たり中）に確変入球口１０３１へと球が入球しないので、大当たりの終了後に特別図柄の確変状態に設定されにくくなる。
【０３５３】
次に、図４０（ｂ）を参照して、大当たりＢの１２ラウンド目における、第２特定入賞口（第２大開放口）６５０ａの計時変化について説明する。図４０（ｂ）の上側のグラフが、第２特定入賞口（第２大開放口）６５０ａの計時変化（開放状態であるか、閉鎖状態であるか）を示しており、図４０（ｂ）の下側のグラフが、流下防止板５０１５の計時変化（突出状態であるか、埋没状態であるか）を示している。
【０３５４】
図４０（ｂ）に示した通り、１２ラウンド目が開始されると、０．５秒間（球を入球不可能とする短時間）の開閉動作が所定回数（例えば、１０回）繰り返され、その後、第２特定入賞口（第２大開放口）６５０ａが開放（１１回目の開放）され、所定時間（例えば、１２ラウンド目の開始から３０秒経過するまで、或いは、１２ラウンド目において球が１０個入賞するまで）経過することにより、第２特定入賞口（第２大開放口）６５０ａが閉鎖され、その後、インターバルの間に、１２ラウンド目の開始からの開閉回数が１６回となる所定回数（例えば、５回）で、一回あたり０．５秒間（球を入球不可能とする短時間）の開閉動作を行い、その開閉動作の後、閉鎖状態を維持し、１２ラウンド目が終了する。また、この閉鎖状態は、特別遊技状態（大当たり状態）が終了し、次に大当たりの１２ラウンドとなるまで継続する。
【０３５５】
なお、所定回数（例えば、１０回）の開閉動作の内に、球が第２可変入賞装置６５０に１０個以上入ることは生じないように設定される。本実施形態では、第２可変入賞装置６５０へ球が約１秒間に１球到達するように第２可変入賞装置６５０の上流側の経路が形成されることにより、１０回の開閉動作中（約５．０秒間の動作中）には、１０個以上の球が第２可変入賞装置６５０へ到達しないように構成することで、これを担保している。
【０３５６】
また、大当たりＢの１２ラウンド目において、流下防止板５０１５は、第２特定入賞口（第２大開放口）６５０ａが１２回目の開放動作をする直前まで、突出状態を維持し、１２回目の開放動作がされることで埋没状態に変化し、１３回目の開放動作がされることで再度、突出状態となる。また、１４回目の開放動作がされることで埋没状態となり、１５回目の開放動作がされることで、突出状態となる。ここで、第２可変入賞装置６５０が長時間開放され球が多量に入球可能な状態（１１回目の開放状態）においては、流下防止板５０１５が突出状態となるので、貯留装置５０００に球を貯め易い態様となる。
【０３５７】
また、第２可変入賞装置６５０の１１回目の開放状態が所定時間（例えば、１２ラウンド目の開始から３０秒経過するまで、或いは、１２ラウンド目において球が１０個入賞するまで）経過後に閉鎖したとしても、流下防止板５０１５は、第２可変入賞装置６５０が１２回目の開放動作を行うまでは突出状態を維持するので、１１回目の閉鎖動作から１２回目の開放動作までの期間を制御することで、所定時間が経過する直前に入球した球が傾倒部材１０４０に到達するまでの時間を確保することができる。
【０３５８】
大当たりＢの１２ラウンド目において、流下防止板５０１５は、大当たりＡの１２ラウンド目とは異なった動作をおこなう。即ち、流下防止板５０１５は、第２特定入賞口６５０ａが球を入球可能な態様で長時間開放される間中、突出状態で維持される。
【０３５９】
そのため、大当たりＢの１２ラウンド目の開始から、１２ラウンド目が終了するまでの間は、第２特定入賞口６５０ａに球が入球し易い状態が維持されると共に、傾倒部材１０４０に球を貯留し易い状態が維持される。これにより、傾倒部材１０４０を球の重みで傾倒動作させやすくでき、大当たりＢにおいて、球が確変入球口１０３１を通過し易くすることができるので、大当たりの終了後に特別図柄の確変状態に設定されやすくなる。
【０３６０】
なお、大当たりＢにおいて、インターバル中に数回、開閉動作を繰り返すことで、流下防止板１０１５を埋没状態に変化させ、傾倒部材１０４０の上面に残存する球を通常入球口１０３３へ向けて流すように制御される。
【０３６１】
このように、１２ラウンド目の開始後における第２特定入賞口６５０ａの動作態様を、複数回の開閉動作を行った後で、球を入球可能な長さで開放状態を維持するという、似通った動作態様としながら、大当たりＡと大当たりＢとで、大当たり終了後に特別図柄の確変状態に設定され易い場合（図４０（ｂ）参照）と、特別図柄の確変状態に設定され難い場合（図４０（ａ）参照）とを形成することができる。これにより、遊技者に、１２ラウンド目の開始後しばらくの間、大当たりが、大当たりＡなのか大当たりＢなのかを分かり難くでき、遊技中において、遊技者の期待感をより長く保つことができる。
【０３６２】
また、開閉動作の回数は、その動作の素早さもあって、正しく数えることは困難であり、第２可変入賞装置６５０の開閉板６５０ｂのみを見て、大当たりの種別の判断を行うことは困難である。そのため、大当たりの種別の判断は、流下防止板５０１５が突出状態であるか、埋没状態であるのかで判断することが確実である。
【０３６３】
しかし、その流下防止板５０１５の動作方向は前後方向であり、正面視における位置が変化しないので、正面視では、突出状態も、埋没状態も同じように視認される。そのため、正面視では、違いが判別し難い。また、上から覗き込もうとしても、外縁部材７３（図２参照）や、分岐流路１０３０の上側壁面に視線を遮られ、覗き込み難い態様となっている。
【０３６４】
従って、実際に球が分岐流路１０３０をどのように流下するかによって、その大当たりの種別の確認をするように、仕向けることができる。これにより、分岐流路１０３０及び、その内側に配置される傾倒部材１０４０の注目力を向上させることができ、分岐流路１０３０の内側を流下する球の動きに注目させることができる。
【０３６５】
なお、第２特定入賞口（第２大開放口）６５０ａを開放するラウンド数は、１２ラウンド目に限られるものではなく、任意のラウンドに設定してもよい。更に、複数ラウンドにおいて第２特定入賞口６５０ａを開放するように構成してもよく、例えば、１ラウンド目と１５ラウンド目とで第２特定入賞口（第２大開放口）６５０ａを開放するように設定してもよい。これにより、確変入球口１０３１へと球を入球させる機会を増やすことができるので、大当たりＢの終了後に、より特別図柄の確変状態となりやすくすることができる。よって、大当たりＢに当選したにもかかわらず、第２特定入賞口（第２大開放口）６５０ａへと球を入球させることができず、遊技者の遊技に対するモチベーションを低下させてしまうことを防止（抑制）することができる。
【０３６６】
なお、上述したように、本実施形態では第２特定入賞装置６５０の開閉回数によって、流下防止板５０１５の状態が切り替わるので、例えば、敢えて、初期位置に戻さないという制御を行うこともできる。その制御態様について、図４１を参照して説明する。
【０３６７】
図４１（ａ）は、大当たりＡ（その２）の１２ラウンド目における、第２特定入賞口６５０ａの計時変化（開放状態であるか、閉鎖状態であるか）を示した図であり、図４１（ｂ）及び図４１（ｃ）は、流下防止板５０１５の計時変化（突出状態であるか、埋没状態であるか）を示した図である。なお、図４１（ｂ）では、大当たりＡ（その２）が連続で生じた場合の１回目の大当たりの際の流下防止板５０１５の計時変化が示され、図４１（ｃ）はでは、大当たりＡ（その２）が連続で生じた場合の２回目の大当たりの際の流下防止板５０１５の計時変化が示される。即ち、大当たりＡ（その２）という同じ種別の大当たりにおいて、流下防止板５０１５の計時変化が異なっている。
【０３６８】
図４１（ａ）に示した通り、１２ラウンド目が開始されると、０．５秒間（球を入球不可能とする短時間）の開閉動作が所定回数（例えば、１１回）繰り返され、その後、第２特定入賞口（第２大開放口）６５０ａが開放（１２回目の開放）され、所定時間（例えば、１２ラウンド目の開始から３０秒経過するまで、或いは、１２ラウンド目において球が１０個入賞するまで）経過することにより、第２特定入賞口（第２大開放口）６５０ａが閉鎖され、その後、インターバルの間に、１２ラウンド目の開始からの開閉回数が２０回となる所定回数（例えば、８回）で、一回あたり０．５秒間（球を入球不可能とする短時間）の開閉動作を行い、その開閉動作の後、閉鎖状態を維持し、１２ラウンド目が終了する。また、この閉鎖状態は、特別遊技状態（大当たり状態）が終了し、次に大当たりの１２ラウンドとなるまで継続する。即ち、この動作態様では、特別遊技状態（大当たり状態）の終了時に、回転部材５１２０が初期姿勢（図３７参照）にならない場合が許容される。
【０３６９】
なお、所定回数（例えば、１１回）の開閉動作の内に、球が第２可変入賞装置６５０に１０個以上入ることは生じないように設定される。本実施形態では、第２可変入賞装置６５０へ球が約１秒間に１球到達するように第２可変入賞装置６５０の上流側の経路が形成されることにより、１１回の開閉動作中（約５．５秒間の動作中）には、１０個以上の球が第２可変入賞装置６５０へ到達しないように構成することで、これを担保している。
【０３７０】
また、図４１（ｂ）に示すように、１回目の大当たりＡ（その２）の１２ラウンド目において、流下防止板５０１５は、第２特定入賞口（第２大開放口）６５０ａが１２回目の開放動作をする直前まで、突出状態を維持し、１２回目の開放動作がされることで埋没状態に変化し、１３回目の開放動作がされることで再度、突出状態となる。また、１４回目の開放動作がされることで埋没状態となり、１５回目の開放動作がされることで、突出状態となる。ここで、第２可変入賞装置６５０が長時間開放され球が多量に入球可能な状態においては、流下防止板５０１５が埋没状態となるので、貯留装置５０００に球を貯めにくい態様となる。また、第２可変入賞装置６５０の１２回目の開放動作の後で、再び流下防止板５０１５を埋没状態とすることにより、球を残らず流下防止板５０１５の先へ流すことができる。従って、１２回目の開放の終了直前に第２可変入賞装置６５０に入球した球が傾倒部材１０４０の上面に残存したまま特別遊技状態（大当たり状態）が終了することを防止することができる。
【０３７１】
このように第２特定入賞口（第２大開放口）６５０ａに球を入球可能な状態を作りながら、流下防止板５０１５は埋没状態で維持することで、球が貯留装置５０００に貯まりにくい状態を形成することができる。
【０３７２】
これにより、１回目の大当たりＡ（その２）において、第２特定入賞口（第２大開放口）６５０ａでの賞球は十分確保できる状態を維持しながら、球が確変入球口１０３１を通過しにくくすることができる。よって、１回目の大当たりＡ（その２）となった場合の多くは、特別遊技状態中（大当たり中）に確変入球口１０３１へと球が入球しないので、大当たりの終了後に特別図柄の確変状態に設定されにくくなる。
【０３７３】
一方、図４１（ｃ）に示すように、２回目の大当たりＡ（その２）の時には、第２可変入賞装置（第２大開放口）６５０の開閉動作は図４１（ａ）と変わらないが、回転部材５１２０の姿勢が１回目の大当たりＡ（その２）の場合を異なるので、第２可変入賞装置６５０が球を入球可能な時間で開放される間に、流下防止板５０１５が突出状態とされる。
【０３７４】
従って、２回目の大当たりＡ（その２）の１２ラウンド目において、流下防止板５０１５は、１回目の大当たりＡ（その２）の１２ラウンド目とは異なった動作をおこなう。即ち、流下防止板５０１５は、第２特定入賞口６５０ａが球を入球可能な態様で長時間開放される間中、突出状態で維持される。
【０３７５】
そのため、２回目の大当たりＡ（その２）の１２ラウンド目の開始から、１２ラウンド目が終了するまでの間は、第２特定入賞口６５０ａに球が入球し易い状態が維持されると共に、傾倒部材１０４０に球を貯留し易い状態が維持される。これにより、傾倒部材１０４０を球の重みで傾倒動作させやすくでき、大当たりＢにおいて、球が確変入球口１０３１を通過し易くすることができるので、大当たりの終了後に特別図柄の確変状態に設定されやすくなる。
【０３７６】
このように、本実施形態によれば、単発では、流下防止板５０１５の動作態様が、大当たりの終了後に特別図柄の確変状態に設定され難い動作態様である大当たりと、大当たり種別の同じ大当たりを連続で獲得した場合に、流下防止板５０１５の動作態様が、大当たりの終了後に特別図柄の確変状態に設定されやすい動作態様となる場合を形成することができる。従って、単発では大当たりの終了後に特別図柄の確変状態に設定され難い動作態様である大当たりを、連続で獲得した場合であっても、期待感を維持することができる。
【０３７７】
また、本体板部１００１を透光性の材料により構成することにより、遊技者が回転部材５１２０の姿勢を把握可能にすることができるので、遊技する遊技機を選ぶ際の一選択基準として、回転部材５１２０の姿勢を遊技者の利益に直結する情報として遊技者に提供することができる。
【０３７８】
即ち、回転部材５１２０の姿勢を見て、回転部材５１２０が１２回分（第２可変入賞装置６５０の開閉動作１２回分）の角度だけ姿勢変化した時に、切替突設部５１２４がどの位置に配置されるかを予め確認することができるので、次に大当たりＡを獲得した場合に、大当たり状態終了後に特別図柄の確変状態へ移行し易いかどうかや、何回連続で大当たりＡを獲得すれば、大当たり状態終了後に特別図柄の確変状態へ移行し易くなるかという情報を、予め獲得することができる。これにより、例えば、次回の大当たりで大当たりＡを獲得することで特別図柄の確変状態へ移行し易い台や、次回とまでは言わなくとも、２又は３回の大当たりで連続して大当たりＡを獲得した場合に、特別図柄の確変状態へ移行し易い台を確認することができる。これにより、遊技者は、その後の遊技の期待値（例えば、少ない大当たり回数（短期間）で、流下防止板５０１５の状態が変化しそうである等）を確認して、遊技機を選ぶ際の選択基準に用いることができる。
【０３７９】
なお、第２可変入賞装置６５０の開閉動作の回数が１６の最小公倍数となった時点で、大当たり終了後に回転部材５１２０が初期姿勢（図３７参照）となる。そのため、図４１に示す動作態様によれば、大当たりＡ（その２）を連続で５回獲得すると、次の６回目に大当たりＡ（その２）を獲得した場合には、１回目の大当たりＡ（その２）の時と同様の動作態様で流下防止板５０１５が動作する。
【０３８０】
また、大当たりが、大当たりＢであった場合には、回転部材５１２０を、検出ピン５１２５が位置センサ５１４４に検出される初期姿勢に復帰させてから（第２可変入賞装置６５０を、球が入球不能な短時間の開閉動作を複数回させてから）、大当たりＢの開閉動作を開始するように制御される。これにより、一度大当たりＢとなれば、それまでの大当たりＡの回数をリセットするという遊技性を作ることができる。即ち、大当たりＡ（その２）を複数回引く際に、遊技者に対する救済（大当たりの終了後に特別図柄の確変状態に設定され易くする救済）があるのは、大当たりＡ（その２）を連続で引く場合に限るという遊技性を形成することができる。
【０３８１】
次いで、図４２から図４６を参照して、第６実施形態について説明する。第３実施形態では、第２可変入賞装置６５０の閉鎖から所定の遅延時間が経過してから流下防止板１０１５が埋没状態へ変化する場合を説明したが、第６実施形態における貯留装置６０００は、少なくとも誘導流路１０２０に球が配置される間は、遅延時間のカウントが開始されず、流下防止板１０１５が突出状態を維持する態様で構成される。なお、上述した各実施形態と同一の部分には同一の符号を付して、その説明は省略する。
【０３８２】
図４２（ａ）は、第６実施形態における貯留装置６０００の正面図であり、図４２（ｂ）は、図４２（ａ）の矢印ＸＬＩＩｂ方向視における貯留装置６０００の側面図であり、図４３は、貯留装置６０００の背面図であり、図４４は、図４２（ａ）のＸＬＩＶ−ＸＬＩＶ線における貯留装置６０００の部分断面図である。なお、図４２及び図４３では、本体板部１００１、駆動モータ３０１２、切替クラッチ３０１３、回転円板３０１４、及び切替部材３０１６が、想像線で図示される。また、図４２（ｂ）では、分岐流路１０３０が部分的に断面視され、内部を視認可能とされ、更に、流下防止板１０１５の図示が省略される。
【０３８３】
図４２（ａ）、図４２（ｂ）及び図４３に示すように、貯留装置６０００は、本体板部１００１と、上述した球止め装置３０１０と、誘導流路１０２０と、分岐流路１０３０と、傾倒部材１０４０と、を第３実施形態と同様に備え、加えて、誘導流路１０２０の内部に張り出し、上下方向に揺動可能に支持される回動床装置６１００と、分岐流路１０３０の内部に張り出し前後に揺動可能に支持される回動壁装置６２００と、を主に備える。
【０３８４】
回動床装置６１００は、本体板部１００１の背面側へ円柱状に突設される軸棒部６１１０と、その軸棒部６１１０に回転可能に支持される板状部材であって誘導流路１０２０の下底部の形成を省略することにより形成される貫通孔である動作孔Ｈ６１を通って誘導流路１０２０の内側へ張り出し球の重さで動作する回転板部６１２０と、軸棒部６１１０を挟んで回転板部６１２０の反対側で回転板部６１２０を下方へ引く弾性バネ６１３０と、回転板部６１２０から上方へ延設されると共に切替部材３０１６と係合可能に構成される係合腕部６１４０と、傾倒時の回転板部６１２０を下支えする支え板６１５０と、を主に備える。
【０３８５】
図４４に示すように、動作孔Ｈ６１は、球受け凹部１０２１の底部を一部削る態様で形成される。その球受け凹部１０２１の削られた部分を補う形で正面側へ延設されると共に、上方へ嵩上げして形成される延設底部６１２１を、回転板部６１２０が備える。これにより、球受け凹部１０２１に球が入球してから球が誘導流路１０２０を抜けるまでの間、回転板部６１２０に球の重みをかけ続ける（回転板部６２１０を傾倒させ続ける）ことができる。
【０３８６】
支え板６１５０は、本体板部１００１の背面から後方に延設される板部であり、回動床装置６１００が傾倒状態（図４５（ａ）参照）となった場合に、回転板部６１２０を下から支え、それ以上の傾倒を防止する部材である。支え板６１５０の作用により、回転板部６１２０に乗る球の個数によらず（個数が多いために、傾倒角度が大きくなるということは無く）、球が乗ってさえいれば、回動床装置６１００を傾倒状態にすることができる。
【０３８７】
回動床装置６１００は、回転板部６１２０の上面に球が乗っていない初期状態において、係合腕部６１４０の延設先端が、伝達姿勢の切替部材３０１６に正面視右側から当接する（係合腕部６１４０の動作開始から、切替部材３０１６が動作開始する）。
【０３８８】
回動壁装置６２００は、分岐流路１０３０に前後方向に穿設される動作孔Ｈ６２を通って前後方向に揺動可能とされる当接板部６２１０と、その当接板部６２１０の背面側壁から背面視右方に延設され、その延設先端から後側上方向に傾斜して延設される係合腕部６２２０と、図４２に示す初期状態において係合腕部６２２０に下方から当接する態様で本体板部１００１から延設される回り止め部６２３０と、を主に備える。
【０３８９】
動作孔Ｈ６２は、正面視において、傾倒部材１０４０に３個目の球が貯留されて初めて球と動作孔Ｈ６２とが重なる位置に配置される（傾倒部材１０４０に球が２個までしか貯留されていない場合には球と球と動作孔Ｈ６２とが重ならない位置に配置される）。
【０３９０】
動作孔Ｈ６２は、その上端部において左右方向両側に延設され背面側から凹む凹設部を備え、その凹設部に、当接板部６２１０の上端部から左右方向に円柱状に延設される軸棒部６２１１が背面側から嵌め込まれることにより、当接板部６２１０が分岐流路１０３０に揺動可能に支持される。
【０３９１】
当接板部６２１０は、正面側壁面の正面視左側部分に、左方ほど後側へ向かう態様で傾斜して構成される受け入れ面部６２１２を備える。この受け入れ面部６２１２により、当接板部６２１０の正面視左側から右方へ移動した球と当接板部６２１０とが当接する場合に、当接板部６２１０と球との間の抵抗を低減することができる。
【０３９２】
また、受け入れ面部６２１２は、上述した形状から構成されることから、真上から落下した球を左方へ受け流す。これにより、排出口１０２４の右よりの部分から球が正面側へ排出された場合に、球が受け入れ面部６２１２に当接することで、球に正面視左方へ向けた勢いを付けることができる。これにより、傾倒部材１０４０が傾倒状態となっていないにもかかわらず、球が傾倒部材１０４０の右方に流れ、確変側流路１０３２へ流下することを防止することができる。
【０３９３】
図４２（ｂ）に示すように、係合腕部６２２０は、延設先端が、切替部材３０１６の後方に配置される。従って、当接板部６２１０を下方に傾倒動作させる（図４２（ｂ）時計回り方向に動作させる）ことにより、係合腕部６２２０を切替部材３０１６に近づける態様とすることができる。
【０３９４】
次いで、図４５を参照して、回動床装置６１００の回転板部６１２０の上面に球が乗った場合について説明する。図４５（ａ）は、貯留装置６０００の正面図であり、図４５（ｂ）は、図４５（ａ）の矢印ＸＬＶｂ方向視における貯留装置６０００の側面図である。なお、図４５（ａ）及び図４５（ｂ）では、本体板部１００１、駆動モータ３０１２、切替クラッチ３０１３、及び切替部材３０１６が、想像線で図示される。また、図４５（ｂ）では、分岐流路１０３０が部分的に断面視され、内部を視認可能とされ、更に、流下防止板１０１５の図示が省略される。
【０３９５】
図４５（ａ）に示すように、誘導流路１０２０を球が流下する場合、球の重みで回転板部６１２０が回転動作し、回転床装置６１００は、傾倒状態に変化する（図４５（ａ）参照）。この傾倒状態は、球が誘導流路１０２０から（排出口１０２４から）排出されるまで維持され、球が誘導流路１０２０から排出されることにより、回転床装置６１００にかけられていた負荷が解除され、弾性バネ６１３０の付勢力で初期状態（図４２参照）に戻る。
【０３９６】
図４５（ａ）に示すように、回転床装置６１００が傾倒状態になると、係合腕部６１４０の先端が切替部材３０１６の先端を正面視左方へ押進することで、切替部材３０１６が解除姿勢側（上端部が左方へ傾倒する側）へ回転し、切替クラッチ３０１３の歯合が解除される。詳しくは、切替部材３０１６の姿勢を解除姿勢まで回転させるわけではなく、最低限、切替クラッチ３０１３の歯合を解除する姿勢（中間姿勢、図４５（ａ）参照）まで回転させ、切替クラッチ３０１３の歯合を解除する。この状態は、切替部材３０１６を解除姿勢まで回転させた状態ではないので、この状態において、第２可変入賞装置６５０の開閉板６５０ｂは開放状態とはならず、球が入球不能な程度に開放された状態とされる。
【０３９７】
従って、第２可変入賞装置６５０が閉鎖状態となった後で、球が誘導流路１０２０に残っていた場合、切替クラッチ３０１３が伝達状態となることが防止され、少なくとも球が誘導流路１０２０から排出されるまで流下防止板１０１５が埋没状態となることが防止される。一方で、球が誘導流路１０２０に残っていたとしても、第２可変入賞装置６５０が閉鎖状態となった後において、第２可変入賞装置６５０は球が入球不能な状態を維持するので、第２可変入賞装置６５０が閉鎖状態となった後（閉鎖状態となるように制御した後）で、誤って球が第２可変入賞装置６５０に入球することを防止することができる。
【０３９８】
ここで、回動床装置６１００は、誘導流路１０２０に球が配置される間は切替クラッチ３０１３の歯合を解除し、流下防止板１０１５が埋没状態をなることを防止するが、誘導流路１０２０から球が傾倒部材１０４０へ向けて排出された後は、切替クラッチ３０１３の歯合解除を維持できない。この場合、傾倒部材１０４０が傾倒動作する前に球が通常側流路１０３４へ流れてしまう恐れがあるが、その対策として、回動壁装置６２００を備える。次に、図４６を参照して、回動壁装置６２００の作用について説明する。
【０３９９】
図４６（ａ）は、貯留装置６０００の正面図であり、図４６（ｂ）は、図４６（ａ）の矢印ＸＬＶＩｂ方向視における貯留装置６０００の側面図である。なお、図４６（ａ）及び図４６（ｂ）では、本体板部１００１、駆動モータ３０１２、切替クラッチ３０１３、及び切替部材３０１６が、想像線で図示される。また、図４６（ｂ）では、分岐流路１０３０が部分的に断面視され、内部を視認可能とされ、更に、流下防止板１０１５の図示が省略される。
【０４００】
図４６（ａ）に示すように、誘導流路１０２０から球が傾倒部材１０４０の上面に着地し、その球が当接板部６２１０の正面側に配置されることに基づいて、当接板部６２１０が球に押されて、回動壁装置６２００が、初期状態（図４２参照）から上向き状態（図４６参照）へ変化する。この上向き状態への移動において、係合腕部６２２０が切替部材３０１６の上側端部を下側から押し上げ、切替部材３０１６が解除姿勢側へ回転動作し、この状態において、切替クラッチ３０１３の駆動力伝達が解除される。駆動力伝達の解除は、球が当接板部６２１０の正面側に配置される限り維持され、球が当接板部６２１０の正面側から移動することにより、当接板部６２１０に球からかけられていた負荷が無くなり、係合腕部６２２０の重みで回動壁装置６２００は初期状態へ戻る。
【０４０１】
これにより、球が誘導流路１０２０から排出された後でも、傾倒部材１０４０の上面において球が３個横並びになることに基づいて球が当接板部６２１０の正面に配置されることにより、切替クラッチ３０１３の駆動力伝達を解除することができる。従って、流下防止板１０１５が埋没状態となるまでの遅延時間をより長くすることができる。
【０４０２】
なお、当接板部６２１０を傾倒部材１０４０に球が３個乗った場合に初めて球が正面側に配置される位置に設けたので、回動壁装置６２００の作用を傾倒部材１０４０に球が３個貯留された状態（球が確変入球孔１０３１に入球する可能性のある状態）に限定して発揮させることができる。従って、第２可変入賞装置６５０の閉鎖直前に球が入球し、その球が誘導流路１０２０から排出された場合であっても、例えば、傾倒部材１０４０の上面に１個の球も滞留していなかった場合（誘導流路１０２０から排出された球が最初の一個の場合）には、回動壁装置６２００が初期状態を維持し、切替クラッチ３０１３の伝達が開始される。
【０４０３】
これにより、最終的に傾倒部材１０４０が傾倒する可能性がなく、確変入球口１０３１へ球が向かわない場合にまで、回動壁装置６２００により流下防止板１０１５の状態変化を遅らせることを防止できるので、球を迅速に通常側流路１０３４へ排出し、遊技者が分岐流路１０３０以外の部分（例えば、第３図柄表示装置８１等）に早く集中できるようにすることができる。
【０４０４】
一方で、傾倒部材１０４０の上面に球が３個並んだ後は、当接板部６２１０の正面から球が排除されるまで（傾倒部材１０４０が傾倒動作して球が移動するまで）、切替クラッチ３０１３の駆動力伝達は解除されたままとなるので、傾倒部材１０４０の回動速度が多少遅くなったとしても関係無く、傾倒部材１０４０が回転可能に形成される限り、確実に球を確変側流路１０３２へ送ることができる。これにより、傾倒部材１０４０が傾倒動作する前に流下防止板１０１５が埋没状態となり、球が通常側流路１０３４へ流下するという誤動作を防止することができる。
【０４０５】
次いで、図４７から図４９を参照して、第７実施形態について説明する。第１実施形態では、第２可変入賞装置６５０の開閉動作に基づいて流下防止板１０１５が埋没状態へ変化する場合を説明したが、第７実施形態における貯留装置７０００は流下する球の作用により、流下防止板１０１５が埋没状態へ変化する態様で構成される。なお、上述した各実施形態と同一の部分には同一の符号を付して、その説明は省略する。
【０４０６】
図４７（ａ）は、第７実施形態における貯留装置７０００の正面図であり、図４７（ｂ）は、図４７（ａ）のＸＬＶＩＩｂ−ＸＬＶＩＩｂ線における貯留装置７０００の部分断面図である。なお、図４７（ａ）では、本体板部１００１が想像線で図示され、回動床装置６１００及び回動壁装置６２００が部分的に隠れ線で図示され、図４７（ｂ）では、回動床装置６１００及び回動壁装置６２００の図示が省略される。
【０４０７】
図４７（ａ）に示すように、貯留装置７０００は、本体板部１００１と、上述した回動床装置６１００と、回動壁装置６２００と、誘導流路１０２０と、分岐流路１０３０と、傾倒部材１０４０と、を備え、加えて、第２可変入賞装置６５０に入球せず開閉板６５０ｂの左方へ流下する球を収容する解除流路７１００と、その解除流路７１００の内側で動作可能に形成される断面扇形状の揺動部材７２００と、解除流路７１００の内側で動作可能に形成される板状の振分部材７３００と、を主に備える。
【０４０８】
解除流路７１００は、球が１球通る程度の断面積の流路であって、その流下経路内に揺動部材７２００が張り出す第１流路７１１０と、その第１流路７１１０から分岐する流路であって、球が揺動部材７２００とは当接しない第２流路７１２０と、を主に備える。なお、第１流路７１１０を通過した球は、第１可変入賞装置６５（図２参照）へ流下する態様とされる。
【０４０９】
揺動部材７２００は、第１流路７１１０の内側へ張り出す態様で本体板部１００１の背面側壁部に揺動可能に支持され、流下防止板７０１５から正面視左方に延設される板部材７０１５ｃに当接され、流下防止板７０１５にかけられる弾性バネ３０１１ａ（図２２（ｂ）参照）の付勢力により、正面側へ付勢され、初期状態（図４７（ｂ）参照）となる。
【０４１０】
図４８（ａ）は、貯留装置７０００の正面図であり、図４８（ｂ）は、図４８（ａ）のＸＬＶＩＩＩｂ−ＸＬＶＩＩＩｂ線における貯留装置７０００の部分断面図である。なお、図４８（ａ）では、本体板部１００１が想像線で図示され、回動床装置６１００及び回動壁装置６２００が部分的に隠れ線で図示され、図４８（ｂ）では、回動床装置６１００及び回動壁装置６２００の図示が省略される。また、球が第１流路７１１０を流下し、揺動部材７２００が初期状態から押出状態に変化した状態が図示される。
【０４１１】
図４８（ｂ）に示すように、球が揺動部材７２００の正面側を流下し、押出状態となると、流下防止板７０１５の板部材７０１５ｃが後方へ押され、流下防止板７０１５が埋没状態を形成する。また、球が揺動部材７２００の下方へ通り過ぎれば、揺動部材７２００へ球から与えられる負荷が無くなるので、弾性バネ３０１１ａの付勢力により、流下防止板７０１５は突出状態へ戻る。
【０４１２】
このように、球が第１流路７１１０を通過することにより、一時的に流下防止板７０１５を埋没状態とすることができるので、分岐流路１０３０に球が残った場合に、球を通常側流路１０３４へ向けて流すことができる。従って、ソレノイド６５０ｃや、他の駆動装置により流下防止板７０１５の状態を変化させる場合に比較して、駆動力を伝達する装置の配設スペースを省略することができ、他の装置（例えば、大開放口や、液晶演出装置）の配設スペースをかせぐことができる。
【０４１３】
一方、本実施形態によれば、特別遊技（大当たり遊技）中に、たまたま第２可変入賞口６５０に入球し損ねた（バウンドして飛び出した、等）球が、第１流路７１１０を通過することとなると、予期せず流下防止板７０１５が埋没状態を形成することになり、遊技者に不利益が生じる恐れがある。これに対し、本実施形態によれば、球が貯留装置７０００に入球している場合には、解除流路７１００に入球した球を、第１流路７１１０ではなく、第２流路７１２０へ入球させることで、流下防止板７０１５が埋没状態となることを防止している。このことについて、図４９を参照して説明する。
【０４１４】
図４９（ａ）は、貯留装置７０００の正面図であり、図４９（ｂ）は、図４９（ａ）のＸＬＩＸｂ−ＸＬＩＸｂ線における貯留装置７０００の部分断面図である。なお、図４９（ａ）では、本体板部１００１が想像線で図示され、回動床装置６１００及び回動壁装置６２００が部分的に隠れ線で図示され、図４９（ｂ）では、回動床装置６１００及び回動壁装置６２００の図示が省略される。また、球が回転板部６１２０の上面に乗り、振分部材７３００の振分状態が図示される。
【０４１５】
振分部材７３００は、本体板部１００１の背面側に回転可能に軸支され、回動床装置６１００又は回動壁装置６２００の動作に基づいて動作する被駆動腕部７３１０と、その被駆動腕部７３１０と一体形成され、解除流路７１００の背面から正面側へ向けて貫通する板状部であって、第１流路７１１０の床壁を形成する可動床部７３２０と、を主に備える。
【０４１６】
図４９（ａ）に示すように、球が回転板部６１２０の上面に乗ると、係合腕部６１４０が被駆動腕部７３１０を正面視左方へ押進し、これにより、可動床部７３２０が上方へ持ち上げられ、振分状態を形成する。なお、係合腕部６１４０が右方へ退けば、振分部材７３００の自重により振分部材７３００は元の初期状態（図４７（ａ）参照）に戻る。
【０４１７】
図４９（ａ）に示す振分部材７３００の振分状態において、第１流路７１１０への入口が狭められ、球が第２流路７１２０に向かいやすい状態を形成することができる。また、第２流路７１２０へ球が向かわなかったとしても、球の作用で振分部材７３００が振分状態を維持する限り、第１流路７１１０へ球を入球させない（第１流路７１１０の入口で球を停留させる）ことから、球が揺動部材７２００に当接することを防止でき、流下防止板７０１５の突出状態を維持することができる。
【０４１８】
なお、貯留装置７０００への球の貯留態様により回動床装置６１００及び回動壁装置６２００により奏される効果（第６実施形態で説明した効果）は、本実施形態においても同様に奏される。
【０４１９】
なお、球を第１流路７１１０に通さないように遊技されると、流下防止板７０１５が埋没状態にならず、大当たり遊技後に分岐流路１０３０に球が残った状態が維持される恐れがある。これに対し、本実施形態では、全大当たり終了後に時短が設定されるので、大当たり終了後の時短遊技により、第２入球口６４０（図２参照）からこぼれた球が、解除流路に入球するように仕向けることができる。これにより、分岐流路１０３０に残った球を、大当たり遊技終了後の遊技により、通常側流路１０３４へ流し易くすることができる。
【０４２０】
次いで、図５０及び図５１を参照して、第８実施形態について説明する。第６実施形態では、誘導流路１０２０に球が残っていたら、流下防止板１０１５が動作するまでの期間を遅延させる場合を説明したが、第８実施形態における貯留装置８０００は、誘導流路１０２０に球が残っていたら、流下防止板１０１５とは別の防止爪部８２３０が張り出す態様で構成される。なお、上述した各実施形態と同一の部分には同一の符号を付して、その説明は省略する。
【０４２１】
図５０（ａ）は、第８実施形態における貯留装置８０００の正面図であり、図５０（ｂ）は、図５０（ａ）の矢印Ｌｂ方向視における貯留装置８０００の部分側面図である。なお、図５０では、本体板部１００１が想像線で図示される。また、図５０（ａ）では、分岐流路１０３０が部分的に破断され後方を視認可能とされ、図５０（ｂ）では、分岐流路１０３０の正面視左側壁の図示が省略され、分岐流路１０３０が部分的に破断され内部が視認可能とされる。
【０４２２】
なお、図示を省略するが、本実施形態における流下防止板１０１５の動作は、第６実施形態と同様に、切替クラッチ３０１３（図４２（ａ）参照）により駆動力伝達されることにより、実行される。
【０４２３】
図５０（ａ）に示すように、貯留装置８０００は、本体板部１００１と、上述した回動床装置６１００と、回動壁装置６２００と、誘導流路１０２０と、分岐流路１０３０と、傾倒部材１０４０と、を備え、加えて、本体板部１００１の背面に回転可能に軸支され回動床装置６１００又は回動壁装置６２００の動作により回転動作する扇部材８１００と、その扇部材８１００の動作と連動して動作し、分岐流路１０３０の内部に張り出す張出装置８２００と、を主に備える。
【０４２４】
張出装置８２００は、本体板部１００１の背面に回転可能に軸支される一対の歯車８２１０と、その歯車８２１０の内、正面視左側の歯車８２１０から径方向に延設される延設腕部８２２０と、その延設腕部８２２０の延設先端から延設される部分であって、分岐流路１０３０の側壁に開けられた貫通孔を通して分岐流路１０３０の内側へ張り出し可能に構成される防止爪部８２３０と、を主に備える。
【０４２５】
扇部材８１００は、本体板部１００１に軸支され、その軸支点から上方へ延設される部分が、係合腕部６１４０や係合腕部６２２０と当接可能な位置まで延設され、その反対側には、扇形状の先端にギア歯８１１０の付いた形状が形成される。
【０４２６】
ギア歯８１１０と、歯車８２１０とは歯合されており、そのギア比は１：１０で構成される（扇部材８１００が１度回転することで、歯車８２１０が１０度回転する態様で構成される）。そのため、回動床装置６１００又は回動壁装置６２００の動作が小さい場合であっても、防止爪部８２３０の動作を大きくすることができる。
【０４２７】
図５１（ａ）は、貯留装置８０００の正面図であり、図５１（ｂ）は、図５１（ａ）の矢印ＬＩｂ方向視における貯留装置８０００の部分側面図である。なお、図５１（ａ）では、本体板部１００１が想像線で図示される。また、図５１（ａ）では、分岐流路１０３０が部分的に破断され後方を視認可能とされ、図５１（ｂ）では、分岐流路１０３０の正面視左側壁の図示が省略され、分岐流路１０３０が部分的に破断され内部が視認可能とされる。
【０４２８】
図５１では、球が回転板部６１２０に乗り、係合腕部６１４０が左方へ移動し、扇部材８１００が正面視反時計回りに回転動作した状態が図示される。このように扇部材８１００が動作すると、その扇部材８１００と歯合される右側の歯車８２１０が正面視時計回りに回転し、それに伴い左側の歯車８２１０が正面視反時計回りに回転する。これにより、正面視左側の歯車８２１０から延設される延設腕部８２２０が正面視反時計回りに回転し、防止爪部８２３０が分岐流路１０３０の内方へ張り出される。これにより、流下防止板１０１５が埋没状態となった後であっても、防止爪部８２３０により、球が通常側流路１０３４へ流下することを防止することができる。
【０４２９】
なお、貯留装置８０００への球の貯留態様により回動床装置６１００及び回動壁装置６２００により奏される効果（第６実施形態で説明した効果）は、本実施形態においても同様に奏される。
【０４３０】
次いで、図５２及び図５３を参照して、第９実施形態について説明する。第１実施形態では、排出口１０２４から排出された球が、傾倒部材１０４０の回転軸よりも正面視左側で傾倒部材１０４０の上面に落下し易い場合を説明したが、第９実施形態における貯留装置９０００は、傾倒部材１０４０の回転軸よりも正面視右側で傾倒部材１０４０の上面に落下する態様で構成される。なお、上述した各実施形態と同一の部分には同一の符号を付して、その説明は省略する。図５２及び図５３を参照して、貯留装置９０００へ遊技球が流入する態様について説明する。
【０４３１】
図５２（ａ）は、第９実施形態における貯留装置９０００の部分正面図であり、図５２（ｂ）は、図５２（ａ）のＬＩＩｂ−ＬＩＩｂ線における貯留装置９０００の部分断面図であり、図５２（ｃ）は、貯留装置９０００の部分正面図であり、図５２（ｄ）は、図５２（ｃ）のＬＩＩｄ−ＬＩＩｄ線における貯留装置９０００の部分断面図である。なお、理解を容易とするために、図５２（ａ）においてのみ、囲い支持部９１３０が隠れ線で図視され、その他の図では囲い支持部９１３０の図示が省略される。
【０４３２】
また、図５３（ａ）は、貯留装置９０００の部分正面図であり、図５３（ｂ）は、図５３（ａ）のＬＩＩＩｂ−ＬＩＩＩｂ線における貯留装置９０００の部分断面図であり、図５３（ｃ）は、貯留装置９０００の部分正面図であり、図５３（ｄ）は、図５３（ｃ）のＬＩＩＩｄ−ＬＩＩＩｄ線における貯留装置９０００の部分断面図である。なお、図５２及び図５３では、第２可変入賞装置６５０に入球した球が入球する順に加算される番号付きで図示される。なお、図５２及び図５３において、流下防止板１０１５を動作させる構成であって、分岐流路１０３０の背面側に配置される構成についての図示は、理解を容易とするために省略する。
【０４３３】
図５２及び図５３に示すように、本実施形態における貯留装置９０００では、第１実施形態における傾斜面部１０２３ａと概略同一形状から形成され、傾斜流路１０２３の下流側端部壁面を構成する傾斜面部９０２３ａが、排出口１０２４の左右幅を球１球分よりも若干大きく形成する位置に配置されると共に、貯留装置９０００が、分岐流路１０３０の内側において、球と当接して球の流下態様に作用する係止装置９１００及び排出防止突部９２００を備える。
【０４３４】
係止装置９１００は、分岐流路１０３０に入球した球が正面側に配置されることにより状態を変える態様で構成され、球と当接しない非当接状態（図５２（ａ）及び図５２（ｂ）参照）において、分岐流路１０３０の内側へ張り出す正面視略Ｌ字形状のＬ形移動部材９１１０と、そのＬ形移動部材９１１０を非当接状態の位置へ向けて付勢する弾性バネ９１２０と、分岐流路１０３０の背面側の側壁から正面視Ｌ字形状で後方へ向けて延設され、その延設端においてＬ字の各辺を２辺とすると共にＬ形移動部材９１１０のスライド動作方向と垂直に交差する矩形板形状の支持側面９１３１が形成される囲い支持部９１３０と、を主に備える。
【０４３５】
Ｌ形移動部材９１１０は、前後方向（図５２（ａ）紙面垂直方向）にスライド動作可能に構成され、初期状態の傾倒部材１０４０の上面と平行に延びる球当接部９１１１と、その球当接部９１１１の下流側端部（図５２（ａ）参照）から傾倒部材１０４０へ向けて延設される傾倒防止部９１１２と、を主に備える。
【０４３６】
球当接部９１１１は、傾倒部材１０４０を流下する球と当接する面が、上流側（正面視右方）へ向かう程、背面側へ向けて傾斜する球受け傾斜面９１１１ａが形成される。球受け傾斜面９１１１ａに球が当接することで、球受け傾斜面９１１１ａを介して背面側へ向けた負荷が球当接部９１１１に付与され、Ｌ形移動部材９１１１が背面側へ移動する（押し込まれる）。
【０４３７】
傾倒防止部９１１２は、Ｌ形移動部材９１１０の非当接状態において、上面視で傾倒部材１０４０と重なり、傾倒部材１０４０と対向する側の面が傾倒部材と平行に形成される（傾倒部材１０４０が傾倒することにより背面側へ向けた負荷が生じない）係止面部９１１２ａと、その係止面部９１１２ａの正面側に連結される傾斜面部であって、正面側へ向かう程、上昇傾斜（傾倒部材１０４０から離間する方向へ向かう）する擦れ傾斜面９１１２ｂと、を主に備える。
【０４３８】
傾倒防止部９１１２が上述した構成を備えるので、Ｌ形移動部材９１１０の非当接状態において、傾倒部材１０４０が傾きそうになったとしても、係止面部９１１２ａがＬ形移動部材９１１０と当接することにより、傾倒部材１０４０が傾倒状態となることを防止することができる。
【０４３９】
また、球がＬ形移動部材９１１０の正面側に配置され、Ｌ形移動部材９１１０が背面側へ移動した当接状態（図５２（ｄ）参照）では、係止面部９１１２ａは傾倒部材１０４０と当接不可能な位置まで退避され、球の前後方向の位置取りによっては、擦れ傾斜面９１１２ｂが傾倒部材１０４０の上面と当接可能とされる。
【０４４０】
ここで、擦れ傾斜面９１１２ｂは、正面側へ向かう程、上昇傾斜する形状で構成されるので、傾倒部材１０４０との当接により背面側へ向けて押し出されることとなり、傾倒部材１０４０の傾倒動作の妨害をしないようにすることができる。従って、Ｌ形移動部材９１１０が非当接状態となるか、当接状態となるかで、傾倒部材１０４０が傾倒動作可能か否かを変化させることができる。
【０４４１】
弾性バネ９１２０は、囲い支持部９１３０の支持側面９１３１と、Ｌ形移動部材９１１０との間に配設される。これにより、弾性バネ９１２０の伸縮方向と、Ｌ形移動部材９１１０の動作方向とを一直線上に合わせることができ、弾性力の伝達効率を向上させることができる。
【０４４２】
排出防止突部９２００は、傾倒部材１０４０が初期状態において、傾倒部材１０４０の延設板部１０４３の延設先端の上方において分岐流路１０３０の背面側壁から正面側へ突設される板部であって、その板部の側面が、傾倒部材１０４０の上面と垂直となる姿勢で構成される。また、排出防止突部９２００は、傾倒部材１０４０が初期状態を形成する場合には、傾倒部材１０４０の上面を流れる球が当接可能な配置で構成され、尚かつ、傾倒部材１０４０が傾倒状態となった場合には、上面を流れる球が傾倒部材１０４０と排出防止突部９２００との間を通過可能（当接不能）とする配置（球の直径以上の隙間が傾倒部材１０４０と排出防止突部９２００との間に形成される配置）で構成される。
【０４４３】
排出防止突部９２００により、例えば、傾倒部材１０４０が傾倒状態となる前に、球同士の衝突により傾倒部材１０４０の上面を正面視右方へ飛ばされた（弾き飛ばされた）球が確変側流路１０３２へ入球することを防止することができる。これにより、傾倒部材１０４０の上面に球が所定個数（本実施形態では３個）貯留されて初めて、球が確変側流路１０３２へ入球するという遊技性を確保することができる。
【０４４４】
上述した構成を有する本実施形態において、傾倒部材１０４０が傾倒動作するまでの流れを説明する。まず、大当たり遊技となり、第２可変入賞装置６５０が開放状態において球が第２特定入賞口６５０ａに球が入球すると、傾斜流路１０２３を経て、排出口１０２４へ球が至る（図５２（ａ）及び図５２（ｂ）参照）。
【０４４５】
ここから、球が排出口１０２４の正面側へ排出されると、軸棒部１０４２の正面視右側において傾倒部材１０４０の上面に球が着地する。この時には、球がＬ形移動部材９１１０の正面側へ配置されていないので、勢いのある球が排出口１０２４から排出された場合であっても、Ｌ形移動部材９１１０が傾倒部材１０４０の傾倒動作を防止する態様で作用する。従って、球が１球だけ傾倒部材１０４０の上面に着地した場合に、傾倒部材１０４０が傾倒状態となることを防止することができる。
【０４４６】
一方、球がＬ形移動部材９１１０の正面側に配置されると、上面視において、傾倒部材１０４０とＬ形移動部材９１１０とが重ならなくなる一方で、球が傾倒部材１０４０の上面の正面視左端に乗ることで（図５２（ｃ）及び図５２（ｄ）参照）、傾倒部材１０４０の重心位置が左方へ移動する。そのため、排出口１０２４から２球目が排出され、傾倒部材１０４０の上面に着地する場合に、傾倒部材１０４０が衝撃で傾倒動作する事態を生じ難くすることができる。
【０４４７】
また、２球目の球まで傾倒部材１０４０の上面に乗った状態では、傾倒部材１０４０は初期状態を維持するが、１球目と２球目との衝突の態様によっては、２球目の球が右方へ弾き出される場合がある。これに対して、本実施形態では、球が弾き出される方向に、排出防止突部９２００が配置されるので（図５３（ａ）参照）、弾き出された球は、排出防止突部９２００にせき止められ、正面視左方へ向けて跳ね返される。これにより、傾倒部材１０４０が傾倒動作していないにもかかわらず、球が確変側流路１０３２へ入球することを防止することができる。
【０４４８】
３球目の球が傾倒部材１０４０の上面に着地すると、傾倒部材１０４０の重心位置が軸棒部１０４２の右方に移動され、傾倒部材１０４０が傾倒状態へ変化する。この傾倒状態においては、傾倒部材１０４０の上面と、排出防止突部９２００との間に球が通過するのに十分な隙間が形成されるので（図５３（ｃ）参照）、球を、確変側流路１０３２へ向けて流下させることができる。
【０４４９】
また、傾倒部材１０４０の傾倒状態において、傾倒部材１０４０の背面側の側面がＬ形移動部材９１１０の正面側端部と当接する配置となるので（図５３（ｃ）及び図５３（ｄ）参照）、傾倒部材１０４０が傾倒状態から初期状態へ戻る際に、その移動方向において、傾倒部材１０４０とＬ形移動部材９１１０とが当接する事態を回避することができる。
【０４５０】
このように、本実施形態によれば、軸棒部１０４２の正面視右方において、球を傾倒部材１０４０の上面に着地させ、傾倒部材１０４０の傾斜を利用して球を流し、球を流下防止板１０１５の右側に貯留する態様で構成されるので、傾倒部材１０４０の傾斜角度の設定によらず、傾倒部材１０４０に貯留された球が左右方向に並ぶ状態を形成することができる。
【０４５１】
また、係止装置９１００により、球の勢いで傾倒部材１０４０が傾倒動作することを防止することができるので、球の勢いに寄らず、傾倒部材１０４０に球が所定個数貯留されることによってのみ傾倒部材１０４０を傾倒動作させることができる。また、排出防止突部９２００により、傾倒部材１０４０が初期状態の時には、球の跳ね方によらず、球が確変側流路１０３２へ向けて流下することを防止することができる。
【０４５２】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０４５３】
上記各実施形態において、一の実施形態における構成の一部または全部を、他の実施形態における構成の一部または全部の構成と組み合わせて或いは置き換えて、別の実施形態としても良い。
【０４５４】
上記各実施形態では、傾斜流路１０２３が正面側へ向けて緩やかに下降傾斜する場合を説明したが、必ずしもこれに限られるものではない。例えば、傾斜流路１０２３が前後方向に水平だったり、背面側へ向けて正面側へ向けて緩やかに上昇傾斜していたりしても良い。この場合、球が傾斜流路１０２３の途中で排出口１０２４から正面側へ排出されることを防止し易くすることができ、球が傾倒部材１０４０へ向けて流下する際に、傾倒部材１０４０の左端部へ向けて流下し易くすることができる。これにより、例えば、１個の球が傾倒部材１０４０の右端部に落下し、球の着地時の負荷で傾倒部材１０４０が傾倒することを防止することができ、誤って確変側流路１０３２へ球が流入することを防止することができる。
【０４５５】
上記各実施形態では、傾倒部材１０４０の上面が平面形状のみから形成される場合を説明したが、必ずしもこれに限られるものではない。例えば、矩形錘部１０４１の端部付近の背面側側面に沿って上方へ向けて干渉部材が延設され、傾倒部材１０４０が初期状態の時には、その干渉部材は正面視において排出口１０２４と重ならない一方で、傾倒部材１０４０が傾倒状態となった時には、その干渉部材が正面視において排出口１０２４と重なるようにしても良い。この場合、傾倒部材１０４０が傾倒状態となった後で、次の球が排出口１０２４から排出されることを干渉部材により防ぐことができる。従って、次の球が傾倒部材１０４０の上面に乗り、重心位置が再度変化することで、傾倒部材１０４０が初期状態に再び戻ってしまうことを防止することができる。
【０４５６】
上記各実施形態では、第２入球口６４０から逸れて下流へ流下した球は、円弧部材７０や外縁部材７３に衝突して、バウンドし、外縁部材７３を伝って第２可変入賞装置６５０へ到達する場合を説明したが、必ずしもこれに限られるものではない。例えば、第２入球口６４０から外縁部材７３までの経路に、球が１球通る程度の断面積の流路を形成し、球がその流路を介して外縁部材７３に到達するようにしても良い。この場合、外縁部材７３に球が到達する間隔を制御することができるので、所定時間内に第２可変入賞装置６５０に入球する球の個数を制御することができる。なお、流路の内部形状は、特に限られるものでは無く、例えば、対向する内面に、球の流下方向と垂直な方向に延設されるリブが交互に形成され、球を減速する態様としても良い。
【０４５７】
上記各実施形態では、流下防止板１０１５が、下流に貯留装置１０００を備える第２可変入賞装置６５０の開閉動作と関連して状態変化する場合を説明したが、必ずしもこれに限られるものではない。例えば、第１可変入賞装置６５の開閉動作により、流下防止板１０１５の状態を変化させても良い。
【０４５８】
上記各実施形態では、傾倒部材１０４０が前後方向に延びる軸により支持される場合を説明したが、必ずしもこれに限られるものではない。例えば、左右に延びる軸により支持され、正面側へ向けて傾倒する（遊技者へ向けてお辞儀する）ように傾倒動作しても良い。この場合、傾倒部材１０４０に球が１個乗る場合、正面視奥側に球が配置され、見えにくくなる一方で、傾倒部材１０４０に球が３個以上乗る場合には、球が正面視手前側に張り出し、見えやすくなるので、傾倒部材１０４０に乗った球が遊技者に見えやすくなるほど（手前に張り出してくるほど）遊技者にとって有利になるという、分かり易い遊技性を形成することができる。
【０４５９】
上記各実施形態では、第２可変入賞装置６５０の開閉動作に基づいて、流下防止板１０１５の状態を変化させ、傾倒部材１０４０の上面に球を停留させる場合を説明したが、必ずしもこれに限られるものではない。例えば、２種のパチンコ遊技機において、所定の入球口への入球を契機として開閉動作する羽部材の動作に対応して、流下防止板１０１５の状態を変化させるように構成し、開放された羽部材に入球した後で球が流下する経路に傾倒部材１０４０が配置されても良く、この態様において、傾倒部材１０４０が初期状態の時には球が通常流路に送られ、傾倒部材１０４０が傾倒状態の時には、球が通常流路よりもＶ入賞口（大当たりを獲得する入賞口）へ入球し易くなる特別流路に送られるように構成しても良い。
【０４６０】
例えば、流下防止板１０１５の状態変化に、第５実施形態で上述した球止め装置５１００を利用すれ場合、例えば、羽部材が４回開放するごとに、流下防止板５０１５が埋没状態となるように設定することにより、羽部材が３回開放する間に、球を複数個（例えば３個）だけ羽部材の奥の経路に入れることができれば、球を特別流路へ送ることができ、大当たりを獲得し易いという遊技性を形成することができる。
【０４６１】
上記各実施形態では、貯留装置１０００において球の流下方向を切り替える傾倒部材１０４０が回転動作する態様で形成されたが、必ずしもこれに限られるものではない。例えば、球の流下方向を切り替える振り分け部材を、球の重みでスライド動作する態様で構成しても良い。即ち、貯留装置１０００に球が１球貯まる程度では、振り分け部材はスライド移動しないが、球が複数個（例えば５個）貯まることにより、球の重みで流下防止板１０１５から離反する方向（正面視右方）へ押しやられて振り分け部材がスライド移動し、そのスライド移動により確変側流路１０３２への入口が開放され、球が確変側流路１０３２へ入球可能となる態様で構成されても良い。この場合、球の貯まり具合に応じて振り分け部材が徐々にスライド移動する態様（例えば、球が３個貯まる場合と、４個貯まる場合とでは、４個貯まる場合の方が振り分け部材の移動幅は大きいが、未だ確変側流路１０３２への入口は球が通る程度には開放されない態様）で構成することができ、貯留装置１０００に貯留される球が増える度に振り分け部材を動作させることができる。これにより、振り分け部材の動作により、遊技者の興趣を向上させる演出を行うことができる。
【０４６２】
上記第３実施形態では、第２可変入賞装置６５０の動作に基づいて、常時駆動の駆動モータ３０１２の動作と流下防止板１０１５の動作とが同期する状態を形成し、その状態において流下防止板１０１５の状態が変化する場合を説明したが、必ずしもこれに限られるものではない。例えば、常時駆動の駆動モータ３０１２により流下防止板１０１５が常時状態変化するように構成しても良い。この場合、大当たり遊技が開始されたタイミングや、大当たり種別の違いによる第２可変入賞装置６５０の開閉パターンの違いにより、傾倒部材１０４０の上面に球を所定球数貯められる場合と、貯められない場合とを形成することができる。例えば、駆動モータ３０１２が３６０秒間（長い期間）で１回転するように形成することで、大当たりの１２ラウンド目の最大開放期間（３０秒間）の間、流下防止板１０１５が常に分岐流路１０３０の背面側へ埋没したままとなる状況と、大当たりの１２ラウンド目の最大開放期間（３０秒間）の間、流下防止板１０１５が常に分岐流路１０３０の内側へ突出したままとなる状況との両方を形成することができる。
【０４６３】
上記第４実施形態では、回転円板４０１４の突設リブ４０１４ａと、摩擦回転部材４０１３の突設係合部４０１３ｄとが軸方向で衝突することを防止するために、開放状態を維持する期間が２．５秒から３．５秒までの１秒間は、第２可変入賞装置６５０を開放状態から閉鎖状態へ変化させないように制御される場合を説明したが、必ずしもこれに限られるものではない。例えば、突設リブ４０１４ａを、周方向両側端へ向かう程、円板部１０１４ｂに近接する態様で傾斜する傾斜面が周方向中央部から形成される（即ち、突設リブ４０１４ａの周方向中央部は面ではなく稜線で構成される）形状から構成し、尚かつ、突設係合部４０１３ｄを、高さ方向を摩擦回転部材４０１３の回転軸に平行な直線に沿わせた円錐形状から形成しても良い。この場合、突設リブ４０１４ａと突設係合部４０１３ｄとが軸方向で衝突しても、その衝突を互いの傾斜面で受け流すことができ、故障を防止することができる。
【０４６４】
また、突設リブ４０１４ａの鋭利先端（摩擦回転部材４０１３と対向配置される側の先端）と、突設係合部４０１３ｄの鋭利先端（回転円板４０１４と対向配置される側の先端）との周方向における位置関係（突設係合部４０１３ｄの進行方向に突設リブ４０１４ａが配置されるか、突設係合部４０１３ｄが突設リブ４０１４ａを通り過ぎるか）は、それら先端の中心位置が周方向で重なるタイミング（例えば、第２可変入賞装置６５０の開放開始から３秒後）を境に、入れ替わる。上述したように、鋭利先端の中心位置が周方向で重なるタイミングを除いて、任意のタイミングで第２可変入賞装置６５０を開放状態としても、突設リブ４０１４ａと突設係合部４０１３ｄとの衝突による故障が起きない。そのため、例えば、大当たりＡでは、第２可変入賞装置６５０を２．９秒間だけ開放状態としてから閉鎖状態とするように制御し、大当たりＢでは、第２可変入賞装置６５０を３．１秒間だけ開放状態としてから閉鎖状態とするように制御するようにしても良い。この場合、大当たりＡと大当たりＢとで、第２可変入賞装置６５０が開放状態の時間の違いを、遊技者がその違いを見定めるのが困難な期間（例えば、０．２秒間）とすることができる。これにより、第２可変入賞装置６５０の動作態様から、獲得した大当たりが、大当たりＡなのか大当たりＢなのかを把握することを困難にすることができ、遊技者の注目を傾倒部材１０４０に集めることができる。
【０４６５】
上記第５実施形態では、球止め装置５１００の回転部材５１２０に切替突設部５１２４が２箇所配設される場合を説明したが、必ずしもこれに限られるものではない。例えば、１箇所でも良いし、３箇所以上の複数箇所でも良い。また、切替突設部５１２４の配設箇所が３箇所以上の複数箇所の場合、配設箇所同士の間隔は、任意に定める（異ならせる）ことができる。これにより、例えば、１箇所目の切替突設部５１２４が切替装置５１４０に当接してから、隣り合う２箇所目の切替突設部５１２４が切替装置５１４０に当接するまでに第２可変入賞装置６５０が開閉動作した回数と、その２箇所目の切替突設部５１２４が切替装置５１４０に当接してから、１箇所目の切替突設部５１２４の反対側で隣り合う３箇所目の切替突設部５１２４が切替装置５１４０に当接するまでに第２可変入賞装置６５０が開閉動作した回数と、を異ならせることができる。これにより、第２可変入賞装置６５０の開閉動作の回数と、流下防止板５０１５の状態の変化とを関連付け難くすることができ、流下防止板５０１５の状態変化を遊技者が予測し難くできるので、流下防止板５０１５がいつ動作するのか分からず、常に期待感をもって遊技できるという遊技性を形成することができる。
【０４６６】
上記第５実施形態では、球止め装置５１００の回転部材５１２０に配設される切替突設部５１２４が、切替装置５１４０の回転腕部５１４２と当接した状態において、第２可変入賞装置６５０が一回開閉動作することにより、必ず、回転腕部５１４２と切替突設部５１２４との当接が解除される場合を説明したが、必ずしもこれに限られるものではない。例えば、片方の切替突設部５１２４の周方向長さを延長することにより、第２可変入賞装置６５０が複数回開閉動作をする間、回転腕部５１４２と切替突設部５１２４との当接が維持されるようにしても良い。この場合、第２可変入賞装置６５０が球を入球可能な長さで開放動作する直前の閉鎖状態の時に、流下防止板５０１５が埋没状態または突出状態のどちらの状態であったとしても、次の第２可変入賞装置６５０の開放で流下防止板５０１５がどちらの状態となるのかを予測し難くでき、遊技者の期待感を維持し易くすることができる。
【０４６７】
上記第７実施形態では、第１流路７１１０へ入球する球が、第２可変入賞装置６５０から逸れて流下した球に限定される場合を説明したが、必ずしもこれに限られるものではない。例えば、第１入球口６４又は第２入球口６４０に入球した球が第１流路７１１０へ入球するように流路が形成（連結）されても良い。これにより、特別遊技状態（大当たり遊技状態）が終了した後で傾倒部材１０４０の上面に球が残存した場合であっても、次の大当たりを狙う行為（第１入球口６４又は第２入球口６４０に球を入球させる行為）により、流下防止板７０１５を埋没状態に変化させることができ、傾倒部材１０４０の上面に残存した球を排出することができる。
【０４６８】
上記第９実施形態では、流下防止板１０１５と当接する位置に球が１球配置されることにより、Ｌ形移動部材９１１０が傾倒部材１０４０の動作軌跡から退避する場合を説明したが、必ずしもこれに限られるものではない。例えば、２球目の球に対応する位置（正面視において、Ｌ形移動部材９１１０の右斜め上方へ位置ずれした位置）に、２個目のＬ形移動部材（その２）が配置され、そのＬ形移動部材（その２）は、２球目の球が傾倒部材１０４０の上面で停止することにより傾倒部材１０４０の動作軌跡から退避される態様で構成しても良い。この場合、２球目の球が傾倒部材１０４０に着地する時点においては、Ｌ形移動部材（その２）が傾倒部材１０４０の移動軌跡内に配置されるので、２球目の球が傾倒部材１０４０に着地する際の衝撃により傾倒部材１０４０が傾倒動作することを防止し易くすることができる。
【０４６９】
上記第９実施形態では、係止装置９１００の作用により、傾倒部材１０４０の傾倒動作を防止する場合を説明したが、必ずしもこれに限られるものではない。例えば、傾倒部材１０４０の重心位置を、過度に左方寄りの位置とし、延設板部１０４３に球が１球乗る程度では傾倒動作しない態様で構成するようにしても良い。この場合、係止装置９１００を省略することができる。
【０４７０】
上記第９実施形態では、排出防止突起９２００が分岐流路１０３０の背面側の側壁から正面側へ向けて突設される場合を説明したが、必ずしもこれに限られるものではない。例えば、傾倒部材１０４０の延設板部１０４３の延設先端（軸棒部１０４２の反対側の先端）から板部材を延設しても良い。これにより、傾倒部材１０４０の傾倒状態において、板部材も傾倒部材１０４０と一体となって下方に変位するので、排出口１０２４から排出された球が確変側流路１０３２へ流入する経路を広く確保することができる。
【０４７１】
ここで、板部材の形状としては、例えば、傾倒部材１０４０の傾倒状態において、延設板部１０４３の延設先端から水平に延設される（延設方向から、緩やかに上昇傾斜する方向に延設される）形状が例示される。この場合、傾倒状態で球を流す場合に、球と当接する板部材の面が水平となることで、球の流下を妨害することを防止できる一方で、初期状態において、球と当接する板部材の面が上昇傾斜する傾斜面となることで、右方へ飛び出そうとする球を減速し、飛び出しを防止する効果を生じさせることができる。
【０４７２】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０４７３】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０４７４】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０４７５】
以下に、本発明の遊技機に加えて上述した実施形態に含まれる各種発明の概念を示す。
【０４７６】
＜Ｖアタッカーの動作によって、シーソーのストッパが動くポイント（駆動兼用）＞
遊技球が流下する遊技領域に配置される入賞口と、その入賞口に遊技球が入賞可能な可能状態と、入賞不能な不能状態とを動作により切り替える第１切替手段と、その第１切替手段を駆動する第１駆動手段と、前記入賞口に入賞した遊技球が流下することで遊技者に所定の利益を与える利益取得手段と、を備える遊技機において、前記入賞口に入賞した遊技球を停留可能に構成され、その停留した遊技球を前記利益取得手段へ流下可能に構成される停留手段と、その停留手段に到達した遊技球を前記停留手段に停留可能な状態である停留状態と、前記停留手段に到達した遊技球を前記停留手段に停留させない非停留状態と、を切り替える第２切替手段と、を備え、その第２切替手段は、前記第１駆動手段の駆動力が伝達されることに基づいて、前記停留状態と非停留状態とで状態変化することを特徴とする遊技機Ａ１。
【０４７７】
ここで、パチンコ機等の遊技機において、第２大入賞口（入賞口に相当）に入賞した遊技球が到達する第２利益状態決定部（停留手段に相当）で、振分部（第２切替手段に相当）を左右方向に動作させることにより、遊技者が得られる利益の異なる２の流路に遊技球を振り分ける遊技機がある（例えば特開２０１４−１５５５３８号公報を参照）。しかし、上述した従来の遊技機では、第２大入賞口の状態を変化させる大入賞口開閉役物と、振分部とが、別々の駆動手段により駆動されていたため、２の駆動手段の配置スペースを確保しながら第２大入賞口と振分部の配置を決める必要があり、配置の自由度が低くなるという問題点があった。
【０４７８】
これに対し、遊技機Ａ１によれば、第２切替手段が、第１駆動手段の駆動力が伝達されることに基づいて状態変化するので、駆動手段が１つで良くなり配置スペースの確保が容易となるので、第１切替手段、第２切替手段および停留手段の配置の自由度を高めることができる。
【０４７９】
また、第２切替手段が、入賞口の状態を変化させる第１切替手段を駆動する第１駆動手段の駆動により停留状態と非停留状態とで状態変化するので、第２切替手段の動作パターンの自由度を向上させることができ、遊技者が飽きる事態を、生じにくくすることができる。
【０４８０】
なお、所定の利益としては、遊技状態を確変状態にする利益（Ｖ確入賞）や、大当たりを得られる利益（２種のＶ入賞）や、大当たりとなりやすい流路可能となる利益などが例示される。
【０４８１】
遊技機Ａ１において、前記第２切替手段は、前記第１切替手段を介して前記第１駆動手段の駆動力が伝達されることを特徴とする遊技機Ａ２。
【０４８２】
遊技機Ａ２によれば、遊技機Ａ１の奏する効果に加え、第１駆動手段の駆動力が第１切替手段を介して第２切替手段に伝達されるので、第１切替手段の動作幅を利用して、第２切替手段の動作幅を確保することができる。また、第１切替手段の動作幅を確保する手段と、第２切替手段の動作幅を確保する手段とを兼用することにより、各切替手段ごとに第１駆動手段の動作幅を確保する手段を配置する場合に比較して、配置スペースを抑制することができる。これにより、第１切替手段、第２切替手段および停留手段の配置の自由度を高めることができる。
【０４８３】
遊技機Ａ１又はＡ２において、前記停留手段は、遊技球が所定の複数個以上貯留された場合に、動作により、遊技球を前記利益取得手段へ向けて流下させる状態となることを特徴とする遊技機Ａ３。
【０４８４】
遊技機Ａ３によれば、遊技機Ａ１又はＡ２の奏する効果に加え、停留手段に遊技球が所定の複数個以上貯留されることにより、停留手段が動作し、遊技球を利益取得手段へ向けて流下させる状態となるので、第２切替手段の状態変化のみにより遊技球の流下経路が変化する場合に比較して、停留手段の動きと遊技球の動きとを連動させて遊技者に見せることができ、遊技者の興趣を向上させることができる。
【０４８５】
また、停留手段に遊技球が１個停留される場合には、遊技球が利益取得手段へ向けて流下可能な姿勢にならないため、短期間で第１切替手段が可能状態となった（短期間パカの）場合に遊技球が１個入賞したとしても、その遊技球が利益取得手段へ向けて流下することを防ぐことができる。従って、従来行われていたように、第１切替手段を可能状態に切り替えるタイミングから数秒後に振分部の状態を変化させることにより、遊技球が利益取得手段に誤って流下しないようする制御と、その制御に伴って第１切替手段を開放開始時に短期間開放する制御と、を不要とすることができ、第１駆動手段の制御を簡素化することができる。
【０４８６】
なお、停留手段の動作態様としては、特に限定されるものではなく、種々の態様が例示される。例えば、遊技球を上面に貯留し、遊技球の貯留個数により回転軸を基準とした停留手段にかけられる負荷の位置が変わり、シーソーのように傾倒動作する態様でも良いし、球の重みでスライド動作する態様でも良い。
【０４８７】
また、停留手段が傾倒動作する場合において、停留手段への球の着地地点は、特に限定されるものでは無い。即ち、回転軸を基準として、下がっている側でも良いし、上がっている側でも良い。
【０４８８】
遊技機Ａ３において、前記停留手段が移動することにより、前記利益取得手段の反対側へ球を流下させる流路へ球を流下させにくくする態様で構成されることを特徴とする遊技機Ａ４。
【０４８９】
遊技機Ａ４によれば、遊技機Ａ３の奏する効果に加え、停留手段の動作により、利益取得手段の反対側へ球を流下させる流路へ球を流下させにくくすることができるので、停留手段が動作を開始して停留状態となる前に遊技球が停留手段から利益取得手段の反対側へ流下し難くすることができる。
【０４９０】
遊技機Ａ１において、前記第１駆動手段の駆動力を前記第２切替手段に伝達する第１特殊手段を備え、前記第１駆動手段は、複数の駆動パターンで駆動制御され、前記第１特殊手段は、前記第１駆動手段が１の駆動パターンに基づいて動作した場合に、前記第２切替手段の状態を変化させ、前記第１駆動手段が他の駆動パターンに基づいて動作した場合に、前記第２切替手段の状態を変化させないことを特徴とする遊技機Ａ５。
【０４９１】
遊技機Ａ５によれば、遊技機Ａ１の奏する効果に加え、第１駆動手段の駆動パターンによって第２切替手段の状態変化が生じるか否かが変わるので、第１切替手段の動作パターンを確認することで第２切替手段の状態変化の有無が生じるのか否かを判断することができる。そのため、第２切替手段の状態が遊技者にとって有利な状態に切り替わって欲しい遊技者にとっての、第１駆動手段の駆動力で動作する第１切替手段の注目度を向上させることができるので、遊技者の視線を第１切替手段付近に集めることができる。
【０４９２】
この状態において、第１切替手段付近のＬＥＤを光らせる一方で、第１切替手段から離れた部分のＬＥＤは消灯させることにより、遊技者の注目する部分の明るさは維持しながら、他の部分は暗くすることができる。これにより、電力消費量を削減することができたり、遊技領域における第１切替手段から離れた部分の遊技球の視認性を悪くできたりする。
【０４９３】
遊技領域における遊技球の視認性に関しては、例えば、第１切替手段の上流側を流下する遊技球の視認性を悪くすることにより、予想外の位置から遊技球が入賞口へ流下する状態を形成でき、遊技者を飽きさせにくくできる。
【０４９４】
また、例えば、第１切替手段が不能状態の時に第１切替手段を流下し、下流側へ流下する遊技球の視認性を悪くすることにより、アウト口へ向かって流れる遊技球に遊技者が集中することを防止することができる。これにより、第１切替手段付近の注目度を維持することができる。
【０４９５】
遊技機Ａ５において、前記第１特殊手段は、所定の平面上に移動軌跡を有し、前記第２切替手段により前記停留手段が前記停留状態を形成している間、球から前記第２切替手段へ与えられる負荷の方向が、前記所定の平面に垂直な方向へ向けられることを特徴とする遊技機Ａ６。
【０４９６】
遊技機Ａ６によれば、遊技機Ａ５の奏する効果に加え、球から第２切替手段へ与えられる負荷の方向が第１特殊手段の移動軌跡が形成される平面に対して垂直な方向へ向けられるので、第２切替手段を介しする負荷により、第１特殊手段が動作することを防止することができ、遊技球が第２切替手段に当接する度に、第１特殊手段の移動方向に負荷が与えられることを防止することができる。これにより、第２切替手段の耐久性を向上することができる。
【０４９７】
遊技機Ａ１において、前記第２切替手段は、前記第１切替手段の状態変化の態様により、前記第１切替手段が前記可能状態と前記不能状態とで切り替えられる間隔が所定間隔よりも短い場合に、停留状態と非停留状態との切り替えを防止する第２特殊手段を備えることを特徴とする遊技機Ａ７。
【０４９８】
遊技機Ａ７によれば、遊技機Ａ１の奏する効果に加え、第２特殊手段により、第１切替手段の状態変化と、第２切替手段の状態変化とが連動しない状態を形成することができる。したがって、第１切替手段の動作態様のバリエーションを増やすことができる。
【０４９９】
即ち、第１切替手段の間隔の短い状態変化をさせつつ、第２切替手段の状態は維持（例えば、停留状態のまま維持）して、遊技球を停留可能な状態を維持することができる。
【０５００】
遊技機Ａ７において、前記第２特殊手段は、前記第１切替手段の前記不能状態を所定期間維持することで、前記第２切替手段を前記非停留状態へ切り替える態様で構成されることを特徴とする遊技機Ａ８。
【０５０１】
遊技機Ａ８によれば、遊技機Ａ７の奏する効果に加え、第１切替手段が不能状態へ切り替わった瞬間は第２切替手段が停留状態であり、第１切替手段が不能状態を所定期間維持することで第２切替手段が非停留状態に切替られるので、第１切替手段が不能状態になる直前に入賞口に入賞した遊技球が、停留手段に到達することを待ってから、第２切替手段の状態を非停留状態に切り替えることができる。これにより、停留手段に遊技球が停留されたままとなることを防止することができ、遊技球を、全て流しきることができる。
【０５０２】
＜Ｖアタッカーの動作からストッパの解除までに期間を設けるポイント＞
遊技球が流下する遊技領域に配置される入賞口と、その入賞口に遊技球が入賞可能な可能状態と、入賞不能な不能状態とを動作により切り替える第１切替手段と、その第１切替手段を駆動する第１駆動手段と、前記入賞口に入賞した遊技球が流下することで、遊技者に所定の利益を与える利益取得手段と、を備える遊技機において、前記入賞口に入賞した遊技球を停留可能に構成され、その停留した遊技球を前記利益取得手段へ流下可能に構成される停留手段と、その停留手段に到達した遊技球を前記停留手段に停留可能な状態である停留状態と、前記停留手段に到達した遊技球を前記停留手段に停留させない非停留状態と、を切り替える第２切替手段と、を備え、前記第１駆動手段とは異なる第２駆動手段を有し、前記第１切替手段が前記不能状態に切り替えられることに基づいて前記第２切替手段へ前記第２駆動手段の駆動力を伝達可能とされ、前記第２駆動手段の駆動力により前記第２切替手段を前記停留状態と非停留状態とで状態変化させるものであって、前記第２切替手段が前記停留状態から非停留状態に切り替わるまでに所定期間が経過する態様で構成される遅延駆動手段を備えることを特徴とする遊技機Ｂ１。
【０５０３】
ここで、パチンコ機等の遊技機において、第２大入賞口に入賞した遊技球が到達する第２利益状態決定部（停留手段に相当）に、振分部（第２切替手段に相当）を左右方向に動作させることにより、遊技者が得られる利益の異なる２の流路に遊技球を振り分ける遊技機がある（例えば特開２０１４−１５５５３８号公報を参照）。しかし、上述した従来の遊技機では、第２大入賞口の状態を変化させる大入賞口開閉役物と、振分部との動作タイミングを異ならせているが、この場合、それぞれ別タイミングで動作させる制御を行う必要があり、制御が複雑になるという問題点があった。
【０５０４】
これに対し、遊技機Ｂ１によれば、遅延駆動手段が第２駆動手段を有し、その第２駆動手段の駆動力が、第１切替手段の状態の切り替えに基づいて第２切替手段側へ伝達可能とされ、第１切替手段の状態変化から所定期間後に第２切替手段が非停留状態とされる態様で構成されるので、第１切替手段と第２切替手段との動作タイミングを異ならせることを、第１切替手段の制御のみにより行うことができる。これにより、制御を単純化することができる。
【０５０５】
遊技機Ｂ１において、前記遅延駆動手段が、前記第１切替手段が不能状態となったことに基づいて、前記第２駆動手段の駆動力を前記第２切替手段へ伝達開始することを特徴とする遊技機Ｂ２。
【０５０６】
遊技機Ｂ２によれば、遊技機Ｂ１の奏する効果に加え、第２切替手段が非停留状態に切り替わるまでに確保される所定期間が、第１切替手段が不能状態となってからの期間となるので、第１切替手段と盤面との間に遊技球が挟まるなどの、何らかの理由で、第１駆動手段が第１切替手段を不能状態に切り替える制御を開始してから実際に第１切替手段が不能状態となるまでに期間経過があった場合でも、第１切替手段が不能状態となってから第２切替手段が状態変化するまでの期間を確保することができる。これにより、第１切替手段が不能状態になる直前に入賞口に入賞した遊技球が停留手段に到達する前に、第２切替手段が状態変化するという誤動作を防止することができる。
【０５０７】
遊技機Ｂ２において、前記遅延駆動手段が、一定の態様で動作する第２駆動手段と、前記第１駆動手段の駆動により前記第２駆動手段の動力が伝達される伝達状態と、非伝達となる非伝達状態とが切り替えられ、前記伝達状態において変位する変位手段と、前記非伝達状態において、前記変位手段を変位前の初期位置に復帰させる負荷を前記変位手段に与える復帰手段と、を備え、前記第２切替手段は、前記変位手段が前記初期位置に配置される場合に停留状態となると共に、前記変位手段が変位することに基づいて、前記非停留状態における配置へ向けて変位するものであって、前記変位手段が所定の遅延期間変位することで、非停留状態となることを特徴とする遊技機Ｂ３。
【０５０８】
遊技機Ｂ３によれば、遊技機Ｂ２の奏する効果に加え、第２切替手段の状態を遅延期間経過後に変化させる変位手段は、第１駆動手段が駆動され伝達状態となることにより、一定の態様で動作する第２駆動手段の駆動力が伝達され変位するものであると共に、第１駆動手段が駆動され非伝達状態とされた場合に、復帰手段により初期位置に復帰するものであるので、第１駆動手段が駆動され伝達状態となってから、第２切替手段が状態変化するまでの期間を一定に保つことができる。
【０５０９】
また、第１駆動手段を、第２切替手段の駆動源として利用するのではなく、別個の第２駆動手段との伝達の切替に利用するので、駆動力不足により第２切替手段の動作不良が生じることを防止できる。
【０５１０】
また、遅延期間中に、第１駆動手段の駆動状態が変化し、第１切替手段が再び状態変化したら、第２切替手段の状態も、再び停留状態における配置へと戻るので、遅延期間以下の間隔で第１駆動手段の駆動状態を変化させることにより、第１切替手段の状態は変化させながら、第２切替手段の状態は停留状態に維持することができる。
【０５１１】
遊技機Ｂ３において、前記第１駆動手段の駆動により、前記第１切替手段が前記可能状態となる場合に前記変位手段が前記非伝達状態とされるものであって、前記復帰手段による前記変位手段の変位が、前記遅延期間よりも短い期間で行われることを特徴とする遊技機Ｂ４。
【０５１２】
遊技機Ｂ４によれば、遊技機Ｂ３の奏する効果に加え、復帰手段による変位手段の変位が、遅延期間よりも短い期間で行われるので、第１切替手段が可能状態に変化し入賞口に入賞した遊技球が停留手段に到達する前に、第２切替手段を停留状態に復帰させることができる。これにより、第１切替手段が可能状態となった直後に入賞した遊技球が停留手段で停留されずに流下する事態を防ぐことができるので、停留手段に遊技球を停留させやすくすることができる。
【０５１３】
遊技機Ｂ２において、前記遅延駆動手段が、一定の態様で動作する第２駆動手段と、前記第１駆動手段の駆動により前記第２駆動手段の動力が伝達される伝達状態と、非伝達となる非伝達状態とが切り替えられ、前記伝達状態において変位する伝達クラッチと、その伝達クラッチと係合することで変位可能に構成されると共に初期位置において前記第２切替手段を停留状態とする係合カムと、前記非伝達状態において、前記係合カムを変位前の前記初期位置に復帰させる負荷を前記係合カムに与える復帰手段と、を備え、前記第２切替手段は、前記係合カムの変位に伴って非停留状態の配置へ向けて移動するものであって、前記係合カムが所定の遅延期間変位することで、非停留状態となり、前記伝達クラッチは、前記第１切替手段が可能状態の場合に、前記係合カムと非係合とされることを特徴とする遊技機Ｂ５。
【０５１４】
遊技機Ｂ５によれば、遊技機Ｂ２の奏する効果に加え、第１切替手段が可能状態になると、復帰手段の作用で第２切替手段が動作し、停留状態となるので、入賞口に遊技球を入賞可能となり始めるタイミングの度に、遊技球を停留可能であり、利益取得手段に遊技球を通過させる期待感を向上させることができる。
【０５１５】
遊技機Ｂ５において、前記第１切替手段が不能状態の場合に、前記伝達クラッチが所定の姿勢である第１姿勢となることで前記非伝達状態が形成され、その第１姿勢で前記伝達クラッチの姿勢が維持され、前記第１切替手段が可能状態へ変化すると、前記第１姿勢から前記第２駆動手段の駆動力が伝達開始されることを特徴とする遊技機Ｂ６。
【０５１６】
遊技機Ｂ６によれば、遊技機Ｂ５の奏する効果に加え、第１切替手段が不能状態を長期維持する場合に、第２駆動手段（ＤＣモータ等）を常時回転動作させたままでも伝達クラッチの位相を固定しておけると共に、第１切替手段が可能状態へ変化した時点から伝達クラッチと第２駆動手段との伝達を開始させることができるので、第１切替手段が可能状態となった時点から所定期間後の伝達クラッチの姿勢を予め定めることができる。
【０５１７】
これにより、例えば、第１切替手段が、特別遊技において入賞口の開閉を行う特別電動役物である場合に、大当たりラウンド開始から何秒後に、伝達クラッチと、係合カムとを係合させることが可能となり、係合カムの動作により第２切替手段が動き出すか、を特定でき、液晶演出との整合性を取りやすくすることができる。
【０５１８】
また、不能状態を維持したままで、第２駆動手段が動作を継続しても、第２切替手段が動き続けることを防止することができるので、第２切替手段が常時動作していることで遊技者が感じる違和感を軽減することができる。
【０５１９】
遊技機Ｂ６において、前記伝達クラッチが前記第１姿勢とされた状態から、前記伝達クラッチと前記第２駆動手段とが伝達を開始した場合、所定期間経過後に、前記第１切替手段が所定パターンの動作を行わなければ、前記第２切替手段が停留状態から非停留状態に変化しない構成とされることを特徴とする遊技機Ｂ７。
【０５２０】
遊技機Ｂ７によれば、遊技機Ｂ６の奏する効果に加え、伝達クラッチが第１姿勢とされた状態から、伝達クラッチと第２駆動手段とが伝達を開始してから、所定期間経過後に第１切替手段が所定パターンの動作を行うか否かで、第２切替手段の状態が変化するか否かを決めるので、例えば、所定期間が経過するまでの第１切替手段の動作態様は第２切替手段の状態の変化に影響を与えるものでは無く、数多くの動作態様を用意することにより、第２切替手段の状態変化に影響ある期間の動作のカモフラージュを行うことができる。これにより、今回のラウンドが遊技球を停留させることができるラウンドなのか、否かを、遊技者に分かりづらくすることができる。
【０５２１】
また、所定期間経過後に、所定パターンの動作と異なる動作を挟むことで、停留状態の維持を図ることができ、所定期間経過後も、第１切替手段の注目力を向上させたままにすることができる。
【０５２２】
また、ラウンドの開閉パターンを当たり図柄ごとに複数種類用意することで（第１切替手段の状態変化のパターンを、当たり図柄ごとに異なるパターンとすることで）、第２切替手段の状態変化をどのタイミングで行うかを、任意に指定することができる。これにより、別のソレノイドを第１駆動手段の動作を基準として一定の動作をおこなうことにより第２切替手段を動作させていた場合と異なり、利益取得手段への流下のチャンスを、任意のラウンドに設けることができる。
【０５２３】
＜Ｖアタッカーの開閉回数に基づいて、ストッパの状態が変化するポイント＞
遊技球が流下する遊技領域に配置される入賞口と、その入賞口に遊技球が入賞可能な可能状態と、入賞不能な不能状態とを動作により切り替える第１切替手段と、その第１切替手段を駆動する第１駆動手段と、前記入賞口に入賞した遊技球が流下することで、遊技者に所定の利益を与える利益取得手段と、を備える遊技機において、前記入賞口に入賞した遊技球を停留可能に構成され、その停留した遊技球を前記利益取得手段へ流下可能に構成される停留手段と、その停留手段に到達した遊技球を前記停留手段に停留可能な状態である停留状態と、前記停留手段に到達した遊技球を前記停留手段に停留させない非停留状態と、を切り替える第２切替手段と、を備え、その第２切替手段は、前記第１切替手段が所定の基準回数だけ前記可能状態と不能状態とで状態変化するごとに、少なくとも一度は第２切替手段の状態を前記停留状態と非停留状態とで変化させる回数伝達手段を備えることを特徴とする遊技機Ｃ１。
【０５２４】
ここで、パチンコ機等の遊技機において、第２大入賞口に入賞した遊技球が到達する第２利益状態決定部（停留手段に相当）に、振分部（第２切替手段に相当）を左右方向に動作させることにより、遊技者が得られる利益の異なる２の流路に遊技球を振り分ける遊技機がある（例えば特開２０１４−１５５５３８号公報を参照）。しかし、上述した従来の遊技機では、第２切替手段の状態変化が生じる前に、第１切替手段が特定の動作を行う制御がされるので、例えば、液晶演出での示唆を確認しなくとも、利益取得手段へ遊技球を流下させられる状態か否かを遊技者が把握することができる。そのため、遊技者の注目が大入賞口の周辺に特に集中し易くなり、他の箇所、例えば、演出範囲としての液晶画面に対する注目力が低下するという問題点があった。
【０５２５】
これに対し、遊技機Ｃ１によれば、第２切替手段の停留状態と非停留状態とでの状態変化が、第１切替手段が所定の基準回数だけ状態変化することにより少なくとも一度は生じるように構成されるので、第１切替手段の動作態様を確認することにより、第２切替手段の状態を把握することを困難にすることができる。
【０５２６】
即ち、例えば、第１切替手段が所定の動作を行った後に第２切替手段の状態が遊技者にとって有利な停留状態となる動作態様であれば、遊技者は、第１切替手段の動作態様が所定の動作になったか否かを確認すれば良いので第２切替手段の状態の把握が容易であるが、第１切替手段の状態変化の回数により第２切替手段を状態変化させる場合、第１切替手段の状態変化の態様（動作態様）は全く同じものであっても、それが基準回数の内の何回目の状態変化なのかで、第２切替手段へ及ぼす影響は全く異なる。
【０５２７】
そのため、第２切替手段が、前触れ無く、遊技者にとって有利な停留状態となるという遊技性を実現することができる。これにより、いつ遊技者に有利な状態となるか分からなくできることから、遊技者の注目力を第２切替装置の周辺に集めることができ、遊技者の注目が大入賞口の周辺（第１切替装置の周辺）に特に集中し易くなる状況を回避することができる。
【０５２８】
なお、回数伝達手段の態様としては、第１切替手段の状態変化に対応して動作し、所定の回数の時に第２切替手段に作用し第２切替手段の状態を変化させる装置から構成される場合や、第１切替手段の状態変化の回数をセンサで検出し、所定の回数の時に第２切替手段に作用する駆動装置を備える態様で構成される場合等が例示される。
【０５２９】
遊技機Ｃ１において、前記第１切替手段が１の契機により連続で状態変化するものであって、その状態変化は、遊技球が入賞不可能な長さで行われる短期状態変化と、遊技球が入賞可能な長さで行われる長期状態変化との組み合わせで構成され、前記所定の基準回数の整数倍数と同一の回数で行われることを特徴とする遊技機Ｃ２。
【０５３０】
遊技機Ｃ２によれば、遊技機Ｃ１の奏する効果に加え、連続動作ごとに回数伝達手段を初期姿勢に復帰させながら、第２切替手段の状態が停留状態の時に、第１切替手段が短期状態変化となる場合と、長期状態変化となる場合とのいずれかを、連続動作の態様によって形成することができる。
【０５３１】
従って、第１切替手段の連続動作の態様として、利益取得手段に遊技球を流下させることが可能な態様と、利益取得手段に遊技球を流下させることが不可能な態様とを用意することができる。
【０５３２】
遊技機Ｃ１又はＣ２において、前記第１切替手段が１の契機により連続で状態変化するものであって、前記回数伝達手段は、前記基準回数ごとに初期位置に戻る態様で循環動作する装置から形成され、前記回数伝達手段の姿勢によらず回数伝達手段を初期位置に戻す復帰手段を備えることを特徴とする遊技機Ｃ３。
【０５３３】
ここで、回数伝達手段が第１切替手段の状態変化が基準回数の倍数と同じだけ行われることでのみ、回数伝達手段が初期位置に戻る場合、特別遊技後に回数伝達手段が初期位置に配置されるためには、特別遊技における第１切替手段の状態変化の回数を基準回数の整数倍の回数に限定する必要が生じるので、第１切替手段の状態変化のパターンが制限される。即ち、１ラウンド当たりの開放回数を複数回にすると、遊技球が所定個数入賞するまでの第１切替手段の状態変化の回数が変化するので、１ラウンド中に亘って第１切替手段が可能状態となる状態変化のパターンしか許容されなくなる。
【０５３４】
これに対し、遊技機Ｃ３によれば、遊技機Ｃ２の奏する効果に加え、復帰手段により、第１切替手段の連続動作の後に回数伝達手段を初期位置に戻すことができるので、特別遊技後に回数伝達手段を初期位置に戻す機能を維持したまま、第１切替手段の連続動作の態様の自由度を向上させることができる。
【０５３５】
例えば、１ラウンド中に、第１切替手段が複数回状態変化する態様で、第１切替手段を連続で状態変化するように制御することができる。この場合、１ラウンド中に、遊技球を所定個数（所定カウント）だけ入れることで、次のラウンドに進めることができる。即ち、循環動作手段の状態を確認し、各ラウンドにおいてどれだけ循環動作手段の状態を変化させるかを考え、その考えに基づいて大入賞口に球を入れるペースを変えることにより、自力で循環動作手段の状態を変えながら遊技することができる。これにより、長期状態変化を行うラウンドに合わせて、第２切替手段が停留状態となるように回数伝達手段の状態を調整するように特別遊技を進めることができ、ラウンド消化中も、単に遊技球を入賞させるだけでなく、どんなペースで遊技球を入賞させたら有利か、考えながら遊技できる。
【０５３６】
また、特別遊技終了時の回数伝達手段の姿勢が初期位置と異なることが生じ得るが、復帰手段により、回数伝達手段の姿勢を初期姿勢に戻すことができるので、特別遊技終了後に、回数伝達手段の姿勢が異なった姿勢のまま通常遊技が始まるという誤動作を防止することができる。
【０５３７】
遊技機Ｃ１からＣ３のいずれかにおいて、前記第１駆動手段は、印加電流により増強可能な負荷を一方向に生じるものであって、回数伝達手段は、前記第１駆動手段が前記１方向に動作する際に、前記第１駆動手段と当接し駆動力が伝達され所定量変位するものであることを特徴とする遊技機Ｃ４。
【０５３８】
遊技機Ｃ４によれば、遊技機Ｃ１からＣ５のいずれかの奏する効果に加え、回数伝達手段の変位が、印加電流により駆動力を増強可能な方向である一方向へ第１駆動手段が動作する際に、第１駆動手段と回数伝達手段とが当接し駆動力が伝達されることで生じるものであるので、第２切替手段に遊技球からの負荷が、第２切替手段の動作を抗する向きに生じている場合であっても、駆動力不足で第２切替手段が動かなくなるという事態を回避することができる。
【０５３９】
遊技機Ｃ４において、前記第２切替手段は、前記回数伝達手段が他方向に変位することを防止する防止ストッパを備えることを特徴とする遊技機Ｃ５。
【０５４０】
遊技機Ｃ５によれば、遊技機Ｃ４の奏する効果に加え、遊技球と第２切替手段とが当接する事により、第２切替手段が押接される場合に、第２切替手段へ与えられる負荷が、回数伝達手段へ伝達されることにより、回数伝達手段が他方向に動作することを防止することができるので、第１切替手段の状態変化の回数と、第２切替手段の状態との同期がずれることを防止することができる。
【０５４１】
遊技機Ｃ１において、前記回数伝達手段が、１の契機により生じる前記第１駆動手段の動作後に、その動作前の状態に復帰しないことを許容すると共に、その回数伝達手段の状態を遊技者が知覚可能に構成することを特徴とする遊技機Ｃ６。
【０５４２】
遊技機Ｃ６によれば、遊技機Ｃ１の奏する効果に加え、回数伝達手段の状態が、遊技中において累積変化され、それを遊技者が知覚可能であるので、遊技する遊技機を選ぶ際の一選択基準として、特別遊技と関連する回数伝達手段の状態を提供することができる。
【０５４３】
即ち、回数伝達手段は、第１切替手段が所定の基準回数だけ状態変化するごとに第２切替手段の状態を変化させるものであるところ、回数伝達手段の状態から、あと第１切替手段が何回だけ状態変化すれば基準回数に到達するかを遊技機ごとに変えることができ、遊技者は、回数伝達手段の状態から、第２切替手段の状態変化が生じる期待値（例えば、短い期間で第２切替手段の状態が変化しそうである等）を予想して、遊技機を選ぶ際の選択基準に用いることができる。
【０５４４】
遊技機Ｃ６において、前記第１切替手段が、１の契機により連続動作を可能とされる連続可動手段であって、その第１切替手段の連続動作回数が作動契機の種類により変化する遊技機において、前記第２切替手段の初期状態から、１の作動契機による連続動作の後に第２切替手段が前記非停留状態を形成する一方で、その状態から、更に１又は他の作動契機による連続動作の後に前記停留状態を形成することを特徴とする遊技機Ｃ７。
【０５４５】
遊技機Ｃ７によれば、遊技機Ｃ６の奏する効果に加え、第１切替手段が所定回数の連続動作を行い、第２切替手段の状態が停留状態へ変化せず、所定の利益を得られなかった場合であっても、次に第１切替手段が連続動作した後に第２切替手段の状態が停留状態へ変化し、所定の利益を得る期待感を大きくすることができる。
【０５４６】
＜球がＶアタッカーの通路を通過している間はストッパが状態変化しない（未出願）＞
遊技球が流下する遊技領域に配置される入賞口と、その入賞口に遊技球が入賞可能な可能状態と、入賞不能な不能状態とを動作により切り替える第１切替手段と、その第１切替手段の駆動力を発生する第１駆動手段と、前記入賞口に入賞した遊技球が流下することで、遊技者に所定の利益を与える利益取得手段と、を備える遊技機において、前記入賞口に入賞した遊技球が停留可能に構成され、その停留した遊技球を前記利益取得手段へ流下可能に構成される停留手段と、その停留手段に到達した遊技球を前記停留手段に停留可能な状態である停留状態と、遊技球を前記利益取得手段へ流さない非停留状態と、を切り替える第２切替手段と、を備え、その第２切替手段は、前記入賞口から停留手段までの経過区間に遊技球が配置される場合に、前記停留手段が前記停留状態を維持するように作用する変化防止手段を備えることを特徴とする遊技機Ｄ１。
【０５４７】
ここで、パチンコ機等の遊技機において、第２大入賞口に入賞した遊技球が到達する第２利益状態決定部（停留手段に相当）に、振分部（第２切替手段に相当）を左右方向に動作させることにより、遊技者が得られる利益の異なる２の流路に遊技球を振り分ける遊技機がある（例えば特開２０１４−１５５５３８号公報を参照）。しかし、上述した従来の遊技機では、第２大入賞口の状態を変化させる大入賞口開閉役物と、振分部とが、予め決められた動作タイミングで動作するように制御されるので、大入賞口開閉役物の閉鎖直前に遊技球が入賞した後で、遊技球が利益取得手段を流下すれば遊技者に利益が付与されるものの、不測の事態で遊技球の流下が滞った場合、振分部に到達する前に、振分部が遊技者にとって不利な非貯留状態に変化する恐れがあり、遊技者の不満の原因となり得るという問題点があった。
【０５４８】
一方で、いたずらに第２切替手段の状態変化までの期間を長くすると、停留状態からの状態変化が遅れることにより、遊技球の排出までが間延びして、遊技者が不信感を抱く原因となる。また、遊技球が停留手段に残存する間は、停留手段に遊技者の注目が集まり易くなり、それ以外の部分（例えば、液晶画面）の演出の注目力が低下するという問題点があった。
【０５４９】
これに対し、遊技機Ｄ１によれば、入賞口から停留手段までの経過区間に遊技球が配置される場合にのみ、変化防止手段により停留手段が停留状態を維持するので、経過区間で遊技球の流下が滞った場合にも、遊技球が停留手段に到達する前に、停留手段が非停留状態となることを防止することができ、遊技者の不満を解消することができると共に、不要なときにまで停留手段の状態変化を遅らせることはしないので、停留手段以外の部分（例えば、液晶画面）の演出の注目力を確保することができる。
【０５５０】
遊技機Ｄ１において、前記停留手段が、遊技球が所定個数貯留されることにより所定の動作をするものであって、その所定の動作により遊技球を前記利益取得手段へ送球可能とする態様で構成され、前記経過区間に配置された遊技球が前記停留手段に到達することで、その停留手段に所定個数の遊技球が貯留される場合には、前記停留手段の所定の動作完了までの間、停留手段が停留状態で維持されることを特徴とする遊技機Ｄ２。
【０５５１】
遊技機Ｄ２によれば、遊技機Ｄ１の奏する効果に加え、停留手段の所定の動作完了までの間、停留手段が停留状態で維持されるので、遊技球が経過区間から停留手段に排出された後であって、停留手段の動作が完了する前に、非停留状態となってしまい、遊技球が利益取得手段へ流下されずに排出される事態が生じることを防止することができる。
【０５５２】
また、経過区間に配置された遊技球が停留手段に到達した場合において、遊技球が所定個数に満たない場合には、速やかに非停留状態とすることにより、遊技者の注目を停留手段付近から逸らして、遊技盤の他の部分（例えば液晶表示部分）の注目力を向上させることができる。
【０５５３】
遊技機Ｄ２において、前記第２切替手段は、第１流路を流下する遊技球により状態を切り替えられるものであって、前記変化防止手段は、遊技球が前記第１流路に侵入可能か否かを切り替える態様で構成されることを特徴とする遊技機Ｄ３。
【０５５４】
遊技機Ｄ３によれば、遊技機Ｄ２の奏する効果に加え、第２切替手段の状態を、第１流路を流下する遊技球により切り替える態様で構成されることから、第２切替手段の状態変化を生じさせる装置を流路で代用でき、配置スペースを縮小することができる。また、変化防止手段により、第１流路への遊技球の侵入の可否を切り替えることにより、ランダムな経路で遊技領域を流下する遊技球が不適切な期間に第１流路に侵入し、誤って第２切替手段の状態を変化させることを防止することができる。
【０５５５】
遊技機Ｄ３において、前記第１流路は、遊技球が入賞することにより、特別図柄変動を発生可能な変動入賞口と連結されることを特徴とする遊技機Ｄ４。
【０５５６】
遊技機Ｄ４によれば、遊技機Ｄ３の奏する効果に加え、変動入賞口に入賞した遊技球が第１流路を流下することから、特別遊技状態が終了し、次の特別遊技状態が開始されるまでの間に、停留手段に残った遊技球を停留手段の下流へ排出することができる。
【０５５７】
即ち、所定個数未満の遊技球が停留手段に停留した状態のまま特別遊技状態が終了した場合、次の特別遊技状態へ遊技状態を移行させるためには変動入賞口に遊技球を入賞させる必要があり、その入賞した遊技球は第１流路を流下し、第２切替手段の状態を切り替える。従って、次の特別遊技状態へ遊技状態を移行させるための遊技によって、停留手段に残った遊技球を停留手段の下流へ排出することができる。これにより、停留手段に遊技球が残存した状態で特別遊技状態が開始することを防止することができる。
【０５５８】
遊技機Ｄ２において、前記第２切替手段は、前記第１駆動手段の動作に基づいて動作するものであって、前記変化防止手段は、遊技球の作用で変位し、前記第１駆動手段から前記第２切替手段への動力伝達を解除することを特徴とする遊技機Ｄ５。
【０５５９】
遊技機Ｄ５によれば、遊技機Ｄ２の奏する効果に加え、経過区間を遊技球が通過した後、第１駆動手段の駆動力が第２切替手段に伝達され、第１駆動手段の制御態様に基づいて第２切替手段の状態が変化するので、遊技球が経過区間を通過した後の第２切替手段の状態変化の制御を行い易くすることができる。
【０５６０】
遊技機Ｄ２において、前記第２切替手段は、前記第１駆動手段の動作に基づいて動作するものであって、前記変化防止手段は、遊技球の作用で変位し、前記利益取得手段の反対側へ流下する遊技球が前記停留手段から脱落することを防止する張出板部を備えることを特徴とする遊技機Ｄ６。
【０５６１】
遊技機Ｄ６によれば、遊技機Ｄ２の奏する効果に加え、張出板部により、経過区間に遊技球が配置される状態においては、利益取得手段の反対側へ流下する遊技球が停留手段から脱落することを防止することができる。これにより、第２切替手段の状態が変化した後においても、張出板部により、遊技球を停留手段に乗せたまま維持することができる。
【０５６２】
遊技機Ａ１からＡ８，Ｂ１からＢ７，Ｃ１からＣ７，Ｄ１からＤ６のいずれかにおいて、前記遊技機はスロットマシンであることを特徴とする遊技機Ｚ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０５６３】
遊技機Ａ１からＡ８，Ｂ１からＢ７，Ｃ１からＣ７，Ｄ１からＤ６のいずれかにおいて、前記遊技機はパチンコ遊技機であることを特徴とする遊技機Ｚ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０５６４】
遊技機Ａ１からＡ８，Ｂ１からＢ７，Ｃ１からＣ７，Ｄ１からＤ６のいずれかにおいて、前記遊技機はパチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０５６５】
１０                                            パチンコ機（遊技機）
１３                                            遊技盤
６５                                            第１可変入賞装置
６７                                            スルーゲート
６４０ａ                                        電動役物
６４０                                          第２入球口
６５０                                          第２可変入賞装置（第１切替手段、連続可動手段）
６５０ａ                                        第２特定入賞口（入賞口、連続可動手段の一部）
６５０ｂ                                        開閉板（第１切替手段の一部、連続可動手段の一部）
６５０ｃ                                        ソレノイド（第１駆動手段、復帰手段の一部、連続可動手段の一部）
１０１０                                        球止め装置（第１特殊手段、第２特殊手段）
１０１３                                        Ｌ回転歯車（第１特殊手段の一部、第２特殊手段の一部）
１０１４                                        反転歯車（第１特殊手段の一部、第２特殊手段の一部）
１０１５                                        流下防止板（第２切替手段）
１０１６                                        伝達棒（第１特殊手段の一部、第２特殊手段の一部）
１０３１                                        確変入球口（利益取得手段）
１０４０                                        傾倒部材（停留手段）
２０１０                                        球止め装置（第１特殊手段、第２特殊手段）
２０１２                                        環状溝（第１特殊手段の一部、第２特殊手段の一部）
３０１０                                        球止め装置（第２特殊手段、遅延駆動手段）
３０１１ａ                                      弾性バネ（遅延駆動手段の一部、復帰手段）
３０１２                                        駆動モータ（第２特殊手段の一部、遅延駆動手段の一部）
３０１３                                        切替クラッチ（第２特殊手段の一部、遅延駆動手段の一部）
３０１４                                        回転円板（第２特殊手段の一部、遅延駆動手段の一部、変位手段）
３０１６                                        切替部材（第２特殊手段の一部、遅延駆動手段の一部）
４０１０                                        球止め装置（第２特殊手段、遅延駆動手段）
４０１２                                        駆動モータ（第２特殊手段の一部、遅延駆動手段の一部、第２駆動手段）
４０１３                                        摩擦回転部材（第２特殊手段の一部、遅延駆動手段の一部、伝達クラッチ）
４０１４                                        回転円板（第２特殊手段の一部、遅延駆動手段の一部、変位手段、係合カム）
５１００                                        球止め装置（回数伝達手段）
５１２０                                        回転部材（回数伝達手段の一部）
５１２５                                        検出ピン（復帰手段の一部）
５１３０                                        付勢部（回数伝達手段の一部、防止ストッパ）
５１４０                                        切替装置（回数伝達手段の一部）
５１４４                                        位置センサ（復帰手段の一部）
【図１】
2020175286.tif 000003
【図２】
2020175286.tif 000004
【図３】
2020175286.tif 000005
【図４】
2020175286.tif 000006
【図５】
2020175286.tif 000007
【図６】
2020175286.tif 000008
【図７】
2020175286.tif 000009
【図８】
2020175286.tif 000010
【図９】
2020175286.tif 000011
【図１０】
2020175286.tif 000012
【図１１】
2020175286.tif 000013
【図１２】
2020175286.tif 000014
【図１３】
2020175286.tif 000015
【図１４】
2020175286.tif 000016
【図１５】
2020175286.tif 000017
【図１６】
2020175286.tif 000018
【図１７】
2020175286.tif 000019
【図１８】
2020175286.tif 000020
【図１９】
2020175286.tif 000021
【図２０】
2020175286.tif 000022
【図２１】
2020175286.tif 000023
【図２２】
2020175286.tif 000024
【図２３】
2020175286.tif 000025
【図２４】
2020175286.tif 000026
【図２５】
2020175286.tif 000027
【図２６】
2020175286.tif 000028
【図２７】
2020175286.tif 000029
【図２８】
2020175286.tif 000030
【図２９】
2020175286.tif 000031
【図３０】
2020175286.tif 000032
【図３１】
2020175286.tif 000033
【図３２】
2020175286.tif 000034
【図３３】
2020175286.tif 000035
【図３４】
2020175286.tif 000036
【図３５】
2020175286.tif 000037
【図３６】
2020175286.tif 000038
【図３７】
2020175286.tif 000039
【図３８】
2020175286.tif 000040
【図３９】
2020175286.tif 000041
【図４０】
2020175286.tif 000042
【図４１】
2020175286.tif 000043
【図４２】
2020175286.tif 000044
【図４３】
2020175286.tif 000045
【図４４】
2020175286.tif 000046
【図４５】
2020175286.tif 000047
【図４６】
2020175286.tif 000048
【図４７】
2020175286.tif 000049
【図４８】
2020175286.tif 000050
【図４９】
2020175286.tif 000051
【図５０】
2020175286.tif 000052
【図５１】
2020175286.tif 000053
【図５２】
2020175286.tif 000054
【図５３】
2020175286.tif 000055
【手続補正書】
【提出日】令和2年8月24日(2020.8.24)
【手続補正１】
【補正対象書類名】特許請求の範囲
【補正対象項目名】全文
【補正方法】変更
【補正の内容】
【特許請求の範囲】
【請求項１】
遊技球が流下する遊技領域に配置される入賞口と、その入賞口に遊技球が入賞可能な可能状態と、入賞不能な不能状態とを動作により切り替える第１切替手段と、その第１切替手段を駆動する第１駆動手段と、前記入賞口に入賞した遊技球が流下することで遊技者に所定の利益を与える利益取得手段と、を備える遊技機において、
前記入賞口に入賞した遊技球を停留可能に構成され、その停留した遊技球を前記利益取得手段へ流下可能に構成される停留手段と、
その停留手段に到達した遊技球を前記停留手段に停留可能な状態である停留状態と、前記停留手段に到達した遊技球を前記停留手段に停留させない非停留状態と、を切り替える第２切替手段と、
前記第１駆動手段とは異なる第２駆動手段を有し、前記第１切替手段の前記不能状態において前記第２切替手段へ前記第２駆動手段の駆動力を伝達可能とされ、前記第２駆動手段の駆動力により前記第２切替手段を前記停留状態と非停留状態とで状態変化させるものであって、前記第２切替手段が前記停留状態から非停留状態に切り替わるまでに所定期間が経過する態様で構成される所定駆動手段と、を備え、
前記第１駆動手段の駆動に対応して前記第２駆動手段の駆動力を伝達させる状態と、前記第２駆動手段の駆動力を伝達させない状態とが切り替え可能とされ、変位する変位手段と、
前記第２駆動手段の駆動力を伝達させない状態において前記第２切替手段を所定位置に復帰させる負荷を与える復帰手段と、を備え、
前記第２切替手段は、前記変位手段が第１位置に配置される場合に前記所定位置に配置され前記停留状態となり、前記変位手段が前記第１位置から変位することに基づいて前記非停留状態における配置へ向けて変位するものであって、
前記変位手段が前記所定期間変位することで、前記非停留状態となり、
前記停留手段は、前記停留手段に停留している遊技球に他の遊技球が衝突した場合に、前記停留している遊技球が移動しうる側に配置される配置手段を備えることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機などの遊技機に関するものである。
【背景技術】
【０００２】
パチンコ機等の遊技機において、入賞口に入賞した遊技球が到達可能な所定位置で、動作部を動作させる遊技機がある（特許文献１）。
【先行技術文献】
【特許文献】
【０００３】
【特許文献１】特開２０１４−１５５５３８号公報
【発明の概要】
【発明が解決しようとする課題】
【０００４】
しかしながら、上述した従来の遊技機では、動作部の動作態様について改良の余地があるという問題点があった。
【０００５】
本発明は、上記例示した問題点を解決するためになされたものであり、動作部の動作態様の良好な遊技機を提供することを目的とする。
【課題を解決するための手段】
【０００６】
この目的を達成するために請求項１記載の遊技機は、遊技球が流下する遊技領域に配置される入賞口と、その入賞口に遊技球が入賞可能な可能状態と、入賞不能な不能状態とを動作により切り替える第１切替手段と、その第１切替手段を駆動する第１駆動手段と、前記入賞口に入賞した遊技球が流下することで遊技者に所定の利益を与える利益取得手段と、を備える遊技機であって、前記入賞口に入賞した遊技球を停留可能に構成され、その停留した遊技球を前記利益取得手段へ流下可能に構成される停留手段と、その停留手段に到達した遊技球を前記停留手段に停留可能な状態である停留状態と、前記停留手段に到達した遊技球を前記停留手段に停留させない非停留状態と、を切り替える第２切替手段と、前記第１駆動手段とは異なる第２駆動手段を有し、前記第１切替手段の前記不能状態において前記第２切替手段へ前記第２駆動手段の駆動力を伝達可能とされ、前記第２駆動手段の駆動力により前記第２切替手段を前記停留状態と非停留状態とで状態変化させるものであって、前記第２切替手段が前記停留状態から非停留状態に切り替わるまでに所定期間が経過する態様で構成される所定駆動手段と、を備え、前記第１駆動手段の駆動に対応して前記第２駆動手段の駆動力を伝達させる状態と、前記第２駆動手段の駆動力を伝達させない状態とが切り替え可能とされ、変位する変位手段と、前記第２駆動手段の駆動力を伝達させない状態において前記第２切替手段を所定位置に復帰させる負荷を与える復帰手段と、を備え、前記第２切替手段は、前記変位手段が第１位置に配置される場合に前記所定位置に配置され前記停留状態となり、前記変位手段が前記第１位置から変位することに基づいて前記非停留状態における配置へ向けて変位するものであって、前記変位手段が前記所定期間変位することで、前記非停留状態となり、前記停留手段は、前記停留手段に停留している遊技球に他の遊技球が衝突した場合に、前記停留している遊技球が移動しうる側に配置される配置手段を備える。
【０００７】
【０００８】
【発明の効果】
【０００９】
請求項１記載の遊技機によれば、第２切替手段の動作態様を良好にすることができる。
【００１０】
【００１１】
【図面の簡単な説明】
【００１２】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】遊技盤の右側に設けられた経路（流路）のうち、貯留装置よりも上流側の部分の部分正面図である。
【図６】遊技盤の右側に設けられた経路（流路）のうち、第２入球口よりも下流側の部分の部分正面図である。
【図７】（ａ）及び（ｂ）は、第１可変入賞装置、第２可変入賞装置及び貯留装置の正面図である。
【図８】（ａ）は、貯留装置の正面斜視図であり、（ｂ）は貯留装置の背面斜視図である。
【図９】（ａ）は、貯留装置の正面図であり、（ｂ）は、貯留装置の上面図である。
【図１０】（ａ）は、貯留装置の背面図であり、（ｂ）は、図９（ａ）のＸｂ−Ｘｂ線における貯留装置の部分断面図である。
【図１１】（ａ）は、図１０（ａ）の矢印ＸＩａ方向視における貯留装置の部分側面図であり、（ｂ）は、図１０（ａ）の矢印ＸＩｂ方向視における貯留装置の部分側面図である。
【図１２】（ａ）及び（ｂ）は、第２可変入賞装置の部分正面図である。
【図１３】（ａ）から（ｃ）は、貯留装置の部分正面図である。
【図１４】（ａ）から（ｃ）は、貯留装置の部分正面図である。
【図１５】（ａ）及び（ｂ）は、第１可変入賞装置の部分正面斜視図である。
【図１６】（ａ）は、大当たりＡの１２ラウンド目における、第２特定入賞口の計時変化を示した図であり、（ｂ）は、大当たりＢの１２ラウンド目における、第２特定入賞口の計時変化を示した図である。
【図１７】（ａ）は、主制御装置内のＲＯＭの電気的構成を示すブロック図であり、（ｂ）は、第１当たり種別カウンタと特別図柄における大当たり種別との対応関係を模式的に示した模式図であり、（ｃ）は、第２当たり乱数カウンタと普通図柄における当たりとの対応関係を模式的に示した模式図である。
【図１８】（ａ）は、第２実施形態における環状溝の正面図であり、（ｂ）は、図１８（ａ）のＸＶＩＩＩｂ−ＸＶＩＩＩｂ線における環状溝の断面図であり、（ｃ）は、図１８（ａ）のＸＶＩＩＩｃ−ＸＶＩＩＩｃ線における環状溝の断面図である。
【図１９】（ａ）から（ｄ）は、球止め装置を模式的に示した側面図である。
【図２０】（ａ）から（ｄ）は、球止め装置を模式的に示した側面図である。
【図２１】（ａ）は、大当たりＡの１２ラウンド目における、第２特定入賞口の計時変化を示した図であり、（ｂ）は、大当たりＢの１２ラウンド目における、第２特定入賞口の計時変化を示した図である。
【図２２】（ａ）及び（ｂ）は、第３実施形態における貯留装置の背面斜視図である。
【図２３】（ａ）は、貯留装置の正面図であり、（ｂ）は、貯留装置の上面図である。
【図２４】貯留装置の背面図である。
【図２５】（ａ）は、球止め装置の背面図であり、（ｂ）は、図２５（ａ）の矢印ＸＸＶｂ方向視における球止め装置の側面図である。
【図２６】（ａ）は、球止め装置の背面図であり、（ｂ）は、図２６（ａ）の矢印ＸＸＶＩｂ方向視における球止め装置の側面図である。
【図２７】（ａ）は、球止め装置の背面図であり、（ｂ）は、図２７（ａ）の矢印ＸＸＶＩＩｂ方向視における球止め装置の側面図である。
【図２８】（ａ）は、大当たりＡの１２ラウンド目における、第２特定入賞口の計時変化を示した図であり、（ｂ）は、大当たりＢの１２ラウンド目における、第２特定入賞口の計時変化を示した図である。
【図２９】第４実施形態における貯留装置の背面斜視図である。
【図３０】球止め装置の分解背面斜視図である。
【図３１】球止め装置の分解背面斜視図である。
【図３２】（ａ）及び（ｂ）は、球止め装置の背面図である。
【図３３】（ａ）から（ｃ）は、図３２（ａ）の矢印ＸＸＸＩＩＩａ方向視における駆動モータ、摩擦回転部材、回転円板及び流下防止板の模式図である。
【図３４】（ａ）から（ｃ）は、図３２（ａ）の矢印ＸＸＸＩＩＩａ方向視における駆動モータ、摩擦回転部材、回転円板及び流下防止板の模式図である。
【図３５】（ａ）は、大当たりＡの１２ラウンド目における、第２特定入賞口の計時変化を示した図であり、（ｂ）は、大当たりＢの１２ラウンド目における、第２特定入賞口の計時変化を示した図である。
【図３６】大当たりＢ（その２）の１２ラウンド目における、第２特定入賞口の計時変化を示した図である。
【図３７】（ａ）は、第５実施形態における貯留装置の正面図であり、（ｂ）は、図３７（ａ）の矢印ＸＸＸＶＩＩｂ方向視における貯留装置の上面図である。
【図３８】（ａ）は、回転部材の正面図であり、（ｂ）は、図３８（ａ）の矢印ＸＸＸＶＩＩＩｂ方向視における回転部材の上面図であり、（ｃ）は、図３８（ａ）のＸＸＸＶＩＩＩｃ−ＸＸＸＶＩＩＩｃ線における回転部材の部分断面図である。
【図３９】（ａ）は、貯留装置の正面図であり、（ｂ）は、図３９（ａ）の矢印ＸＸＸＩＸｂ方向視における貯留装置の上面図である。
【図４０】（ａ）は、大当たりＡの１２ラウンド目における、第２特定入賞口の計時変化を示した図であり、（ｂ）は、大当たりＢの１２ラウンド目における、第２特定入賞口の計時変化を示した図である。
【図４１】（ａ）は、大当たりＡ（その２）の１２ラウンド目における、第２特定入賞口の計時変化（開放状態であるか、閉鎖状態であるか）を示した図であり、（ｂ）及び（ｃ）は、流下防止板の計時変化（突出状態であるか、埋没状態であるか）を示した図である。
【図４２】（ａ）は、第６実施形態における貯留装置の正面図であり、（ｂ）は、図４２（ａ）の矢印ＸＬＩＩｂ方向視における貯留装置の側面図である。
【図４３】貯留装置６０００の背面図である。
【図４４】図４２（ａ）のＸＬＩＶ−ＸＬＩＶ線における貯留装置の部分断面図である。
【図４５】（ａ）は、貯留装置の正面図であり、（ｂ）は、図４５（ａ）の矢印ＸＬＶｂ方向視における貯留装置の側面図である。
【図４６】（ａ）は、貯留装置の正面図であり、（ｂ）は、図４６（ａ）の矢印ＸＬＶＩｂ方向視における貯留装置の側面図である。
【図４７】（ａ）は、第７実施形態における貯留装置の正面図であり、（ｂ）は、図４７（ａ）のＸＬＶＩＩｂ−ＸＬＶＩＩｂ線における貯留装置の部分断面図である。
【図４８】（ａ）は、貯留装置の正面図であり、（ｂ）は、図４８（ａ）のＸＬＶＩＩＩｂ−ＸＬＶＩＩＩｂ線における貯留装置の部分断面図である。
【図４９】（ａ）は、貯留装置の正面図であり、（ｂ）は、図４９（ａ）のＸＬＩＸｂ−ＸＬＩＸｂ線における貯留装置の部分断面図である。
【図５０】（ａ）は、第８実施形態における貯留装置の正面図であり、（ｂ）は、図５０（ａ）の矢印Ｌｂ方向視における貯留装置の部分側面図である。
【図５１】（ａ）は、貯留装置の正面図であり、（ｂ）は、図５１（ａ）の矢印ＬＩｂ方向視における貯留装置の部分側面図である。
【図５２】（ａ）は、第９実施形態における貯留装置の部分正面図であり、（ｂ）は、図５２（ａ）のＬＩＩｂ−ＬＩＩｂ線における貯留装置の部分断面図であり、（ｃ）は、貯留装置の部分正面図であり、（ｄ）は、図５２（ｃ）のＬＩＩｄ−ＬＩＩｄ線における貯留装置の部分断面図である。
【図５３】（ａ）は、貯留装置の部分正面図であり、（ｂ）は、図５３（ａ）のＬＩＩＩｂ−ＬＩＩＩｂ線における貯留装置の部分断面図であり、（ｃ）は、貯留装置の部分正面図であり、（ｄ）は、図５３（ｃ）のＬＩＩＩｄ−ＬＩＩＩｄ線における貯留装置の部分断面図である。
【発明を実施するための形態】
【００１３】
以下、本発明の実施形態について、添付図面を参照して説明する。まず、図１から図１７を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１４】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１５】
内枠１２には、多数の釘や入賞口６３，６４等を有する遊技盤１３（図２参照）が裏面側から着脱可能に装着される。この遊技盤１３の正面を球（以下、遊技球とも称す）が流下することにより弾球遊技が行われる。なお、内枠１２には、球を遊技盤１３の正面領域に発射する球発射ユニット１１２ａ（図４参照）やその球発射ユニット１１２ａから発射された球を遊技盤１３の正面領域まで誘導する発射レール（図示せず）等が取り付けられている。
【００１６】
内枠１２の正面側には、その正面上側を覆う正面枠１４と、その下側を覆う下皿ユニット１５とが設けられている。正面枠１４及び下皿ユニット１５を支持するために正面視（図１参照）左側の上下２カ所に金属製のヒンジ１９が取り付けられ、そのヒンジ１９が設けられた側を開閉の軸として正面枠１４及び下皿ユニット１５が正面手前側へ開閉可能に支持されている。なお、内枠１２の施錠と正面枠１４の施錠とは、シリンダ錠２０の鍵穴２１に専用の鍵を差し込んで所定の操作を行うことでそれぞれ解除される。
【００１７】
正面枠１４は、装飾用の樹脂部品や電気部品等を組み付けたものであり、その略中央部には略楕円形状に開口形成された窓部１４ｃが設けられている。正面枠１４の裏面側には２枚の板ガラスを有するガラスユニット１６が配設され、そのガラスユニット１６を介して遊技盤１３の正面がパチンコ機１０の正面側に視認可能となっている。
【００１８】
正面枠１４には、球を貯留する上皿１７が正面側へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００１９】
正面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、正面枠１４の正面視（図１参照）左上部には、ＬＥＤ等の発光手段が内蔵され賞球の払い出し中とエラー発生時とを表示可能な表示ランプ３４が設けられている。
【００２０】
また、右側の電飾部３２下側には、正面枠１４の裏面側を視認できるように裏面側より透明樹脂を取り付けて小窓３５が形成され、遊技盤１３正面の貼着スペースＫ１（図２参照）に貼付される証紙等がパチンコ機１０の正面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２１】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２２】
上皿１７の下側に位置する下皿ユニット１５には、その中央部に上皿１７に貯留しきれなかった球を貯留するための下皿５０が上面を開放した略箱状に形成されている。下皿５０の右側には、球を遊技盤１３の正面へ打ち込むために遊技者によって操作される操作ハンドル５１が配設される。
【００２３】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の正面へ球が打ち込まれる。また、操作ハンドル５１が遊技者により操作されていない状態においては、タッチセンサ５１ａおよび発射停止スイッチ５１ｂがオフとなっている。
【００２４】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿５３が取り付けられている。
【００２５】
図２に示すように、遊技盤１３は、正面視略正方形状に切削加工したベース板６０に、球案内用の多数の釘（図示せず）や風車の他、レール６１，６２、一般入賞口６３、第１入球口６４、第２入球口６４０、第一可変入賞装置６５、第２可変入賞装置６５０、普通入球口（スルーゲート）６７、可変表示装置ユニット８０、貯留装置１０００等を組み付けて構成され、その周縁部が内枠１２（図１参照）の裏面側に取り付けられる。ベース板６０は光透過性の樹脂材料からなり、その正面側からベース板６０の背面側に配設された各種構造体を遊技者に視認させることが可能に形成される。一般入賞口６３、第１入球口６４、第２入球口６４０、第１可変入賞装置６５、第２可変入賞装置６５０、可変表示装置ユニット８０、貯留装置１０００は、ルータ加工によってベース板６０に形成された貫通穴に配設され、遊技盤１３の正面側からタッピングネジ等により固定されている。
【００２６】
遊技盤１３の正面中央部分は、正面枠１４の窓部１４ｃ（図１参照）を通じて内枠１２の正面側から視認することができる。以下に、主に図２を参照して、遊技盤１３の構成について説明する。
【００２７】
遊技盤１３の正面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の正面外周が囲まれ、遊技盤１３とガラスユニット１６（図１参照）とにより前後が囲まれることにより、遊技盤１３の正面には、球の挙動により遊技が行われる遊技領域が形成される。遊技領域は、遊技盤１３の正面であって２本のレール６１，６２とレール間を繋ぐ樹脂製の外縁部材７３とにより区画して形成される領域（入賞口等が配設され、発射された球が流下する領域）である。
【００２８】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。また、内レール６１の右下側の先端部と外レール６２の右上側の先端部との間には、レール間を繋ぐ円弧を内面側に設けて形成された樹脂製の円弧部材７０がベース板６０に打ち込んで固定されている。
【００２９】
本パチンコ機１０では、第１入球口６４、および第２入球口６４０へ入賞があったことを契機として特別図柄（第１図柄）の抽選が行われ、球が普通入球口６７を通過した場合に普通図柄（第２図柄）の抽選が行われる。第１入球口６４、および第２入球口６４０への入球に対して行われる特別図柄の抽選では、特別図柄の大当たりか否かの当否判定が行われると共に、特別図柄の大当たりと判定された場合にはその大当たり種別の判定も行われる。なお、本パチンコ機１０では、特別図柄の低確率状態では、例えば、３２０分の１の確率で特別図柄の大当たりと判定され、特別図柄の高確率状態（特別図柄の確変状態とも称する）では、例えば、６０分の１の確率で特別図柄の大当たりと判定される。なお、説明の便宜上、第１入球口６４への入球に対して行われる特別図柄の抽選を「特別図柄１の抽選」と称し、第２入球口６４０への入球に対して行われる特別図柄の抽選を「特別図柄２の抽選」と称する。
【００３０】
特別図柄の大当たりになると、パチンコ機１０が特別遊技状態へ移行すると共に、通常時には閉鎖されている第１特定入賞口６５ａ、または第２特定入賞口６５０ａが所定時間（例えば、３０秒経過するまで、或いは、球が１０個入賞するまで）開放される動作が１５回（１５ラウンド）繰り返される。より具体的には、１〜１１ラウンド、および１３〜１５ラウンドでは、第１特定入賞口６５ａが所定時間（例えば、３０秒経過するまで、或いは、球が１０個入賞するまで）開放され、１２ラウンドでは第２特定入賞口６５０ａが所定時間（例えば、３０秒経過するまで、或いは、球が１０個入賞するまで）開放される。その結果、その第１特定入賞口６５ａ、および第２特定入賞口６５０ａに多量の球が入賞するので、通常時より多量の賞球の払い出しが行われる。
【００３１】
また、第２可変入賞装置６５０の下流に配置される貯留装置１０００の内部には、特別遊技状態の終了後に付与される大当たり終了後の付加価値を決定するための２種類の入球口（確変入球口１０３１、および通常入球口１０３３）が設けられている。詳細については後述するが、特別遊技状態において確変入球口１０３１に対して球が入球した場合は、大当たり終了後の付加価値として「特別図柄の高確率状態」が付与される。一方、特別遊技状態中に一度も確変入球口１０３１へと球が入球しなかった場合は、大当たり終了後の付加価値として「普通図柄の時短状態」が付与される。なお、特別図柄の大当たり種別としては、「大当たりＡ」、「大当たりＢ」の２種類が設けられている（図１７参照）。詳細については後述するが、大当たり種別によって、第２特定入賞口６５０ａの開放パターンが異なって構成されており、確変入球口１０３１への球の入球のしやすさを異ならせている。
【００３２】
特別図柄（第１図柄）の抽選が行われると、第１図柄表示装置３７において特別図柄の変動表示が開始されて、所定時間（例えば、１１秒〜６０秒など）が経過した後に、抽選結果を示す特別図柄が停止表示される。第１図柄表示装置３７において変動表示が行われている間に球が第１入球口６４、または第２入球口６４０へと入球すると、その入球回数は入球口の種別毎にそれぞれ最大４回まで保留され、その保留球数が第１図柄表示装置３７により示されると共に、第３図柄表示装置８１においても示される。第１図柄表示装置３７において変動表示が終了した場合に、第１入球口６４についての保留球数（特別図柄１の保留球数）、または第２入球口６４０についての保留球数（特別図柄２の保留球数）が残っていれば、次の特別図柄の抽選が行われると共に、その抽選に応じた変動表示が開始される。なお、特別図柄１の保留球数と特別図柄２の保留球数が共に残っている場合は、特別図柄２の保留球に基づく抽選が優先的に実行される。
【００３３】
普通図柄（第２図柄）の抽選では、普通図柄の当たりか否かの当否判定が行われる。普通図柄の当たりになると、所定時間（例えば、０．２秒または１秒）だけ第２入球口６４０に付随する電動役物６４０ａが開放され、第２入球口６４０へ球が入球し易い状態になる。つまり、普通図柄の当たりになると、球が第２入球口６４０へ入球し易くなり、その結果、特別図柄の抽選が行われ易くなる。
【００３４】
また、普通図柄（第２図柄）の抽選が行われると、第２図柄表示装置８３において普通図柄の変動表示が開始されて、所定時間（例えば、３秒や３０秒など）が経過した後に、抽選結果を示す普通図柄が停止表示される。第２図柄表示装置８３において変動表示が行われている間に球が普通入球口６７を通過すると、その通過回数は最大４回まで保留され、その保留球数が第１図柄表示装置３７により表示されると共に、第２図柄保留ランプ８４においても示される。第２図柄表示装置８３において変動表示が終了した場合に、普通入球口６７についての保留球数が残っていれば、次の普通図柄の抽選が行われると共に、その抽選に応じた変動表示が開始される。
【００３５】
「大当たりＡ」、および「大当たりＢ」になるといずれも、ラウンド数が１５ラウンドの特別遊技状態（１５Ｒ大当たり）となる。また、特別遊技状態において、確変入球口１０３１（図２参照）へと球が入球すると、大当たり終了後の付加価値として、その大当たり終了後から次に大当たりとなるまでの間、パチンコ機１０が特別図柄の高確率状態（特別図柄の確変中）へ移行する。一方、特別遊技状態において１度も確変入球口１０３１へと球が入球しなかった場合は、大当たり終了後の付加価値として、その大当たり終了後から特別図柄の抽選が１００回終了するまでの間、普通図柄の時短状態へ移行する。なお、大当たり終了後に普通図柄の時短状態へと移行する場合は、あわせて特別図柄の低確率状態へと移行する。この特別図柄の低確率状態は、次に大当たりとなるまで継続する。なお、詳細については後述するが、「大当たりＢ」では、「大当たりＡ」に比較して、特別遊技状態中（大当たり状態中）に球を確変入球口１０３１へと入球させやすくなる。即ち、「大当たりＢ」の方が大当たり終了後に特別図柄の確変状態へと移行しやすくなるので、大当たりの終了後に短い間隔で再度大当たりとなりやすくなる。よって、「大当たりＢ」の方が、「大当たりＡ」よりも遊技者にとって有利な大当たりとなる。
【００３６】
ここで、「特別図柄の高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における特別図柄の高確率状態（特別図柄の確変中）は、普通図柄（第２図柄）の当たり確率がアップして第２入球口６４０へ球が入賞し易い遊技の状態を含む。一方、「特別図柄の低確率状態」とは、特別図柄の確変中でない時をいい、大当たり確率が通常の状態、即ち、特別図柄の確変中よりも大当たり確率が低い状態をいう。
【００３７】
また、普通図柄の時短状態（時短中）とは、普通図柄の当たり確率がアップして第２入球口６４０へ球が入賞し易い遊技の状態のことをいう。また、通常状態とは、特別図柄の確変中でも普通図柄の時短中でもない遊技の状態（大当たり確率も普通図柄（第２図柄）の当たり確率もアップしていない状態）のことをいう。
【００３８】
特別図柄の確変中や、普通図柄の時短中では、普通図柄の当たり確率がアップするだけではなく、第２入球口６４０に付随する電動役物６４０ａが開放される時間も変更され、通常状態に比較して長い時間が設定される。電動役物６４０ａが開放された状態（開放状態）にある場合は、その電動役物６４０ａが閉鎖された状態（閉鎖状態）にある場合と比較して、第２入球口６４０へ球が入賞しやすい状態となる。よって、特別図柄の確変中や普通図柄の時短中は、第２入球口６４０へ球が入球し易い状態となる。即ち、特別図柄の抽選が行われやすくなる。
【００３９】
なお、特別図柄の確変中や普通図柄の時短中において、第２入球口６４０に付随する電動役物６４０ａの開放時間を変更するのではなく、または、その開放時間を変更することに加えて、普通図柄の当たりとなった場合における電動役物６４０ａの開放回数を、通常状態よりも増やすように構成してもよい。また、特別図柄の確変中や普通図柄の時短中において、普通図柄（第２図柄）の当たり確率は変更せず、第２入球口６４０に付随する電動役物６４０ａが開放される時間、および電動役物６４０ａの開放回数のうち少なくとも一方を変更するものとしてもよい。また、特別図柄の確変中や普通図柄の時短中において、第２入球口６４０に付随する電動役物６４０ａが開放される時間や、電動役物６４０ａの開放回数は変更せず、普通図柄（第２図柄）の当たり確率だけを、通常状態に比較してアップするように構成してもよい。
【００４０】
本実施形態では、特別遊技状態の終了後に特別図柄の確変状態が付与される場合は、その特別図柄の確変状態が次の大当たりまで継続するように構成したが、これに限られるものではなく、回数を限ってもよい。具体的には、例えば、特別遊技状態が終了してから特別図柄の抽選が１２０回終了するまで特別図柄の確変状態（高確率状態）が付与され、特別図柄の抽選が１２０回終了して以降は通常状態に設定されるように構成してもよい。また、特別図柄の確変状態となる回数は１２０回に限られず、任意に定めてもよい。同様に、本実施形態では、特別遊技状態において確変入球口１０３１へと球が入球しなかった場合に、特別図柄の抽選が１００回終了するまで普通図柄の時短状態となるように構成されているが、普通図柄の時短期間は１００回に限られず、任意に定めてもよい。
【００４１】
遊技領域の正面視左側下部（図２の左側下部）には、発光手段である複数の発光ダイオード（以下、「ＬＥＤ」と略す）３７ａと７セグメント表示器３７ｂとが設けられた第１図柄表示装置３７が配設されている。第１図柄表示装置３７は、後述する主制御装置１１０で行われる各制御に応じた表示がなされるものであり、主にパチンコ機１０の遊技状態の表示が行われる。複数のＬＥＤ３７ａは、第１入球口６４、または第２入球口６４０への入球（始動入賞）に伴って行われる特別図柄の抽選が実行中であるか否かを点灯状態により示すことによって変動表示を行ったり、変動終了後の停止図柄として、その特別図柄の抽選結果に応じた特別図柄（第１図柄）を点灯状態により示したり、第１入球口６４に入球された球のうち変動が未実行である球（保留球）の数である保留球数を点灯状態により示すものである。
【００４２】
この第１図柄表示装置３７において特別図柄（第１図柄）の変動表示が行われている間に球が第１入球口６４、または第２入球口６４０へと入球した場合、その入球回数は入球口の種別毎にそれぞれ最大４回まで保留され、その保留球数は第１図柄表示装置３７により示されると共に、第３図柄表示装置８１においても示される。なお、本実施形態においては、第１入球口６４、および第２入球口６４０への入球は、それぞれ最大４回まで保留されるように構成したが、最大保留回数は４回に限定されるものでなく、３回以下、又は、５回以上の回数（例えば、８回）に設定しても良い。
【００４３】
７セグメント表示器３７ｂは、大当たり中のラウンド数やエラー表示を行うものである。なお、ＬＥＤ３７ａは、それぞれのＬＥＤの発光色（例えば、赤、緑、青）が異なるよう構成され、その発光色の組み合わせにより、少ないＬＥＤでパチンコ機１０の各種遊技状態（特別図柄の高確率状態や、普通図柄の時短中など）を表示することができる。また、ＬＥＤ３７ａには、変動終了後の停止図柄として特別図柄の抽選結果が大当たりであるか否かが示されるだけでなく、大当たりである場合はその大当たり種別（大当たりＡ、大当たりＢ）に応じた特別図柄（第１図柄）が示される。
【００４４】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入球口６４及び第２入球口６４０への入賞（始動入賞）をトリガとして、第１図柄表示装置３７における変動表示と同期させながら、第３図柄の変動表示を行う液晶ディスプレイ（以下単に「表示装置」と略す）で構成された第３図柄表示装置８１と、普通入球口（スルーゲート）６７の球の通過をトリガとして第２図柄を変動表示するＬＥＤで構成される第２図柄表示装置８３とが設けられている。この可変表示装置ユニット８０には、第３図柄表示装置８１の外周を囲むようにして、センターフレーム８６が配設されている。
【００４５】
第３図柄表示装置８１は９インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７で行われるのに対して、その第１図柄表示装置３７の表示に応じた装飾的な表示を行うものである。なお、表示装置に代えて、例えばリール等を用いて第３図柄表示装置８１を構成するようにしても良い。
【００４６】
本実施形態では、第３図柄は、「０」から「９」の数字を付した１０種類の主図柄により構成されている。本実施形態のパチンコ機１０においては、後述する主制御装置１１０（図４参照）により行われる特別図柄の抽選結果が大当たりであった場合に、同一の主図柄が揃う変動表示が行われ、その変動表示が終わった後に大当たりが発生するよう構成されている。一方、特別図柄の抽選結果が外れであった場合は、同一の主図柄が揃わない変動表示が行われる。
【００４７】
例えば、特別図柄の抽選結果が「大当たりＡ」であれば、偶数番号である「０，２，４，６，８」が付加された主図柄が揃う変動表示が行われる。一方、「大当たりＢ」であれば、奇数番号も加えたすべての番号「０，１，２，３，４，５，６，７，８，９」のうちいずれかの番号が付加された主図柄が揃う変動表示が行われる。一方、特別図柄の抽選結果が外れであれば、同一番号の主図柄が揃わない変動表示が行われる。
【００４８】
次に、第３図柄表示装置８１に表示される、遊技盤１３の右側の経路（流路）を狙って球を打ち出すように促す表示（右打ちナビ）について説明する。
【００４９】
上述した通り、本実施形態のパチンコ機１０では、特別図柄の確変状態や、普通図柄の時短状態となった場合に、電動役物６４０ａが開放しやすくなるので、遊技盤１３の右側へと球を打ち出す（右打ちする）ことにより、第２入球口６４０へと球を入球させやすくなる。また、詳細については後述するが、第２入球口６４０へと球が入球したことに基づいて行われる特別図柄の抽選（特別図柄２の抽選）により大当たりとなると、第１入球口６４へと球が入球したことに基づいて行われる特別図柄の抽選（特別図柄１の抽選）により大当たりとなる場合に比較して「大当たりＢ」となりやすい。よって、大当たりの終了後に付与される特別図柄の確変状態や、普通図柄の時短状態では、右打ちを実行することにより、遊技者にとって有利となる。換言すれば、特別図柄の確変状態や、普通図柄の時短状態に設定されたとしても、遊技者が右打ちしなければ第２入球口６４０へと球を入球させることができないため、特別図柄の確変状態や、普通図柄の時短状態の恩恵を遊技者が十分に受けることができなくなってしまう。
【００５０】
そこで、本実施形態では、特別図柄の確変状態や、普通図柄の時短状態においては、特定の画像（右打ちナビ）を表示させることにより、遊技者が特別図柄の確変状態や普通図柄の時短状態となることによる恩恵を確実に得られるように構成している。
【００５１】
右打ちナビでは、第３図柄表示装置８１に「右を狙え！！」との文字が表示されると共に、その文字の上下に右向きの矢印が３つずつ表示される。これらの文字、および矢印が表示されることにより、遊技者に対して球を遊技盤１３の右側に設けられた経路（流路）へと打ち出すべきであると感じさせることができる。よって、遊技者に対して、特別図柄の確変状態、および普通図柄の時短状態となることによる恩恵を確実に獲得させることができる。
【００５２】
次に、本実施形態のパチンコ機１０において第３図柄表示装置８１に対して表示される警告画像の一例について説明する。この警告画像は、遊技者が遊技盤１３の右側に設けられた経路（流路）へと球を打ち出す（右打ちする）べき期間でないにもかかわらず、右打ちを実行していると判別された場合に第３図柄表示装置８１に対して表示される画像（右打ち警告画像）である。より具体的には、通常状態（特別図柄の確変状態でも、普通図柄の時短状態でもない状態）において、遊技者が右打ちを行っていると判別した場合に表示される。
【００５３】
本実施形態のパチンコ機１０では、通常状態において電動役物６４０ａが開放されにくくなるように制御される（右打ちを行ったとしても第２入球口６４０へと球を入球させにくい）。このため、通常状態において右打ちを行うと、左打ちにより第１入球口６４を狙って球を打ち出す場合に比較して、特別図柄の抽選を受ける機会が少なくなってしまう。即ち、通常状態において右打ちを行うと、大当たりとなりにくくなるので、遊技者にとって損となってしまう。よって、右打ち警告画像を表示させて左打ちを促すことにより、遊技者が損をしてしまうことを防止（抑制）できるように構成している。
【００５４】
通常状態において遊技者が右打ちを行っていると判別した場合には、第３図柄表示装置８１に対して、「警告」との文字と、「左打ちで遊技してね！！」との文字とが表示される。これらの文字が表示されることにより、遊技者に対して右打ちをすべきではない（左打ちを行うべきである）と気付かせることができる。また、ホールの店員も右打ち警告画面の有無を確認することにより、通常状態において右打ちを行う変則的な遊技方法を実行している遊技者がいるか否かを容易に判別することができる。
【００５５】
なお、右打ちを行っているか否かの判断方法としては、例えば、右打ちを行った場合に球が流入し得る普通入球口（スルーゲート）６７（図２参照）に対して球が入球したか否かによって判断する。
【００５６】
本実施形態では、通常状態において普通入球口（スルーゲート）６７（図２参照）に球が入球したことを検出した場合に、右打ち警告画像を表示させるように構成していたが、これに限られるものではない。例えば、特別遊技状態（大当たり状態）以外の状態において、第２特定入賞口６５０ａへと球が入賞（入球）したことを検出した場合に、不正遊技が行われていると判別して、右打ち警告画像を表示させるように構成してもよい。これにより、ホールの店員は右打ち警告画像の有無を確認するだけで容易に不正の有無を判別することができる。また、特別遊技状態（大当たり状態）以外の状態において、第２特定入賞口６５０ａへと球が入球したことを検出した場合に、ホールコンピュータに対して不正が行われていることを示す信号を出力するように構成してもよい。これにより、ホールコンピュータの操作者は容易に不正が行われている可能性の有無、および不正行為が行われているパチンコ機１０の台番号（位置）を判断することができる。
【００５７】
次に、貯留装置１０００において異常が発生していることを検知した場合に表示される警告画像について説明する。ここで、貯留装置１０００の異常とは、例えば、特別遊技状態（大当たり状態）でないにもかかわらず確変入球口１０３１や通常入球口１０３３への入球を検出した場合などが例示される。
【００５８】
貯留装置１０００において異常が発生していると判別した場合は、第３図柄表示装置８１の中央部分に「警告」との文字が大きく表示される。また、その下部には、「ゲートエラー係員を呼んで下さい」との文字が表示される。これらの文字により、遊技者は、パチンコ機１０においてエラーが発生していると判別することができるので、ホールの店員等に対して迅速に修理等を依頼することができる。
【００５９】
第２図柄表示装置８３は、球が普通入球口（スルーゲート）６７を通過する毎に表示図柄（第２図柄（図示せず））としての「○」の図柄と「×」の図柄とを所定時間交互に点灯させる変動表示を行うものである。パチンコ機１０では、球が普通入球口（スルーゲート）６７を通過したことが検出されると、当たり抽選が行われる。その当たり抽選の結果、当たりであれば、第２図柄表示装置８３において、第２図柄の変動表示後に「○」の図柄が停止表示される。また、当たり抽選の結果、外れであれば、第２図柄表示装置８３において、第２図柄の変動表示後に「×」の図柄が停止表示される。
【００６０】
パチンコ機１０は、第２図柄表示装置８３における変動表示が所定図柄（本実施形態においては「○」の図柄）で停止した場合に、第２入球口６４０に付随された電動役物６４０ａが所定時間だけ作動状態となる（開放される）よう構成されている。
【００６１】
第２図柄の変動表示にかかる時間（変動時間）は、遊技状態が通常状態中よりも、特別図柄の確変中、または普通図柄の時短中の方が短くなるように設定される。これにより、特別図柄の確変中、および普通図柄の時短中は、第２図柄の変動表示が短い時間で行われるので、普通図柄（第２図柄）の抽選を通常状態中よりも多く行うことができる。よって、普通図柄の当たりとなる機会が増えるので、第２入球口６４０の電動役物６４０ａが開放状態となる機会を遊技者に多く与えることができる。従って、特別図柄の確変中、および普通図柄の時短中は、第２入球口６４０へ球が入賞しやすい状態とすることができる。
【００６２】
なお、特別図柄の確変中、または普通図柄の時短中において、当たり確率をアップさせたり、電動役物６４０ａの開放時間や開放回数を増やしたりするなど、その他の方法によって第２入球口６４０へ球が入賞しやすい状態としている場合は、第２図柄の変動表示にかかる時間を遊技状態にかかわらず一定としてもよい。一方、第２図柄の変動表示にかかる時間を、特別図柄の確変中、または普通図柄の時短中において、通常状態中よりも短く設定する場合は、普通図柄の当たり確率を遊技状態にかかわらず一定にしてもよいし、１回の普通図柄の当たりに対する電動役物６４０ａの開放時間や開放回数を遊技状態にかかわらず一定にしてもよい。
【００６３】
普通入球口（スルーゲート）６７は、可変表示装置ユニット８０の下側の領域における右方において遊技盤に組み付けられ、遊技盤に発射された球のうち、遊技盤の右方を流下する球の一部が通過可能に構成されている。普通入球口（スルーゲート）６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００６４】
球の普通入球口（スルーゲート）６７の通過回数は、合計で最大４回まで保留され、その保留球数が上述した第１図柄表示装置３７により表示されると共に第２図柄保留ランプ８４においても点灯表示される。第２図柄保留ランプ８４は、最大保留数分の４つ設けられ、第３図柄表示装置８１の下方に左右対称に配設されている。
【００６５】
なお、第２図柄の変動表示は、本実施形態のように、第２図柄表示装置８３において複数のランプの点灯と非点灯を切り換えることにより行うものの他、第１図柄表示装置３７及び第３図柄表示装置８１の一部を使用して行うようにしても良い。同様に、第２図柄保留ランプ８４の点灯を第３図柄表示装置８１の一部で行うようにしても良い。また、普通入球口（スルーゲート）６７の球の通過に対する最大保留球数は４回に限定されるものでなく、３回以下、又は、５回以上の回数（例えば、８回）に設定しても良い。また、普通入球口（スルーゲート）６７の組み付け数は１つに限定されるものではなく、複数（例えば、２つ）であっても良い。また、普通入球口（スルーゲート）６７の組み付け位置は可変表示装置ユニット８０の右方に限定されるものではなく、例えば、可変表示装置ユニット８０の左方でも良い。また、第１図柄表示装置３７により保留球数が示されるので、第２図柄保留ランプ８４により点灯表示を行わないものとしてもよい。
【００６６】
可変表示装置ユニット８０の下方には、球が入賞し得る第１入球口６４が配設されている。この第１入球口６４へ球が入賞すると遊技盤１３の裏面側に設けられる第１入球口スイッチ（図示せず）がオンとなり、その第１入球口スイッチのオンに起因して主制御装置１１０（図４参照）で大当たりの抽選がなされ、その抽選結果に応じた表示が第１図柄表示装置３７で示される。
【００６７】
一方、第１入球口６４の正面視右方には、球が入賞し得る第２入球口６４０が配設されている。この第２入球口６４０へ球が入賞すると遊技盤１３の裏面側に設けられる第２入球口スイッチ（図示せず）がオンとなり、その第２入球口スイッチのオンに起因して主制御装置１１０（図４参照）で大当たりの抽選がなされ、その抽選結果に応じた表示が第１図柄表示装置３７で示される。
【００６８】
また、第１入球口６４および第２入球口６４０は、それぞれ、球が入賞すると５個の球が賞球として払い出される入賞口の１つにもなっている。なお、本実施形態においては、第１入球口６４へ球が入賞した場合に払い出される賞球数と第２入球口６４０へ球が入賞した場合に払い出される賞球数とを同じに構成したが、第１入球口６４へ球が入賞した場合に払い出される賞球数と第２入球口６４０へ球が入賞した場合に払い出される賞球数とを異なる数、例えば、第１入球口６４へ球が入賞した場合に払い出される賞球数を３個とし、第２入球口６４０へ球が入賞した場合に払い出される賞球数を５個として構成してもよい。
【００６９】
第２入球口６４０には電動役物６４０ａが付随されている。この電動役物６４０ａは開閉可能に構成されており、通常は電動役物６４０ａが閉鎖状態（縮小状態）となって、球が第２入球口６４０へ入賞しにくい状態となっている。一方、普通入球口（スルーゲート）６７への球の通過を契機として行われる第２図柄の変動表示の結果、「○」の図柄が第２図柄表示装置８３に表示された場合、電動役物６４０ａが開放状態（拡大状態）となり、球が第２入球口６４０へ入賞しやすい状態となる。
【００７０】
上述した通り、特別図柄の確変中および普通図柄の時短中は、通常状態中に比較して普通図柄の当たり確率が高く、また、普通図柄の変動表示にかかる時間も短いので、普通図柄の変動表示において「○」の図柄が表示され易くなる。よって、電動役物６４０ａが開放状態（拡大状態）となる回数が増える。更に、特別図柄の確変中および普通図柄の時短中は、電動役物６４０ａが開放される時間も、通常状態中より長くなる。よって、特別図柄の確変中および普通図柄の時短中は、通常状態に比較して、第２入球口６４０へ球が入賞しやすい状態を作ることができる。一方、第１入球口６４は、第２入球口６４０に設けられているような電動役物は有しておらず、球が常時入賞可能な状態となっている。
【００７１】
ここで、第１入球口６４に球が入賞した場合と第２入球口６４０へ球が入賞した場合とで、大当たりとなる確率は、低確率状態であっても高確率状態でも同一である。しかしながら、大当たりとなった場合に選定される大当たりの種別として、特別遊技状態中に確変入球口１０３１へと球を入球させ易い大当たり（大当たりＢ）となる確率は、第２入球口６４０へ球が入賞した場合のほうが第１入球口６４へ球が入賞した場合よりも高く設定されている（図１７参照）。
【００７２】
通常中においては、第２入球口６４０に付随する電動役物が閉鎖状態にある場合が多く、第２入球口６４０に入賞しづらいので、電動役物のない第１入球口６４へ向けて、可変表示装置ユニット８０の左方を球が通過するように球を発射し（所謂「左打ち」）、第１入球口６４への入賞によって大当たり抽選の機会を多く得て、大当たりとなることを狙った方が、遊技者にとって有利となる。
【００７３】
一方、特別図柄の確変中や普通図柄の時短中は、普通入球口（スルーゲート）６７に球を通過させることで、第２入球口６４０に付随する電動役物６４０ａが開放状態となりやすく、第２入球口６４０に入賞しやすい状態であるので、第２入球口６４０へ向けて、可変表示装置８０の右方を球が通過するように球を発射し（所謂「右打ち」）、普通入球口（スルーゲート）６７を通過させて電動役物６４０ａを開放状態にすると共に、第２入球口６４０への入賞によって大当たりＢとなることを狙った方が、遊技者にとって有利となる。
【００７４】
このように、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることができる。よって、遊技者に対して、球の打ち方に変化をもたらすことができるので、遊技を楽しませることができる。
【００７５】
第１入球口６４の下方右側（第２入球口６４０の下方左側）には、第１可変入賞装置６５が配設されており、その略中央部分に横長矩形状の第１特定入賞口（大開放口）６５ａが設けられている。パチンコ機１０においては、第１入球口６４、または第２入球口６４０への入賞に起因して行われた特別図柄の抽選で大当たりになると、所定時間（変動時間）が経過した後に、大当たりの停止図柄となるよう第１図柄表示装置３７を点灯させる。加えて、大当たりに対応した停止図柄を第３図柄表示装置８１に表示させて、大当たりの発生が報知される。その後、球が入賞し易い特別遊技状態（大当たり）に遊技状態が遷移する。この特別遊技状態として、通常時には閉鎖されている第１特定入賞口６５ａが、所定時間（例えば、３０秒経過するまで、或いは、球が１０個入賞するまで）開放される。
【００７６】
この第１特定入賞口６５ａは、所定時間が経過すると閉鎖され、その閉鎖後、再度、その特定入賞口６５ａが所定時間開放される。この第１特定入賞口６５ａの開閉動作は、最高で例えば１４回（１４ラウンド）繰り返し可能にされている。より具体的には、特別遊技状態の１〜１１ラウンドと、１３〜１５ラウンドにおいて、第１特定入賞口６５ａの開閉動作が実行される。この開閉動作が行われている状態が、遊技者にとって有利な特別遊技状態の一形態であり、遊技者には、遊技上の価値（遊技価値）の付与として通常時より多量の賞球の払い出しが行われる。
【００７７】
第１可変入賞装置６５は、具体的には、第１特定入賞口６５ａを覆うと共に、正面視手前側に突出することにより球を第１可変入賞装置６５へと入球することを妨げる閉状態を形成する開閉板６５ｂと、その開閉板６５ｂを動作させるソレノイド（図示せず）とを備えている。第１特定入賞口６５ａは、通常時は、球が入賞できないか又は入賞し難い閉状態になっている。大当たりの際にはソレノイドを駆動して開閉板６５ｂを正面視奥側に引き込み、球が第１特定入賞口６５ａに入賞しやすい開状態を一時的に形成し、その開状態と通常時の閉状態とを交互に繰り返すように作動する。
【００７８】
第１可変入賞装置６５の上方右側には、第２可変入賞装置６５０が設けられている。第２可変入賞装置６５０は、具体的には、正面視手前側に突出することにより球を第２可変入賞装置６５０へと入球することを妨げる閉状態を形成する開閉板６５０ｂと、その開閉板６５０ｂを動作させるソレノイド６５０ｃ（図８参照）とを備えている。第２特定入賞口６５０ａは、通常時は、球が入賞できないか又は入賞し難い閉状態になっている（図７（ｂ）参照）。一方、特別図柄の抽選により大当たりとなり、１２ラウンド目になると、第２特定入賞口６５０ａを覆う開閉版６５０ｂが正面視奥側へ引き込み、球が第２可変入賞装置６５０へと入球可能な開状態を所定パターン（図１６参照）で形成する（図７（ａ）参照）。
【００７９】
上述した通り、特別遊技状態（大当たり中）において第２特定入賞口６５０ａへと入球した球が貯留装置１０００の内部に設けられた確変入球口１０３１へと入球することに基づき、大当たりの終了後に特別図柄の確変状態へと移行する。一方、特別遊技状態において球が第２特定入賞口６５０ａへ入球しなかった場合や、第２特定入賞口６５０ａへと入球しても、全ての球が通常入球口１０３３へと入球した場合は大当たりの終了後に普通図柄の時短状態へと移行する。
【００８０】
なお、特別遊技状態は上記した形態に限定されるものではない。特別遊技状態において開放される入賞口として第１特定入賞口６５ａ、第２特定入賞口６５０ａに加え、更に他の入賞口を設けてもよい。また、逆に、入賞口を第１特定入賞口６５ａのみとしてもよい。また配置位置も本実施形態の配置に限られるものではなく、任意の位置に配設してもよい。
【００８１】
遊技盤１３の下側における右隅部には、証紙や識別ラベル等を貼着するための貼着スペースＫ１が設けられ、貼着スペースＫ１に貼られた証紙等は、正面枠１４の小窓３５（図１参照）を通じて視認することができる。
【００８２】
遊技盤１３には、第１入球口６４の下方に第１アウト口６６が設けられている。遊技領域を流下する球であって、いずれの入球口６３，６４，６５ａ，６４０，６５０ａにも入賞しなかった球は、第１アウト口６６を通って図示しない球排出路へと案内される。遊技盤１３には、球の落下方向を適宜分散、調整等するために多数の釘が植設されていると共に、風車等の各種部材（役物）が配設されている。
【００８３】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００８４】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００８５】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００８６】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００８７】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００８８】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００８９】
次に、図４を参照して、本パチンコ機１０の電気的構成について説明する。図４は、パチンコ機１０の電気的構成を示すブロック図である。
【００９０】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７及び第３図柄表示装置８１における表示の設定、第２図柄表示装置における表示結果の抽選といったパチンコ機１０の主要な処理を実行する。
【００９１】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００９２】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００９３】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００９４】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７、第２図柄表示装置、第２図柄保留ランプ、第１特定入賞口６５ａの開閉板の下辺を軸として正面側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００９５】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００９６】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００９７】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００９８】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００９９】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【０１００】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【０１０１】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には、遊技中に動作する可動役物を駆動させる駆動モーター等が含まれる。
【０１０２】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた後面画像を第３図柄表示装置８１に表示させるべく、変更後のステージに関する情報を含めた後面画像変更コマンドを表示制御装置１１４へ送信する。ここで、後面画像とは、第３図柄表示装置８１に表示させる主要な画像である第３図柄の後面側に表示される画像のことである。表示制御装置１１４は、この音声ランプ制御装置１１３から送信されるコマンドに従って、第３図柄表示装置８１に各種の画像を表示する。
【０１０３】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【０１０４】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【０１０５】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【０１０６】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【０１０７】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【０１０８】
次いで、図５及び図６を参照して、遊技者が遊技盤１３の右側へと球を射出した場合（右打ちした場合）の経路について説明する。まず、図５は、遊技盤１３の右側に設けられた経路（流路）のうち、貯留装置１０００よりも上流側の部分の部分正面図である。図５に示した通り、遊技盤１３の右側の流路（経路）には、その上部に普通入球口６７が設けられている。
【０１０９】
上述した通り、この普通入球口６７を球が通過すると、普通図柄の抽選が実行される。そして、普通図柄の当たりとなると、第２図柄表示装置８３において、普通図柄の抽選結果を示すための変動演出が実行された後で、普通図柄の当たりを示す「○」図柄が表示される。そして、第２図柄表示装置８３に対して「○」図柄が表示されることに基づいて、普通入球口６７の下流に設けられている第２入球口６４０に付随する電動役物６４０ａが所定期間（０．２秒間×１回、または１秒×２回）開放される。
【０１１０】
電動役物６４０が開放されている間は、右打ちした球が第２入球口６４０へと入球しやすくなる。上述した通り、特別図柄の確変中や、普通図柄の時短中においては、普通図柄の当たり確率がアップすると共に、普通図柄の変動時間が短くなり、電動役物の開放期間が長くなるので、第２入球口６４０へと球が入球しやすい状態となる。よって、右打ちを実行することにより、球を減らすことなく特別図柄の抽選を受けることができる。
【０１１１】
次に、図６を参照して、遊技盤１３の右側に設けられた経路（流路）のうち、第２入球口６４０よりも下流側の部分について説明する。図６は、遊技盤１３の右側に設けられた経路（流路）のうち、第２入球口６４０よりも下流側の部分の部分正面図である。図６に示した通り、遊技盤１３の右側に設けられた経路（流路）の下流には、第２可変入賞装置６５０が設けられており、その第２可変入賞装置６５０の下流には、第１可変入賞装置６５が設けられている。
【０１１２】
即ち、遊技者が右打ちを行うことにより、右側の経路（流路）の下流へと流下した球のうち、第２入球口６４０へと流入（入球）せずに下流へと流下した球が第２可変入賞装置６５０の方向へと流下する。第２可変入賞装置６５０の方向へと流下し、第２特定入賞口６５０ａへと入球した球は、誘導流路１０２０を通って、貯留装置１０００の内部へ案内される。また、第２可変入賞装置６５０の方向へと流下し、第２特定入賞口６５０ａへと入球しなかった球は、第１可変入賞装置６５の方向へと流下する。そして、第１可変入賞装置６５へと流下し、第１特定入賞口６５ａへと入球しなかった球は、第１アウト口６６（図２参照）を通って図示しない球排出路へと案内される。
【０１１３】
このように、遊技者が右打ちを行うだけで、貯留装置１０００、第１可変入賞装置６５、および第２可変入賞装置６５０の方向へと球を流下させることができる。よって、特別遊技状態（大当たり状態）において、遊技者は右打を行うだけで、球を第１特定入賞口６５ａ、または第２特定入賞口６５０ａへと球を入球させることができ、多量の賞球を獲得することができる。
【０１１４】
また、第１特定入賞口６５ａ、または第２特定入賞口６５０ａを狙って打ち出した球の一部は、貯留装置１０００へと入球する。そして、詳細については後述するが、特別遊技状態（大当たり状態）では、貯留装置１０００へと複数個の球が入球することにより、傾倒部材１０４０を傾倒させることができ（初期状態から傾倒状態へと変化させることができ）、これにより確変入球口１０３１へ球を流下させることができる。本実施形態における遊技機１３は、確変入球口１０３１へと入球することに基づき、大当たりの終了後に特別図柄の確変状態へと移行するように設定されているため、遊技者に対して、大当たりとなることをより楽しみに遊技を行わせることができ、遊技者の遊技に対する興趣を向上させることができる。
【０１１５】
次に、図７を参照して、第１可変入賞装置６５、第２可変入賞装置６５０及び貯留装置１０００の動作について説明する。図７（ａ）及び図７（ｂ）は、第１可変入賞装置６５、第２可変入賞装置６５０及び貯留装置１０００の正面図である。なお、図７（ａ）では、第１可変入賞装置６５の閉鎖状態、第２可変入賞装置６５０の開放状態、および流下防止板１０１５の突出状態が図示され、図７（ｂ）では、第１可変入賞装置６５の開放状態、第２可変入賞装置６５０の閉鎖状態、および流下防止板１０１５の埋没状態が図示される。
【０１１６】
図７（ａ）に示した通り、第２可変入賞装置６５０の第２特定入賞口６５０ａは、開閉板６５０ｂが正面視奥側へとスライド動作することにより、遊技盤１３の内部へと埋没し、第２特定入賞口６５０ａを開放することが可能に構成されている。この第２特定入賞口６５０ａが開放されることにより、遊技盤１３の右側に設けられた経路（流路）を流下した遊技球が第２特定入賞口６５０ａへと入球可能な状態となる。なお、上述した通り、第２特定入賞口６５０ａは、特別遊技状態（大当たり状態）の１２ラウンド目において所定期間（例えば、３０秒経過するまで、或いは、球が１０個入賞するまで）開放される。そして、第２特定入賞口６５０ａへと球が入球すると、１球の入球に対して１５個の賞球が払い出される。よって、遊技者は多量の賞球を獲得することができる。
【０１１７】
第２特定入賞口６５０ａへと入球した球は、誘導流路１０２０を介して貯留装置１０００の内部へ案内される。そして、その球は傾倒部材１０４０の上面に到達し、傾倒部材１０４０の上面が作る傾斜に従って流下する。なお、図７（ａ）に示す傾倒部材１０４０の初期状態では、傾倒部材１０４０の上面へ到達した球は、流下防止板１０１５が配設される側である左側下方へ流下する。そのため、流下防止板１０１５が突出状態を維持する限り、球は傾倒部材１０４０の上面に停留する。
【０１１８】
また、図７（ｂ）に示した通り、第１可変入賞装置６５の第１特定入賞口６５ａは、開閉板６５ｂが正面視奥側へとスライド動作することにより、遊技盤１３の内部へと埋没することが可能に構成されている。これにより第１可変入賞装置６５の上部が開放され、遊技盤１３の右側に設けられた経路（流路）を流下した遊技球が入球可能な状態となる。なお、上述した通り、第１特定入賞口６５ａは、特別遊技状態（大当たり状態）の１〜１１ラウンド目、および１３〜１５目ラウンドにおいて所定期間（例えば、３０秒経過するまで、或いは、球が１０個入賞するまで）開放される。そして、第１特定入賞口６５ａへと球が入球すると、１球の入球に対して１５個の賞球が払い出される。よって、遊技者は多量の賞球を獲得することができる。
【０１１９】
図７（ｂ）に示した通り、第２特定入賞装置６５０が閉鎖状態となることと連動して、流下防止板１０１５が埋没状態に変化する。そのため、第２特定入賞装置６５０が閉鎖状態となった時に、傾倒部材１０４０が初期状態を維持していた場合、傾倒部材１０４０の上面に停留していた球は、左側下方へ流下し、通常入球口１０３３を通って、図示しない球排出路へと排出される。
【０１２０】
次いで、図８から図１０を参照して、貯留装置１０００の構成の概要について説明する。図８（ａ）は、貯留装置１０００の正面斜視図であり、図８（ｂ）は貯留装置１０００の背面斜視図である。また図９（ａ）は、貯留装置１０００の正面図であり、図９（ｂ）は、貯留装置１０００の上面図であり、図１０（ａ）は、貯留装置１０００の背面図であり、図１０（ｂ）は、図９（ａ）のＸｂ−Ｘｂ線における貯留装置１０００の部分断面図である。
【０１２１】
なお、図８から図１０において、ベース板６０が部分的に破断して図示される。また、図８（ａ）及び図８（ｂ）において、ベース板６０の奥側が視認可能とされ、誘導流路１０２０の下流側に配設される分岐流路１０３０の手前側の側壁が透明視される。
【０１２２】
図８（ａ）及び図８（ｂ）に示すように、貯留装置１０００は、ベース板６０に締結固定される板形状の本体板部１００１と、その本体板部１００１の背面に固定される球止め装置１０１０と、本体板部１００１の正面側において流下し第２特定入賞口６５０ａに入球した球を、本体板部１００１の背面側へ流下させてから再び本体板部１００１の正面側へ向けて流下させる態様で形成される流路である誘導流路１０２０と、その誘導流路１０２０から排出された球が到達する流路であって左右に球を分岐させる二股の分岐流路１０３０と、その分岐流路１０３０の内側においてベース板６０に回転可能に軸支されると共に、誘導流路１０２０の排出口の下方に配設される傾倒部材１０４０と、を主に備える。
【０１２３】
球止め装置１０１０は、流下防止板１０１５の突出状態において、傾倒部材１０４０の上面を流下する球の流下を防止するか、流下防止板１０１５を埋没状態として、球を下流へ流下させるかの切り替えを行う装置である。なお、詳細は後述する。
【０１２４】
誘導流路１０２０は、第２特定入賞口６５０ａに入球した球を受け止める正面視Ｕ字形状の凹部である球受け凹部１０２１と、その球受け凹部１０２１から後側へ向けて本体板部１００１を貫通して形成される通過口１０２２と、その通過口１０２２の後側において正面視左下方へ傾斜形成される傾斜流路１０２３と、その傾斜流路１０２３の左側において正面側へ向けて本体板部１００１を貫通して形成される排出口１０２４と、を主に備える（図１０（ｂ）参照）。
【０１２５】
球受け凹部１０２１は、底部が後側へ向けて下降傾斜する態様で形成される。これにより、第２特定入賞口６５０ａに入球した球を、通過口１０２２へ向けてスムーズに流下させることができる。
【０１２６】
通過口１０２２は、球の通過を検出する検出口の一つであり、球の通過により、第２可変入賞装置６５０への球の入賞が検出されて賞球の払い出しが行われる。
【０１２７】
傾斜流路１０２３は、左下方へ向けて延びる流路であって、底部が正面側へ緩やかに下方傾斜して形成される（前後方向の傾斜が、左右方向の傾斜に比較して緩やかに形成される）と共に、左側端部に傾斜面部１０２３ａを備える。傾斜面部１０２３ａは、正面側へ向かう程、左方へ向けて傾斜する傾斜面として形成される。
【０１２８】
このような構成から、通過口１０２２を通過した球は、傾斜流路１０２３の途中で正面側へ流下することは少なく、その多くが、正面視左下方へ流下した後で、傾斜面部１０２３ａに衝突することで正面側へ向きを変え、排出口１０２４から下方へ落下する態様で流下する。このように、本実施形態では、排出口１０２４の左端から球を排出しやすくしている。
【０１２９】
排出口１０２４は、傾斜流路１０２３を流下した球を、正面側へ排出する貫通孔である。本実施形態では、球を横並びで複数個（最大で３個）同時に排出可能な左右幅で形成される。これにより、例えば、球が傾斜流路１０２３を１個流下した場合と、球が傾斜流路１０２３を複数個まとまって流下した場合とで、球の排出の態様を異ならせることができるので、球の流下態様が毎回同じことが原因で、貯留装置１０００を視認する遊技者が飽きることを防止することができ、遊技者を楽しませることができる。
【０１３０】
分岐流路１０３０は、本体板部１００１の正面側に延設される板により区画される流路であると共に排出口１０２４から排出された球が流下可能な二股の流路であって、上述した確変入球口１０３１と、その確変入球口１０３１へ球を案内する流路であって傾倒部材１０４０の正面視右方に形成される確変側流路１０３２と、上述した通常入球口１０３３と、その通常入球口１０３３へ球を案内する流路であって傾倒部材１０４０の正面視左方に形成される通常側流路１０３４と、を主に備える。
【０１３１】
傾倒部材１０４０は、正面視矩形状の矩形錘部１０４１と、本体板部１００１の前面から正面側へ向けて突設される棒状部分であって矩形錘部１０４１を偏心して（右側に偏心して）軸支する軸棒部１０４２と、上面が矩形錘部１０４１の上面と面位置となるように正面視右方へ向けて延設される板状の延設板部１０４３と、を主に備える。
【０１３２】
傾倒部材１０４０は、上面に球が乗っていない状態において、自らの重心位置側（矩形錘部１０４１がある側（正面視左側））に傾倒する状態（初期状態、図９（ａ）参照）となる。この初期状態において、傾倒部材１０４０の上面に着地した球は、左方へ流下し、通常側流路１０３４へ向けて流下する。
【０１３３】
一方、図１４で後述するように、傾倒部材１０４０の上面に複数個（本実施形態では、３個以上）の球が停留した場合、傾倒部材１０４０と球とを合わせた重心位置（延設板部１０４３がある側（正面視右側））に応じて、延設板部１０４３が傾倒する状態（傾倒状態）となる。この傾倒状態において、傾倒部材１０４０の上面に着地した球は、右方へ流下し、確変側流路１０３２へ向けて流下する。このように、傾倒部材１０４０は、上面に着地した球との関係により、状態を変化させ、球の分岐を補助する部材として作用する。
【０１３４】
次いで、図１１を参照して、球止め装置１０１０の動作について説明する。なお、図１１では、図８から図１０を適宜参照して説明する。図１１（ａ）は、図１０（ａ）の矢印ＸＩａ方向視における貯留装置１０００の部分側面図であり、図１１（ｂ）は、図１０（ａ）の矢印ＸＩｂ方向視における貯留装置１０００の部分側面図である。
【０１３５】
図１１（ａ）及び図１１（ｂ）に示すように、球止め装置１０１０は、保体板部１００１から背面側へ向けて板状に延設される基礎板部１０１１と、その基礎板部１０１１に溝として形成される環状溝１０１２と、その環状溝１０１２の環の内側において基礎板部１０１１に回転可能に軸支されるＬ回転歯車１０１３と、そのＬ回転歯車を歯合すると共に基礎板部１０１１に回転可能に軸支される反転歯車１０１４と、その反転歯車１０１４に連結されると共に反転歯車１０１４の回転に基づいて本体板部１００１の正面側へ突出可能に形成される流下防止板１０１５と、第２可変入賞装置６５０の開閉板６５０ｂに固定される細径の金属棒であって先端が環状溝１０１２に押し付けられる態様で構成される伝達棒１０１６と、を主に備える。
【０１３６】
環状溝１０１２は、前後方向（図１１（ａ）左右方向）に長い楕円形状に沿って形成される溝であって、上溝１０１２ａと下溝１０１２ｂとの底部同士で互いに段が形成されることで、底部に当接して移動する伝達棒１０１６の進行方向を一方向に限定する溝である。
【０１３７】
即ち、環状溝１０１２の後側端部（図１１（ａ）左側端部）において、下溝１０１２ｂの方が上溝１０１２ａに比較して溝深さ（図１１（ａ）紙面奥方向への長さ）が大きくされ、上溝１０１２ａと下溝１０１２ｂとが前後方向の途中位置では互いに逆の傾斜方向で溝深さが変化し、環状溝１０１２の前側端部（図１１（ａ）右側端部）において、上溝１０１２ａの方が、下溝１０１２ｂに比較して溝深さ（図１１（ａ）紙面奥方向への長さ）が大きくされる。このように構成することで、伝達棒１０１６の移動経路を、図１１（ａ）において、一方向（反時計回りの方向）に限定することができる。従って、開閉板６５０ｂの開閉動作に基づいて、伝達棒１０１６を一方向に動作させることができる。
【０１３８】
Ｌ回転歯車１０１３は、基礎板部１０１１に回転軸を挿通する態様で、基礎板部１０１１に回転可能に軸支される歯車１０１３ａと、その歯車１０１３ａの回転軸に固定されることにより歯車１０１３ａと同角度で回転する十字部材１０１３ｂと、を主に備える。
【０１３９】
十字部材１０１３ｂは、基礎板部１０１１の環状溝１０１２が形成される側面と対向配置され、歯車１０１３ａは、基礎板部１０１１を挟んで十字部材１０１３ｂとは反対側に配置される。
【０１４０】
図１１（ａ）に示すように、十字部材１０１３ｂは、環状溝１０１２の前後方向（図１１（ａ）左右方向）の途中位置において、環状溝１０１２と干渉する位置まで延設される。そのため、伝達棒１０１６が上溝１０１２ａを左方へ移動したり、下溝１０１２ｂを右方へ移動したりすることに基づいて、伝達棒１０１６が十字部材１０１３ｂを押進し、環状溝１０１２と干渉する部分（長手方向を上下に向ける部分）が、長手方向を前後方向（図１１（ａ）左右方向）へ向ける姿勢となる態様で、９０度ずつ、回転動作する。
【０１４１】
即ち、伝達棒１０１６が環状溝１０１２を半周移動することで、十字部材１０１３ｂは９０度回転し、伝達棒１０１６が環状溝１０１２を一周移動することで、十字部材１０１３ｂは１８０度回転する。
【０１４２】
反転歯車１０１４は、Ｌ回転歯車１０１３の歯車１０１３ａに歯合される歯車１０１４ａと、その歯車１０１４ａの軸方向一側に一体で形成される円板形状の円板部１０１４ｂと、その円板部１０１４ｂから偏心して突設される突設ピン１０１４ｃと、を主に備える。
【０１４３】
歯車１０１４ａは、歯車１０１３ａに対して、歯車比が倍となる態様で形成される。即ち、歯車１０１３ａの回転角度の倍の角度で、歯車１０１４ａが回転する歯車として設計される。即ち、歯車１０１３ａ（十字部材１０１３ｂ）が９０度回転することで歯車１０１４ａは１８０度回転し、歯車１０１３ａ（十字部材１０１３ｂ）が１８０度回転することで、歯車１０１４ａは３６０度回転する。従って、伝達棒１０１６が環状溝１０１２を半周移動するたびに、突設ピン１０１４ｃが前後で位置を入れ替えられる。
【０１４４】
流下防止板１０１５は、反転歯車１０１４の回転に基づいて前後に往復動作する板部材であり、上下方向に延設され突設ピン１０１４ｃが挿通される連結長孔１０１５ａと、突出状態において球と当接する側面である当接側面１０１５ｂと、を備える。なお、図１１（ａ）では、流下防止板１０１５の突出状態が図示される。また、当接側面１０１５ｂは、初期状態における傾倒部材１０４０の上面となす角度が９０度となる態様で形成される。
【０１４５】
図１１（ａ）に示す状態から、反転歯車１０１４が１８０度回転し、突設ピン１０１４ｃが後側に配置されると、流下防止板１０１５が後方へ引き込まれ、埋没状態が形成される（図７（ｂ）参照）。従って、伝達棒１０１６が環状溝１０１２を半周移動するたびに、流下防止板１０１５の状態が変化する。これにより、第２可変入賞装置６５０の状態変化と、流下防止板１０１５の状態変化とを同期可能となっている。
【０１４６】
なお、本実施形態では、Ｌ回転歯車１０１３が９０度ごとにしか回転しない態様で形成されることから、Ｌ回転歯車１０１３に歯合される反転歯車１０１４が１８０度ごとにしか回転しない態様が形成され、流下防止板１０１５が突出状態か埋没状態か、のみをとることができる態様で形成される。従って、反転歯車１０１４が中途半端な角度で止まることで、流下防止板１０１５が中途半端な位置で止まることを防止することができる。
【０１４７】
なお、流下防止板１０１５は、その移動方向（前後方向）と、球から負荷を受ける方向（左右方向、図１３参照）とが、直角に交差する。そのため、流下防止板１０１５に複数個の球が負荷を与える場合に、流下防止板１０１５が移動方向に移動することを防止することができる。これにより、流下防止板１０１５と連結される反転歯車１０１４に、球の重さによる負荷が加わりにくくすることができ、反転歯車１０１４の耐久性を向上することができる。
【０１４８】
伝達棒１０１６は、その延設先端を、環状溝１０１２の溝深さ方向の底部に、弾性力で常時押し付ける態様で配設される。また、細径であることから、径方向等への多少の弾性変形が可能とされる。そのため、本実施形態のように、開閉板６５０ｂが開閉動作する際に、その往路と復路とで伝達棒１０１６が案内される経路が上溝１０１２ａと下溝１０１２ｂとで位置ずれするとしても、そのずれを、伝達棒１０１６自体の弾性変形で吸収することができる。
【０１４９】
次に、図１２を参照して、右打ちにより遊技盤１３の右側の経路（流路）を流下して第２特定入賞口６５０ａへと到達した球の動作について説明する。図１２（ａ）及び図１２（ｂ）は、第２可変入賞装置６５０の部分正面図である。なお、図１２（ａ）では、第２特定入賞口６５０ａが閉鎖された状態において球が第２特定入賞口６５０ａへと到達した場合が図示され、図１２（ｂ）では、第２特定入賞口６５０ａが開放された状態において球が第２特定入賞口６５０ａへと到達した場合が図示される。
【０１５０】
図１２（ａ）に示した通り、第２特定入賞口６５０ａが閉鎖された状態で球が第２特定入賞口６５０ａへと到達した場合、球は第２特定入賞口６５０ａへと入球することができないので、第２特定入賞口６５０ａの左方へ流下する（図１２（ａ）参照）。そして、第２特定入賞口６５０ａの左方へと流下した球は、第２特定入賞口６５０ａの左方の流路を流下する。なお、この第２特定入賞口６５０ａの左方の流路は、第１特定入賞口６５ａの方向へ傾斜しているため、球は第１特定入賞口６５ａの方向へと流下する。
【０１５１】
一方、第２特定入賞口６５０ａが開放された状態で球が第２特定入賞口６５０ａへと到達した場合、図１２（ｂ）に示した通り、球が流下してきた流路の延長線上に第２特定入賞口６５０ａの開口部分が位置する。よって、球は第２特定入賞口６５０ａへと入球する。なお、図１２（ｂ）に示した通り、第２可変入賞装置６５０の内部には、球を貯留装置１０００へと排出するための通過口１０２２が設けられている。この通過口１０２２へと入球することにより、球の入賞が検出されて賞球の払い出しが行われると共に、第２特定入賞口６５０ａから第２可変入賞装置６５０の内部へと入球した球を貯留装置１０００へ排出することができる。
【０１５２】
図１３及び図１４を参照して、貯留装置１０００へ遊技球が流入する態様について説明する。図１３（ａ）から図１３（ｃ）及び、図１４（ａ）から図１４（ｃ）は、貯留装置１０００の部分正面図である。なお、第２可変入賞装置６５０に入球した球が入球する順に加算される番号付きで図示される。
【０１５３】
図１３（ａ）に示すように、第２特定入賞口６５０ａに１球目の球が入球すると、傾斜流路１０２３の左側端部に配置される傾斜面部１０２３ａに到達するまで、球が傾斜流路１０２３の左下方へ流下する。
【０１５４】
図１３（ｂ）に示すように、傾斜面部１０２３ａに球が衝突すると、球の流下方向が正面側へ向き変わり、排出口１０２４から正面側へ排出され、傾倒部材１０４０の上面に着地する。傾倒部材１０４０の上面に乗る球が１球の場合、傾倒部材１０４０は初期状態を維持するので、球は左方へ流下し、流下防止板１０１５が突出状態である限り（本実施形態において、第２特定入賞口６５０ａが開放状態である限り）において、傾倒部材１０４０の上面に維持される。
【０１５５】
なお、図１３（ｂ）の状態において、流下防止板１０１５が埋没状態となると（本実施形態において、第２特定入賞口６５０ａが閉鎖状態となると）、傾倒部材１０４０の上面に乗っていた球は傾倒部材１０４０から左方へ流下し、通常入球口１０３３（図９参照）へ入球する。これにより、後述する大当たりＡ（図１６（ａ）、図１７参照）において、球が誤って確変入球口１０３１（図９参照）に入球することを防止することができる。
【０１５６】
即ち、大当たりＡでは、第２特定入賞口６５０ａが、球が入球不能な程度に短い期間（０．２秒間）で開放動作する。しかし、この短い期間で、球が誤って入球する場合は、不正無く遊技している場合であっても生じ得る。一方で、誤って入球するといっても、せいぜい１球程度であって、３球入ることは無い。
【０１５７】
そのため、大当たりＡにおいて、第２特定入賞口６５０ａに誤って球が入球した場合であっても、球が傾倒部材１０４０を傾倒動作させることは無く、また、第２特定入賞口６５０ａの閉鎖後は、流下防止板１０１５が埋没状態となるので、球は傾倒部材１０４０から左方へ流される。したがって、大当たりＡにおいて、球が誤って確変入球口１０３１（図９参照）に入球することを防止することができる。
【０１５８】
図１３（ｃ）及び図１４（ａ）に示すように、傾斜流路１０２３を２球目、３球目の球が流下し、傾斜面部１０２３ａに衝突して正面側へ排出されると、球は１球目の球を避けた位置において傾倒部材１０４０の上面に着地する。即ち、２球目の球は、１球目の球の右方に並んで配置され（図１３（ｃ）参照）、３球目の球は、１球目の球と２球目の球との間に割って入る（図１４（ａ）参照）。即ち、後から来た球が上から落下することにより、自重で、先に配置された球に当接作用して、最も安定する配置へ移動する。
【０１５９】
このように、球が別々のタイミングで排出口１０２４から排出されたとしても、複数の球を傾倒部材１０４０の上面に横並びに並べることを、それぞれの球の自重による作用でスムーズに行うことができる。従って、傾倒部材１０４０の重心位置を左右方向にずらすまでの期間を短縮化することができる。
【０１６０】
なお、第２特定入賞口６５０ａに、３個の球が同時に入球した場合においては、１球目の球が傾斜面部１０２３ａに衝突して正面側へ向きを変えている間に、２球目、３球目の球が１球目の球と衝突することで正面側へ向き変わり、傾斜流路１０２３の途中の位置で排出口１０２４から正面側へ排出される場合が生じる。この場合であっても、図１４（ａ）に示す状態と、球に付記する番号は異なるものの（図１４（ａ）では左から「１、３、２」とされる番号が、左から「１、２、３」となる）、３個の球が横並びで並ぶことは、変化しない。従って、滞り無く、遊技を進めることができる。
【０１６１】
図１４（ａ）に示すように、傾倒部材１０４０の上面に球が３個横並びに並ぶと、傾倒部材１０４０と球とを一体とした場合の重心位置が回転軸の右側へ移動し、傾倒部材１０４０が傾倒状態となる（図１４（ｂ）参照）。
【０１６２】
図１４（ｂ）に示すように、傾倒状態において、傾倒部材１０４０の上面に乗った球は右方へ流下し、確変入球口１０３１（図９参照）へ流下する。なお、傾倒部材１０４０の傾倒状態において、４球目以降の球が傾斜流路１０２３を流下し排出口１０２４から正面側へ排出されたとしても、傾倒部材１０４０に未だ球が乗っていた場合には、４球目以降の球が先に傾倒部材１０４０に乗っていた球を右方へ押し出す態様で球同士が移動することになり、傾倒部材１０４０を傾倒状態に維持できるし（図１４（ｂ）参照）、既に球が傾倒部材１０４０から無くなっていた場合には、既に何球かの球が確変入球口１０３１を通過しているので、問題とはならない。従って、第２特定入賞口６５０ａへの球の入り方（頻度）によって、傾倒部材１０４０が誤動作する（傾倒状態が予期せず戻るとか、球が噛み込んで傾倒部材１０４０が止まってしまう等）ことを防ぎ、球が確変入球口１０３１に通過し易くすることができる。
【０１６３】
第２特定入賞口６５０ａへ球が入球する間、傾倒部材１０４０の上面に球が複数個到達し、上面に乗っている個数によって、傾倒部材１０４０は傾倒状態となったり初期状態となったりする。そのため、図１４（ｃ）に示すように、３個未満（図１４（ｃ）では１個）の球が、傾倒部材１０４０の上面に残存する場合が生じる。
【０１６４】
この残存した球は、上述したように、第２特定入賞口６５０ａが閉鎖状態となることに基づいて流下防止板１０１５が埋没状態となることで、傾倒部材１０４０から左下方へ流下し、通常入球口１０３３から図示しない球排出路へ排出される。
【０１６５】
従って、本実施形態では、第２特定入賞口６５０ａが閉鎖状態となった後において、傾倒部材１０４０の上面に残存する球の数を０個とすることができる。これにより、傾倒部材１０４０に複数個の球を０個から順に貯めて、傾倒部材１０４０を傾倒させ、球を確変側流路１０３２（図９参照）へ向けて流すという一連の流れ（動作演出）を、毎回の大当たりＢ（図１６（ｂ）参照）で実行することができる。これにより、傾倒部材１０４０の演出効果を向上させることができる。
【０１６６】
次に、図１５を参照して、右打ちにより遊技盤１３の右側の経路（流路）を流下して第１特定入賞口６５ａへと到達した球の動作について説明する。なお、図１５（ａ）では、第１特定入賞口６５ａが閉鎖された状態において球が第１特定入賞口６５ａへと到達した場合が図示され、図１５（ｂ）では、第１特定入賞口６５ａが開放された状態において球が第１特定入賞口６５ａへと到達した場合が図示される。
【０１６７】
図１５（ａ）に示した通り、第１特定入賞口６５ａが閉鎖された状態で球が第１特定入賞口６５ａへと到達した場合、球は第１特定入賞口６５ａへと入球することができないので、第１特定入賞口６５ａの上部を流下し、第１可変入賞装置６５の左側へと落下する（図１５（ａ）参照）。そして、第１特定入賞口６５ａの左側へと落下した球は、第１特定入賞口６５ａの左方に設けられているアウト口６６（図２参照）へと流下する。
【０１６８】
一方、第１特定入賞口６５ａが開放された状態で球が第１特定入賞口６５ａへと到達した場合、図１５（ｂ）に示した通り、球が流下してきた流路の延長線上に第１特定入賞口６５ａの開口部分が位置する。よって、球は第１特定入賞口６５ａへと入球する。なお、図１５（ｂ）に示した通り、第１可変入賞装置６５の内部には、球をパチンコ機１０の外部へと排出するための球排出口６５ｄが設けられている。この球排出口６５ｄへと入球することにより、球の入賞が検出されて賞球の払い出しが行われると共に、第１特定入賞口６５ａから第１可変入賞装置６５の内部へと入球した球を排出させることができる。なお、第１可変入賞装置６５の底面部は、球排出口６５ｄの方向へと傾斜しているため、第１特定入賞口６５ａへと入球した全ての球を球排出口６５ｄへと入球させることができる。よって、全ての球を確実に排出させることができる。
【０１６９】
次いで、図１６を参照して、本実施形態における第２特定入賞口６５０ａの開放パターンについて説明する。図１６（ａ）は、大当たりＡの１２ラウンド目における、第２特定入賞口６５０ａの計時変化を示した図であり、図１６（ｂ）は、大当たりＢの１２ラウンド目における、第２特定入賞口６５０ａの計時変化を示した図である。
【０１７０】
まず、図１６（ａ）について説明する。図１６（ａ）の上側のグラフが、第２特定入賞口（第２大開放口）６５０ａの計時変化（開放状態であるか、閉鎖状態であるか）を示しており、図１６（ａ）の下側のグラフが流下防止板１０１５の計時変化（突出状態であるか、埋没状態であるか）を示している。
【０１７１】
図１６（ａ）に示した通り、１２ラウンド目が開始されると、所定時間（例えば、０．２秒間）だけ第２特定入賞口（第２大開放口）６５０ａが開放され、その所定時間（例えば、０．２秒）が経過すると、第２特定入賞口（第２大開放口）６５０ａが閉鎖される。そして、その閉鎖状態は、１２ラウンド目の開始から７秒間が経過するまで保たれ、７秒間が経過することに基づいて１２ラウンド目が終了する。また、この閉鎖状態は、特別遊技状態（大当たり状態）が終了し、次に大当たりの１２ラウンドとなるまで継続する。
【０１７２】
また、大当たりＡの１２ラウンド目において、流下防止板１０１５は、第２特定入賞口６５０ａが開放された時において、突出状態となり、第２特定入賞口６５０ａが閉鎖された時において、埋没状態となる。ここで、第２特定入賞口６５０ａが開放される時間が極めて短いので、複数個の球が貯留装置１００１に入球する事態を生じ難くでき、加えて、流下防止板１０１５が突出状態となる時間も極めて短いので、傾倒部材１０４０に複数個の球が貯留され、傾倒部材１０４０が傾倒する事態を生じ難くできる。これにより、大当たりＡにおいて、球が確変入球口１０３１を通過しにくくすることができる。
【０１７３】
このように、大当たりＡの１２ラウンド目において、第２特定入賞口（第２大開放口）６５０ａが開放されている期間が極めて短くなるように、第２特定入賞口（第２大開放口）６５０ａの開放パターンが設定される。よって、大当たりＡとなった場合の多くは、特別遊技状態中（大当たり中）に確変入球口１０３１へと球が入球しないので、大当たりの終了後に特別図柄の確変状態に設定されにくくなる。
【０１７４】
なお、１２ラウンドが開始された直後の０．２秒間に第２特定入賞口（第２大開放口）６５０ａを開放するのは、１２ラウンドの開始直後に大当たりＡであることを分かり難くするためである。詳細については図１６（ｂ）を参照して後述するが、確変入球口１０３１へと球を入球させやすい大当たりＢにおいて、１２ラウンドの開始直後から第２特定入賞口（第２大開放口）６５０ａが開放される。よって、大当たりＡと、大当たりＢとで１２ラウンドの開始直後の第２特定入賞口（第２大開放口）６５０ａの動作を共通化することにより、今回の大当たりが大当たりＢであることを期待させることができる。
【０１７５】
次に、図１６（ｂ）を参照して、大当たりＢの１２ラウンド目における、第２特定入賞口（第２大開放口）６５０ａの計時変化について説明する。図１６（ｂ）の上側のグラフが、第２特定入賞口（第２大開放口）６５０ａの計時変化（開放状態であるか、閉鎖状態であるか）を示しており、図１６（ｂ）の下側のグラフが、流下防止板１０１５の計時変化（突出状態であるか、埋没状態であるか）を示している。
【０１７６】
図１６（ｂ）に示した通り、１２ラウンド目が開始されると、第２特定入賞口（第２大開放口）６５０ａが開放状態に設定される。そして、その開放状態は、１２ラウンド目の開始から５秒間が経過するまで保たれ、５秒間が経過することに基づいて閉鎖状態に設定される。なお、５秒間が経過する前に、１０個の球が第２特定入賞口（第２大開放口）６５０ａへと入球した場合も、第２特定入賞口（第２大開放口）６５０ａは閉鎖される。この閉鎖状態は、特別遊技状態（大当たり状態）が終了し、次に大当たりの１２ラウンドとなるまで継続する。
【０１７７】
また、大当たりＢの１２ラウンド目において、流下防止板１０１５は、大当たりＡの１２ラウンド目とは異なった動作をおこなう。即ち、流下防止板１０１５は、第２特定入賞口６５０ａが開放された時において、突出状態となり、第２特定入賞口６５０ａが閉鎖された時において、埋没状態となることは、大当たりＡと同じであるが、第２特定入賞口６５０ａの状態変化と連動して、１２ラウンド目の開始から突出状態を維持し、５秒間が経過することに基づいて埋没状態へと状態変化する。なお、５秒間が経過する前に、１０個の球が第２特定入賞口（第２大開放口）６５０ａへと入球した場合も、流下防止板１０１５が埋没状態へと状態変化する。
【０１７８】
そのため、大当たりＢの１２ラウンド目の開始から、５秒間の間は、第２特定入賞口６５０ａに球が入球し易い状態が維持されると共に、傾倒部材１０４０に球を貯留し易い状態が維持される。これにより、傾倒部材１０４０を球の重みで傾倒動作させやすくでき、大当たりＢにおいて、球が確変入球口１０３１を通過し易くすることができるので、大当たりの終了後に特別図柄の確変状態に設定されやすくなる。
【０１７９】
なお、第２特定入賞口（第２大開放口）６５０ａの開放パターンはこれに限られるものではなく、確変入球口１０３１へと球が入球し易いパターンと、確変入球口１０３１へと球が入球しにくいパターンとを設定することができれば任意に定めてもよい。例えば、大当たりＡでは、第２特定入賞口６５０ａが、状態を２秒ごとに切り変える態様で動作し、大当たりＢでは、第２特定入賞口６５０ａが、所定時間（例えば、３０秒経過するまで、或いは、球が１０個入賞するまで）開放状態を維持する態様で動作するようにしても良い。
【０１８０】
また、第２特定入賞口（第２大開放口）６５０ａを開放するラウンド数は、１２ラウンド目に限られるものではなく、任意のラウンドに設定してもよい。更に、複数ラウンドにおいて第２特定入賞口６５０ａを開放するように構成してもよく、例えば、１ラウンド目と１５ラウンド目とで第２特定入賞口（第２大開放口）６５０ａを開放するように設定してもよい。これにより、確変入球口１０３１へと球を入球させる機会を増やすことができるので、大当たりＢの終了後に、より特別図柄の確変状態となりやすくすることができる。よって、大当たりＢに当選したにもかかわらず、第２特定入賞口（第２大開放口）６５０ａへと球を入球させることができず、遊技者の遊技に対するモチベーションを低下させてしまうことを防止（抑制）することができる。
【０１８１】
図１７を参照して、ＲＯＭ２０２（図４参照）の内容について説明する。図１７（ａ）は、主制御装置１１０内のＲＯＭ２０２の電気的構成を示すブロック図であり、図１７（ｂ）は、第１当たり種別カウンタＣ２と特別図柄における大当たり種別との対応関係を模式的に示した模式図であり、図１７（ｃ）は、第２当たり乱数カウンタＣ４と普通図柄における当たりとの対応関係を模式的に示した模式図である。
【０１８２】
図１７（ａ）に示すように、主制御装置１１０のＲＯＭ２０２には、上記した固定値データの一部として、第１当たり乱数テーブル２０２ａ、第１当たり種別選択テーブル２０２ｂ、第２当たり乱数テーブル２０２ｃ、および変動パターン選択テーブル２０２ｄが少なくとも記憶されている。
【０１８３】
第１当たり乱数テーブル２０２ａは、定期的（例えば、２ｍｓｅｃごと）に更新される第１当たり乱数カウンタの大当たり判定値が記憶されているデータテーブルである。始動入賞に基づいて取得した第１当たり乱数カウンタの値が、第１当たり乱数テーブル２０２ａに規定されているいずれかの判定値と一致した場合に、特別図柄の大当たりであると判別される。
【０１８４】
第１当たり種別選択テーブル２０２ｂ（図１７（ｂ）参照）は、大当たり種別を決定するための判定値が記憶されているデータテーブルであり、第１当たり種別カウンタＣ２の判定値が、各大当たり種別、および特別図柄の抽選契機となった入球口の種別に対応付けて規定されている。本実施形態のパチンコ機１０では特別図柄の大当たりと判定された場合に、始動入賞に基づいて取得した第１当たり種別カウンタＣ２の値と、第１当たり種別選択テーブル２０２ｂとが比較され、第１当たり種別カウンタＣ２の値に対応する大当たり種別が選択される。
【０１８５】
具体的には、特別図柄１の抽選（第１入球口６４への入球に基づく抽選）で大当たりとなった場合には、第１当たり種別カウンタＣ２の値が「０〜４９」の範囲には、大当たりＡが対応付けられて規定されている（図１７（ｂ）の２０２ｂ１参照）。上述した通り、大当たりＡとなった場合は、１２ラウンド目において第２特定入賞口（第２大開放口）６５０ａが開放される期間が極めて短くなるように構成されている（図１６（ａ）参照）。よって、傾倒部材１０４０に複数個の球を貯留することが困難となるので、確変入球口１０３１へと球を入球させにくくなる。即ち、大当たりＡとなった場合は、その大当たりの終了後に特別図柄の確変状態に移行しにくくなる。
【０１８６】
また、第１当たり種別カウンタＣ２の値が「５０〜９９」の範囲には、大当たりＢが対応付けられて規定されている（図１７（ｂ）の２０２ｂ２参照）。上述した通り、大当たりＢとなった場合は、１２ラウンド目において第２特定入賞口（第２大開放口）６５０ａが開放される期間が長くなり、第２特定入賞口（第２大開放口）６５０ａの開放期間中、流下防止板１０１５が突出状態を維持するように構成されている（図１６（ｂ）参照）。よって、第２特定入賞口（第２大開放口）６５０ａが開放されている間に球を第２特定入賞口（第２大開放口）６５０ａへと複数個入球させることで、傾倒部材１０４０に複数個の球を貯留させることができ、傾倒部材１０４０を球の重みで傾倒動作させることができる。そして、上述した通り、傾倒部材１０４０を傾倒動作した状態において球が流れる先には、確変入球口１０３１が設けられている。よって、大当たりＢとなった場合は、その大当たりの終了後に特別図柄の確変状態に移行しやすくなる。
【０１８７】
一方、特別図柄２の抽選（第２入球口６４０への入球に基づく抽選）で大当たりとなった場合には、第１当たり種別カウンタＣ２の値が「０〜１９」の範囲には、大当たりＡが対応付けられて規定されている（図１７（ｂ）の２０２ｂ３参照）。また、第１当たり種別カウンタＣ２の値が「２０〜９９」の範囲には、大当たりＢが対応付けられて規定されている（図１７（ｂ）の２０２ｂ４参照）。即ち、特別図柄１の抽選により大当たりとなった場合に比較して、特別図柄２の抽選により大当たりとなった場合に、大当たりＢとなる判定値の個数が多くなっている。よって、特別図柄２の抽選により大当たりとなった場合の方が大当たりＢとなりやすく構成されている。
【０１８８】
上述した通り、特別図柄の確変中は、普通図柄の当たり確率がアップし、普通図柄の変動時間が短くなり（３秒）、普通図柄の当たりとなった場合における電動役物６４０ａの開放時間が長くなる（１秒×２回）ように設定される。よって、第２入球口６４０へと球を入球させやすくなるので、特別図柄２の抽選が行われやすくなる。従って、一旦特別図柄の確変状態へと移行させることができれば、特別図柄の大当たりとなりやすく、且つ、大当たりとなった場合に大当たりＢとなりやすい特別図柄の確変状態と、大当たりの終了後に特別図柄の確変状態となりやすい大当たりＢとが繰り返されやすくなるので、遊技者が多量の賞球を獲得し易くなる。これにより、遊技者に対して特別図柄の確変状態へと移行させることを強く期待させながら遊技を行わせることができるので、遊技者の遊技に対する興趣を向上させることができる。
【０１８９】
第２当たり乱数テーブル２０２ｃ（図１７（ｃ）参照）は、普通図柄の当たり判定値が記憶されているデータテーブルである。具体的には、普通図柄の通常状態において、普通図柄の当たりとなる判定値として、「５〜２８」が規定されている（図１７（ｃ）の２０２ｃ１参照）。また、普通図柄の高確率状態において、普通図柄の当たりとなる判定値として、「５〜２０４」が規定されている（図１７（ｃ）の２０２ｃ２参照）。本実施形態のパチンコ機１０では、普通入球口６７を球が通過することに基づいて取得される第２当たり乱数カウンタＣ４の値と、第２当たり乱数テーブル２０２ｃとを参照し、普通図柄の当たりであるか否かを判定している。変動パターン選択テーブル２０２ｄは、変動パターンの表示態様を決定するための変動種別カウンタの判定値が表示態様毎にそれぞれ規定されているデータテーブルである。
【０１９０】
このように、第１実施形態によれば、傾倒部材１０４０に球を所定個数貯留させることにより球が確変側流路１０３２へ流下し易くなるとい遊技機を構成する方法として、傾倒部材１０４０への球の貯まり易さと、第２可変入賞装置６５０の開閉動作とを関連づけるという方法を採用することにより、一の駆動手段（ソレノイド６５０ｃ）で上述した目的を達成することができる。
【０１９１】
次いで、図１８から図２１を参照して、第２実施形態について説明する。第１実施形態では、第２可変入賞装置６５０が開閉動作するごとに、流下防止板１０１５が動作する場合を説明したが、第２実施形態における貯留装置２０００は、第２可変入賞装置６５０の開閉の動作態様によって、流下防止板１０１５を動作させる開閉動作と、流下防止板１０１５を動作させない（維持する）開閉動作とを、可能に形成される。なお、上述した各実施形態と同一の部分には同一の符号を付して、その説明は省略する。
【０１９２】
まず、図１８を参照して、第２実施形態における環状溝２０１２について説明する。図１８（ａ）は、第２実施形態における環状溝２０１２の正面図であり、図１８（ｂ）は、図１８（ａ）のＸＶＩＩＩｂ−ＸＶＩＩＩｂ線における環状溝２０１２の断面図であり、図１８（ｃ）は、図１８（ａ）のＸＶＩＩＩｃ−ＸＶＩＩＩｃ線における環状溝２０１２の断面図である。
【０１９３】
図１８（ａ）に示すように、環状溝２０１２は、前後方向（図１８（ａ）左右方向）に長い楕円形状に沿って形成される溝であり、Ｌ回転歯車１０１３の上側に形成される上溝２０１２ａと、Ｌ回転歯車１０１３の下側に形成されると共に分岐する下溝２１１０と、を主に備える。
【０１９４】
上溝２０１２ａは、第１実施形態の上溝１０１２ａに比較して曲率半径が小さくされ、図１８（ａ）において、十字部材１０１３ｂと干渉しない位置に形成される。そのため、伝達棒１０１６が、上溝２０１２ａを通過することにより、十字部材１０１３ｂと伝達棒１０１６とが当接することは無く、Ｌ回転歯車１０１３は姿勢を維持する。
【０１９５】
下溝２１１０は、上溝２０１２ａの後側端部（図１８（ａ）左側端部）に連結される開始溝２１１１と、その開始溝２１１１から前方へ延設され上溝２０１２ａの前側端部（図１８（ａ）右側端部）に連結される当接溝２１１２と、開始溝２１１１と当接溝２１１２との連結位置から後方へ延設される分岐溝２１１３と、その分岐溝２１１３の後側端部（図１８（ａ）左側端部）から前方へ延設され上溝２０１２ａの前側端部（図１８（ａ）右側端部）に連結される離間溝２１１４と、を主に備える。
【０１９６】
なお、図１８（ｂ）及び図１８（ｃ）に示すように、環状溝２０１２は、底部の深さが一定ではなく、溝の延設方向に傾斜して変化する。これにより、伝達棒１０１６の移動経路を限定することができる。
【０１９７】
即ち、図１８（ｂ）に示すように、上溝２０１２ａと開始溝２１１１との連結位置では、上溝２０１２ａよりも開始溝２１１１の方が溝深さは深くされ、開始溝２１１１と当接溝２１１２との連結位置では、開始溝２１１１よりも当接溝２１１２の方が溝深さは深くされ、当接溝２１１２と上溝２０１２ａとの連結位置では、当接溝２１１２よりも上溝２０１２ａの方が溝深さは深くされる。
【０１９８】
そのため、図１８（ｂ）に示す断面において、左端から右方へ移動する移動方向でのみ伝達棒１０１６は移動可能となる。従って、環状溝２０１２に沿って伝達棒１０１６が移動する方向を一方向（図１８（ｂ）反時計回り方向）に定めることができる。
【０１９９】
また、図１８（ｃ）に示すように、上溝２０１２ａと開始溝２１１１との連結位置では、上溝２０１２ａよりも開始溝２１１１の方が溝深さは深くされ、開始溝２１１１と当接溝２１１２との連結位置では、開始溝２１１１よりも当接溝２１１２の方が溝深さは深くされ、当接溝２１１２と離間溝２１１４との連結位置では、当接溝２１１２よりも離間溝２１１４の方が溝深さは深くされ、離間溝２１１４と上溝２０１２ａとの連結位置では、離間溝２１１４よりも上溝２０１２ａの方が溝深さは深くされる。
【０２００】
そのため、図１８（ｃ）に示す断面において、左端から右方へ移動する移動方向でのみ伝達棒１０１６は移動可能となる。従って、当接溝２１１２を伝達棒１０１６が右方へ移動している途中で再度左方へ移動させる態様でソレノイド６５０ｃ（図９参照）を駆動した場合の、伝達棒１０１６の移動経路を定めることができる。即ち、当接溝２１１２を伝達棒１０１６が右方へ移動している途中で再度左方へ移動させた場合、伝達棒１０１６は図１８（ｃ）で断面視される経路に沿って移動するように、伝達棒１０１６の移動経路を制限することができる。
【０２０１】
次いで、図１９及び図２０を参照して、伝達棒１０１６が環状溝２０１２を移動することにより生じる流下防止板１０１５の動作について説明する。まず、伝達棒１０１６が下溝２１１０を通る間に前後方向（図１９左右方向、図１９右側が正面側）に折り返し動作しない場合について説明する。この動作は、詳しくは、ソレノイド６５０ｃ（図９参照）の駆動態様として、電流の印加を止めてから、短期間（例えば、０．２秒未満の期間）の内に再度電流の印加は行わない場合に対応する。
【０２０２】
図１９（ａ）から図１９（ｄ）は、球止め装置２０１０を模式的に示した側面図である。なお、図１９（ａ）では、伝達棒１０１６が環状溝２０１２の正面側端部に配置された状態（第２特定入賞口６５０ａの閉鎖状態に対応）が、図１９（ｂ）では、伝達棒１０１６が環状溝２０１２の背面側端部に配置された状態（第２特定入賞口６５０ａの開放状態に対応）が、図１９（ｃ）では、伝達棒１０１６が十字部材１０１３ｂと当接している状態が、図１９（ｄ）では、伝達棒１０１６が十字部剤１０１３ｂから離れ右方へ配置された状態が、それぞれ図示される。なお、図１９（ｄ）に示す状態から、第２特定入賞口６５０ａが閉鎖状態となることで、図１９（ａ）に示す状態へ復帰する。なお、図１９（ａ）から図１９（ｄ）、そして図１９（ａ）へ戻る一連の動作は、第２特定入賞口６５０ａが閉鎖状態から開放状態へ変化し、その後、閉鎖状態へ復帰する動作に対応する。
【０２０３】
図１９（ａ）及び図１９（ｂ）に示すように、第２特定入賞口６５０ａが閉鎖状態から開放状態へ変化することに伴って（ソレノイド６５０ｃの駆動により、約０．２秒間で状態変化）、伝達棒１０１６が後方へ移動し、伝達棒１０１６の先端が開始溝２１１１に当接する（図１９（ｂ）参照）。
【０２０４】
図１９（ｂ）に示す状態から、第２特定入賞口６５０ａを閉鎖状態へ変化させることに伴って（ソレノイド６５０ｃの駆動解除により、弾性バネで状態変化）、伝達棒１０１６が前方へ移動し、Ｌ回転歯車１０１３が回転することに基づいて反転歯車１０１４が１８０度回転し、流下防止板１０１５が状態変化する。
【０２０５】
即ち、本実施形態では、第２特定入賞口６５０ａが開閉動作を１回行うことにより、流下防止板１０１５が異なる状態に状態変化する。そのため、図１９（ｄ）に示す埋没状態から、流下防止板１０１５を図１９（ａ）に示す突出状態とするには、もう一度、第２特定入賞口６５０ａの開閉動作を１回行えば良い。
【０２０６】
図２０（ａ）から図２０（ｄ）は、球止め装置２０１０を模式に示した側面図である。なお、図２０（ａ）では、伝達棒１０１６が環状溝２０１２の正面側端部に配置された状態（第２特定入賞口６５０ａの閉鎖状態に対応）が、図２０（ｂ）では、伝達棒１０１６が当接溝２１１２の背面側端部に配置された状態が、図２０（ｃ）では、伝達棒１０１６が離間溝２１１４の背面側端部に配置された状態が、図２０（ｄ）では、伝達棒１０１６が離間溝２１１４と上溝２０１２ａとの連結位置付近まで移動した状態が、それぞれ図示される。なお、図２０（ｄ）に示す状態から、第２特定入賞口６５０ａが閉鎖状態となることで、図２０（ａ）に示す状態へ復帰する。なお、図２０（ａ）から図２０（ｄ）、そして図２０（ａ）へ戻る一連の動作は、第２特定入賞口６５０ａが閉鎖状態から開放状態へ変化し、その後、閉鎖状態へ復帰する動作に対応する。
【０２０７】
図２０（ａ）及び図２０（ｂ）に示すように、第２特定入賞口６５０ａが閉鎖状態から開放状態へ変化し、その後ソレノイド６５０ｃの駆動を解除して閉鎖板６５０ｂを正面側へ僅かに戻すことに伴って、伝達棒１０１６が上溝２０１２ａの後側端部から正面側へ僅かに移動し、伝達棒１０１６の先端が当接溝２１１２と分岐溝２１１３との合流する部分と当接する（図２０（ｂ）参照）。
【０２０８】
図２０（ｂ）に示す状態から、再度ソレノイド６５０ｃを駆動させることにより（例えば、ソレノイド６５０ｃの駆動解除から０．１秒後に再度ソレノイド６５０ｃを駆動させることにより）、伝達棒１０１６が十字部材１０１３ｂに当接する前に、伝達棒１０１６を背面側へ移動させることができ、この場合、伝達棒１０１６は、下溝２１１０の形状に沿って、分岐溝２１１３に沿って移動し、離間溝２１１３へ到達する（図２０（ｃ）参照）。
【０２０９】
その後、ソレノイド６５０ｃの駆動を解除することで、第２特定入賞口６５０ａが閉鎖状態となることに伴って伝達棒１０１６が離間溝２１１４に沿って正面側へ移動する。そのため、図２０（ａ）から図２０（ｄ）で図示する一連の動作において、伝達棒１０１６と十字部材１０１３ｂは当接しないので、流下防止板１０１５の状態を不変とすることができる。
【０２１０】
図１９に示す動作と、図２０に示す動作とを組み合わせることにより、第２特定入賞口６５０ａが開放状態で維持される時に、流下防止板１０１５が突出状態とされ、貯留装置２０００に球を貯留できる場合と、流下防止板１０１５が埋没状態とされ、貯留装置２０００に球を貯留できない場合と、の両方を形成することが可能となる。その一例について、図２１を参照して説明する。
【０２１１】
図２１（ａ）は、大当たりＡの１２ラウンド目における、第２特定入賞口６５０ａの計時変化を示した図であり、図２１（ｂ）は、大当たりＢの１２ラウンド目における、第２特定入賞口６５０ａの計時変化を示した図である。
【０２１２】
まず、図２１（ａ）について説明する。図２１（ａ）の上側のグラフが、第２特定入賞口（第２大開放口）６５０ａの計時変化（開放状態であるか、閉鎖状態であるか）を示しており、図２１（ａ）の下側のグラフが流下防止板１０１５の計時変化（突出状態であるか、埋没状態であるか）を示している。
【０２１３】
図２１（ａ）に示した通り、１２ラウンド目が開始されると、所定時間（例えば、０．２秒間）だけ第２特定入賞口（第２大開放口）６５０ａが開放され、その所定時間（例えば、０．２秒）が経過すると、第２特定入賞口（第２大開放口）６５０ａが閉鎖状態へ向けて動作される。その後、第２特定入賞口（第２大開放口）６５０ａが閉鎖状態になるのを待たない所定の極短時間（例えば、０．１秒）経過後、再び第２特定入賞口（第２大開放口）６５０ａが開放される。この開放状態は、所定時間（例えば、３０秒経過するまで、或いは、球が１０個入賞するまで）維持され、その所定時間経過後、第２特定入賞口（第２大開放口）６５０ａは閉鎖され、１２ラウンド目が終了する。また、この閉鎖状態は、特別遊技状態（大当たり状態）が終了し、次に大当たりの１２ラウンドとなるまで継続する。
【０２１４】
また、大当たりＡの１２ラウンド目において、流下防止板１０１５は、第２特定入賞口（第２大開放口）６５０ａの状態変化と独立して、埋没状態を維持する。従って、第２特定入賞口（第２大開放口）６５０ａに球を入球可能な状態を維持しながら、貯留装置２０００に球を維持することは困難な状態を形成することができる。これにより、大当たりＡにおいて、球が確変入球口１０３１を通過しにくくすることができる。よって、大当たりＡとなった場合の多くは、特別遊技状態中（大当たり中）に確変入球口１０３１へと球が入球しないので、大当たりの終了後に特別図柄の確変状態に設定されにくくなる。
【０２１５】
次に、図２１（ｂ）を参照して、大当たりＢの１２ラウンド目における、第２特定入賞口（第２大開放口）６５０ａの計時変化について説明する。図２１（ｂ）の上側のグラフが、第２特定入賞口（第２大開放口）６５０ａの計時変化（開放状態であるか、閉鎖状態であるか）を示しており、図２１（ｂ）の下側のグラフが、流下防止板１０１５の計時変化（突出状態であるか、埋没状態であるか）を示している。
【０２１６】
図２１（ｂ）に示した通り、１２ラウンド目が開始されると、所定時間（例えば、０．２秒間）だけ第２特定入賞口（第２大開放口）６５０ａが開放され、その所定時間（例えば、０．２秒）が経過すると、第２特定入賞口（第２大開放口）６５０ａが閉鎖される。そして、その閉鎖状態は、所定の待ち時間（例えば、１秒間）維持され、その所定の待ち時間が経過すると、第２特定入賞口（第２大開放口）６５０ａは開放される。この開放状態は、所定時間（例えば、３０秒経過するまで、或いは、球が１０個入賞するまで）維持され、その所定時間経過後、第２特定入賞口（第２大開放口）６５０ａは閉鎖され、１２ラウンド目が終了する。また、この閉鎖状態は、特別遊技状態（大当たり状態）が終了し、次に大当たりの１２ラウンドとなるまで継続する。
【０２１７】
また、大当たりＢの１２ラウンド目において、流下防止板１０１５は、第２特定入賞口（第２大開放口）６５０ａが開放状態から閉鎖状態へ変化する度に、状態変化する。即ち、１２ラウンド目の開始時に第２特定入賞口（第２大開放口）６５０ａが開放された後で閉鎖されることに基づいて埋没状態から突出状態へと変化し、その後、所定時間開放されたあとに閉鎖されることに基づいて、突出状態から埋没状態へと変化する。
【０２１８】
このように、大当たりＢの１２ラウンド目において、第２特定入賞口（第２大開放口）６５０ａが所定期間だけ開放状態を維持する期間、流下防止板１０１５が突出状態に維持されるので、特定入賞口６５０ａに球が入球し易い状態が維持されると共に、傾倒部材１０４０に球を貯留し易い状態が維持される。これにより、傾倒部材１０４０を球の重みで傾倒動作させやすくでき、大当たりＢにおいて、球が確変入球口１０３１を通過し易くすることができるので、大当たりの終了後に特別図柄の確変状態に設定されやすくなる。
【０２１９】
従って、本実施形態では、第１実施形態と異なり、第２特定入賞口（第２大開放口）６５０ａは開放状態を維持するものの、その開放状態を維持する間の流下防止板１０１５の状態を変えることができるので、大当たり種別によらず、第２特定入賞口（第２大開放口）６５０ａに球を入球させることにより賞球を得られる機会を遊技者に十分に与えながら、大当たり種別の違いにより生じるのは、大当たり終了後に特別図柄の確変状態となり易いか、否かの違いのみとすることができる。これにより、大当たりＡを獲得した遊技者が獲得可能な出球を多くすることができる。
【０２２０】
なお、１２ラウンドが開始された直後の開放期間を０．２秒間に共通化するのは、１２ラウンドの開始直後に大当たりＡであることを分かり難くするためである。確変入球口１０３１へと球を入球させやすい大当たりＢにおいて、１２ラウンドの開始直後から第２特定入賞口（第２大開放口）６５０ａが開放される。よって、大当たりＡと、大当たりＢとで１２ラウンドの開始直後の第２特定入賞口（第２大開放口）６５０ａの動作を共通化することにより、今回の大当たりが大当たりＢであることを期待させることができる。
【０２２１】
一方で、その後に第２特定入賞口（第２大開放口）６５０ａの閉鎖時間を異ならせているので、この閉鎖時間を確認することにより、遊技者が、今回の大当たりの大当たり種別が大当たりＡなのか、大当たりＢなのかを判別し易くすることができる。これにより、遊技者の注目を、特に１２ラウンド目の開始時の第２特定入賞口（第２大開放口）６５０ａの開閉動作に注目させることができる。
【０２２２】
従って、本実施形態において、第２特定入賞口（第２大開放口）６５０ａ付近（遊技者が注目する部分）をＬＥＤで煌びやかに光らせる一方で、第２特定入賞口（第２大開放口）６５０ａから離れた部分（遊技者がほとんど見ない部分）のＬＥＤは消灯させることにより、電力消費量を削減することができる。また、遊技領域における第２特定入賞口（第２大開放口）６５０ａから離れた部分の球の視認性を悪くすることができる。
【０２２３】
なお、遊技領域における球の視認性に関しては、例えば、第２特定入賞口（第２大開放口）６５０ａの上流側を流下する球の視認性を悪くすることにより、予想外の位置から球が第２特定入賞口（第２大開放口）６５０ａへ流下する状態を形成でき、遊技者を飽きさせにくくできる。
【０２２４】
また、例えば、第２特定入賞口（第２大開放口）６５０ａが不能状態の時に第２特定入賞口（第２大開放口）６５０ａの左方へ流下し、外縁部材７３（図２参照）を伝って下流へ（第１アウト口６６へ向かって）流下する球の視認性を悪くすることにより、第１アウト口６６へ向かって流れる球に遊技者が集中することを防止することができる。これにより、第２特定入賞口（第２大開放口）６５０ａ付近の注目度を維持することができる。
【０２２５】
このように、第２実施形態によれば、ソレノイド６５０ｃの駆動態様により、第２可変入賞装置６５０の開閉動作に対する流下防止板１０１５の動作に違いを持たせることができる。これにより、第２可変入賞装置６５０の注目力を向上させることができる。
【０２２６】
次いで、図２２から図２８を参照して、第３実施形態について説明する。第１実施形態では、第２可変入賞装置６５０の開閉動作の駆動力により流下防止板１０１５が駆動される場合を説明したが、第３実施形態における貯留装置３０００は、常時動作する駆動モータ３０１２を備え、第２可変入賞装置６５０の開閉動作の駆動力により、その駆動モータ３０１２から流下防止板１０１５への駆動力の伝達および遮断を切り替える態様で構成される。なお、上述した各実施形態と同一の部分には同一の符号を付して、その説明は省略する。
【０２２７】
図２２（ａ）及び図２２（ｂ）は、第３実施形態における貯留装置３０００の背面斜視図である。また、図２３（ａ）は、貯留装置３０００の正面図であり、図２３（ｂ）は、貯留装置３０００の上面図であり、図２４は、貯留装置３０００の背面図である。なお、図２２から図２４では、第２可変入賞装置６５０の上方においてベース板６０の図示が省略され、図２２（ａ）では、貯留装置３０００を上方から見た斜視図が、図２２（ｂ）では、貯留装置３０００を下方から見た斜視図が、それぞれ図示される。
【０２２８】
図２２（ａ）及び図２２（ｂ）に示すように、貯留装置３０００は、本体板部１００１と、その本体板部１００１の背面側に配設される球止め装置３０１０と、上述した誘導流路１０２０と、分岐流路１０３０と、傾倒部材１０４０と、を主に備える。
【０２２９】
球止め装置３０１０は、本体板部１００１の背面から後方へ向けて延設される板状の基礎板部３０１１と、その基礎板部３０１１と平行に延設されるフランジに固定される駆動モータ３０１２と、その駆動モータ３０１２の回転軸に固定されると共に外周に亘って軸方向一側の面に鋭利な凹凸形状が形成される固定クラッチ３０１３ａと、その固定クラッチ３０１３ａと歯合可能な形状の凹凸形状を有し駆動モータ３０１２の回転軸に空回り支持される移動クラッチ３０１３ｂと、から形成される切替クラッチ３０１３と、移動クラッチ３０１３ｂと位相を同期して回転する回転円板３０１４と、その回転円板３０１４の回転に基づいて前後方向に移動する流下防止板１０１５と、第２可変入賞装置６５０の駆動により移動クラッチ３０１３ｂの位置を移動させる切替部材３０１６と、を主に備える。
【０２３０】
基礎板部３０１１は、流下防止板１０１５を正面側へ張り出す方向へ付勢する弾性バネ３０１１ａと、背面側へ棒状に突設されると共に突設切替部材３０１６を回転可能に軸支する軸棒３０１１ｂと、を備える。この弾性バネ３０１１ａの作用により、流下防止板１０１５は正面側へ張り出し、突出状態を維持する。
【０２３１】
駆動モータ３０１２は、常時一方向に回転駆動するＤＣモータであり、ゆっくりとした回転速度で動作する。なお、本実施形態では、３秒間で１回転の態様で回転動作する。
【０２３２】
回転円板３０１４は、上述した円板部１０１４ｂ及び突設ピン１０１４ｃと、その円板部１０１４ｂの中心位置から基礎板部３０１１を貫通して延設されると共に駆動モータ３０１２の回転軸と同軸で形成される貫通軸３０１４ａと、を備える。
【０２３３】
移動クラッチ３０１３ｂは、その中心位置に貫通軸３０１４ａに外嵌される貫通孔３０１３ｂ１と、凹凸形状が形成される部分よりも径方向外方へ円形に延設される支持縁部３０１３ｂ２と、を備える。貫通孔３０１３ｂ１と貫通軸３０１４ａとは、軸方向に相対動作可能である一方、周方向に相対動作不能な態様で構成される。例えば、貫通軸３０１４ａの外形がＤ字形状から形成され、貫通孔３０１３ｂ１の内形が貫通軸３０１４ａの外形よりも若干大きいＤ字形状から形成される。
【０２３４】
切替クラッチ３０１３は、移動クラッチ３０１３ｂと固定クラッチ３０１３ａとが離間している状態では、固定クラッチ３０１３ａのみが駆動モータ３０１２の駆動力で回転する。一方で、移動クラッチ３０１３ｂが固定クラッチ３０１３ａと噛み合う位置に配置されると、固定クラッチ３０１３ａの回転と同期して移動クラッチ３０１３ｂが回転する。
【０２３５】
これにより、移動クラッチ３０１３ｂが固定クラッチ３０１３ａと噛み合い始めてから、駆動モータ３０１２が半回転することで（本実施形態では、１．５秒間の遅延期間後）、流下防止板１０１５を埋没状態へ変化させることができる。
【０２３６】
図２２から図２４に示すように、本実施形態では、第２可変入賞装置６５０のソレノイド６５０ｃが左右方向に伸縮動作する。この左右方向の伸縮動作に基づいて、ソレノイド６５０ｃの伸縮方向に延設される剛体棒Ｂ３１が左右方向に動作する。剛体棒Ｂ３１の先端は、開閉板６５０ｂの下面に形成される連結溝Ｃ３１に連結されており、本実施形態では、その連結溝Ｃ３１が、ソレノイド６５０ｃから左右方向に離れる程、背面側へ傾斜する態様で形成される。そのため、ソレノイド６５０ｃを駆動させると（剛体棒Ｂ３１を引く方向に動作させると）、開閉板６５０ｂが引き込まれ、第２可変入賞装置６５０が開放状態となり、ソレノイド６５０ｃの駆動を解除すると、開閉板６５０ｂが正面側へ張り出され、第２可変入賞装置６５０が閉鎖状態となる。
【０２３７】
切替部材３０１６は、上下に長尺の棒部材から形成され、下端から僅かに上方へ変位した位置で軸棒３０１１ｂに回転可能に軸支される軸孔３０１６ａと、上端部分においてソレノイド６５０ｃの移動部分から軸棒３０１１ｂの突設方向と平行に突設される支持軸に支持される長孔状の支持長孔３０１６ｂと、下端部分において移動クラッチ３０１３ｂの支持縁部３０１３ｂ２を移動クラッチ３０１３ｂの軸方向両側から摺動可能に支持する爪部３０１６ｃと、を主に備える。
【０２３８】
本実施形態では、第２可変入賞装置６５０が開放状態となった場合（ソレノイド６５０ｃが駆動され、剛体棒Ｂ３１が背面視右方へ引かれた場合）に、切替部材３０１６がソレノイド６５０ｃ側に傾倒する解除姿勢となり、切替クラッチ３０１３が、伝達を解除する（クラッチの凹凸が互いに離間する）解除状態を形成し、第２可変入賞装置６５０が閉鎖状態となった場合（ソレノイド６５０ｃの駆動が解除され、剛体棒Ｂ３１が背面視左方へ押された場合）に、切替部材３０１６がソレノイド６５０ｃの反対側に傾倒する伝達姿勢となり、固定クラッチ３０１３ａと移動クラッチ３０１３ｂとが歯合され、切替クラッチ３０１３が、駆動力を伝達する伝達状態を形成する。
【０２３９】
なお、切替クラッチ３０１３が伝達状態となる際、固定クラッチ３０１３ａと移動クラッチ３０１３ｂとの凸部分が互いに軸方向で当接する場合があるが、凹凸部分が鋭利な形状（軸に垂直な平面をもたず、軸に対して傾斜する形状）から形成されるので、当接時に移動クラッチ３０１３ｂが回転することで、当接時の衝撃を逃がすことができる。これにより、凹凸部分を軸に対して垂直な面を持つ凹凸形状から形成する場合に比較して、切替クラッチ３０１３の耐久性を向上させることができる。
【０２４０】
次いで、図２５から図２７を参照して、駆動モータ３０１２の駆動力が伝達されて流下防止板１０１５が動作するまでの過程について説明する。図２５（ａ）は、球止め装置３０１０の背面図であり、図２５（ｂ）は、図２５（ａ）の矢印ＸＸＶｂ方向視における球止め装置３０１０の側面図であり、図２６（ａ）は、球止め装置３０１０の背面図であり、図２６（ｂ）は、図２６（ａ）の矢印ＸＸＶＩｂ方向視における球止め装置３０１０の側面図であり、図２７（ａ）は、球止め装置３０１０の背面図であり、図２７（ｂ）は、図２７（ａ）の矢印ＸＸＶＩＩｂ方向視における球止め装置３０１０の側面図である。
【０２４１】
なお、図２５では、第２可変入賞装置６５０が開放状態とされ、切替部材３０１６が解除姿勢とされた状態が図示され、図２６では、図２５に示す状態から第２可変入賞装置６５０が閉鎖状態とされ、切替部材３０１６が伝達姿勢とされた状態が図示され、図２７では、図２６に示す状態から、第２可変入賞装置６５０が閉鎖状態を所定時間（本実施形態では、１．５秒間）維持した後の状態が図示される。
【０２４２】
第２可変入賞装置６５０の動作と流下防止板１０１５の動作との関係について説明する。第２可変入賞装置６５０の開閉動作の開始前においては、第２可変入賞装置６５０は閉鎖状態を維持するので、図２６に示すように、切替クラッチ３０１３は伝達状態を維持し、駆動モータ３０１２の駆動力が常時、回転円板３０１４に伝達されるので、流下防止板１０１５の状態は、突出状態と埋没状態とで、所定時間（本実施形態では、１．５秒）ごとに変化する。この状態変化は、遊技者から視認可能な位置で行われるので、流下防止板１０１５が配置される付近（貯留装置３０００付近）への注目力を向上させることができる。
【０２４３】
大当たり遊技が始まり、１２ラウンド目が開始され、第２可変入賞装置６５０が開放状態となると、切替クラッチ３０１３が解除状態とされ、駆動モータ３０１２からの駆動力が流下防止板１０１５へ伝達されなくなるので、流下防止板１０１５は、弾性バネ３０１１ａの弾性力により、正面側へ押し出され、突出状態となる。この突出状態は、少なくとも、第２可変入賞装置６５０が開放状態を維持する間、維持される。
【０２４４】
図２５に示す状態から、所定時間経過し、第２可変入賞装置６５０が閉鎖状態に変化すると、図２６（ａ）に示すように、切替クラッチ３０１３は伝達状態となり、駆動モータ３０１２の駆動力が回転円板３０１４を介して流下防止板１０１５へ伝達し始める。
【０２４５】
ここで、流下防止板１０１５ｂが突出状態である場合、回転円板３０１４の突設ピン１０１４ｃが流下防止板１０１５の連結長孔１０１５ａの内側に配置されることにより、回転円板３０１４は、突設ピン１０１４ｃが正面側端部（回転円板３０１４の回転軸から正面側へ平行移動した位置）に配置された姿勢となる。
【０２４６】
流下防止板１０１５が埋没状態となるのは、回転円板３０１４の姿勢が、突設ピン１０１４ｃが背面側端部（回転円板３０１４の回転軸から背面側へ平行移動した位置）に配置された姿勢となる場合であるので、切替クラッチ３０１３が伝達状態となり始めたとしても、流下防止板１０１５が即座に埋没状態となるわけではなく、図２６（ａ）に示すように、突出状態を維持する。
【０２４７】
切替クラッチ３０１３の回転は、駆動モータ３０１２の回転により生じるものである。本実施形態では、駆動モータ３０１２は３秒間で１回転する速度で回転するため、第２可変入賞装置６５０が閉鎖状態を１．５秒間維持する場合、図２７に示すように、突設ピン１０１４ｃの位置が回転円板３０１４の回転軸から背面側へ平行移動した位置に移動され、流下防止板１０１５が埋没状態を形成する。これにより、第２可変入賞装置６５０が閉鎖状態となった後に、傾倒部材１０４０の上面に残存した球を通常入球口１０３３により図示しない球排出路へ排出することができる。
【０２４８】
即ち、本実施形態では、第２可変入賞装置６５０の閉鎖から、所定時間（本実施形態では１．５秒間）遅れて、流下防止板１０１５が埋没状態を形成し、残存球を排出する態様で形成される。また、第２可変入賞装置６５０が開放された際には、流下防止板１０１５は弾性バネ３０１１ａの弾性力で正面側へ張り出すので、時間遅れなく突出状態を形成する。従って、状態変化の方向によって、第２可変入賞装置６５０の動作タイミングを基準とした流下防止板１０１５の状態変化のタイミングを異ならせることができる。
【０２４９】
なお、上述したように、第２可変入賞装置６５０の閉鎖状態を１．５秒間維持することで、流下防止板１０１５を埋没状態へ変化させることができるが、例えば、１．５秒の経過前（例えば、１秒経過前）に、再度、第２可変入賞装置６５０を開放状態に変化すると、切替クラッチ３０１３は解除状態となり、弾性バネ３０１１ａの弾性力で流下防止板１０１５が張り出され、流下防止板１０１５は、突出状態を形成する。即ち、閉鎖状態を１．５秒以上維持するか、１．５秒以下（１秒程度）の維持に留め、再度開放状態とするかによって、流下防止板１０１５の動作態様を変化させることができる。以下、このことについて、図２８を参照して説明する。
【０２５０】
次いで、図２８を参照して、第２特定入賞口６５０ａの開放パターンについて説明する。図２８（ａ）は、大当たりＡの１２ラウンド目における、第２特定入賞口６５０ａの計時変化を示した図であり、図２８（ｂ）は、大当たりＢの１２ラウンド目における、第２特定入賞口６５０ａの計時変化を示した図である。
【０２５１】
まず、図２８（ａ）について説明する。図２８（ａ）の上側のグラフが、第２特定入賞口（第２大開放口）６５０ａの計時変化（開放状態であるか、閉鎖状態であるか）を示しており、図２８（ａ）の下側のグラフが流下防止板１０１５の計時変化（突出状態であるか、埋没状態であるか）を示している。
【０２５２】
図２８（ａ）に示した通り、１２ラウンド目が開始されると、所定時間（例えば、０．２秒間）だけ第２特定入賞口（第２大開放口）６５０ａが開放され、その所定時間（例えば、０．２秒）が経過すると、第２特定入賞口（第２大開放口）６５０ａが閉鎖される。その後、所定時間（例えば、１秒間）閉鎖状態を維持した後に、所定時間（例えば１秒間）だけ第２特定入賞口（第２大開放口）６５０ａが開放され、その所定時間（例えば１秒間）が経過すると、第２特定入賞口（第２大開放口）６５０ａが閉鎖される。その閉鎖状態は、１．５秒以上の所定時間（例えば、２秒間）維持される。その後、再度、所定時間（例えば１秒間）だけ第２特定入賞口（第２大開放口）６５０ａが開放され、その所定時間（例えば１秒間）が経過すると、第２特定入賞口（第２大開放口）６５０ａが閉鎖され１２ラウンド目が終了する。また、この閉鎖状態は、特別遊技状態（大当たり状態）が終了し、次に大当たりの１２ラウンドとなるまで継続する。
【０２５３】
また、大当たりＡの１２ラウンド目において、流下防止板１０１５は、第２特定入賞口（第２大開放口）６５０ａが１．５秒以上閉鎖状態を維持する度に、埋没状態に変化する。従って、第２特定入賞口（第２大開放口）６５０ａに球を入球可能な状態を作りながら、第２特定入賞口（第２大開放口）６５０ａの閉鎖の度に流下防止板１０１５を埋没状態に変化させることにより、傾倒部材１０４０の上面に球を貯留させ難くすることができる。即ち、１秒間の開放で第２特定入賞口６５０ａに入球した球を、第２特定入賞口（第２大開放口）６５０ａの閉鎖の度に通常入球口１０３３へ向けて流すことで、一度の開放で３個の球が第２特定入賞口（第２大開放口）６５０ａに入球しない限り、傾倒部材１０４０が傾倒することは無い態様とすることができる。
【０２５４】
これにより、大当たりＡにおいて、球が確変入球口１０３１を通過しにくくすることができる。よって、大当たりＡとなった場合の多くは、特別遊技状態中（大当たり中）に確変入球口１０３１へと球が入球しないので、大当たりの終了後に特別図柄の確変状態に設定されにくくなる。
【０２５５】
次に、図２８（ｂ）を参照して、大当たりＢの１２ラウンド目における、第２特定入賞口（第２大開放口）６５０ａの計時変化について説明する。図２８（ｂ）の上側のグラフが、第２特定入賞口（第２大開放口）６５０ａの計時変化（開放状態であるか、閉鎖状態であるか）を示しており、図２８（ｂ）の下側のグラフが、流下防止板１０１５の計時変化（突出状態であるか、埋没状態であるか）を示している。
【０２５６】
図２８（ｂ）に示した通り、１２ラウンド目が開始されると、所定時間（例えば、０．２秒間）だけ第２特定入賞口（第２大開放口）６５０ａが開放され、その所定時間（例えば、０．２秒）が経過すると、第２特定入賞口（第２大開放口）６５０ａが閉鎖される。その後、１．５秒以下の所定時間（例えば、１秒間）閉鎖状態を維持した後に、所定時間（例えば１秒間）だけ第２特定入賞口（第２大開放口）６５０ａが開放され、その所定時間（例えば１秒間）が経過すると、第２特定入賞口（第２大開放口）６５０ａが閉鎖される。その閉鎖状態は、１．５秒以下の所定時間（例えば、１秒間）維持される。その後、再度、所定時間（例えば１秒間）だけ第２特定入賞口（第２大開放口）６５０ａが開放され、その所定時間（例えば１秒間）が経過すると、第２特定入賞口（第２大開放口）６５０ａが閉鎖され、その後再度、第２特定入賞口（第２大開放口）６５０ａが所定時間（例えば、１２ラウンド目の開始から３０秒経過するまで、或いは、１２ラウンド目において球が１０個入賞するまで）開放され、その所定時間の経過後、第２特定入賞口（第２大開放口）６５０ａが閉鎖され、１２ラウンド目が終了する。この閉鎖状態は、特別遊技状態（大当たり状態）が終了し、次に大当たりの１２ラウンドとなるまで継続する。
【０２５７】
また、大当たりＢの１２ラウンド目において、流下防止板１０１５は、大当たりＡの１２ラウンド目とは異なった動作をおこなう。即ち、流下防止板１０１５は、第２特定入賞口６５０ａが１．５秒間閉鎖状態を維持した際に埋没状態を形成するところ、大当たりＢでは、閉鎖状態とされる期間が１．５秒よりも短い１秒間とされるので、１２ラウンド目の間中、流下防止板１０１５が突出状態を維持する。
【０２５８】
そのため、大当たりＢの１２ラウンド目の開始から、１２ラウンド目が終了するまでの間は、第２特定入賞口６５０ａに球が入球し易い状態が維持されると共に、傾倒部材１０４０に球を貯留し易い状態が維持される。これにより、傾倒部材１０４０を球の重みで傾倒動作させやすくでき、大当たりＢにおいて、球が確変入球口１０３１を通過し易くすることができるので、大当たりの終了後に特別図柄の確変状態に設定されやすくなる。
【０２５９】
このように、１２ラウンド目の開始後における第２特定入賞口６５０ａの動作態様を、１秒間開放させ、その後閉鎖させ、再度１秒間開放させるという、似通った動作態様としながら、大当たりＡと大当たりＢとで、大当たり終了後に特別図柄の確変状態に設定され易い場合（図２８（ｂ）参照）と、特別図柄の確変状態に設定され難い場合（図２８（ａ）参照）とを形成することができる。これにより、遊技者に、１２ラウンド目の開始後しばらくの間、大当たりが、大当たりＡなのか大当たりＢなのかを分かりがたくでき、遊技中において、遊技者の期待感をより長く保つことができる。
【０２６０】
なお、第２特定入賞口（第２大開放口）６５０ａを開放するラウンド数は、１２ラウンド目に限られるものではなく、任意のラウンドに設定してもよい。更に、複数ラウンドにおいて第２特定入賞口６５０ａを開放するように構成してもよく、例えば、１ラウンド目と１５ラウンド目とで第２特定入賞口（第２大開放口）６５０ａを開放するように設定してもよい。これにより、確変入球口１０３１へと球を入球させる機会を増やすことができるので、大当たりＢの終了後に、より特別図柄の確変状態となりやすくすることができる。よって、大当たりＢに当選したにもかかわらず、第２特定入賞口（第２大開放口）６５０ａへと球を入球させることができず、遊技者の遊技に対するモチベーションを低下させてしまうことを防止（抑制）することができる。
【０２６１】
また、大当たりＢ（図２８（ｂ））において、大当たり終了後（第２特定入賞口６５０ａが閉鎖後）に、所定期間（本実施形態では、１．５秒間）遅れて、流下防止板１０１５が埋没状態に変化する。そのため、例えば、球詰まりなどにより、ホール店員に修理を依頼し、その修理が１２ラウンド目の終了間際までかかった場合に、慌てて球を打ち出して、１２ラウンド目の終了間際に球が複数個入った場合であっても、１２ラウンド目の終了後、所定期間の間は、傾倒部材１０４０を傾倒動作させる余地を残すことができる。これにより、ますます、大当たりの終了後に特別図柄の確変状態に設定されやすくすることができる。
【０２６２】
このように、第３実施形態では、第２可変入賞装置６５０の閉鎖から所定時間遅れて流下防止板１０１５が埋没状態となるという動作態様を、ソレノイド６５０ｃの動作態様を制御することのみによって、実現することができる。
【０２６３】
次いで、図２９から図３６を参照して、第４実施形態について説明する。第３実施形態では、第２可変入賞装置６５０の閉鎖状態の長さに基づいて、流下防止板１０１５が駆動される場合を説明したが、第４実施形態における貯留装置４０００は、第２可変入賞装置６５０の開放状態の長さに基づいて、流下防止板１０１５を駆動するか否かを切り替える態様で構成される。なお、上述した各実施形態と同一の部分には同一の符号を付して、その説明は省略する。
【０２６４】
図２９は、第４実施形態における貯留装置４０００の背面斜視図である。なお、図２９では、第２可変入賞装置６５０（図２参照）が閉鎖状態となった状態が図示され、ベース板６０の図示が省略される。
【０２６５】
図２９に示すように、貯留装置４０００は、ベース板６０に締結固定される本体板部１００１と、その本体板部１００１の背面側に配設される球止め装置４０１０と、上述した誘導流路１０２０と、分岐流路１０３０と、傾倒部材１０４０と、を主に備える（図２３参照）。
【０２６６】
球止め部材４０１０は、本体板部１００１の背面から後方へ延設される複数の板状の基礎板部４０１１と、その基礎板部４０１１の内の一部に支持される駆動モータ４０１２と、その駆動モータ４０１２から駆動力を伝達される面を複数有し軸方向にスライド移動可能に構成される円板形状の摩擦回転部材４０１３と、その摩擦回転部材４０１３と同軸で配置され摩擦回転部材４０１３からの駆動力伝達が可能な態様で構成される回転円板４０１４と、その回転円板４０１４と連結される流下防止板１０１５と、ソレノイド６５０ｃの移動部分に連結されると共に摩擦回転部材４０１３をスライド移動させる切替部材３０１６と、を主に備える。
【０２６７】
なお、本実施形態では、第３実施形態の場合とは逆に、ソレノイド６５０ｃにより第２可変入賞装置６５０（図２４参照）が閉鎖状態となった時に、切替部材３０１６がソレノイド６５０ｃ側（背面視右側）に傾倒動作する一方で、ソレノイド６５０ｃにより第２可変入賞装置６５０が開放状態となった時に、切替部材３０１６がソレノイド６５０ｃから離反する側に傾倒動作する。この場合、ソレノイド６５０ｃは、電気駆動により延伸するタイプのソレノイドを用いることが、節電の面から好ましい。
【０２６８】
例えば、ソレノイド６５０ｃの連結溝Ｃ３１（図２２（ｂ）参照）の傾斜方向を左右で反転させることにより、上述した動作条件を満たす構成とすることができる。なお、閉鎖状態の時の姿勢（図２９参照）を、切替部材３０１６の第１伝達姿勢と称し、開放状態の時の姿勢を、切替部材３０１６の第２伝達姿勢と称する。
【０２６９】
基礎板部４０１１は、駆動モータ４０１２を支持する第１支持板４０１１ａと、その第１支持板４０１１ａと並設されると共に駆動モータ４０１２の駆動軸の先端部を支持する第２支持板４０１１ｂと、第１支持板４０１１ａの上方に配置され摩擦回転部材４０１３を回転可能に支持する軸棒部４０１１ｄが延設される第３支持板４０１１ｃと、回転円板４０１４を軸方向両側から摺動可能に挟み支持し、摩擦回転部材４０１３と同軸の位置に維持する第４支持板４０１１ｅと、を主に備える。
【０２７０】
第４支持板４０１１ｅは、回転円板４０１４の外周から若干内側に入った位置まで板が張り出し、約２００度の範囲に亘って軸方向から回転円板４０１４を摺動可能に挟み込む態様で、回転円板４０１４を支持する。また、回転円板４０１４の外周面を受け入れる部分は、回転円板４０１４の外径よりも若干大きな径の円形凹部として形成されることから、回転円板４０１４が径方向に位置ずれすることを防止している。なお、回転円板４０１４は、図示しない保持機構により、摩擦回転部材４０１３と同軸の状態で維持される。
【０２７１】
駆動モータ４０１２は、第１支持板４０１１ａにブラケットが固定され、第１支持板４０１１ａを挟んでブラケットの反対側において、回転軸に固定される一対の駆動円板４０１２ａ，４０１２ｂを備える。
【０２７２】
一対の駆動円板４０１２ａ，４０１２ｂは、外周面が摩擦回転部材４０１３の外周面と当接可能な位置に配置され、摩擦回転部材４０１３の配置により、擦れる駆動円板４０１２ａ，４０１２ｂをが入れ替えられる。なお、図２９に示す状態では、摩擦回転部材４０１３が、回転円板４０１４に近接する側に配置される駆動円板４０１２ａに当接可能な位置に配置される。なお、駆動モータ４０１２は、常時一定の速度で回転動作を継続する。本実施形態において、駆動モータ４０１２は、６秒で１回転の速度で回転する。
【０２７３】
次いで、図３０及び図３１を参照して、摩擦回転部材４０１３と回転円板４０１４とについて、説明する。図３０及び図３１は、球止め装置４０１０の分解背面斜視図である。なお、図３０では、駆動モータ４０１２のブラケット側から見た状態が図示され、図３１では、駆動モータ４０１２の軸側から見た状態が図示される。また、図３０及び図３１では、基礎板部４０１１及び切替部材３０１６の図示が省略される。
【０２７４】
摩擦回転部材４０１３は、中心に貫通孔が形成されるドーナツ形状の円板部材であって、最大外径を形成する境界円板部４０１３ａと、その境界円板部４０１３ａから駆動モータ４０１２のブラケット側へドーナツ形状に突設される第１摩擦円板４０１３ｂと、境界円板部４０１３ａを挟んだ第１摩擦円板４０１３ｂの逆側に第１摩擦円板４０１３ｂと同一外径でドーナツ状に突設される第２摩擦円板４０１３ｃと、その第２摩擦円板４０１３ｃの軸方向の面から偏心して突設される突設係合部４０１３ｄと、第２摩擦円板４０１３ｃの外周部分の一部を径方向内側へ凹設した部分である解除凹部４０１３ｅと、を主に備える。
【０２７５】
境界円板部４０１３ａは、外周位置付近において、切替部材３０１６の爪部３０１６ｃと係合する（図２９参照）。従って、切替部材３０１６が動作すると、境界円板部４０１３ａが爪部３０１６ｃに押されることで、摩擦回転部材４０１３が軸棒部４０１１ｄの延設方向に沿って移動する。
【０２７６】
第１摩擦円板４０１３ｂ及び第２摩擦円板４０１３ｃは、駆動モータ４０１２の駆動円板４０１２ａ，４０１２ｂと外径同一で形成される。そのため、駆動モータ４０１２の回転速度と、摩擦回転部材４０１３の回転速度とは、スリップが無いと仮定した状況において、同一となる。
【０２７７】
解除凹部４０１３ｅは、駆動円板４０１２ａと対向配置された場合に、駆動円板４０１２ａとの当接が解除される態様（大きさ、径方向深さ）で形成される。即ち、第２摩擦円板４０１３ｃと駆動円板４０１２ａとが当接し、駆動円板４０１２ａとの摩擦で第２摩擦円板４０１３ｃが回転している状態において、解除凹部４０１３ｅが駆動円板４０１２ａ側を向く姿勢（解除凹部４０１３ｅが軸棒部４０１１ｄと駆動モータ４０１２の回転軸とを結ぶ直線上に配置される姿勢）になったら、第２摩擦円板４０１３ｃへの駆動力伝達が解除され、摩擦回転部材４０１３はそのままの姿勢を維持する。
【０２７８】
回転円板４０１４は、上述した円板部１０１４ｂと、突設ピン１０１４ｃと、その突設ピン１０１４ｃが突設される側とは反対側において、突設ピン１０１４ｃの真逆の位相で突設される突設リブ４０１４ａと、を主に備える。
【０２７９】
突設リブ４０１４ａは、円板部１０１４ｂの径方向に沿って長尺の形状から形成され、摩擦回転部材４０１３が駆動モータ４０１２の軸側に配置された状態（図２９参照）において、突設係合部４０１３ｄと周方向で当接可能な高さであって、摩擦回転部材４０１３が駆動モータ４０１２のブラケット側に配置された状態において、突設係合部４０１３ｄと周方向で当接不能な高さで突設される。
【０２８０】
図３２を参照して、駆動モータ４０１２、摩擦回転部材４０１３及び回転円板４０１４の駆動力伝達態様の切替について説明する。図３２（ａ）及び図３２（ｂ）は、球止め装置４０１０の背面図である。なお、図３２（ａ）では、第２可変入賞装置６５０が閉鎖状態とされると共に、切替部材３０１６が第１伝達姿勢となった状態が図示され、図３２（ｂ）では、第２可変入賞装置６５０が開放状態とされると共に、切替部材３０１６が第２伝達姿勢となった状態が図示される。
【０２８１】
なお、図３２（ａ）及び図３２（ｂ）では、理解を容易とするために、回転円板４０１４は突設ピン１０１４ｃが正面側（図３２紙面奥側）に配置された状態（流下防止板１０１５の突出状態に対応）とされ、摩擦回転部材４０１３は解除凹部４０１３ｅが背面側（図３２紙面手前側）に配置された状態が図示される。
【０２８２】
図３２（ａ）に示すように、第２可変入賞装置６５０が閉鎖状態となると、第２摩擦円板４０１３ｃと、駆動円板４０１２ａとが当接する配置となる。従って、この状態において、駆動円板４０１２ａの回転速度（６秒で１回転する速度）で、摩擦回転部材４０１３は回転する。
【０２８３】
また、摩擦回転部材４０１３が継続して回転し、解除凹部４０１３ｅが駆動円板４０１２ａと対向配置される位置（図３２（ａ）下側）に配置される場合、駆動円板４０１２ａと第２摩擦円板４０１３ｃとが離間し、駆動力の伝達が解除される。従って、軸方向における摩擦回転部材４０１３の配置が図３２（ａ）に示す配置を継続して維持したとしても、摩擦回転部材４０１３は解除凹部４０１３ｅが駆動円板４０１２ａと対向配置される位置に配置される姿勢となることにより（一周未満の回転量で）、駆動力伝達が解除される。
【０２８４】
図３２（ｂ）に示すように、第２可変入賞装置６５０が開放状態となると、第１摩擦円板４０１３ｂと、駆動円板４０１２ｂとが当接する配置となる。従って、この状態において、駆動円板４０１２ｂの回転速度（６秒で１回転する速度）で、摩擦回転部材４０１３は回転する。
【０２８５】
なお、上述したように、図３２（ａ）に示す状態において（この状態を６秒以上維持した後であれば）、摩擦回転部材４０１３は解除凹部４０１３ｅが駆動円板４０１２ａと対向配置される姿勢で姿勢が維持されるので、第２可変入賞装置６５０が開放状態となった瞬間の摩擦回転部材４０１３の姿勢を、毎回統一することができる。即ち、解除凹部４０１３ｅが駆動円板４０１２ａと対向配置される姿勢で、第１摩擦円板４０１３ｂと駆動円板４０１２ｂとの駆動力伝達を開始することができる。これにより、第２可変入賞装置６５０を閉鎖状態から開放状態へ変化させてから、所定時間経過後の摩擦回転部材４０１３の姿勢を、制御側で把握することができる。
【０２８６】
また、図３２（ｂ）に示す状態においては、第２摩擦円板４０１３ｃと駆動円板４０１２ｂとは、常時当接するので、常時駆動力が伝達される。一方で、突設リブ４０１４ａと、突設係合部４０１３ｄとは、周方向で当接しないので、図３２（ｂ）の状態を長時間維持したとしても、流下防止板１０１５の状態は変化しないので、摩擦回転部材４０１３が姿勢変化を継続していることを、遊技者が意識し難くすることができる。これらの構成から、開放状態を維持する期間の長さによって、流下防止板１０１５を突出状態としたままにするか、埋没状態に変化させるかを切り替えることができる。このことについて、図３３及び図３４を参照して説明する。
【０２８７】
図３３（ａ）から図３３（ｃ）は、図３２（ａ）の矢印ＸＸＸＩＩＩａ方向視における駆動モータ４０１２、摩擦回転部材４０１３、回転円板４０１４及び流下防止板１０１５の模式図である。なお、図３３（ａ）では、第２可変入賞装置６５０の閉鎖状態が図示され、図３３（ｂ）では、閉鎖状態から開放状態に変化し２秒経過した状態が図示され、図３３（ｃ）では、図３３（ｂ）の状態で開放状態から閉鎖状態へと切り替わった上で図３３（ｂ）から４秒後の状態が図示される。
【０２８８】
図３３（ａ）に示すように、図３３（ａ）において、駆動モータ４０１２は時計回り方向ＣＷで回転する。図３３（ａ）に示す状態から、第２可変入賞装置６５０を開放すると、第１摩擦円板４０１３ｂと駆動円板４０１２ｂ（図３２参照）との当接により、摩擦回転部材４０１３が、図３３（ａ）において、反時計回りＣＣＷで回転する。
【０２８９】
２秒間の開放の後、閉鎖状態へと変化させると、図３３（ｂ）に示すように、突設係合部４０１３ｄの進行方向に突設リブ４０１４ａが配置されるので、摩擦円板部材４０１３が回転を継続する間、突設係合部４０１３ｄに突設リブ４０１４ａが押進されることにより、回転円板４０１４が回転する。これにより、流下防止板１０１５が突出状態から埋没状態へ状態変化する。
【０２９０】
その後、摩擦回転部材４０１３は、図３３（ｃ）に示す姿勢まで回転を継続し、駆動モータ４０１２からの駆動力伝達が解除される。流下防止板１０１５は弾性バネ３０１１ａにより突出状態へ復帰するので、その移動に基づいて、回転円板４０１４も図３３（ｃ）に示す状態から回転し、図３３（ａ）に示す状態に戻る。
【０２９１】
このように、駆動モータ４０１２の１回転にかかる時間の半分よりも若干短い期間（本実施形態では２．５秒以下）だけ開放状態を維持し、その後閉鎖状態を維持することで、流下防止板１０１５が埋没状態へ変化した状態を形成することができる。
【０２９２】
図３４（ａ）から図３４（ｃ）は、図３２（ａ）の矢印ＸＸＸＩＩＩａ方向視における駆動モータ４０１２、摩擦回転部材４０１３、回転円板４０１４及び流下防止板１０１５の模式図である。なお、図３４（ａ）では、第２可変入賞装置６５０の閉鎖状態が図示され、図３４（ｂ）では、閉鎖状態から開放状態に変化し４秒経過した状態が図示され、図３４（ｃ）では、図３４（ｂ）の状態で開放状態から閉鎖状態へと切り替わった上で図３４（ｂ）から２秒後の状態が図示される。
【０２９３】
図３４（ａ）に示す状態から、第２可変入賞装置６５０を開放すると、第１摩擦円板４０１３ｂと駆動円板４０１２ｂ（図３２参照）との当接により、摩擦回転部材４０１３が、図３４（ａ）において、反時計回りＣＣＷで回転する。
【０２９４】
４秒間の開放の後、閉鎖状態へと変化させると、図３４（ｂ）に示すように、突設係合部４０１３ｄの進行方向に突設リブ４０１４ａは配置されないので、摩擦円板部材４０１３が回転を継続する間、突設リブ４０１４ａはそのままの位置に配置される。そのため、回転円板４０１４は回転されず、流下防止板１０１５は突出状態で維持される。
【０２９５】
その後、摩擦回転部材４０１３は、図３４（ｃ）に示す姿勢まで回転を継続し、駆動モータ４０１２からの駆動力伝達が解除される。このように、駆動モータ４０１２の１回転にかかる時間の半分よりも若干長い期間（本実施形態では３．５秒以上）だけ開放状態を維持し、その後閉鎖状態を維持することで、流下防止板１０１５を突出状態で維持することができる。
【０２９６】
なお、開放状態を維持する期間が２．５秒から３．５秒までの１秒間は、突設係合部４０１３ｄと突設リブ４０１４ａとが軸方向で当接する可能性があり、故障の原因となるので、この期間においては、開放状態から閉鎖状態へ変化させないように、制御プログラムが構築される。上述したように、開放状態を維持する期間が数秒違うだけで、流下防止板１０１５の動作を変化させることができる。このことに関して、図３５を参照して説明する。
【０２９７】
次いで、図３５を参照して、第２特定入賞口６５０ａの開放パターンについて説明する。図３５（ａ）は、大当たりＡの１２ラウンド目における、第２特定入賞口６５０ａの計時変化を示した図であり、図３５（ｂ）は、大当たりＢの１２ラウンド目における、第２特定入賞口６５０ａの計時変化を示した図である。
【０２９８】
まず、図３５（ａ）について説明する。図３５（ａ）の上側のグラフが、第２特定入賞口（第２大開放口）６５０ａの計時変化（開放状態であるか、閉鎖状態であるか）を示しており、図３５（ａ）の下側のグラフが流下防止板１０１５の計時変化（突出状態であるか、埋没状態であるか）を示している。
【０２９９】
図３５（ａ）に示した通り、１２ラウンド目が開始されると、２．５秒よりも短い所定時間（例えば、２秒間）だけ第２特定入賞口（第２大開放口）６５０ａが開放され、その所定時間（例えば、２秒）が経過すると、第２特定入賞口（第２大開放口）６５０ａが閉鎖される。その後、１２ラウンド目の開始から６秒以上の所定時間（例えば、４秒間）閉鎖状態を維持した後に、所定時間（例えば２秒間）だけ第２特定入賞口（第２大開放口）６５０ａが開放され、その所定時間（例えば２秒間）が経過すると、第２特定入賞口（第２大開放口）６５０ａが閉鎖される。即ち、２秒間開放し、その後で４秒間閉鎖しを複数回繰り返し、所定時間（例えば、１２ラウンド目の開始から３０秒経過するまで、或いは、１２ラウンド目において球が１０個入賞するまで）経過することにより、第２特定入賞口（第２大開放口）６５０ａが閉鎖され、１２ラウンド目が終了する。また、この閉鎖状態は、特別遊技状態（大当たり状態）が終了し、次に大当たりの１２ラウンドとなるまで継続する。
【０３００】
また、大当たりＡの１２ラウンド目において、流下防止板１０１５は、第２特定入賞口（第２大開放口）６５０ａが４秒間閉鎖状態を維持する度に、埋没状態に変化する。従って、第２特定入賞口（第２大開放口）６５０ａに球を入球可能な状態を作りながら、第２特定入賞口（第２大開放口）６５０ａの閉鎖の度に流下防止板１０１５を埋没状態に変化させることにより、傾倒部材１０４０の上面に球を貯留させ難くすることができる。即ち、２秒間の開放で第２特定入賞口６５０ａに入球した球を、第２特定入賞口（第２大開放口）６５０ａの閉鎖の度に通常入球口１０３３へ向けて流すことで、一度の開放（２秒間）で３個の球が第２特定入賞口（第２大開放口）６５０ａに入球しない限り、傾倒部材１０４０が傾倒することは無い態様とすることができる。また、本実施形態では、１秒に約１球のペースで第２特定入賞口６５０ａに球が入球するように第２可変入賞装置６５０の上流側が形成される。そのため、第２特定入賞口６５０ａの一回開放の間に、第２特定入賞口６５０ａに球が１０個以上入球することは無い構成とされる。
【０３０１】
これにより、大当たりＡにおいて、第２特定入賞口（第２大開放口）６５０ａでの賞球は十分確保できる状態を維持しながら、球が確変入球口１０３１を通過しにくくすることができる。よって、大当たりＡとなった場合の多くは、特別遊技状態中（大当たり中）に確変入球口１０３１へと球が入球しないので、大当たりの終了後に特別図柄の確変状態に設定されにくくなる。
【０３０２】
次に、図３５（ｂ）を参照して、大当たりＢの１２ラウンド目における、第２特定入賞口（第２大開放口）６５０ａの計時変化について説明する。図３５（ｂ）の上側のグラフが、第２特定入賞口（第２大開放口）６５０ａの計時変化（開放状態であるか、閉鎖状態であるか）を示しており、図３５（ｂ）の下側のグラフが、流下防止板１０１５の計時変化（突出状態であるか、埋没状態であるか）を示している。
【０３０３】
図３５（ｂ）に示した通り、１２ラウンド目が開始されると、３秒以上の所定時間（例えば、４秒間）だけ第２特定入賞口（第２大開放口）６５０ａが開放され、その所定時間（例えば、４秒間）が経過すると、第２特定入賞口（第２大開放口）６５０ａが閉鎖される。その後、所定時間（例えば、２秒間）閉鎖状態を維持した後に、所定時間（例えば４秒間）だけ第２特定入賞口（第２大開放口）６５０ａが開放され、その所定時間（例えば４秒間）が経過すると、第２特定入賞口（第２大開放口）６５０ａが閉鎖される。その閉鎖状態は、所定時間（例えば、２秒間）維持される。そして再度、開放される。
【０３０４】
即ち、４秒間開放し、その後で２秒間閉鎖しを複数回繰り返し、所定時間（例えば、１２ラウンド目の開始から３０秒経過するまで、或いは、１２ラウンド目において球が１０個入賞するまで）経過することにより、第２特定入賞口（第２大開放口）６５０ａが閉鎖され、１２ラウンド目が終了する。そして、インターバル期間において、所定時間（例えば、１秒間）だけ第２第２特定入賞口（第２大開放口）６５０ａが開放され、その所定時間（例えば、１秒間）が経過すると、第２特定入賞口（第２大開放口）６５０ａが閉鎖される。また、この閉鎖状態は、特別遊技状態（大当たり状態）が終了し、次に大当たりの１２ラウンドとなるまで継続する。
【０３０５】
また、大当たりＢの１２ラウンド目において、流下防止板１０１５は、大当たりＡの１２ラウンド目とは異なった動作をおこなう。即ち、流下防止板１０１５は、第２特定入賞口６５０ａが２．５秒以下で開放され、その後３秒程度閉鎖状態を維持した時に埋没状態を形成するところ、大当たりＢでは、第２特定入賞口６５０ａの開放状態が４秒間維持された後で、閉鎖状態が２秒間維持されるので、上述した開閉の条件に合致せず、１２ラウンド目の間中、流下防止板１０１５が突出状態を維持する。
【０３０６】
そのため、大当たりＢの１２ラウンド目の開始から、１２ラウンド目が終了するまでの間は、第２特定入賞口６５０ａに球が入球し易い状態が維持されると共に、傾倒部材１０４０に球を貯留し易い状態が維持される。これにより、傾倒部材１０４０を球の重みで傾倒動作させやすくでき、大当たりＢにおいて、球が確変入球口１０３１を通過し易くすることができるので、大当たりの終了後に特別図柄の確変状態に設定されやすくなる。
【０３０７】
なお、大当たりＢにおいて、インターバル中に数秒間、開放状態とするのは、強制的に流下防止板１０１５を埋没状態とし、傾倒部材１０４０の上面に残存する球を通常入球口１０３３へ向けて流すためである。
【０３０８】
このように、１２ラウンド目の開始後における第２特定入賞口６５０ａの動作態様を、数秒間開放させ、その後閉鎖させ、再度数秒間開放させるという、似通った動作態様としながら、大当たりＡと大当たりＢとで、大当たり終了後に特別図柄の確変状態に設定され易い場合（図３５（ｂ）参照）と、特別図柄の確変状態に設定され難い場合（図３５（ａ）参照）とを形成することができる。これにより、遊技者に、１２ラウンド目の開始後しばらくの間、大当たりが、大当たりＡなのか大当たりＢなのかを分かり難くでき、遊技中において、遊技者の期待感をより長く保つことができる。
【０３０９】
なお、第２特定入賞口（第２大開放口）６５０ａを開放するラウンド数は、１２ラウンド目に限られるものではなく、任意のラウンドに設定してもよい。更に、複数ラウンドにおいて第２特定入賞口６５０ａを開放するように構成してもよく、例えば、１ラウンド目と１５ラウンド目とで第２特定入賞口（第２大開放口）６５０ａを開放するように設定してもよい。これにより、確変入球口１０３１へと球を入球させる機会を増やすことができるので、大当たりＢの終了後に、より特別図柄の確変状態となりやすくすることができる。よって、大当たりＢに当選したにもかかわらず、第２特定入賞口（第２大開放口）６５０ａへと球を入球させることができず、遊技者の遊技に対するモチベーションを低下させてしまうことを防止（抑制）することができる。
【０３１０】
上述したように、大当たり中に流下防止板１０１５が埋没状態となるのは、例えば、１２ラウンド目の開始から、第２特定入賞口６５０ａが２．５秒以下の所定時間（例えば、２秒間）開放状態を維持した後で、所定時間（例えば、４秒間）閉鎖状態を維持した場合という条件を満たした時である。即ち、流下防止板１０１５が突出状態を維持する第２特定入賞口６５０ａの開閉のパターンは、図３５（ｂ）に示したパターンに限られるものでは無い。その例について、図３６を参照して説明する。
【０３１１】
次に、図３６を参照して、大当たりＢ（その２）の１２ラウンド目における、第２特定入賞口（第２大開放口）６５０ａの計時変化について説明する。図３６の上側のグラフが、第２特定入賞口（第２大開放口）６５０ａの計時変化（開放状態であるか、閉鎖状態であるか）を示しており、図７の下側のグラフが、流下防止板１０１５の計時変化（突出状態であるか、埋没状態であるか）を示している。
【０３１２】
図３６に示した通り、１２ラウンド目が開始されると、所定時間（例えば、２秒間）だけ第２特定入賞口（第２大開放口）６５０ａが開放され、その所定時間（例えば、２秒間）が経過すると、第２特定入賞口（第２大開放口）６５０ａが閉鎖される。その後、所定時間（例えば、２秒間）閉鎖状態を維持した後に、所定時間（例えば２秒間）だけ第２特定入賞口（第２大開放口）６５０ａが開放され、その所定時間（例えば、２秒間）が経過すると、第２特定入賞口（第２大開放口）６５０ａが閉鎖される。その閉鎖状態は、所定時間（例えば、４秒間）維持される。その所定時間（例えば、４秒間）が経過すると、第２特定入賞口（第２大開放口）６５０ａが開放される。
【０３１３】
その後、所定時間（例えば、２秒間）開放状態を維持した後に、第２特定入賞口（第２大開放口）６５０ａが閉鎖される。その閉鎖状態は所定時間（例えば、４秒間）維持される。そして再度、開放される。
【０３１４】
即ち、１２ラウンド目の開始時のみ、２秒間開放した後の閉鎖時間を２秒間とし、その後は、２秒間開放し、その後で４秒間閉鎖を繰り返し、所定時間（例えば、１２ラウンド目の開始から３０秒経過するまで、或いは、１２ラウンド目において球が１０個入賞するまで）経過することにより、第２特定入賞口（第２大開放口）６５０ａが閉鎖され、１２ラウンド目が終了する。そして、インターバル期間において、所定時間（例えば、１秒間）だけ第２第２特定入賞口（第２大開放口）６５０ａが開放され、その所定時間（例えば、１秒間）が経過すると、第２特定入賞口（第２大開放口）６５０ａが閉鎖される。また、この閉鎖状態は、特別遊技状態（大当たり状態）が終了し、次に大当たりの１２ラウンドとなるまで継続する。
【０３１５】
このように第２特定入賞口６５０ａを開閉させることにより、１２ラウンド目の開始時の状態（即ち、摩擦回転部材４０１３が解除凹部４０１３ｅを駆動モータ４０１２側へ向けた姿勢である状態、換言すれば、図３６において、１２ラウンド目の開始から６ｎ（ｎは整数）秒後の状態）から、第２特定入賞口６５０ａが２．５秒以下の所定時間（例えば、２秒間）開放され、その後閉鎖され、所定時間（例えば、４秒間）閉鎖状態を維持するという動作パターンを排除することができる。従って、流下防止板１０１５を突出状態で維持できる。
【０３１６】
そのため、大当たりＢ（その２）の１２ラウンド目の開始から、１２ラウンド目が終了するまでの間は、第２特定入賞口６５０ａに球が入球し易い状態が維持されると共に、傾倒部材１０４０に球を貯留し易い状態が維持される。これにより、傾倒部材１０４０を球の重みで傾倒動作させやすくでき、大当たりＢ（その２）において、球が確変入球口１０３１を通過し易くすることができるので、大当たりの終了後に特別図柄の確変状態に設定されやすくなる。
【０３１７】
一方で、図３６に示す第２特定入賞口６５０ａの動作パターンは、開始から４秒間を経過して以降は、図３５（ａ）に示す大当たりＡの時の第２特定入賞口６５０ａの動作パターンと同一となる。従って、第２特定入賞口６５０ａの動作パターンから、大当たりの種別を判別し難くすることができる。これにより、傾倒部材１０４０に球を貯留できるか否かを目で見て確認するように遊技者に仕向けることができ、傾倒部材１０４０付近の注目力を向上させることができる。
【０３１８】
なお、大当たりＢ（その２）において、インターバル中に数秒間、開放状態とするのは、強制的に流下防止板１０１５を埋没状態とし、傾倒部材１０４０の上面に残存する球を通常入球口１０３３へ向けて流すためである。
【０３１９】
このように、１２ラウンド目の開始後における第２特定入賞口６５０ａの動作態様を、数秒間開放させ、その後閉鎖させ、再度数秒間開放させるという、似通った動作態様としながら、大当たりＡと大当たりＢ（その２）とで、大当たり終了後に特別図柄の確変状態に設定され易い場合（図３６参照）と、特別図柄の確変状態に設定され難い場合（図３５（ａ）参照）とを形成することができる。これにより、遊技者に、１２ラウンド目の開始後しばらくの間、大当たりが、大当たりＡなのか大当たりＢ（その２）なのかを分かり難くでき、遊技中において、遊技者の期待感をより長く保つことができる。
【０３２０】
このように、第４実施形態によれば、第２可変入賞装置６５０の開放時間の長さによって、閉鎖後に流下防止板１０１５が埋没状態となるか、否かを変化させることができる。また、開放時間の長さとしては、毎回の開放からの経過時間に限らず、最初の開放動作からの経過時間を採用可能な期間があり、この期間の途中から、最初の開放からの開放時間では流下防止板１０１５を状態変化させない開放時間で、第２可変入賞装置６５０を開放させ、その後閉鎖することで、流下防止板１０１５を埋没状態へ状態変化させることを可能に構成される。これにより、大当たり種別ごとの第２可変入賞装置６５０の動作で、動作態様が同じになる期間を形成できるので、遊技者が、第２可変入賞装置６５０の動作から、大当たり種別の違いに気付き難くすることができる。
【０３２１】
次いで、図３７から図４１を参照して、第５実施形態について説明する。第１実施形態では、第２可変入賞装置６５０の開閉動作の仕方に基づいて流下防止板１０１５が駆動される場合を説明したが、第５実施形態における貯留装置５０００は、２可変入賞装置６５０の開閉回数に基づいて流下防止板１０１５を駆動するか否かを切り替える態様で構成される。なお、上述した各実施形態と同一の部分には同一の符号を付して、その説明は省略する。
【０３２２】
また、本実施形態では、大当たり期間以外で第２可変入賞装置６５０が開閉すること（所謂、小当たり）は、生じないように設定される。そのため、後述する第２可変入賞装置６５０の開閉回数は、全て、大当たり遊技時の動作によるものとされる。
【０３２３】
図３７（ａ）は、第５実施形態における貯留装置５０００の正面図であり、図３７（ｂ）は、図３７（ａ）の矢印ＸＸＸＶＩＩｂ方向視における貯留装置５０００の上面図である。なお、図３７（ａ）では、本体板部１００１の図示が省略され、図３７（ａ）及び図３７（ｂ）では、誘導流路１０２０、分岐流路１０３０及び傾倒部材１０４０が、想像線で図示される。
【０３２４】
図３７（ａ）及び図３７（ｂ）に示すように、貯留装置５０００は、本体板部１００１と、その本体板部１００１の背面に配設される球止め装置５１００と、上述した誘導流路１０２０と、分岐流路１０３０と、傾倒部材１０４０と、を主に備える。
【０３２５】
本体板部１００１の背面側には、第２特定入賞装置６５０が配設される。本実施形態では、第２特定入賞装置６５０は、第３実施形態と同様、ソレノイド６５０ｃが左右方向に動作することにより、剛体棒Ｂ３１が連結溝Ｃ３１を介して開閉板６５０ｂに駆動力を伝達する態様で構成される。
【０３２６】
剛体棒Ｂ３１は、弾性部材から板バネ状に形成される爪部Ｂ５１を備える。爪部Ｂ５１は、後述する回転部材５１２０の外周面と対向配置されると共に、回転部材５１２０の中心から出され剛体棒Ｂ３１と垂直に交差する直線Ｌ５１に対して、回転部材５１２０の軸方向視でソレノイド６５０ｃに近接する側へ傾斜する姿勢で延設される。
【０３２７】
従って、回転部材５１２０と、爪部Ｂ５１とが当接している状態において、剛体棒Ｂ３１がソレノイド６５０ｃ側へ動作すると、爪部Ｂ５１の先端部が回転部材５１２０に突き刺さる（駆動力を点接触で伝達する）態様で回転部材５１２０に作用するので、回転部材５１２０を回転させ易くすることができる。一方で、剛体棒Ｂ３１がソレノイド６５０ｃから離反する方向へ動作すると、爪部Ｂ５１の腹部分が回転部材５１２０の外周と擦れる態様で回転部材５１２０に作用するので、回転部材５１２０を回転させ難くすることができる。これにより、ソレノイド６５０ｃの駆動と解除とを一回ずつ行うことにより（剛体棒Ｂ３１を左右に１往復動作させることにより）、第２可変入賞装置６５０は１回だけ開閉動作を行い、回転部材５１２０を所定方向（本実施形態では図３７（ａ）反時計回り方向）に回転動作させることができる。
【０３２８】
球止め装置５１００は、本体板部１００１の背面から後方へ棒状に突設される軸棒部５１１０と、その軸棒部５１１０に軸支される回転部材５１２０と、その回転部材５１２０の本体板部１００１と対向配置する面に負荷を与える付勢部５１３０と、回転部材５１２０の姿勢に対応して流下防止板５０１５を動作させる切替装置５１４０と、を主に備える。
【０３２９】
回転部材５１２０は、外周面が常時、爪部Ｂ５１と当接し、爪部Ｂ５１との作用により回転動作する部材である。この回転部材５１２０について、図３８を参照して説明する。
【０３３０】
図３８（ａ）は、回転部材５１２０の正面図であり、図３８（ｂ）は、図３８（ａ）の矢印ＸＸＸＶＩＩＩｂ方向視における回転部材５１２０の上面図であり、図３８（ｃ）は、図３８（ａ）のＸＸＸＶＩＩＩｃ−ＸＸＸＶＩＩＩｃ線における回転部材５１２０の部分断面図である。
【０３３１】
図３８（ａ）から図３８（ｃ）に示すように、回転部材５１２０は、軸棒部５１１０（図３７参照）に軸支される本体円板５１２１と、その本体円板５１２１の外周面に形成される鋸歯状部であって軸棒部５１１０から均等角度（本実施形態では、２２．５度ずつ、１６等分）でずれて並設される複数の外周係合部５１２２と、本体円板５１２１の本体板部１００１と対向配置する面に、軸棒部５１１０から等距離の位置において軸棒部５１１０から放射状に延びる直線に沿って延設される凹部であって、外周係合部５１２２の並べられる角度（２２．５度）と同様の角度だけずれて複数個配設される位置決め凹部５１２３と、その位置決め凹部５１２３の形成される位置よりも外周側において軸方向一側（図３８（ａ）紙面手前側）に突設される複数の切替突設部５１２４と、軸方向他側へ偏心して突設される検出ピン５１２５と、を主に備える。
【０３３２】
外周係合部５１２２は、本体円板５１２１の上側に配置された場合において、正面視右側で急激に立ち上がり、正面視左側は緩やかに下降する、左右不均等の傾斜態様で形成される。これにより、爪部Ｂ５１（図３７（ａ）参照）が左方へ移動する際の駆動力伝達を良好に行うと共に、爪部Ｂ５１が右方へ移動する際には爪部Ｂ５１から外周係合部５１２２に対して回転方向の負荷を生じ難くすることができる。
【０３３３】
位置決め凹部５１２３は、付勢部５１３０（図３７（ａ）参照）と正面視で重なる位置に配置され、付勢部５１３０の先端を内嵌可能な形状から形成される。本実施形態では、付勢部５１３０の先端が球状とされ、位置決め凹部５１２３の周方向の幅が付勢部５１３０の先端の球の直径以下とされるので、付勢部５１３０の先端が位置決め凹部５１２３に嵌り込むことで、位置ずれ少なく、回転部材５１２０の姿勢を維持することができる。
【０３３４】
切替突設部５１２４は、周方向両側へ向かうにつれて、なだらかに傾斜する傾斜面部５１２４ａを備える突設部である。傾斜面部５１２４ａにより、回転部材５１２０の回転により切替装置５１４０の短腕部５１４２ｂと当接する際に生じる抵抗を少なくすることができ、ソレノイド６５０ｃにかけられる負荷を低減することができる。
【０３３５】
本実施形態では、同様の形状から形成される一対の突起により構成され、それらは、軸棒部５１１０を中心として４５度だけ角度ずれした位置に配置される。検出ピン５１２５は、後述する位置センサ５１４４により検出され、回転部材５１２０の姿勢の把握に用いられる突起である。
【０３３６】
図３７に戻って説明する。付勢部５１３０は、本体板部１００１の背面から後方へ向けて筒状に延設される支持筒５１３１と、その支持筒５１３１の内側に配置される球状の嵌合片５１３２と、その嵌合片５１３２と本体板部１００１との間であって支持筒５１３１の内部に配置される弾性バネ５１３３と、を主に備える。
【０３３７】
なお、図３７（ｂ）に示すように、支持筒５１３１の先端は、回転部材５１２０との隙間が嵌合片５１３２の直径よりも小さくなる位置まで延設される。これにより、嵌合片５１３２が支持筒５１３１の内側に常時維持され、嵌合片５１３２が弾性バネ５１３３の弾性力で回転部材５１２０に押し付けられる。
【０３３８】
切替装置５１４０は、本体板部１００１の背面から後方へ延設される基礎板部５１４１と、その基礎板部５１４１に上下方向に挿通される軸で回転可能に軸支され、一方の腕部が流下防止板５０１５と連結される回転腕部５１４２と、その回転腕部５１４２の長腕部５１４２ａの先端付近と本体板部１００１とを連結し引っ張り方向の負荷を与える縮みバネ５１４３と、基礎板部５１４１に配設されると共に検出ピン５１２５が通過可能な位置に検出溝が配置される位置センサ５１４４と、を主に備える。
【０３３９】
回転腕部５１４２は、流下防止板５０１５に連結される長腕部５１４２ａと、回転軸を挟んで長腕部５１４２ａの反対側に延設される短腕部５１４２ｂと、を備え、短腕部５１４２ｂは、回転部材５１２０の正面側面に押し付けられている。
【０３４０】
次いで、図３９を参照して、回転部材５１２０と切替装置５１４０との動作について説明する。なお、図３９の説明において、図３７を適宜参照する。図３９（ａ）は、貯留装置５０００の正面図であり、図３９（ｂ）は、図３９（ａ）の矢印ＸＸＸＩＸｂ方向視における貯留装置５０００の上面図である。なお、図３９（ａ）では、本体板部１００１の図示が省略され、図３９（ａ）及び図３９（ｂ）では、誘導流路１０２０、分岐流路１０３０及び傾倒部材１０４０が、想像線で図示される。
【０３４１】
図３９（ａ）及び図３９（ｂ）に示すように、回転部材５１２０の切替突設部５１２４が切替装置５１４０の短腕部５１４２ｂに当接する位置まで、回転部材５１２０が回転することにより、切替突設部５１２４に短腕部５１４２ｂが押され、回転腕部５１４２が回転する（図３９（ｂ）参照）。この状態において、流下防止板５０１５が埋没状態を形成する。
【０３４２】
なお、上述した通り、回転腕部５１４２は、回転軸を基準として、回転部材５１２０側に延設される腕（短腕部５１４２ｂ）の方が、流下防止板５０１５側に延設される腕（長腕部５１４２ａ）よりも短い。そのため、短腕部５１４２ｂの先端の変位よりも大きな変位で長腕部５１４２ａを変位させることができるので、流下防止板５０１５を埋没状態にするために必要となる短腕部５１４２ｂの変位量を小さくすることができる。これにより、回転部材５１２０をコンパクトに形成することができる。
【０３４３】
本実施形態では、第２可変入賞装置６５０が閉鎖状態から開放状態へ変化することで、爪部Ｂ５１が回転部材５１２０の外周係合部５１２２を押進し、付勢部５１３０と嵌合する位置決め凹部５１２３が隣りにずれる態様で、回転動作する。換言すれば、第２可変入賞装置６５０が閉鎖状態から開放状態へ１回変化することにより、１／１６周（２２．５度）だけ、回転部材５１２０は回転動作する（開放状態へ１６回変化することにより、回転部材５１２０は１回転する）。なお、上述したように、第２可変入賞装置６５０が開放状態から閉鎖状態へ変化するときには、爪部Ｂ５１から回転部材５１２０へ周方向の負荷が生じ難く、回転部材５１２０は姿勢を維持するそのため、第２可変入賞装置６５０が開閉動作を繰り返すことで、回転部材５１２０の姿勢が順に変化することになる。
【０３４４】
本実施形態では、第２可変入賞装置６５０の開閉により、回転部材５１２０は正面視反時計回りに回転する。即ち、第２可変入賞装置６５０の開閉動作を４回行うことにより、図３９に示す状態から、図３７に示す状態に変化させることができる。
【０３４５】
本実施形態では、回転部材５１２０の初期姿勢が図３７（ａ）に示す姿勢（検出ピン５１２５が位置センサ５１４４の内側に配置される姿勢）とされ、初期姿勢から第２可変入賞装置６５０が１２回開閉動作をした後で形成される解除姿勢（図３９（ａ）参照）でのみ、流下防止板５０１５が埋没状態とされる。従って、第２可変入賞装置６５０の動作態様を異ならせることにより、貯留装置５０００の内部に球が貯まりやすいか、否かを変えることができる。このことについて、図４０を参照して説明する。
【０３４６】
次いで、図４０を参照して、第２特定入賞口６５０ａの開放パターンについて説明する。図４０（ａ）は、大当たりＡの１２ラウンド目における、第２特定入賞口６５０ａの計時変化を示した図であり、図４０（ｂ）は、大当たりＢの１２ラウンド目における、第２特定入賞口６５０ａの計時変化を示した図である。
【０３４７】
まず、図４０（ａ）について説明する。図４０（ａ）の上側のグラフが、第２特定入賞口（第２大開放口）６５０ａの計時変化（開放状態であるか、閉鎖状態であるか）を示しており、図４０（ａ）の下側のグラフが流下防止板５０１５の計時変化（突出状態であるか、埋没状態であるか）を示している。
【０３４８】
図４０（ａ）に示した通り、１２ラウンド目が開始されると、０．５秒間（球を入球不可能とする短時間）の開閉動作が所定回数（例えば、１１回）繰り返され、その後、第２特定入賞口（第２大開放口）６５０ａが開放（１２回目の開放）され、所定時間（例えば、１２ラウンド目の開始から３０秒経過するまで、或いは、１２ラウンド目において球が１０個入賞するまで）経過することにより、第２特定入賞口（第２大開放口）６５０ａが閉鎖され、その後、インターバルの間に、１２ラウンド目の開始からの開閉回数が１６回となる所定回数（例えば、４回）で、一回あたり０．５秒間（球を入球不可能とする短時間）の開閉動作を行い、その開閉動作の後、閉鎖状態を維持し、１２ラウンド目が終了する。また、この閉鎖状態は、特別遊技状態（大当たり状態）が終了し、次に大当たりの１２ラウンドとなるまで継続する。
【０３４９】
なお、所定回数（例えば、１１回）の開閉動作の内に、球が第２可変入賞装置６５０に１０個以上入ることは生じないように設定される。本実施形態では、第２可変入賞装置６５０へ球が約１秒間に１球到達するように第２可変入賞装置６５０の上流側の経路が形成されることにより、１１回の開閉動作中（約５．５秒間の動作中）には、１０個以上の球が第２可変入賞装置６５０へ到達しないように構成することで、これを担保している。
【０３５０】
また、大当たりＡの１２ラウンド目において、流下防止板５０１５は、第２特定入賞口（第２大開放口）６５０ａが１２回目の開放動作をする直前まで、突出状態を維持し、１２回目の開放動作がされることで埋没状態に変化し、１３回目の開放動作がされることで再度、突出状態となる。また、１４回目の開放動作がされることで埋没状態となり、１５回目の開放動作がされることで、突出状態となる。ここで、第２可変入賞装置６５０が長時間開放され球が多量に入球可能な状態においては、流下防止板５０１５が埋没状態となるので、貯留装置５０００に球を貯めにくい態様となる。また、第２可変入賞装置６５０の１２回目の開放動作の後で、再び流下防止板５０１５を埋没状態とすることにより、球を残らず流下防止板５０１５の先へ流すことができる。従って、１２回目の開放の終了直前に第２可変入賞装置６５０に入球した球が傾倒部材１０４０の上面に残存したまま特別遊技状態（大当たり状態）が終了することを防止することができる。
【０３５１】
このように第２特定入賞口（第２大開放口）６５０ａに球を入球可能な状態を作りながら、流下防止板５０１５は埋没状態で維持することで、球が貯留装置５０００に貯まりにくい状態を形成することができる。
【０３５２】
これにより、大当たりＡにおいて、第２特定入賞口（第２大開放口）６５０ａでの賞球は十分確保できる状態を維持しながら、球が確変入球口１０３１を通過しにくくすることができる。よって、大当たりＡとなった場合の多くは、特別遊技状態中（大当たり中）に確変入球口１０３１へと球が入球しないので、大当たりの終了後に特別図柄の確変状態に設定されにくくなる。
【０３５３】
次に、図４０（ｂ）を参照して、大当たりＢの１２ラウンド目における、第２特定入賞口（第２大開放口）６５０ａの計時変化について説明する。図４０（ｂ）の上側のグラフが、第２特定入賞口（第２大開放口）６５０ａの計時変化（開放状態であるか、閉鎖状態であるか）を示しており、図４０（ｂ）の下側のグラフが、流下防止板５０１５の計時変化（突出状態であるか、埋没状態であるか）を示している。
【０３５４】
図４０（ｂ）に示した通り、１２ラウンド目が開始されると、０．５秒間（球を入球不可能とする短時間）の開閉動作が所定回数（例えば、１０回）繰り返され、その後、第２特定入賞口（第２大開放口）６５０ａが開放（１１回目の開放）され、所定時間（例えば、１２ラウンド目の開始から３０秒経過するまで、或いは、１２ラウンド目において球が１０個入賞するまで）経過することにより、第２特定入賞口（第２大開放口）６５０ａが閉鎖され、その後、インターバルの間に、１２ラウンド目の開始からの開閉回数が１６回となる所定回数（例えば、５回）で、一回あたり０．５秒間（球を入球不可能とする短時間）の開閉動作を行い、その開閉動作の後、閉鎖状態を維持し、１２ラウンド目が終了する。また、この閉鎖状態は、特別遊技状態（大当たり状態）が終了し、次に大当たりの１２ラウンドとなるまで継続する。
【０３５５】
なお、所定回数（例えば、１０回）の開閉動作の内に、球が第２可変入賞装置６５０に１０個以上入ることは生じないように設定される。本実施形態では、第２可変入賞装置６５０へ球が約１秒間に１球到達するように第２可変入賞装置６５０の上流側の経路が形成されることにより、１０回の開閉動作中（約５．０秒間の動作中）には、１０個以上の球が第２可変入賞装置６５０へ到達しないように構成することで、これを担保している。
【０３５６】
また、大当たりＢの１２ラウンド目において、流下防止板５０１５は、第２特定入賞口（第２大開放口）６５０ａが１２回目の開放動作をする直前まで、突出状態を維持し、１２回目の開放動作がされることで埋没状態に変化し、１３回目の開放動作がされることで再度、突出状態となる。また、１４回目の開放動作がされることで埋没状態となり、１５回目の開放動作がされることで、突出状態となる。ここで、第２可変入賞装置６５０が長時間開放され球が多量に入球可能な状態（１１回目の開放状態）においては、流下防止板５０１５が突出状態となるので、貯留装置５０００に球を貯め易い態様となる。
【０３５７】
また、第２可変入賞装置６５０の１１回目の開放状態が所定時間（例えば、１２ラウンド目の開始から３０秒経過するまで、或いは、１２ラウンド目において球が１０個入賞するまで）経過後に閉鎖したとしても、流下防止板５０１５は、第２可変入賞装置６５０が１２回目の開放動作を行うまでは突出状態を維持するので、１１回目の閉鎖動作から１２回目の開放動作までの期間を制御することで、所定時間が経過する直前に入球した球が傾倒部材１０４０に到達するまでの時間を確保することができる。
【０３５８】
大当たりＢの１２ラウンド目において、流下防止板５０１５は、大当たりＡの１２ラウンド目とは異なった動作をおこなう。即ち、流下防止板５０１５は、第２特定入賞口６５０ａが球を入球可能な態様で長時間開放される間中、突出状態で維持される。
【０３５９】
そのため、大当たりＢの１２ラウンド目の開始から、１２ラウンド目が終了するまでの間は、第２特定入賞口６５０ａに球が入球し易い状態が維持されると共に、傾倒部材１０４０に球を貯留し易い状態が維持される。これにより、傾倒部材１０４０を球の重みで傾倒動作させやすくでき、大当たりＢにおいて、球が確変入球口１０３１を通過し易くすることができるので、大当たりの終了後に特別図柄の確変状態に設定されやすくなる。
【０３６０】
なお、大当たりＢにおいて、インターバル中に数回、開閉動作を繰り返すことで、流下防止板１０１５を埋没状態に変化させ、傾倒部材１０４０の上面に残存する球を通常入球口１０３３へ向けて流すように制御される。
【０３６１】
このように、１２ラウンド目の開始後における第２特定入賞口６５０ａの動作態様を、複数回の開閉動作を行った後で、球を入球可能な長さで開放状態を維持するという、似通った動作態様としながら、大当たりＡと大当たりＢとで、大当たり終了後に特別図柄の確変状態に設定され易い場合（図４０（ｂ）参照）と、特別図柄の確変状態に設定され難い場合（図４０（ａ）参照）とを形成することができる。これにより、遊技者に、１２ラウンド目の開始後しばらくの間、大当たりが、大当たりＡなのか大当たりＢなのかを分かり難くでき、遊技中において、遊技者の期待感をより長く保つことができる。
【０３６２】
また、開閉動作の回数は、その動作の素早さもあって、正しく数えることは困難であり、第２可変入賞装置６５０の開閉板６５０ｂのみを見て、大当たりの種別の判断を行うことは困難である。そのため、大当たりの種別の判断は、流下防止板５０１５が突出状態であるか、埋没状態であるのかで判断することが確実である。
【０３６３】
しかし、その流下防止板５０１５の動作方向は前後方向であり、正面視における位置が変化しないので、正面視では、突出状態も、埋没状態も同じように視認される。そのため、正面視では、違いが判別し難い。また、上から覗き込もうとしても、外縁部材７３（図２参照）や、分岐流路１０３０の上側壁面に視線を遮られ、覗き込み難い態様となっている。
【０３６４】
従って、実際に球が分岐流路１０３０をどのように流下するかによって、その大当たりの種別の確認をするように、仕向けることができる。これにより、分岐流路１０３０及び、その内側に配置される傾倒部材１０４０の注目力を向上させることができ、分岐流路１０３０の内側を流下する球の動きに注目させることができる。
【０３６５】
なお、第２特定入賞口（第２大開放口）６５０ａを開放するラウンド数は、１２ラウンド目に限られるものではなく、任意のラウンドに設定してもよい。更に、複数ラウンドにおいて第２特定入賞口６５０ａを開放するように構成してもよく、例えば、１ラウンド目と１５ラウンド目とで第２特定入賞口（第２大開放口）６５０ａを開放するように設定してもよい。これにより、確変入球口１０３１へと球を入球させる機会を増やすことができるので、大当たりＢの終了後に、より特別図柄の確変状態となりやすくすることができる。よって、大当たりＢに当選したにもかかわらず、第２特定入賞口（第２大開放口）６５０ａへと球を入球させることができず、遊技者の遊技に対するモチベーションを低下させてしまうことを防止（抑制）することができる。
【０３６６】
なお、上述したように、本実施形態では第２特定入賞装置６５０の開閉回数によって、流下防止板５０１５の状態が切り替わるので、例えば、敢えて、初期位置に戻さないという制御を行うこともできる。その制御態様について、図４１を参照して説明する。
【０３６７】
図４１（ａ）は、大当たりＡ（その２）の１２ラウンド目における、第２特定入賞口６５０ａの計時変化（開放状態であるか、閉鎖状態であるか）を示した図であり、図４１（ｂ）及び図４１（ｃ）は、流下防止板５０１５の計時変化（突出状態であるか、埋没状態であるか）を示した図である。なお、図４１（ｂ）では、大当たりＡ（その２）が連続で生じた場合の１回目の大当たりの際の流下防止板５０１５の計時変化が示され、図４１（ｃ）はでは、大当たりＡ（その２）が連続で生じた場合の２回目の大当たりの際の流下防止板５０１５の計時変化が示される。即ち、大当たりＡ（その２）という同じ種別の大当たりにおいて、流下防止板５０１５の計時変化が異なっている。
【０３６８】
図４１（ａ）に示した通り、１２ラウンド目が開始されると、０．５秒間（球を入球不可能とする短時間）の開閉動作が所定回数（例えば、１１回）繰り返され、その後、第２特定入賞口（第２大開放口）６５０ａが開放（１２回目の開放）され、所定時間（例えば、１２ラウンド目の開始から３０秒経過するまで、或いは、１２ラウンド目において球が１０個入賞するまで）経過することにより、第２特定入賞口（第２大開放口）６５０ａが閉鎖され、その後、インターバルの間に、１２ラウンド目の開始からの開閉回数が２０回となる所定回数（例えば、８回）で、一回あたり０．５秒間（球を入球不可能とする短時間）の開閉動作を行い、その開閉動作の後、閉鎖状態を維持し、１２ラウンド目が終了する。また、この閉鎖状態は、特別遊技状態（大当たり状態）が終了し、次に大当たりの１２ラウンドとなるまで継続する。即ち、この動作態様では、特別遊技状態（大当たり状態）の終了時に、回転部材５１２０が初期姿勢（図３７参照）にならない場合が許容される。
【０３６９】
なお、所定回数（例えば、１１回）の開閉動作の内に、球が第２可変入賞装置６５０に１０個以上入ることは生じないように設定される。本実施形態では、第２可変入賞装置６５０へ球が約１秒間に１球到達するように第２可変入賞装置６５０の上流側の経路が形成されることにより、１１回の開閉動作中（約５．５秒間の動作中）には、１０個以上の球が第２可変入賞装置６５０へ到達しないように構成することで、これを担保している。
【０３７０】
また、図４１（ｂ）に示すように、１回目の大当たりＡ（その２）の１２ラウンド目において、流下防止板５０１５は、第２特定入賞口（第２大開放口）６５０ａが１２回目の開放動作をする直前まで、突出状態を維持し、１２回目の開放動作がされることで埋没状態に変化し、１３回目の開放動作がされることで再度、突出状態となる。また、１４回目の開放動作がされることで埋没状態となり、１５回目の開放動作がされることで、突出状態となる。ここで、第２可変入賞装置６５０が長時間開放され球が多量に入球可能な状態においては、流下防止板５０１５が埋没状態となるので、貯留装置５０００に球を貯めにくい態様となる。また、第２可変入賞装置６５０の１２回目の開放動作の後で、再び流下防止板５０１５を埋没状態とすることにより、球を残らず流下防止板５０１５の先へ流すことができる。従って、１２回目の開放の終了直前に第２可変入賞装置６５０に入球した球が傾倒部材１０４０の上面に残存したまま特別遊技状態（大当たり状態）が終了することを防止することができる。
【０３７１】
このように第２特定入賞口（第２大開放口）６５０ａに球を入球可能な状態を作りながら、流下防止板５０１５は埋没状態で維持することで、球が貯留装置５０００に貯まりにくい状態を形成することができる。
【０３７２】
これにより、１回目の大当たりＡ（その２）において、第２特定入賞口（第２大開放口）６５０ａでの賞球は十分確保できる状態を維持しながら、球が確変入球口１０３１を通過しにくくすることができる。よって、１回目の大当たりＡ（その２）となった場合の多くは、特別遊技状態中（大当たり中）に確変入球口１０３１へと球が入球しないので、大当たりの終了後に特別図柄の確変状態に設定されにくくなる。
【０３７３】
一方、図４１（ｃ）に示すように、２回目の大当たりＡ（その２）の時には、第２可変入賞装置（第２大開放口）６５０の開閉動作は図４１（ａ）と変わらないが、回転部材５１２０の姿勢が１回目の大当たりＡ（その２）の場合を異なるので、第２可変入賞装置６５０が球を入球可能な時間で開放される間に、流下防止板５０１５が突出状態とされる。
【０３７４】
従って、２回目の大当たりＡ（その２）の１２ラウンド目において、流下防止板５０１５は、１回目の大当たりＡ（その２）の１２ラウンド目とは異なった動作をおこなう。即ち、流下防止板５０１５は、第２特定入賞口６５０ａが球を入球可能な態様で長時間開放される間中、突出状態で維持される。
【０３７５】
そのため、２回目の大当たりＡ（その２）の１２ラウンド目の開始から、１２ラウンド目が終了するまでの間は、第２特定入賞口６５０ａに球が入球し易い状態が維持されると共に、傾倒部材１０４０に球を貯留し易い状態が維持される。これにより、傾倒部材１０４０を球の重みで傾倒動作させやすくでき、大当たりＢにおいて、球が確変入球口１０３１を通過し易くすることができるので、大当たりの終了後に特別図柄の確変状態に設定されやすくなる。
【０３７６】
このように、本実施形態によれば、単発では、流下防止板５０１５の動作態様が、大当たりの終了後に特別図柄の確変状態に設定され難い動作態様である大当たりと、大当たり種別の同じ大当たりを連続で獲得した場合に、流下防止板５０１５の動作態様が、大当たりの終了後に特別図柄の確変状態に設定されやすい動作態様となる場合を形成することができる。従って、単発では大当たりの終了後に特別図柄の確変状態に設定され難い動作態様である大当たりを、連続で獲得した場合であっても、期待感を維持することができる。
【０３７７】
また、本体板部１００１を透光性の材料により構成することにより、遊技者が回転部材５１２０の姿勢を把握可能にすることができるので、遊技する遊技機を選ぶ際の一選択基準として、回転部材５１２０の姿勢を遊技者の利益に直結する情報として遊技者に提供することができる。
【０３７８】
即ち、回転部材５１２０の姿勢を見て、回転部材５１２０が１２回分（第２可変入賞装置６５０の開閉動作１２回分）の角度だけ姿勢変化した時に、切替突設部５１２４がどの位置に配置されるかを予め確認することができるので、次に大当たりＡを獲得した場合に、大当たり状態終了後に特別図柄の確変状態へ移行し易いかどうかや、何回連続で大当たりＡを獲得すれば、大当たり状態終了後に特別図柄の確変状態へ移行し易くなるかという情報を、予め獲得することができる。これにより、例えば、次回の大当たりで大当たりＡを獲得することで特別図柄の確変状態へ移行し易い台や、次回とまでは言わなくとも、２又は３回の大当たりで連続して大当たりＡを獲得した場合に、特別図柄の確変状態へ移行し易い台を確認することができる。これにより、遊技者は、その後の遊技の期待値（例えば、少ない大当たり回数（短期間）で、流下防止板５０１５の状態が変化しそうである等）を確認して、遊技機を選ぶ際の選択基準に用いることができる。
【０３７９】
なお、第２可変入賞装置６５０の開閉動作の回数が１６の最小公倍数となった時点で、大当たり終了後に回転部材５１２０が初期姿勢（図３７参照）となる。そのため、図４１に示す動作態様によれば、大当たりＡ（その２）を連続で５回獲得すると、次の６回目に大当たりＡ（その２）を獲得した場合には、１回目の大当たりＡ（その２）の時と同様の動作態様で流下防止板５０１５が動作する。
【０３８０】
また、大当たりが、大当たりＢであった場合には、回転部材５１２０を、検出ピン５１２５が位置センサ５１４４に検出される初期姿勢に復帰させてから（第２可変入賞装置６５０を、球が入球不能な短時間の開閉動作を複数回させてから）、大当たりＢの開閉動作を開始するように制御される。これにより、一度大当たりＢとなれば、それまでの大当たりＡの回数をリセットするという遊技性を作ることができる。即ち、大当たりＡ（その２）を複数回引く際に、遊技者に対する救済（大当たりの終了後に特別図柄の確変状態に設定され易くする救済）があるのは、大当たりＡ（その２）を連続で引く場合に限るという遊技性を形成することができる。
【０３８１】
次いで、図４２から図４６を参照して、第６実施形態について説明する。第３実施形態では、第２可変入賞装置６５０の閉鎖から所定の遅延時間が経過してから流下防止板１０１５が埋没状態へ変化する場合を説明したが、第６実施形態における貯留装置６０００は、少なくとも誘導流路１０２０に球が配置される間は、遅延時間のカウントが開始されず、流下防止板１０１５が突出状態を維持する態様で構成される。なお、上述した各実施形態と同一の部分には同一の符号を付して、その説明は省略する。
【０３８２】
図４２（ａ）は、第６実施形態における貯留装置６０００の正面図であり、図４２（ｂ）は、図４２（ａ）の矢印ＸＬＩＩｂ方向視における貯留装置６０００の側面図であり、図４３は、貯留装置６０００の背面図であり、図４４は、図４２（ａ）のＸＬＩＶ−ＸＬＩＶ線における貯留装置６０００の部分断面図である。なお、図４２及び図４３では、本体板部１００１、駆動モータ３０１２、切替クラッチ３０１３、回転円板３０１４、及び切替部材３０１６が、想像線で図示される。また、図４２（ｂ）では、分岐流路１０３０が部分的に断面視され、内部を視認可能とされ、更に、流下防止板１０１５の図示が省略される。
【０３８３】
図４２（ａ）、図４２（ｂ）及び図４３に示すように、貯留装置６０００は、本体板部１００１と、上述した球止め装置３０１０と、誘導流路１０２０と、分岐流路１０３０と、傾倒部材１０４０と、を第３実施形態と同様に備え、加えて、誘導流路１０２０の内部に張り出し、上下方向に揺動可能に支持される回動床装置６１００と、分岐流路１０３０の内部に張り出し前後に揺動可能に支持される回動壁装置６２００と、を主に備える。
【０３８４】
回動床装置６１００は、本体板部１００１の背面側へ円柱状に突設される軸棒部６１１０と、その軸棒部６１１０に回転可能に支持される板状部材であって誘導流路１０２０の下底部の形成を省略することにより形成される貫通孔である動作孔Ｈ６１を通って誘導流路１０２０の内側へ張り出し球の重さで動作する回転板部６１２０と、軸棒部６１１０を挟んで回転板部６１２０の反対側で回転板部６１２０を下方へ引く弾性バネ６１３０と、回転板部６１２０から上方へ延設されると共に切替部材３０１６と係合可能に構成される係合腕部６１４０と、傾倒時の回転板部６１２０を下支えする支え板６１５０と、を主に備える。
【０３８５】
図４４に示すように、動作孔Ｈ６１は、球受け凹部１０２１の底部を一部削る態様で形成される。その球受け凹部１０２１の削られた部分を補う形で正面側へ延設されると共に、上方へ嵩上げして形成される延設底部６１２１を、回転板部６１２０が備える。これにより、球受け凹部１０２１に球が入球してから球が誘導流路１０２０を抜けるまでの間、回転板部６１２０に球の重みをかけ続ける（回転板部６２１０を傾倒させ続ける）ことができる。
【０３８６】
支え板６１５０は、本体板部１００１の背面から後方に延設される板部であり、回動床装置６１００が傾倒状態（図４５（ａ）参照）となった場合に、回転板部６１２０を下から支え、それ以上の傾倒を防止する部材である。支え板６１５０の作用により、回転板部６１２０に乗る球の個数によらず（個数が多いために、傾倒角度が大きくなるということは無く）、球が乗ってさえいれば、回動床装置６１００を傾倒状態にすることができる。
【０３８７】
回動床装置６１００は、回転板部６１２０の上面に球が乗っていない初期状態において、係合腕部６１４０の延設先端が、伝達姿勢の切替部材３０１６に正面視右側から当接する（係合腕部６１４０の動作開始から、切替部材３０１６が動作開始する）。
【０３８８】
回動壁装置６２００は、分岐流路１０３０に前後方向に穿設される動作孔Ｈ６２を通って前後方向に揺動可能とされる当接板部６２１０と、その当接板部６２１０の背面側壁から背面視右方に延設され、その延設先端から後側上方向に傾斜して延設される係合腕部６２２０と、図４２に示す初期状態において係合腕部６２２０に下方から当接する態様で本体板部１００１から延設される回り止め部６２３０と、を主に備える。
【０３８９】
動作孔Ｈ６２は、正面視において、傾倒部材１０４０に３個目の球が貯留されて初めて球と動作孔Ｈ６２とが重なる位置に配置される（傾倒部材１０４０に球が２個までしか貯留されていない場合には球と球と動作孔Ｈ６２とが重ならない位置に配置される）。
【０３９０】
動作孔Ｈ６２は、その上端部において左右方向両側に延設され背面側から凹む凹設部を備え、その凹設部に、当接板部６２１０の上端部から左右方向に円柱状に延設される軸棒部６２１１が背面側から嵌め込まれることにより、当接板部６２１０が分岐流路１０３０に揺動可能に支持される。
【０３９１】
当接板部６２１０は、正面側壁面の正面視左側部分に、左方ほど後側へ向かう態様で傾斜して構成される受け入れ面部６２１２を備える。この受け入れ面部６２１２により、当接板部６２１０の正面視左側から右方へ移動した球と当接板部６２１０とが当接する場合に、当接板部６２１０と球との間の抵抗を低減することができる。
【０３９２】
また、受け入れ面部６２１２は、上述した形状から構成されることから、真上から落下した球を左方へ受け流す。これにより、排出口１０２４の右よりの部分から球が正面側へ排出された場合に、球が受け入れ面部６２１２に当接することで、球に正面視左方へ向けた勢いを付けることができる。これにより、傾倒部材１０４０が傾倒状態となっていないにもかかわらず、球が傾倒部材１０４０の右方に流れ、確変側流路１０３２へ流下することを防止することができる。
【０３９３】
図４２（ｂ）に示すように、係合腕部６２２０は、延設先端が、切替部材３０１６の後方に配置される。従って、当接板部６２１０を下方に傾倒動作させる（図４２（ｂ）時計回り方向に動作させる）ことにより、係合腕部６２２０を切替部材３０１６に近づける態様とすることができる。
【０３９４】
次いで、図４５を参照して、回動床装置６１００の回転板部６１２０の上面に球が乗った場合について説明する。図４５（ａ）は、貯留装置６０００の正面図であり、図４５（ｂ）は、図４５（ａ）の矢印ＸＬＶｂ方向視における貯留装置６０００の側面図である。なお、図４５（ａ）及び図４５（ｂ）では、本体板部１００１、駆動モータ３０１２、切替クラッチ３０１３、及び切替部材３０１６が、想像線で図示される。また、図４５（ｂ）では、分岐流路１０３０が部分的に断面視され、内部を視認可能とされ、更に、流下防止板１０１５の図示が省略される。
【０３９５】
図４５（ａ）に示すように、誘導流路１０２０を球が流下する場合、球の重みで回転板部６１２０が回転動作し、回転床装置６１００は、傾倒状態に変化する（図４５（ａ）参照）。この傾倒状態は、球が誘導流路１０２０から（排出口１０２４から）排出されるまで維持され、球が誘導流路１０２０から排出されることにより、回転床装置６１００にかけられていた負荷が解除され、弾性バネ６１３０の付勢力で初期状態（図４２参照）に戻る。
【０３９６】
図４５（ａ）に示すように、回転床装置６１００が傾倒状態になると、係合腕部６１４０の先端が切替部材３０１６の先端を正面視左方へ押進することで、切替部材３０１６が解除姿勢側（上端部が左方へ傾倒する側）へ回転し、切替クラッチ３０１３の歯合が解除される。詳しくは、切替部材３０１６の姿勢を解除姿勢まで回転させるわけではなく、最低限、切替クラッチ３０１３の歯合を解除する姿勢（中間姿勢、図４５（ａ）参照）まで回転させ、切替クラッチ３０１３の歯合を解除する。この状態は、切替部材３０１６を解除姿勢まで回転させた状態ではないので、この状態において、第２可変入賞装置６５０の開閉板６５０ｂは開放状態とはならず、球が入球不能な程度に開放された状態とされる。
【０３９７】
従って、第２可変入賞装置６５０が閉鎖状態となった後で、球が誘導流路１０２０に残っていた場合、切替クラッチ３０１３が伝達状態となることが防止され、少なくとも球が誘導流路１０２０から排出されるまで流下防止板１０１５が埋没状態となることが防止される。一方で、球が誘導流路１０２０に残っていたとしても、第２可変入賞装置６５０が閉鎖状態となった後において、第２可変入賞装置６５０は球が入球不能な状態を維持するので、第２可変入賞装置６５０が閉鎖状態となった後（閉鎖状態となるように制御した後）で、誤って球が第２可変入賞装置６５０に入球することを防止することができる。
【０３９８】
ここで、回動床装置６１００は、誘導流路１０２０に球が配置される間は切替クラッチ３０１３の歯合を解除し、流下防止板１０１５が埋没状態をなることを防止するが、誘導流路１０２０から球が傾倒部材１０４０へ向けて排出された後は、切替クラッチ３０１３の歯合解除を維持できない。この場合、傾倒部材１０４０が傾倒動作する前に球が通常側流路１０３４へ流れてしまう恐れがあるが、その対策として、回動壁装置６２００を備える。次に、図４６を参照して、回動壁装置６２００の作用について説明する。
【０３９９】
図４６（ａ）は、貯留装置６０００の正面図であり、図４６（ｂ）は、図４６（ａ）の矢印ＸＬＶＩｂ方向視における貯留装置６０００の側面図である。なお、図４６（ａ）及び図４６（ｂ）では、本体板部１００１、駆動モータ３０１２、切替クラッチ３０１３、及び切替部材３０１６が、想像線で図示される。また、図４６（ｂ）では、分岐流路１０３０が部分的に断面視され、内部を視認可能とされ、更に、流下防止板１０１５の図示が省略される。
【０４００】
図４６（ａ）に示すように、誘導流路１０２０から球が傾倒部材１０４０の上面に着地し、その球が当接板部６２１０の正面側に配置されることに基づいて、当接板部６２１０が球に押されて、回動壁装置６２００が、初期状態（図４２参照）から上向き状態（図４６参照）へ変化する。この上向き状態への移動において、係合腕部６２２０が切替部材３０１６の上側端部を下側から押し上げ、切替部材３０１６が解除姿勢側へ回転動作し、この状態において、切替クラッチ３０１３の駆動力伝達が解除される。駆動力伝達の解除は、球が当接板部６２１０の正面側に配置される限り維持され、球が当接板部６２１０の正面側から移動することにより、当接板部６２１０に球からかけられていた負荷が無くなり、係合腕部６２２０の重みで回動壁装置６２００は初期状態へ戻る。
【０４０１】
これにより、球が誘導流路１０２０から排出された後でも、傾倒部材１０４０の上面において球が３個横並びになることに基づいて球が当接板部６２１０の正面に配置されることにより、切替クラッチ３０１３の駆動力伝達を解除することができる。従って、流下防止板１０１５が埋没状態となるまでの遅延時間をより長くすることができる。
【０４０２】
なお、当接板部６２１０を傾倒部材１０４０に球が３個乗った場合に初めて球が正面側に配置される位置に設けたので、回動壁装置６２００の作用を傾倒部材１０４０に球が３個貯留された状態（球が確変入球孔１０３１に入球する可能性のある状態）に限定して発揮させることができる。従って、第２可変入賞装置６５０の閉鎖直前に球が入球し、その球が誘導流路１０２０から排出された場合であっても、例えば、傾倒部材１０４０の上面に１個の球も滞留していなかった場合（誘導流路１０２０から排出された球が最初の一個の場合）には、回動壁装置６２００が初期状態を維持し、切替クラッチ３０１３の伝達が開始される。
【０４０３】
これにより、最終的に傾倒部材１０４０が傾倒する可能性がなく、確変入球口１０３１へ球が向かわない場合にまで、回動壁装置６２００により流下防止板１０１５の状態変化を遅らせることを防止できるので、球を迅速に通常側流路１０３４へ排出し、遊技者が分岐流路１０３０以外の部分（例えば、第３図柄表示装置８１等）に早く集中できるようにすることができる。
【０４０４】
一方で、傾倒部材１０４０の上面に球が３個並んだ後は、当接板部６２１０の正面から球が排除されるまで（傾倒部材１０４０が傾倒動作して球が移動するまで）、切替クラッチ３０１３の駆動力伝達は解除されたままとなるので、傾倒部材１０４０の回動速度が多少遅くなったとしても関係無く、傾倒部材１０４０が回転可能に形成される限り、確実に球を確変側流路１０３２へ送ることができる。これにより、傾倒部材１０４０が傾倒動作する前に流下防止板１０１５が埋没状態となり、球が通常側流路１０３４へ流下するという誤動作を防止することができる。
【０４０５】
次いで、図４７から図４９を参照して、第７実施形態について説明する。第１実施形態では、第２可変入賞装置６５０の開閉動作に基づいて流下防止板１０１５が埋没状態へ変化する場合を説明したが、第７実施形態における貯留装置７０００は流下する球の作用により、流下防止板１０１５が埋没状態へ変化する態様で構成される。なお、上述した各実施形態と同一の部分には同一の符号を付して、その説明は省略する。
【０４０６】
図４７（ａ）は、第７実施形態における貯留装置７０００の正面図であり、図４７（ｂ）は、図４７（ａ）のＸＬＶＩＩｂ−ＸＬＶＩＩｂ線における貯留装置７０００の部分断面図である。なお、図４７（ａ）では、本体板部１００１が想像線で図示され、回動床装置６１００及び回動壁装置６２００が部分的に隠れ線で図示され、図４７（ｂ）では、回動床装置６１００及び回動壁装置６２００の図示が省略される。
【０４０７】
図４７（ａ）に示すように、貯留装置７０００は、本体板部１００１と、上述した回動床装置６１００と、回動壁装置６２００と、誘導流路１０２０と、分岐流路１０３０と、傾倒部材１０４０と、を備え、加えて、第２可変入賞装置６５０に入球せず開閉板６５０ｂの左方へ流下する球を収容する解除流路７１００と、その解除流路７１００の内側で動作可能に形成される断面扇形状の揺動部材７２００と、解除流路７１００の内側で動作可能に形成される板状の振分部材７３００と、を主に備える。
【０４０８】
解除流路７１００は、球が１球通る程度の断面積の流路であって、その流下経路内に揺動部材７２００が張り出す第１流路７１１０と、その第１流路７１１０から分岐する流路であって、球が揺動部材７２００とは当接しない第２流路７１２０と、を主に備える。なお、第１流路７１１０を通過した球は、第１可変入賞装置６５（図２参照）へ流下する態様とされる。
【０４０９】
揺動部材７２００は、第１流路７１１０の内側へ張り出す態様で本体板部１００１の背面側壁部に揺動可能に支持され、流下防止板７０１５から正面視左方に延設される板部材７０１５ｃに当接され、流下防止板７０１５にかけられる弾性バネ３０１１ａ（図２２（ｂ）参照）の付勢力により、正面側へ付勢され、初期状態（図４７（ｂ）参照）となる。
【０４１０】
図４８（ａ）は、貯留装置７０００の正面図であり、図４８（ｂ）は、図４８（ａ）のＸＬＶＩＩＩｂ−ＸＬＶＩＩＩｂ線における貯留装置７０００の部分断面図である。なお、図４８（ａ）では、本体板部１００１が想像線で図示され、回動床装置６１００及び回動壁装置６２００が部分的に隠れ線で図示され、図４８（ｂ）では、回動床装置６１００及び回動壁装置６２００の図示が省略される。また、球が第１流路７１１０を流下し、揺動部材７２００が初期状態から押出状態に変化した状態が図示される。
【０４１１】
図４８（ｂ）に示すように、球が揺動部材７２００の正面側を流下し、押出状態となると、流下防止板７０１５の板部材７０１５ｃが後方へ押され、流下防止板７０１５が埋没状態を形成する。また、球が揺動部材７２００の下方へ通り過ぎれば、揺動部材７２００へ球から与えられる負荷が無くなるので、弾性バネ３０１１ａの付勢力により、流下防止板７０１５は突出状態へ戻る。
【０４１２】
このように、球が第１流路７１１０を通過することにより、一時的に流下防止板７０１５を埋没状態とすることができるので、分岐流路１０３０に球が残った場合に、球を通常側流路１０３４へ向けて流すことができる。従って、ソレノイド６５０ｃや、他の駆動装置により流下防止板７０１５の状態を変化させる場合に比較して、駆動力を伝達する装置の配設スペースを省略することができ、他の装置（例えば、大開放口や、液晶演出装置）の配設スペースをかせぐことができる。
【０４１３】
一方、本実施形態によれば、特別遊技（大当たり遊技）中に、たまたま第２可変入賞口６５０に入球し損ねた（バウンドして飛び出した、等）球が、第１流路７１１０を通過することとなると、予期せず流下防止板７０１５が埋没状態を形成することになり、遊技者に不利益が生じる恐れがある。これに対し、本実施形態によれば、球が貯留装置７０００に入球している場合には、解除流路７１００に入球した球を、第１流路７１１０ではなく、第２流路７１２０へ入球させることで、流下防止板７０１５が埋没状態となることを防止している。このことについて、図４９を参照して説明する。
【０４１４】
図４９（ａ）は、貯留装置７０００の正面図であり、図４９（ｂ）は、図４９（ａ）のＸＬＩＸｂ−ＸＬＩＸｂ線における貯留装置７０００の部分断面図である。なお、図４９（ａ）では、本体板部１００１が想像線で図示され、回動床装置６１００及び回動壁装置６２００が部分的に隠れ線で図示され、図４９（ｂ）では、回動床装置６１００及び回動壁装置６２００の図示が省略される。また、球が回転板部６１２０の上面に乗り、振分部材７３００の振分状態が図示される。
【０４１５】
振分部材７３００は、本体板部１００１の背面側に回転可能に軸支され、回動床装置６１００又は回動壁装置６２００の動作に基づいて動作する被駆動腕部７３１０と、その被駆動腕部７３１０と一体形成され、解除流路７１００の背面から正面側へ向けて貫通する板状部であって、第１流路７１１０の床壁を形成する可動床部７３２０と、を主に備える。
【０４１６】
図４９（ａ）に示すように、球が回転板部６１２０の上面に乗ると、係合腕部６１４０が被駆動腕部７３１０を正面視左方へ押進し、これにより、可動床部７３２０が上方へ持ち上げられ、振分状態を形成する。なお、係合腕部６１４０が右方へ退けば、振分部材７３００の自重により振分部材７３００は元の初期状態（図４７（ａ）参照）に戻る。
【０４１７】
図４９（ａ）に示す振分部材７３００の振分状態において、第１流路７１１０への入口が狭められ、球が第２流路７１２０に向かいやすい状態を形成することができる。また、第２流路７１２０へ球が向かわなかったとしても、球の作用で振分部材７３００が振分状態を維持する限り、第１流路７１１０へ球を入球させない（第１流路７１１０の入口で球を停留させる）ことから、球が揺動部材７２００に当接することを防止でき、流下防止板７０１５の突出状態を維持することができる。
【０４１８】
なお、貯留装置７０００への球の貯留態様により回動床装置６１００及び回動壁装置６２００により奏される効果（第６実施形態で説明した効果）は、本実施形態においても同様に奏される。
【０４１９】
なお、球を第１流路７１１０に通さないように遊技されると、流下防止板７０１５が埋没状態にならず、大当たり遊技後に分岐流路１０３０に球が残った状態が維持される恐れがある。これに対し、本実施形態では、全大当たり終了後に時短が設定されるので、大当たり終了後の時短遊技により、第２入球口６４０（図２参照）からこぼれた球が、解除流路に入球するように仕向けることができる。これにより、分岐流路１０３０に残った球を、大当たり遊技終了後の遊技により、通常側流路１０３４へ流し易くすることができる。
【０４２０】
次いで、図５０及び図５１を参照して、第８実施形態について説明する。第６実施形態では、誘導流路１０２０に球が残っていたら、流下防止板１０１５が動作するまでの期間を遅延させる場合を説明したが、第８実施形態における貯留装置８０００は、誘導流路１０２０に球が残っていたら、流下防止板１０１５とは別の防止爪部８２３０が張り出す態様で構成される。なお、上述した各実施形態と同一の部分には同一の符号を付して、その説明は省略する。
【０４２１】
図５０（ａ）は、第８実施形態における貯留装置８０００の正面図であり、図５０（ｂ）は、図５０（ａ）の矢印Ｌｂ方向視における貯留装置８０００の部分側面図である。なお、図５０では、本体板部１００１が想像線で図示される。また、図５０（ａ）では、分岐流路１０３０が部分的に破断され後方を視認可能とされ、図５０（ｂ）では、分岐流路１０３０の正面視左側壁の図示が省略され、分岐流路１０３０が部分的に破断され内部が視認可能とされる。
【０４２２】
なお、図示を省略するが、本実施形態における流下防止板１０１５の動作は、第６実施形態と同様に、切替クラッチ３０１３（図４２（ａ）参照）により駆動力伝達されることにより、実行される。
【０４２３】
図５０（ａ）に示すように、貯留装置８０００は、本体板部１００１と、上述した回動床装置６１００と、回動壁装置６２００と、誘導流路１０２０と、分岐流路１０３０と、傾倒部材１０４０と、を備え、加えて、本体板部１００１の背面に回転可能に軸支され回動床装置６１００又は回動壁装置６２００の動作により回転動作する扇部材８１００と、その扇部材８１００の動作と連動して動作し、分岐流路１０３０の内部に張り出す張出装置８２００と、を主に備える。
【０４２４】
張出装置８２００は、本体板部１００１の背面に回転可能に軸支される一対の歯車８２１０と、その歯車８２１０の内、正面視左側の歯車８２１０から径方向に延設される延設腕部８２２０と、その延設腕部８２２０の延設先端から延設される部分であって、分岐流路１０３０の側壁に開けられた貫通孔を通して分岐流路１０３０の内側へ張り出し可能に構成される防止爪部８２３０と、を主に備える。
【０４２５】
扇部材８１００は、本体板部１００１に軸支され、その軸支点から上方へ延設される部分が、係合腕部６１４０や係合腕部６２２０と当接可能な位置まで延設され、その反対側には、扇形状の先端にギア歯８１１０の付いた形状が形成される。
【０４２６】
ギア歯８１１０と、歯車８２１０とは歯合されており、そのギア比は１：１０で構成される（扇部材８１００が１度回転することで、歯車８２１０が１０度回転する態様で構成される）。そのため、回動床装置６１００又は回動壁装置６２００の動作が小さい場合であっても、防止爪部８２３０の動作を大きくすることができる。
【０４２７】
図５１（ａ）は、貯留装置８０００の正面図であり、図５１（ｂ）は、図５１（ａ）の矢印ＬＩｂ方向視における貯留装置８０００の部分側面図である。なお、図５１（ａ）では、本体板部１００１が想像線で図示される。また、図５１（ａ）では、分岐流路１０３０が部分的に破断され後方を視認可能とされ、図５１（ｂ）では、分岐流路１０３０の正面視左側壁の図示が省略され、分岐流路１０３０が部分的に破断され内部が視認可能とされる。
【０４２８】
図５１では、球が回転板部６１２０に乗り、係合腕部６１４０が左方へ移動し、扇部材８１００が正面視反時計回りに回転動作した状態が図示される。このように扇部材８１００が動作すると、その扇部材８１００と歯合される右側の歯車８２１０が正面視時計回りに回転し、それに伴い左側の歯車８２１０が正面視反時計回りに回転する。これにより、正面視左側の歯車８２１０から延設される延設腕部８２２０が正面視反時計回りに回転し、防止爪部８２３０が分岐流路１０３０の内方へ張り出される。これにより、流下防止板１０１５が埋没状態となった後であっても、防止爪部８２３０により、球が通常側流路１０３４へ流下することを防止することができる。
【０４２９】
なお、貯留装置８０００への球の貯留態様により回動床装置６１００及び回動壁装置６２００により奏される効果（第６実施形態で説明した効果）は、本実施形態においても同様に奏される。
【０４３０】
次いで、図５２及び図５３を参照して、第９実施形態について説明する。第１実施形態では、排出口１０２４から排出された球が、傾倒部材１０４０の回転軸よりも正面視左側で傾倒部材１０４０の上面に落下し易い場合を説明したが、第９実施形態における貯留装置９０００は、傾倒部材１０４０の回転軸よりも正面視右側で傾倒部材１０４０の上面に落下する態様で構成される。なお、上述した各実施形態と同一の部分には同一の符号を付して、その説明は省略する。図５２及び図５３を参照して、貯留装置９０００へ遊技球が流入する態様について説明する。
【０４３１】
図５２（ａ）は、第９実施形態における貯留装置９０００の部分正面図であり、図５２（ｂ）は、図５２（ａ）のＬＩＩｂ−ＬＩＩｂ線における貯留装置９０００の部分断面図であり、図５２（ｃ）は、貯留装置９０００の部分正面図であり、図５２（ｄ）は、図５２（ｃ）のＬＩＩｄ−ＬＩＩｄ線における貯留装置９０００の部分断面図である。なお、理解を容易とするために、図５２（ａ）においてのみ、囲い支持部９１３０が隠れ線で図視され、その他の図では囲い支持部９１３０の図示が省略される。
【０４３２】
また、図５３（ａ）は、貯留装置９０００の部分正面図であり、図５３（ｂ）は、図５３（ａ）のＬＩＩＩｂ−ＬＩＩＩｂ線における貯留装置９０００の部分断面図であり、図５３（ｃ）は、貯留装置９０００の部分正面図であり、図５３（ｄ）は、図５３（ｃ）のＬＩＩＩｄ−ＬＩＩＩｄ線における貯留装置９０００の部分断面図である。なお、図５２及び図５３では、第２可変入賞装置６５０に入球した球が入球する順に加算される番号付きで図示される。なお、図５２及び図５３において、流下防止板１０１５を動作させる構成であって、分岐流路１０３０の背面側に配置される構成についての図示は、理解を容易とするために省略する。
【０４３３】
図５２及び図５３に示すように、本実施形態における貯留装置９０００では、第１実施形態における傾斜面部１０２３ａと概略同一形状から形成され、傾斜流路１０２３の下流側端部壁面を構成する傾斜面部９０２３ａが、排出口１０２４の左右幅を球１球分よりも若干大きく形成する位置に配置されると共に、貯留装置９０００が、分岐流路１０３０の内側において、球と当接して球の流下態様に作用する係止装置９１００及び排出防止突部９２００を備える。
【０４３４】
係止装置９１００は、分岐流路１０３０に入球した球が正面側に配置されることにより状態を変える態様で構成され、球と当接しない非当接状態（図５２（ａ）及び図５２（ｂ）参照）において、分岐流路１０３０の内側へ張り出す正面視略Ｌ字形状のＬ形移動部材９１１０と、そのＬ形移動部材９１１０を非当接状態の位置へ向けて付勢する弾性バネ９１２０と、分岐流路１０３０の背面側の側壁から正面視Ｌ字形状で後方へ向けて延設され、その延設端においてＬ字の各辺を２辺とすると共にＬ形移動部材９１１０のスライド動作方向と垂直に交差する矩形板形状の支持側面９１３１が形成される囲い支持部９１３０と、を主に備える。
【０４３５】
Ｌ形移動部材９１１０は、前後方向（図５２（ａ）紙面垂直方向）にスライド動作可能に構成され、初期状態の傾倒部材１０４０の上面と平行に延びる球当接部９１１１と、その球当接部９１１１の下流側端部（図５２（ａ）参照）から傾倒部材１０４０へ向けて延設される傾倒防止部９１１２と、を主に備える。
【０４３６】
球当接部９１１１は、傾倒部材１０４０を流下する球と当接する面が、上流側（正面視右方）へ向かう程、背面側へ向けて傾斜する球受け傾斜面９１１１ａが形成される。球受け傾斜面９１１１ａに球が当接することで、球受け傾斜面９１１１ａを介して背面側へ向けた負荷が球当接部９１１１に付与され、Ｌ形移動部材９１１１が背面側へ移動する（押し込まれる）。
【０４３７】
傾倒防止部９１１２は、Ｌ形移動部材９１１０の非当接状態において、上面視で傾倒部材１０４０と重なり、傾倒部材１０４０と対向する側の面が傾倒部材と平行に形成される（傾倒部材１０４０が傾倒することにより背面側へ向けた負荷が生じない）係止面部９１１２ａと、その係止面部９１１２ａの正面側に連結される傾斜面部であって、正面側へ向かう程、上昇傾斜（傾倒部材１０４０から離間する方向へ向かう）する擦れ傾斜面９１１２ｂと、を主に備える。
【０４３８】
傾倒防止部９１１２が上述した構成を備えるので、Ｌ形移動部材９１１０の非当接状態において、傾倒部材１０４０が傾きそうになったとしても、係止面部９１１２ａがＬ形移動部材９１１０と当接することにより、傾倒部材１０４０が傾倒状態となることを防止することができる。
【０４３９】
また、球がＬ形移動部材９１１０の正面側に配置され、Ｌ形移動部材９１１０が背面側へ移動した当接状態（図５２（ｄ）参照）では、係止面部９１１２ａは傾倒部材１０４０と当接不可能な位置まで退避され、球の前後方向の位置取りによっては、擦れ傾斜面９１１２ｂが傾倒部材１０４０の上面と当接可能とされる。
【０４４０】
ここで、擦れ傾斜面９１１２ｂは、正面側へ向かう程、上昇傾斜する形状で構成されるので、傾倒部材１０４０との当接により背面側へ向けて押し出されることとなり、傾倒部材１０４０の傾倒動作の妨害をしないようにすることができる。従って、Ｌ形移動部材９１１０が非当接状態となるか、当接状態となるかで、傾倒部材１０４０が傾倒動作可能か否かを変化させることができる。
【０４４１】
弾性バネ９１２０は、囲い支持部９１３０の支持側面９１３１と、Ｌ形移動部材９１１０との間に配設される。これにより、弾性バネ９１２０の伸縮方向と、Ｌ形移動部材９１１０の動作方向とを一直線上に合わせることができ、弾性力の伝達効率を向上させることができる。
【０４４２】
排出防止突部９２００は、傾倒部材１０４０が初期状態において、傾倒部材１０４０の延設板部１０４３の延設先端の上方において分岐流路１０３０の背面側壁から正面側へ突設される板部であって、その板部の側面が、傾倒部材１０４０の上面と垂直となる姿勢で構成される。また、排出防止突部９２００は、傾倒部材１０４０が初期状態を形成する場合には、傾倒部材１０４０の上面を流れる球が当接可能な配置で構成され、尚かつ、傾倒部材１０４０が傾倒状態となった場合には、上面を流れる球が傾倒部材１０４０と排出防止突部９２００との間を通過可能（当接不能）とする配置（球の直径以上の隙間が傾倒部材１０４０と排出防止突部９２００との間に形成される配置）で構成される。
【０４４３】
排出防止突部９２００により、例えば、傾倒部材１０４０が傾倒状態となる前に、球同士の衝突により傾倒部材１０４０の上面を正面視右方へ飛ばされた（弾き飛ばされた）球が確変側流路１０３２へ入球することを防止することができる。これにより、傾倒部材１０４０の上面に球が所定個数（本実施形態では３個）貯留されて初めて、球が確変側流路１０３２へ入球するという遊技性を確保することができる。
【０４４４】
上述した構成を有する本実施形態において、傾倒部材１０４０が傾倒動作するまでの流れを説明する。まず、大当たり遊技となり、第２可変入賞装置６５０が開放状態において球が第２特定入賞口６５０ａに球が入球すると、傾斜流路１０２３を経て、排出口１０２４へ球が至る（図５２（ａ）及び図５２（ｂ）参照）。
【０４４５】
ここから、球が排出口１０２４の正面側へ排出されると、軸棒部１０４２の正面視右側において傾倒部材１０４０の上面に球が着地する。この時には、球がＬ形移動部材９１１０の正面側へ配置されていないので、勢いのある球が排出口１０２４から排出された場合であっても、Ｌ形移動部材９１１０が傾倒部材１０４０の傾倒動作を防止する態様で作用する。従って、球が１球だけ傾倒部材１０４０の上面に着地した場合に、傾倒部材１０４０が傾倒状態となることを防止することができる。
【０４４６】
一方、球がＬ形移動部材９１１０の正面側に配置されると、上面視において、傾倒部材１０４０とＬ形移動部材９１１０とが重ならなくなる一方で、球が傾倒部材１０４０の上面の正面視左端に乗ることで（図５２（ｃ）及び図５２（ｄ）参照）、傾倒部材１０４０の重心位置が左方へ移動する。そのため、排出口１０２４から２球目が排出され、傾倒部材１０４０の上面に着地する場合に、傾倒部材１０４０が衝撃で傾倒動作する事態を生じ難くすることができる。
【０４４７】
また、２球目の球まで傾倒部材１０４０の上面に乗った状態では、傾倒部材１０４０は初期状態を維持するが、１球目と２球目との衝突の態様によっては、２球目の球が右方へ弾き出される場合がある。これに対して、本実施形態では、球が弾き出される方向に、排出防止突部９２００が配置されるので（図５３（ａ）参照）、弾き出された球は、排出防止突部９２００にせき止められ、正面視左方へ向けて跳ね返される。これにより、傾倒部材１０４０が傾倒動作していないにもかかわらず、球が確変側流路１０３２へ入球することを防止することができる。
【０４４８】
３球目の球が傾倒部材１０４０の上面に着地すると、傾倒部材１０４０の重心位置が軸棒部１０４２の右方に移動され、傾倒部材１０４０が傾倒状態へ変化する。この傾倒状態においては、傾倒部材１０４０の上面と、排出防止突部９２００との間に球が通過するのに十分な隙間が形成されるので（図５３（ｃ）参照）、球を、確変側流路１０３２へ向けて流下させることができる。
【０４４９】
また、傾倒部材１０４０の傾倒状態において、傾倒部材１０４０の背面側の側面がＬ形移動部材９１１０の正面側端部と当接する配置となるので（図５３（ｃ）及び図５３（ｄ）参照）、傾倒部材１０４０が傾倒状態から初期状態へ戻る際に、その移動方向において、傾倒部材１０４０とＬ形移動部材９１１０とが当接する事態を回避することができる。
【０４５０】
このように、本実施形態によれば、軸棒部１０４２の正面視右方において、球を傾倒部材１０４０の上面に着地させ、傾倒部材１０４０の傾斜を利用して球を流し、球を流下防止板１０１５の右側に貯留する態様で構成されるので、傾倒部材１０４０の傾斜角度の設定によらず、傾倒部材１０４０に貯留された球が左右方向に並ぶ状態を形成することができる。
【０４５１】
また、係止装置９１００により、球の勢いで傾倒部材１０４０が傾倒動作することを防止することができるので、球の勢いに寄らず、傾倒部材１０４０に球が所定個数貯留されることによってのみ傾倒部材１０４０を傾倒動作させることができる。また、排出防止突部９２００により、傾倒部材１０４０が初期状態の時には、球の跳ね方によらず、球が確変側流路１０３２へ向けて流下することを防止することができる。
【０４５２】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０４５３】
上記各実施形態において、一の実施形態における構成の一部または全部を、他の実施形態における構成の一部または全部の構成と組み合わせて或いは置き換えて、別の実施形態としても良い。
【０４５４】
上記各実施形態では、傾斜流路１０２３が正面側へ向けて緩やかに下降傾斜する場合を説明したが、必ずしもこれに限られるものではない。例えば、傾斜流路１０２３が前後方向に水平だったり、背面側へ向けて正面側へ向けて緩やかに上昇傾斜していたりしても良い。この場合、球が傾斜流路１０２３の途中で排出口１０２４から正面側へ排出されることを防止し易くすることができ、球が傾倒部材１０４０へ向けて流下する際に、傾倒部材１０４０の左端部へ向けて流下し易くすることができる。これにより、例えば、１個の球が傾倒部材１０４０の右端部に落下し、球の着地時の負荷で傾倒部材１０４０が傾倒することを防止することができ、誤って確変側流路１０３２へ球が流入することを防止することができる。
【０４５５】
上記各実施形態では、傾倒部材１０４０の上面が平面形状のみから形成される場合を説明したが、必ずしもこれに限られるものではない。例えば、矩形錘部１０４１の端部付近の背面側側面に沿って上方へ向けて干渉部材が延設され、傾倒部材１０４０が初期状態の時には、その干渉部材は正面視において排出口１０２４と重ならない一方で、傾倒部材１０４０が傾倒状態となった時には、その干渉部材が正面視において排出口１０２４と重なるようにしても良い。この場合、傾倒部材１０４０が傾倒状態となった後で、次の球が排出口１０２４から排出されることを干渉部材により防ぐことができる。従って、次の球が傾倒部材１０４０の上面に乗り、重心位置が再度変化することで、傾倒部材１０４０が初期状態に再び戻ってしまうことを防止することができる。
【０４５６】
上記各実施形態では、第２入球口６４０から逸れて下流へ流下した球は、円弧部材７０や外縁部材７３に衝突して、バウンドし、外縁部材７３を伝って第２可変入賞装置６５０へ到達する場合を説明したが、必ずしもこれに限られるものではない。例えば、第２入球口６４０から外縁部材７３までの経路に、球が１球通る程度の断面積の流路を形成し、球がその流路を介して外縁部材７３に到達するようにしても良い。この場合、外縁部材７３に球が到達する間隔を制御することができるので、所定時間内に第２可変入賞装置６５０に入球する球の個数を制御することができる。なお、流路の内部形状は、特に限られるものでは無く、例えば、対向する内面に、球の流下方向と垂直な方向に延設されるリブが交互に形成され、球を減速する態様としても良い。
【０４５７】
上記各実施形態では、流下防止板１０１５が、下流に貯留装置１０００を備える第２可変入賞装置６５０の開閉動作と関連して状態変化する場合を説明したが、必ずしもこれに限られるものではない。例えば、第１可変入賞装置６５の開閉動作により、流下防止板１０１５の状態を変化させても良い。
【０４５８】
上記各実施形態では、傾倒部材１０４０が前後方向に延びる軸により支持される場合を説明したが、必ずしもこれに限られるものではない。例えば、左右に延びる軸により支持され、正面側へ向けて傾倒する（遊技者へ向けてお辞儀する）ように傾倒動作しても良い。この場合、傾倒部材１０４０に球が１個乗る場合、正面視奥側に球が配置され、見えにくくなる一方で、傾倒部材１０４０に球が３個以上乗る場合には、球が正面視手前側に張り出し、見えやすくなるので、傾倒部材１０４０に乗った球が遊技者に見えやすくなるほど（手前に張り出してくるほど）遊技者にとって有利になるという、分かり易い遊技性を形成することができる。
【０４５９】
上記各実施形態では、第２可変入賞装置６５０の開閉動作に基づいて、流下防止板１０１５の状態を変化させ、傾倒部材１０４０の上面に球を停留させる場合を説明したが、必ずしもこれに限られるものではない。例えば、２種のパチンコ遊技機において、所定の入球口への入球を契機として開閉動作する羽部材の動作に対応して、流下防止板１０１５の状態を変化させるように構成し、開放された羽部材に入球した後で球が流下する経路に傾倒部材１０４０が配置されても良く、この態様において、傾倒部材１０４０が初期状態の時には球が通常流路に送られ、傾倒部材１０４０が傾倒状態の時には、球が通常流路よりもＶ入賞口（大当たりを獲得する入賞口）へ入球し易くなる特別流路に送られるように構成しても良い。
【０４６０】
例えば、流下防止板１０１５の状態変化に、第５実施形態で上述した球止め装置５１００を利用すれ場合、例えば、羽部材が４回開放するごとに、流下防止板５０１５が埋没状態となるように設定することにより、羽部材が３回開放する間に、球を複数個（例えば３個）だけ羽部材の奥の経路に入れることができれば、球を特別流路へ送ることができ、大当たりを獲得し易いという遊技性を形成することができる。
【０４６１】
上記各実施形態では、貯留装置１０００において球の流下方向を切り替える傾倒部材１０４０が回転動作する態様で形成されたが、必ずしもこれに限られるものではない。例えば、球の流下方向を切り替える振り分け部材を、球の重みでスライド動作する態様で構成しても良い。即ち、貯留装置１０００に球が１球貯まる程度では、振り分け部材はスライド移動しないが、球が複数個（例えば５個）貯まることにより、球の重みで流下防止板１０１５から離反する方向（正面視右方）へ押しやられて振り分け部材がスライド移動し、そのスライド移動により確変側流路１０３２への入口が開放され、球が確変側流路１０３２へ入球可能となる態様で構成されても良い。この場合、球の貯まり具合に応じて振り分け部材が徐々にスライド移動する態様（例えば、球が３個貯まる場合と、４個貯まる場合とでは、４個貯まる場合の方が振り分け部材の移動幅は大きいが、未だ確変側流路１０３２への入口は球が通る程度には開放されない態様）で構成することができ、貯留装置１０００に貯留される球が増える度に振り分け部材を動作させることができる。これにより、振り分け部材の動作により、遊技者の興趣を向上させる演出を行うことができる。
【０４６２】
上記第３実施形態では、第２可変入賞装置６５０の動作に基づいて、常時駆動の駆動モータ３０１２の動作と流下防止板１０１５の動作とが同期する状態を形成し、その状態において流下防止板１０１５の状態が変化する場合を説明したが、必ずしもこれに限られるものではない。例えば、常時駆動の駆動モータ３０１２により流下防止板１０１５が常時状態変化するように構成しても良い。この場合、大当たり遊技が開始されたタイミングや、大当たり種別の違いによる第２可変入賞装置６５０の開閉パターンの違いにより、傾倒部材１０４０の上面に球を所定球数貯められる場合と、貯められない場合とを形成することができる。例えば、駆動モータ３０１２が３６０秒間（長い期間）で１回転するように形成することで、大当たりの１２ラウンド目の最大開放期間（３０秒間）の間、流下防止板１０１５が常に分岐流路１０３０の背面側へ埋没したままとなる状況と、大当たりの１２ラウンド目の最大開放期間（３０秒間）の間、流下防止板１０１５が常に分岐流路１０３０の内側へ突出したままとなる状況との両方を形成することができる。
【０４６３】
上記第４実施形態では、回転円板４０１４の突設リブ４０１４ａと、摩擦回転部材４０１３の突設係合部４０１３ｄとが軸方向で衝突することを防止するために、開放状態を維持する期間が２．５秒から３．５秒までの１秒間は、第２可変入賞装置６５０を開放状態から閉鎖状態へ変化させないように制御される場合を説明したが、必ずしもこれに限られるものではない。例えば、突設リブ４０１４ａを、周方向両側端へ向かう程、円板部１０１４ｂに近接する態様で傾斜する傾斜面が周方向中央部から形成される（即ち、突設リブ４０１４ａの周方向中央部は面ではなく稜線で構成される）形状から構成し、尚かつ、突設係合部４０１３ｄを、高さ方向を摩擦回転部材４０１３の回転軸に平行な直線に沿わせた円錐形状から形成しても良い。この場合、突設リブ４０１４ａと突設係合部４０１３ｄとが軸方向で衝突しても、その衝突を互いの傾斜面で受け流すことができ、故障を防止することができる。
【０４６４】
また、突設リブ４０１４ａの鋭利先端（摩擦回転部材４０１３と対向配置される側の先端）と、突設係合部４０１３ｄの鋭利先端（回転円板４０１４と対向配置される側の先端）との周方向における位置関係（突設係合部４０１３ｄの進行方向に突設リブ４０１４ａが配置されるか、突設係合部４０１３ｄが突設リブ４０１４ａを通り過ぎるか）は、それら先端の中心位置が周方向で重なるタイミング（例えば、第２可変入賞装置６５０の開放開始から３秒後）を境に、入れ替わる。上述したように、鋭利先端の中心位置が周方向で重なるタイミングを除いて、任意のタイミングで第２可変入賞装置６５０を開放状態としても、突設リブ４０１４ａと突設係合部４０１３ｄとの衝突による故障が起きない。そのため、例えば、大当たりＡでは、第２可変入賞装置６５０を２．９秒間だけ開放状態としてから閉鎖状態とするように制御し、大当たりＢでは、第２可変入賞装置６５０を３．１秒間だけ開放状態としてから閉鎖状態とするように制御するようにしても良い。この場合、大当たりＡと大当たりＢとで、第２可変入賞装置６５０が開放状態の時間の違いを、遊技者がその違いを見定めるのが困難な期間（例えば、０．２秒間）とすることができる。これにより、第２可変入賞装置６５０の動作態様から、獲得した大当たりが、大当たりＡなのか大当たりＢなのかを把握することを困難にすることができ、遊技者の注目を傾倒部材１０４０に集めることができる。
【０４６５】
上記第５実施形態では、球止め装置５１００の回転部材５１２０に切替突設部５１２４が２箇所配設される場合を説明したが、必ずしもこれに限られるものではない。例えば、１箇所でも良いし、３箇所以上の複数箇所でも良い。また、切替突設部５１２４の配設箇所が３箇所以上の複数箇所の場合、配設箇所同士の間隔は、任意に定める（異ならせる）ことができる。これにより、例えば、１箇所目の切替突設部５１２４が切替装置５１４０に当接してから、隣り合う２箇所目の切替突設部５１２４が切替装置５１４０に当接するまでに第２可変入賞装置６５０が開閉動作した回数と、その２箇所目の切替突設部５１２４が切替装置５１４０に当接してから、１箇所目の切替突設部５１２４の反対側で隣り合う３箇所目の切替突設部５１２４が切替装置５１４０に当接するまでに第２可変入賞装置６５０が開閉動作した回数と、を異ならせることができる。これにより、第２可変入賞装置６５０の開閉動作の回数と、流下防止板５０１５の状態の変化とを関連付け難くすることができ、流下防止板５０１５の状態変化を遊技者が予測し難くできるので、流下防止板５０１５がいつ動作するのか分からず、常に期待感をもって遊技できるという遊技性を形成することができる。
【０４６６】
上記第５実施形態では、球止め装置５１００の回転部材５１２０に配設される切替突設部５１２４が、切替装置５１４０の回転腕部５１４２と当接した状態において、第２可変入賞装置６５０が一回開閉動作することにより、必ず、回転腕部５１４２と切替突設部５１２４との当接が解除される場合を説明したが、必ずしもこれに限られるものではない。例えば、片方の切替突設部５１２４の周方向長さを延長することにより、第２可変入賞装置６５０が複数回開閉動作をする間、回転腕部５１４２と切替突設部５１２４との当接が維持されるようにしても良い。この場合、第２可変入賞装置６５０が球を入球可能な長さで開放動作する直前の閉鎖状態の時に、流下防止板５０１５が埋没状態または突出状態のどちらの状態であったとしても、次の第２可変入賞装置６５０の開放で流下防止板５０１５がどちらの状態となるのかを予測し難くでき、遊技者の期待感を維持し易くすることができる。
【０４６７】
上記第７実施形態では、第１流路７１１０へ入球する球が、第２可変入賞装置６５０から逸れて流下した球に限定される場合を説明したが、必ずしもこれに限られるものではない。例えば、第１入球口６４又は第２入球口６４０に入球した球が第１流路７１１０へ入球するように流路が形成（連結）されても良い。これにより、特別遊技状態（大当たり遊技状態）が終了した後で傾倒部材１０４０の上面に球が残存した場合であっても、次の大当たりを狙う行為（第１入球口６４又は第２入球口６４０に球を入球させる行為）により、流下防止板７０１５を埋没状態に変化させることができ、傾倒部材１０４０の上面に残存した球を排出することができる。
【０４６８】
上記第９実施形態では、流下防止板１０１５と当接する位置に球が１球配置されることにより、Ｌ形移動部材９１１０が傾倒部材１０４０の動作軌跡から退避する場合を説明したが、必ずしもこれに限られるものではない。例えば、２球目の球に対応する位置（正面視において、Ｌ形移動部材９１１０の右斜め上方へ位置ずれした位置）に、２個目のＬ形移動部材（その２）が配置され、そのＬ形移動部材（その２）は、２球目の球が傾倒部材１０４０の上面で停止することにより傾倒部材１０４０の動作軌跡から退避される態様で構成しても良い。この場合、２球目の球が傾倒部材１０４０に着地する時点においては、Ｌ形移動部材（その２）が傾倒部材１０４０の移動軌跡内に配置されるので、２球目の球が傾倒部材１０４０に着地する際の衝撃により傾倒部材１０４０が傾倒動作することを防止し易くすることができる。
【０４６９】
上記第９実施形態では、係止装置９１００の作用により、傾倒部材１０４０の傾倒動作を防止する場合を説明したが、必ずしもこれに限られるものではない。例えば、傾倒部材１０４０の重心位置を、過度に左方寄りの位置とし、延設板部１０４３に球が１球乗る程度では傾倒動作しない態様で構成するようにしても良い。この場合、係止装置９１００を省略することができる。
【０４７０】
上記第９実施形態では、排出防止突起９２００が分岐流路１０３０の背面側の側壁から正面側へ向けて突設される場合を説明したが、必ずしもこれに限られるものではない。例えば、傾倒部材１０４０の延設板部１０４３の延設先端（軸棒部１０４２の反対側の先端）から板部材を延設しても良い。これにより、傾倒部材１０４０の傾倒状態において、板部材も傾倒部材１０４０と一体となって下方に変位するので、排出口１０２４から排出された球が確変側流路１０３２へ流入する経路を広く確保することができる。
【０４７１】
ここで、板部材の形状としては、例えば、傾倒部材１０４０の傾倒状態において、延設板部１０４３の延設先端から水平に延設される（延設方向から、緩やかに上昇傾斜する方向に延設される）形状が例示される。この場合、傾倒状態で球を流す場合に、球と当接する板部材の面が水平となることで、球の流下を妨害することを防止できる一方で、初期状態において、球と当接する板部材の面が上昇傾斜する傾斜面となることで、右方へ飛び出そうとする球を減速し、飛び出しを防止する効果を生じさせることができる。
【０４７２】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０４７３】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０４７４】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０４７５】
以下に、本発明の遊技機に加えて上述した実施形態に含まれる各種発明の概念を示す。
【０４７６】
＜Ｖアタッカーの動作によって、シーソーのストッパが動くポイント（駆動兼用）＞
遊技球が流下する遊技領域に配置される入賞口と、その入賞口に遊技球が入賞可能な可能状態と、入賞不能な不能状態とを動作により切り替える第１切替手段と、その第１切替手段を駆動する第１駆動手段と、前記入賞口に入賞した遊技球が流下することで遊技者に所定の利益を与える利益取得手段と、を備える遊技機において、前記入賞口に入賞した遊技球を停留可能に構成され、その停留した遊技球を前記利益取得手段へ流下可能に構成される停留手段と、その停留手段に到達した遊技球を前記停留手段に停留可能な状態である停留状態と、前記停留手段に到達した遊技球を前記停留手段に停留させない非停留状態と、を切り替える第２切替手段と、を備え、その第２切替手段は、前記第１駆動手段の駆動力が伝達されることに基づいて、前記停留状態と非停留状態とで状態変化することを特徴とする遊技機Ａ１。
【０４７７】
ここで、パチンコ機等の遊技機において、第２大入賞口（入賞口に相当）に入賞した遊技球が到達する第２利益状態決定部（停留手段に相当）で、振分部（第２切替手段に相当）を左右方向に動作させることにより、遊技者が得られる利益の異なる２の流路に遊技球を振り分ける遊技機がある（例えば特開２０１４−１５５５３８号公報を参照）。しかし、上述した従来の遊技機では、第２大入賞口の状態を変化させる大入賞口開閉役物と、振分部とが、別々の駆動手段により駆動されていたため、２の駆動手段の配置スペースを確保しながら第２大入賞口と振分部の配置を決める必要があり、配置の自由度が低くなるという問題点があった。
【０４７８】
これに対し、遊技機Ａ１によれば、第２切替手段が、第１駆動手段の駆動力が伝達されることに基づいて状態変化するので、駆動手段が１つで良くなり配置スペースの確保が容易となるので、第１切替手段、第２切替手段および停留手段の配置の自由度を高めることができる。
【０４７９】
また、第２切替手段が、入賞口の状態を変化させる第１切替手段を駆動する第１駆動手段の駆動により停留状態と非停留状態とで状態変化するので、第２切替手段の動作パターンの自由度を向上させることができ、遊技者が飽きる事態を、生じにくくすることができる。
【０４８０】
なお、所定の利益としては、遊技状態を確変状態にする利益（Ｖ確入賞）や、大当たりを得られる利益（２種のＶ入賞）や、大当たりとなりやすい流路可能となる利益などが例示される。
【０４８１】
遊技機Ａ１において、前記第２切替手段は、前記第１切替手段を介して前記第１駆動手段の駆動力が伝達されることを特徴とする遊技機Ａ２。
【０４８２】
遊技機Ａ２によれば、遊技機Ａ１の奏する効果に加え、第１駆動手段の駆動力が第１切替手段を介して第２切替手段に伝達されるので、第１切替手段の動作幅を利用して、第２切替手段の動作幅を確保することができる。また、第１切替手段の動作幅を確保する手段と、第２切替手段の動作幅を確保する手段とを兼用することにより、各切替手段ごとに第１駆動手段の動作幅を確保する手段を配置する場合に比較して、配置スペースを抑制することができる。これにより、第１切替手段、第２切替手段および停留手段の配置の自由度を高めることができる。
【０４８３】
遊技機Ａ１又はＡ２において、前記停留手段は、遊技球が所定の複数個以上貯留された場合に、動作により、遊技球を前記利益取得手段へ向けて流下させる状態となることを特徴とする遊技機Ａ３。
【０４８４】
遊技機Ａ３によれば、遊技機Ａ１又はＡ２の奏する効果に加え、停留手段に遊技球が所定の複数個以上貯留されることにより、停留手段が動作し、遊技球を利益取得手段へ向けて流下させる状態となるので、第２切替手段の状態変化のみにより遊技球の流下経路が変化する場合に比較して、停留手段の動きと遊技球の動きとを連動させて遊技者に見せることができ、遊技者の興趣を向上させることができる。
【０４８５】
また、停留手段に遊技球が１個停留される場合には、遊技球が利益取得手段へ向けて流下可能な姿勢にならないため、短期間で第１切替手段が可能状態となった（短期間パカの）場合に遊技球が１個入賞したとしても、その遊技球が利益取得手段へ向けて流下することを防ぐことができる。従って、従来行われていたように、第１切替手段を可能状態に切り替えるタイミングから数秒後に振分部の状態を変化させることにより、遊技球が利益取得手段に誤って流下しないようする制御と、その制御に伴って第１切替手段を開放開始時に短期間開放する制御と、を不要とすることができ、第１駆動手段の制御を簡素化することができる。
【０４８６】
なお、停留手段の動作態様としては、特に限定されるものではなく、種々の態様が例示される。例えば、遊技球を上面に貯留し、遊技球の貯留個数により回転軸を基準とした停留手段にかけられる負荷の位置が変わり、シーソーのように傾倒動作する態様でも良いし、球の重みでスライド動作する態様でも良い。
【０４８７】
また、停留手段が傾倒動作する場合において、停留手段への球の着地地点は、特に限定されるものでは無い。即ち、回転軸を基準として、下がっている側でも良いし、上がっている側でも良い。
【０４８８】
遊技機Ａ３において、前記停留手段が移動することにより、前記利益取得手段の反対側へ球を流下させる流路へ球を流下させにくくする態様で構成されることを特徴とする遊技機Ａ４。
【０４８９】
遊技機Ａ４によれば、遊技機Ａ３の奏する効果に加え、停留手段の動作により、利益取得手段の反対側へ球を流下させる流路へ球を流下させにくくすることができるので、停留手段が動作を開始して停留状態となる前に遊技球が停留手段から利益取得手段の反対側へ流下し難くすることができる。
【０４９０】
遊技機Ａ１において、前記第１駆動手段の駆動力を前記第２切替手段に伝達する第１特殊手段を備え、前記第１駆動手段は、複数の駆動パターンで駆動制御され、前記第１特殊手段は、前記第１駆動手段が１の駆動パターンに基づいて動作した場合に、前記第２切替手段の状態を変化させ、前記第１駆動手段が他の駆動パターンに基づいて動作した場合に、前記第２切替手段の状態を変化させないことを特徴とする遊技機Ａ５。
【０４９１】
遊技機Ａ５によれば、遊技機Ａ１の奏する効果に加え、第１駆動手段の駆動パターンによって第２切替手段の状態変化が生じるか否かが変わるので、第１切替手段の動作パターンを確認することで第２切替手段の状態変化の有無が生じるのか否かを判断することができる。そのため、第２切替手段の状態が遊技者にとって有利な状態に切り替わって欲しい遊技者にとっての、第１駆動手段の駆動力で動作する第１切替手段の注目度を向上させることができるので、遊技者の視線を第１切替手段付近に集めることができる。
【０４９２】
この状態において、第１切替手段付近のＬＥＤを光らせる一方で、第１切替手段から離れた部分のＬＥＤは消灯させることにより、遊技者の注目する部分の明るさは維持しながら、他の部分は暗くすることができる。これにより、電力消費量を削減することができたり、遊技領域における第１切替手段から離れた部分の遊技球の視認性を悪くできたりする。
【０４９３】
遊技領域における遊技球の視認性に関しては、例えば、第１切替手段の上流側を流下する遊技球の視認性を悪くすることにより、予想外の位置から遊技球が入賞口へ流下する状態を形成でき、遊技者を飽きさせにくくできる。
【０４９４】
また、例えば、第１切替手段が不能状態の時に第１切替手段を流下し、下流側へ流下する遊技球の視認性を悪くすることにより、アウト口へ向かって流れる遊技球に遊技者が集中することを防止することができる。これにより、第１切替手段付近の注目度を維持することができる。
【０４９５】
遊技機Ａ５において、前記第１特殊手段は、所定の平面上に移動軌跡を有し、前記第２切替手段により前記停留手段が前記停留状態を形成している間、球から前記第２切替手段へ与えられる負荷の方向が、前記所定の平面に垂直な方向へ向けられることを特徴とする遊技機Ａ６。
【０４９６】
遊技機Ａ６によれば、遊技機Ａ５の奏する効果に加え、球から第２切替手段へ与えられる負荷の方向が第１特殊手段の移動軌跡が形成される平面に対して垂直な方向へ向けられるので、第２切替手段を介しする負荷により、第１特殊手段が動作することを防止することができ、遊技球が第２切替手段に当接する度に、第１特殊手段の移動方向に負荷が与えられることを防止することができる。これにより、第２切替手段の耐久性を向上することができる。
【０４９７】
遊技機Ａ１において、前記第２切替手段は、前記第１切替手段の状態変化の態様により、前記第１切替手段が前記可能状態と前記不能状態とで切り替えられる間隔が所定間隔よりも短い場合に、停留状態と非停留状態との切り替えを防止する第２特殊手段を備えることを特徴とする遊技機Ａ７。
【０４９８】
遊技機Ａ７によれば、遊技機Ａ１の奏する効果に加え、第２特殊手段により、第１切替手段の状態変化と、第２切替手段の状態変化とが連動しない状態を形成することができる。したがって、第１切替手段の動作態様のバリエーションを増やすことができる。
【０４９９】
即ち、第１切替手段の間隔の短い状態変化をさせつつ、第２切替手段の状態は維持（例えば、停留状態のまま維持）して、遊技球を停留可能な状態を維持することができる。
【０５００】
遊技機Ａ７において、前記第２特殊手段は、前記第１切替手段の前記不能状態を所定期間維持することで、前記第２切替手段を前記非停留状態へ切り替える態様で構成されることを特徴とする遊技機Ａ８。
【０５０１】
遊技機Ａ８によれば、遊技機Ａ７の奏する効果に加え、第１切替手段が不能状態へ切り替わった瞬間は第２切替手段が停留状態であり、第１切替手段が不能状態を所定期間維持することで第２切替手段が非停留状態に切替られるので、第１切替手段が不能状態になる直前に入賞口に入賞した遊技球が、停留手段に到達することを待ってから、第２切替手段の状態を非停留状態に切り替えることができる。これにより、停留手段に遊技球が停留されたままとなることを防止することができ、遊技球を、全て流しきることができる。
【０５０２】
＜Ｖアタッカーの動作からストッパの解除までに期間を設けるポイント＞
遊技球が流下する遊技領域に配置される入賞口と、その入賞口に遊技球が入賞可能な可能状態と、入賞不能な不能状態とを動作により切り替える第１切替手段と、その第１切替手段を駆動する第１駆動手段と、前記入賞口に入賞した遊技球が流下することで、遊技者に所定の利益を与える利益取得手段と、を備える遊技機において、前記入賞口に入賞した遊技球を停留可能に構成され、その停留した遊技球を前記利益取得手段へ流下可能に構成される停留手段と、その停留手段に到達した遊技球を前記停留手段に停留可能な状態である停留状態と、前記停留手段に到達した遊技球を前記停留手段に停留させない非停留状態と、を切り替える第２切替手段と、を備え、前記第１駆動手段とは異なる第２駆動手段を有し、前記第１切替手段が前記不能状態に切り替えられることに基づいて前記第２切替手段へ前記第２駆動手段の駆動力を伝達可能とされ、前記第２駆動手段の駆動力により前記第２切替手段を前記停留状態と非停留状態とで状態変化させるものであって、前記第２切替手段が前記停留状態から非停留状態に切り替わるまでに所定期間が経過する態様で構成される遅延駆動手段を備えることを特徴とする遊技機Ｂ１。
【０５０３】
ここで、パチンコ機等の遊技機において、第２大入賞口に入賞した遊技球が到達する第２利益状態決定部（停留手段に相当）に、振分部（第２切替手段に相当）を左右方向に動作させることにより、遊技者が得られる利益の異なる２の流路に遊技球を振り分ける遊技機がある（例えば特開２０１４−１５５５３８号公報を参照）。しかし、上述した従来の遊技機では、第２大入賞口の状態を変化させる大入賞口開閉役物と、振分部との動作タイミングを異ならせているが、この場合、それぞれ別タイミングで動作させる制御を行う必要があり、制御が複雑になるという問題点があった。
【０５０４】
これに対し、遊技機Ｂ１によれば、遅延駆動手段が第２駆動手段を有し、その第２駆動手段の駆動力が、第１切替手段の状態の切り替えに基づいて第２切替手段側へ伝達可能とされ、第１切替手段の状態変化から所定期間後に第２切替手段が非停留状態とされる態様で構成されるので、第１切替手段と第２切替手段との動作タイミングを異ならせることを、第１切替手段の制御のみにより行うことができる。これにより、制御を単純化することができる。
【０５０５】
遊技機Ｂ１において、前記遅延駆動手段が、前記第１切替手段が不能状態となったことに基づいて、前記第２駆動手段の駆動力を前記第２切替手段へ伝達開始することを特徴とする遊技機Ｂ２。
【０５０６】
遊技機Ｂ２によれば、遊技機Ｂ１の奏する効果に加え、第２切替手段が非停留状態に切り替わるまでに確保される所定期間が、第１切替手段が不能状態となってからの期間となるので、第１切替手段と盤面との間に遊技球が挟まるなどの、何らかの理由で、第１駆動手段が第１切替手段を不能状態に切り替える制御を開始してから実際に第１切替手段が不能状態となるまでに期間経過があった場合でも、第１切替手段が不能状態となってから第２切替手段が状態変化するまでの期間を確保することができる。これにより、第１切替手段が不能状態になる直前に入賞口に入賞した遊技球が停留手段に到達する前に、第２切替手段が状態変化するという誤動作を防止することができる。
【０５０７】
遊技機Ｂ２において、前記遅延駆動手段が、一定の態様で動作する第２駆動手段と、前記第１駆動手段の駆動により前記第２駆動手段の動力が伝達される伝達状態と、非伝達となる非伝達状態とが切り替えられ、前記伝達状態において変位する変位手段と、前記非伝達状態において、前記変位手段を変位前の初期位置に復帰させる負荷を前記変位手段に与える復帰手段と、を備え、前記第２切替手段は、前記変位手段が前記初期位置に配置される場合に停留状態となると共に、前記変位手段が変位することに基づいて、前記非停留状態における配置へ向けて変位するものであって、前記変位手段が所定の遅延期間変位することで、非停留状態となることを特徴とする遊技機Ｂ３。
【０５０８】
遊技機Ｂ３によれば、遊技機Ｂ２の奏する効果に加え、第２切替手段の状態を遅延期間経過後に変化させる変位手段は、第１駆動手段が駆動され伝達状態となることにより、一定の態様で動作する第２駆動手段の駆動力が伝達され変位するものであると共に、第１駆動手段が駆動され非伝達状態とされた場合に、復帰手段により初期位置に復帰するものであるので、第１駆動手段が駆動され伝達状態となってから、第２切替手段が状態変化するまでの期間を一定に保つことができる。
【０５０９】
また、第１駆動手段を、第２切替手段の駆動源として利用するのではなく、別個の第２駆動手段との伝達の切替に利用するので、駆動力不足により第２切替手段の動作不良が生じることを防止できる。
【０５１０】
また、遅延期間中に、第１駆動手段の駆動状態が変化し、第１切替手段が再び状態変化したら、第２切替手段の状態も、再び停留状態における配置へと戻るので、遅延期間以下の間隔で第１駆動手段の駆動状態を変化させることにより、第１切替手段の状態は変化させながら、第２切替手段の状態は停留状態に維持することができる。
【０５１１】
遊技機Ｂ３において、前記第１駆動手段の駆動により、前記第１切替手段が前記可能状態となる場合に前記変位手段が前記非伝達状態とされるものであって、前記復帰手段による前記変位手段の変位が、前記遅延期間よりも短い期間で行われることを特徴とする遊技機Ｂ４。
【０５１２】
遊技機Ｂ４によれば、遊技機Ｂ３の奏する効果に加え、復帰手段による変位手段の変位が、遅延期間よりも短い期間で行われるので、第１切替手段が可能状態に変化し入賞口に入賞した遊技球が停留手段に到達する前に、第２切替手段を停留状態に復帰させることができる。これにより、第１切替手段が可能状態となった直後に入賞した遊技球が停留手段で停留されずに流下する事態を防ぐことができるので、停留手段に遊技球を停留させやすくすることができる。
【０５１３】
遊技機Ｂ２において、前記遅延駆動手段が、一定の態様で動作する第２駆動手段と、前記第１駆動手段の駆動により前記第２駆動手段の動力が伝達される伝達状態と、非伝達となる非伝達状態とが切り替えられ、前記伝達状態において変位する伝達クラッチと、その伝達クラッチと係合することで変位可能に構成されると共に初期位置において前記第２切替手段を停留状態とする係合カムと、前記非伝達状態において、前記係合カムを変位前の前記初期位置に復帰させる負荷を前記係合カムに与える復帰手段と、を備え、前記第２切替手段は、前記係合カムの変位に伴って非停留状態の配置へ向けて移動するものであって、前記係合カムが所定の遅延期間変位することで、非停留状態となり、前記伝達クラッチは、前記第１切替手段が可能状態の場合に、前記係合カムと非係合とされることを特徴とする遊技機Ｂ５。
【０５１４】
遊技機Ｂ５によれば、遊技機Ｂ２の奏する効果に加え、第１切替手段が可能状態になると、復帰手段の作用で第２切替手段が動作し、停留状態となるので、入賞口に遊技球を入賞可能となり始めるタイミングの度に、遊技球を停留可能であり、利益取得手段に遊技球を通過させる期待感を向上させることができる。
【０５１５】
遊技機Ｂ５において、前記第１切替手段が不能状態の場合に、前記伝達クラッチが所定の姿勢である第１姿勢となることで前記非伝達状態が形成され、その第１姿勢で前記伝達クラッチの姿勢が維持され、前記第１切替手段が可能状態へ変化すると、前記第１姿勢から前記第２駆動手段の駆動力が伝達開始されることを特徴とする遊技機Ｂ６。
【０５１６】
遊技機Ｂ６によれば、遊技機Ｂ５の奏する効果に加え、第１切替手段が不能状態を長期維持する場合に、第２駆動手段（ＤＣモータ等）を常時回転動作させたままでも伝達クラッチの位相を固定しておけると共に、第１切替手段が可能状態へ変化した時点から伝達クラッチと第２駆動手段との伝達を開始させることができるので、第１切替手段が可能状態となった時点から所定期間後の伝達クラッチの姿勢を予め定めることができる。
【０５１７】
これにより、例えば、第１切替手段が、特別遊技において入賞口の開閉を行う特別電動役物である場合に、大当たりラウンド開始から何秒後に、伝達クラッチと、係合カムとを係合させることが可能となり、係合カムの動作により第２切替手段が動き出すか、を特定でき、液晶演出との整合性を取りやすくすることができる。
【０５１８】
また、不能状態を維持したままで、第２駆動手段が動作を継続しても、第２切替手段が動き続けることを防止することができるので、第２切替手段が常時動作していることで遊技者が感じる違和感を軽減することができる。
【０５１９】
遊技機Ｂ６において、前記伝達クラッチが前記第１姿勢とされた状態から、前記伝達クラッチと前記第２駆動手段とが伝達を開始した場合、所定期間経過後に、前記第１切替手段が所定パターンの動作を行わなければ、前記第２切替手段が停留状態から非停留状態に変化しない構成とされることを特徴とする遊技機Ｂ７。
【０５２０】
遊技機Ｂ７によれば、遊技機Ｂ６の奏する効果に加え、伝達クラッチが第１姿勢とされた状態から、伝達クラッチと第２駆動手段とが伝達を開始してから、所定期間経過後に第１切替手段が所定パターンの動作を行うか否かで、第２切替手段の状態が変化するか否かを決めるので、例えば、所定期間が経過するまでの第１切替手段の動作態様は第２切替手段の状態の変化に影響を与えるものでは無く、数多くの動作態様を用意することにより、第２切替手段の状態変化に影響ある期間の動作のカモフラージュを行うことができる。これにより、今回のラウンドが遊技球を停留させることができるラウンドなのか、否かを、遊技者に分かりづらくすることができる。
【０５２１】
また、所定期間経過後に、所定パターンの動作と異なる動作を挟むことで、停留状態の維持を図ることができ、所定期間経過後も、第１切替手段の注目力を向上させたままにすることができる。
【０５２２】
また、ラウンドの開閉パターンを当たり図柄ごとに複数種類用意することで（第１切替手段の状態変化のパターンを、当たり図柄ごとに異なるパターンとすることで）、第２切替手段の状態変化をどのタイミングで行うかを、任意に指定することができる。これにより、別のソレノイドを第１駆動手段の動作を基準として一定の動作をおこなうことにより第２切替手段を動作させていた場合と異なり、利益取得手段への流下のチャンスを、任意のラウンドに設けることができる。
【０５２３】
＜Ｖアタッカーの開閉回数に基づいて、ストッパの状態が変化するポイント＞
遊技球が流下する遊技領域に配置される入賞口と、その入賞口に遊技球が入賞可能な可能状態と、入賞不能な不能状態とを動作により切り替える第１切替手段と、その第１切替手段を駆動する第１駆動手段と、前記入賞口に入賞した遊技球が流下することで、遊技者に所定の利益を与える利益取得手段と、を備える遊技機において、前記入賞口に入賞した遊技球を停留可能に構成され、その停留した遊技球を前記利益取得手段へ流下可能に構成される停留手段と、その停留手段に到達した遊技球を前記停留手段に停留可能な状態である停留状態と、前記停留手段に到達した遊技球を前記停留手段に停留させない非停留状態と、を切り替える第２切替手段と、を備え、その第２切替手段は、前記第１切替手段が所定の基準回数だけ前記可能状態と不能状態とで状態変化するごとに、少なくとも一度は第２切替手段の状態を前記停留状態と非停留状態とで変化させる回数伝達手段を備えることを特徴とする遊技機Ｃ１。
【０５２４】
ここで、パチンコ機等の遊技機において、第２大入賞口に入賞した遊技球が到達する第２利益状態決定部（停留手段に相当）に、振分部（第２切替手段に相当）を左右方向に動作させることにより、遊技者が得られる利益の異なる２の流路に遊技球を振り分ける遊技機がある（例えば特開２０１４−１５５５３８号公報を参照）。しかし、上述した従来の遊技機では、第２切替手段の状態変化が生じる前に、第１切替手段が特定の動作を行う制御がされるので、例えば、液晶演出での示唆を確認しなくとも、利益取得手段へ遊技球を流下させられる状態か否かを遊技者が把握することができる。そのため、遊技者の注目が大入賞口の周辺に特に集中し易くなり、他の箇所、例えば、演出範囲としての液晶画面に対する注目力が低下するという問題点があった。
【０５２５】
これに対し、遊技機Ｃ１によれば、第２切替手段の停留状態と非停留状態とでの状態変化が、第１切替手段が所定の基準回数だけ状態変化することにより少なくとも一度は生じるように構成されるので、第１切替手段の動作態様を確認することにより、第２切替手段の状態を把握することを困難にすることができる。
【０５２６】
即ち、例えば、第１切替手段が所定の動作を行った後に第２切替手段の状態が遊技者にとって有利な停留状態となる動作態様であれば、遊技者は、第１切替手段の動作態様が所定の動作になったか否かを確認すれば良いので第２切替手段の状態の把握が容易であるが、第１切替手段の状態変化の回数により第２切替手段を状態変化させる場合、第１切替手段の状態変化の態様（動作態様）は全く同じものであっても、それが基準回数の内の何回目の状態変化なのかで、第２切替手段へ及ぼす影響は全く異なる。
【０５２７】
そのため、第２切替手段が、前触れ無く、遊技者にとって有利な停留状態となるという遊技性を実現することができる。これにより、いつ遊技者に有利な状態となるか分からなくできることから、遊技者の注目力を第２切替装置の周辺に集めることができ、遊技者の注目が大入賞口の周辺（第１切替装置の周辺）に特に集中し易くなる状況を回避することができる。
【０５２８】
なお、回数伝達手段の態様としては、第１切替手段の状態変化に対応して動作し、所定の回数の時に第２切替手段に作用し第２切替手段の状態を変化させる装置から構成される場合や、第１切替手段の状態変化の回数をセンサで検出し、所定の回数の時に第２切替手段に作用する駆動装置を備える態様で構成される場合等が例示される。
【０５２９】
遊技機Ｃ１において、前記第１切替手段が１の契機により連続で状態変化するものであって、その状態変化は、遊技球が入賞不可能な長さで行われる短期状態変化と、遊技球が入賞可能な長さで行われる長期状態変化との組み合わせで構成され、前記所定の基準回数の整数倍数と同一の回数で行われることを特徴とする遊技機Ｃ２。
【０５３０】
遊技機Ｃ２によれば、遊技機Ｃ１の奏する効果に加え、連続動作ごとに回数伝達手段を初期姿勢に復帰させながら、第２切替手段の状態が停留状態の時に、第１切替手段が短期状態変化となる場合と、長期状態変化となる場合とのいずれかを、連続動作の態様によって形成することができる。
【０５３１】
従って、第１切替手段の連続動作の態様として、利益取得手段に遊技球を流下させることが可能な態様と、利益取得手段に遊技球を流下させることが不可能な態様とを用意することができる。
【０５３２】
遊技機Ｃ１又はＣ２において、前記第１切替手段が１の契機により連続で状態変化するものであって、前記回数伝達手段は、前記基準回数ごとに初期位置に戻る態様で循環動作する装置から形成され、前記回数伝達手段の姿勢によらず回数伝達手段を初期位置に戻す復帰手段を備えることを特徴とする遊技機Ｃ３。
【０５３３】
ここで、回数伝達手段が第１切替手段の状態変化が基準回数の倍数と同じだけ行われることでのみ、回数伝達手段が初期位置に戻る場合、特別遊技後に回数伝達手段が初期位置に配置されるためには、特別遊技における第１切替手段の状態変化の回数を基準回数の整数倍の回数に限定する必要が生じるので、第１切替手段の状態変化のパターンが制限される。即ち、１ラウンド当たりの開放回数を複数回にすると、遊技球が所定個数入賞するまでの第１切替手段の状態変化の回数が変化するので、１ラウンド中に亘って第１切替手段が可能状態となる状態変化のパターンしか許容されなくなる。
【０５３４】
これに対し、遊技機Ｃ３によれば、遊技機Ｃ２の奏する効果に加え、復帰手段により、第１切替手段の連続動作の後に回数伝達手段を初期位置に戻すことができるので、特別遊技後に回数伝達手段を初期位置に戻す機能を維持したまま、第１切替手段の連続動作の態様の自由度を向上させることができる。
【０５３５】
例えば、１ラウンド中に、第１切替手段が複数回状態変化する態様で、第１切替手段を連続で状態変化するように制御することができる。この場合、１ラウンド中に、遊技球を所定個数（所定カウント）だけ入れることで、次のラウンドに進めることができる。即ち、循環動作手段の状態を確認し、各ラウンドにおいてどれだけ循環動作手段の状態を変化させるかを考え、その考えに基づいて大入賞口に球を入れるペースを変えることにより、自力で循環動作手段の状態を変えながら遊技することができる。これにより、長期状態変化を行うラウンドに合わせて、第２切替手段が停留状態となるように回数伝達手段の状態を調整するように特別遊技を進めることができ、ラウンド消化中も、単に遊技球を入賞させるだけでなく、どんなペースで遊技球を入賞させたら有利か、考えながら遊技できる。
【０５３６】
また、特別遊技終了時の回数伝達手段の姿勢が初期位置と異なることが生じ得るが、復帰手段により、回数伝達手段の姿勢を初期姿勢に戻すことができるので、特別遊技終了後に、回数伝達手段の姿勢が異なった姿勢のまま通常遊技が始まるという誤動作を防止することができる。
【０５３７】
遊技機Ｃ１からＣ３のいずれかにおいて、前記第１駆動手段は、印加電流により増強可能な負荷を一方向に生じるものであって、回数伝達手段は、前記第１駆動手段が前記１方向に動作する際に、前記第１駆動手段と当接し駆動力が伝達され所定量変位するものであることを特徴とする遊技機Ｃ４。
【０５３８】
遊技機Ｃ４によれば、遊技機Ｃ１からＣ５のいずれかの奏する効果に加え、回数伝達手段の変位が、印加電流により駆動力を増強可能な方向である一方向へ第１駆動手段が動作する際に、第１駆動手段と回数伝達手段とが当接し駆動力が伝達されることで生じるものであるので、第２切替手段に遊技球からの負荷が、第２切替手段の動作を抗する向きに生じている場合であっても、駆動力不足で第２切替手段が動かなくなるという事態を回避することができる。
【０５３９】
遊技機Ｃ４において、前記第２切替手段は、前記回数伝達手段が他方向に変位することを防止する防止ストッパを備えることを特徴とする遊技機Ｃ５。
【０５４０】
遊技機Ｃ５によれば、遊技機Ｃ４の奏する効果に加え、遊技球と第２切替手段とが当接する事により、第２切替手段が押接される場合に、第２切替手段へ与えられる負荷が、回数伝達手段へ伝達されることにより、回数伝達手段が他方向に動作することを防止することができるので、第１切替手段の状態変化の回数と、第２切替手段の状態との同期がずれることを防止することができる。
【０５４１】
遊技機Ｃ１において、前記回数伝達手段が、１の契機により生じる前記第１駆動手段の動作後に、その動作前の状態に復帰しないことを許容すると共に、その回数伝達手段の状態を遊技者が知覚可能に構成することを特徴とする遊技機Ｃ６。
【０５４２】
遊技機Ｃ６によれば、遊技機Ｃ１の奏する効果に加え、回数伝達手段の状態が、遊技中において累積変化され、それを遊技者が知覚可能であるので、遊技する遊技機を選ぶ際の一選択基準として、特別遊技と関連する回数伝達手段の状態を提供することができる。
【０５４３】
即ち、回数伝達手段は、第１切替手段が所定の基準回数だけ状態変化するごとに第２切替手段の状態を変化させるものであるところ、回数伝達手段の状態から、あと第１切替手段が何回だけ状態変化すれば基準回数に到達するかを遊技機ごとに変えることができ、遊技者は、回数伝達手段の状態から、第２切替手段の状態変化が生じる期待値（例えば、短い期間で第２切替手段の状態が変化しそうである等）を予想して、遊技機を選ぶ際の選択基準に用いることができる。
【０５４４】
遊技機Ｃ６において、前記第１切替手段が、１の契機により連続動作を可能とされる連続可動手段であって、その第１切替手段の連続動作回数が作動契機の種類により変化する遊技機において、前記第２切替手段の初期状態から、１の作動契機による連続動作の後に第２切替手段が前記非停留状態を形成する一方で、その状態から、更に１又は他の作動契機による連続動作の後に前記停留状態を形成することを特徴とする遊技機Ｃ７。
【０５４５】
遊技機Ｃ７によれば、遊技機Ｃ６の奏する効果に加え、第１切替手段が所定回数の連続動作を行い、第２切替手段の状態が停留状態へ変化せず、所定の利益を得られなかった場合であっても、次に第１切替手段が連続動作した後に第２切替手段の状態が停留状態へ変化し、所定の利益を得る期待感を大きくすることができる。
【０５４６】
＜球がＶアタッカーの通路を通過している間はストッパが状態変化しない（未出願）＞
遊技球が流下する遊技領域に配置される入賞口と、その入賞口に遊技球が入賞可能な可能状態と、入賞不能な不能状態とを動作により切り替える第１切替手段と、その第１切替手段の駆動力を発生する第１駆動手段と、前記入賞口に入賞した遊技球が流下することで、遊技者に所定の利益を与える利益取得手段と、を備える遊技機において、前記入賞口に入賞した遊技球が停留可能に構成され、その停留した遊技球を前記利益取得手段へ流下可能に構成される停留手段と、その停留手段に到達した遊技球を前記停留手段に停留可能な状態である停留状態と、遊技球を前記利益取得手段へ流さない非停留状態と、を切り替える第２切替手段と、を備え、その第２切替手段は、前記入賞口から停留手段までの経過区間に遊技球が配置される場合に、前記停留手段が前記停留状態を維持するように作用する変化防止手段を備えることを特徴とする遊技機Ｄ１。
【０５４７】
ここで、パチンコ機等の遊技機において、第２大入賞口に入賞した遊技球が到達する第２利益状態決定部（停留手段に相当）に、振分部（第２切替手段に相当）を左右方向に動作させることにより、遊技者が得られる利益の異なる２の流路に遊技球を振り分ける遊技機がある（例えば特開２０１４−１５５５３８号公報を参照）。しかし、上述した従来の遊技機では、第２大入賞口の状態を変化させる大入賞口開閉役物と、振分部とが、予め決められた動作タイミングで動作するように制御されるので、大入賞口開閉役物の閉鎖直前に遊技球が入賞した後で、遊技球が利益取得手段を流下すれば遊技者に利益が付与されるものの、不測の事態で遊技球の流下が滞った場合、振分部に到達する前に、振分部が遊技者にとって不利な非貯留状態に変化する恐れがあり、遊技者の不満の原因となり得るという問題点があった。
【０５４８】
一方で、いたずらに第２切替手段の状態変化までの期間を長くすると、停留状態からの状態変化が遅れることにより、遊技球の排出までが間延びして、遊技者が不信感を抱く原因となる。また、遊技球が停留手段に残存する間は、停留手段に遊技者の注目が集まり易くなり、それ以外の部分（例えば、液晶画面）の演出の注目力が低下するという問題点があった。
【０５４９】
これに対し、遊技機Ｄ１によれば、入賞口から停留手段までの経過区間に遊技球が配置される場合にのみ、変化防止手段により停留手段が停留状態を維持するので、経過区間で遊技球の流下が滞った場合にも、遊技球が停留手段に到達する前に、停留手段が非停留状態となることを防止することができ、遊技者の不満を解消することができると共に、不要なときにまで停留手段の状態変化を遅らせることはしないので、停留手段以外の部分（例えば、液晶画面）の演出の注目力を確保することができる。
【０５５０】
遊技機Ｄ１において、前記停留手段が、遊技球が所定個数貯留されることにより所定の動作をするものであって、その所定の動作により遊技球を前記利益取得手段へ送球可能とする態様で構成され、前記経過区間に配置された遊技球が前記停留手段に到達することで、その停留手段に所定個数の遊技球が貯留される場合には、前記停留手段の所定の動作完了までの間、停留手段が停留状態で維持されることを特徴とする遊技機Ｄ２。
【０５５１】
遊技機Ｄ２によれば、遊技機Ｄ１の奏する効果に加え、停留手段の所定の動作完了までの間、停留手段が停留状態で維持されるので、遊技球が経過区間から停留手段に排出された後であって、停留手段の動作が完了する前に、非停留状態となってしまい、遊技球が利益取得手段へ流下されずに排出される事態が生じることを防止することができる。
【０５５２】
また、経過区間に配置された遊技球が停留手段に到達した場合において、遊技球が所定個数に満たない場合には、速やかに非停留状態とすることにより、遊技者の注目を停留手段付近から逸らして、遊技盤の他の部分（例えば液晶表示部分）の注目力を向上させることができる。
【０５５３】
遊技機Ｄ２において、前記第２切替手段は、第１流路を流下する遊技球により状態を切り替えられるものであって、前記変化防止手段は、遊技球が前記第１流路に侵入可能か否かを切り替える態様で構成されることを特徴とする遊技機Ｄ３。
【０５５４】
遊技機Ｄ３によれば、遊技機Ｄ２の奏する効果に加え、第２切替手段の状態を、第１流路を流下する遊技球により切り替える態様で構成されることから、第２切替手段の状態変化を生じさせる装置を流路で代用でき、配置スペースを縮小することができる。また、変化防止手段により、第１流路への遊技球の侵入の可否を切り替えることにより、ランダムな経路で遊技領域を流下する遊技球が不適切な期間に第１流路に侵入し、誤って第２切替手段の状態を変化させることを防止することができる。
【０５５５】
遊技機Ｄ３において、前記第１流路は、遊技球が入賞することにより、特別図柄変動を発生可能な変動入賞口と連結されることを特徴とする遊技機Ｄ４。
【０５５６】
遊技機Ｄ４によれば、遊技機Ｄ３の奏する効果に加え、変動入賞口に入賞した遊技球が第１流路を流下することから、特別遊技状態が終了し、次の特別遊技状態が開始されるまでの間に、停留手段に残った遊技球を停留手段の下流へ排出することができる。
【０５５７】
即ち、所定個数未満の遊技球が停留手段に停留した状態のまま特別遊技状態が終了した場合、次の特別遊技状態へ遊技状態を移行させるためには変動入賞口に遊技球を入賞させる必要があり、その入賞した遊技球は第１流路を流下し、第２切替手段の状態を切り替える。従って、次の特別遊技状態へ遊技状態を移行させるための遊技によって、停留手段に残った遊技球を停留手段の下流へ排出することができる。これにより、停留手段に遊技球が残存した状態で特別遊技状態が開始することを防止することができる。
【０５５８】
遊技機Ｄ２において、前記第２切替手段は、前記第１駆動手段の動作に基づいて動作するものであって、前記変化防止手段は、遊技球の作用で変位し、前記第１駆動手段から前記第２切替手段への動力伝達を解除することを特徴とする遊技機Ｄ５。
【０５５９】
遊技機Ｄ５によれば、遊技機Ｄ２の奏する効果に加え、経過区間を遊技球が通過した後、第１駆動手段の駆動力が第２切替手段に伝達され、第１駆動手段の制御態様に基づいて第２切替手段の状態が変化するので、遊技球が経過区間を通過した後の第２切替手段の状態変化の制御を行い易くすることができる。
【０５６０】
遊技機Ｄ２において、前記第２切替手段は、前記第１駆動手段の動作に基づいて動作するものであって、前記変化防止手段は、遊技球の作用で変位し、前記利益取得手段の反対側へ流下する遊技球が前記停留手段から脱落することを防止する張出板部を備えることを特徴とする遊技機Ｄ６。
【０５６１】
遊技機Ｄ６によれば、遊技機Ｄ２の奏する効果に加え、張出板部により、経過区間に遊技球が配置される状態においては、利益取得手段の反対側へ流下する遊技球が停留手段から脱落することを防止することができる。これにより、第２切替手段の状態が変化した後においても、張出板部により、遊技球を停留手段に乗せたまま維持することができる。
【０５６２】
遊技機Ａ１からＡ８，Ｂ１からＢ７，Ｃ１からＣ７，Ｄ１からＤ６のいずれかにおいて、前記遊技機はスロットマシンであることを特徴とする遊技機Ｚ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０５６３】
遊技機Ａ１からＡ８，Ｂ１からＢ７，Ｃ１からＣ７，Ｄ１からＤ６のいずれかにおいて、前記遊技機はパチンコ遊技機であることを特徴とする遊技機Ｚ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０５６４】
遊技機Ａ１からＡ８，Ｂ１からＢ７，Ｃ１からＣ７，Ｄ１からＤ６のいずれかにおいて、前記遊技機はパチンコ遊技機とスロットマシンとを融合させたものであることを特徴とする遊技機Ｚ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機等の遊技機において、大入賞口に入賞した遊技球が到達する第２利益状態決定部で、振分部を左右方向に動作させることにより、遊技者が得られる利益の異なる２の流路に遊技球を振り分ける遊技機がある（例えば特許文献１：特開２０１４−１５５５３８号公報）。
しかしながら、上述した従来の遊技機では、大入賞口と振分部との動作関係について改良の余地があるという問題点があった。
本技術的思想は、上記例示した問題点を解決するためになされたものであり、大入賞口と振分部との動作関係の良好な遊技機を提供することを目的とする。
＜手段＞
この目的を達成するために技術的思想１の遊技機は、遊技球が流下する遊技領域に配置される入賞口と、その入賞口に遊技球が入賞可能な可能状態と、入賞不能な不能状態とを動作により切り替える第１切替手段と、その第１切替手段を駆動する第１駆動手段と、前記入賞口に入賞した遊技球が流下することで、遊技者に所定の利益を与える利益取得手段と、を備える遊技機において、前記入賞口に入賞した遊技球を停留可能に構成され、その停留した遊技球を前記利益取得手段へ流下可能に構成される停留手段と、その停留手段に到達した遊技球を前記停留手段に停留可能な状態である停留状態と、前記停留手段に到達した遊技球を前記停留手段に停留させない非停留状態と、を切り替える第２切替手段と、を備え、その第２切替手段は、前記第１切替手段が所定の基準回数だけ前記可能状態と不能状態とで状態変化するごとに、少なくとも一度は第２切替手段の状態を前記停留状態と非停留状態とで変化させる回数伝達手段を備える。
技術的思想２の遊技機は、技術的思想１記載の遊技機において、前記第１切替手段が１の契機により連続で状態変化するものであって、その状態変化は、遊技球が入賞不可能な長さで行われる短期状態変化と、遊技球が入賞可能な長さで行われる長期状態変化との組み合わせで構成され、前記所定の基準回数の整数倍数と同一の回数で行われる。
技術的思想３の遊技機は、技術的思想１又は２に記載の遊技機において、前記第１切替手段が１の契機により連続で状態変化するものであって、前記回数伝達手段は、前記基準回数ごとに初期位置に戻る態様で循環動作する装置から形成され、前記回数伝達手段の姿勢によらず回数伝達手段を初期位置に戻す復帰手段を備える。
＜効果＞
技術的思想１記載の遊技機によれば、大入賞口と振分部との動作関係を良好にすることができる。
技術的思想２記載の遊技機によれば、技術的思想１記載の遊技機の奏する効果に加え、大入賞口の状態変化の長さを極端に異ならせることにより、大入賞口と振分部との動作関係を良好にすることができる。
技術的思想３記載の遊技機によれば、技術的思想１又は２に記載の遊技機の奏する効果に加え、１の契機による連続動作の回数の自由度を向上させることができる。
【符号の説明】
【０５６５】
１０                                            パチンコ機（遊技機）
１３                                            遊技盤
６５                                            第１可変入賞装置
６７                                            スルーゲート
６４０ａ                                        電動役物
６４０                                          第２入球口
６５０                                          第２可変入賞装置（第１切替手段、連続可動手段）
６５０ａ                                        第２特定入賞口（入賞口、連続可動手段の一部）
６５０ｂ                                        開閉板（第１切替手段の一部、連続可動手段の一部）
６５０ｃ                                        ソレノイド（第１駆動手段、復帰手段の一部、連続可動手段の一部）
１０１０                                        球止め装置（第１特殊手段、第２特殊手段）
１０１３                                        Ｌ回転歯車（第１特殊手段の一部、第２特殊手段の一部）
１０１４                                        反転歯車（第１特殊手段の一部、第２特殊手段の一部）
１０１５                                        流下防止板（第２切替手段）
１０１６                                        伝達棒（第１特殊手段の一部、第２特殊手段の一部）
１０３１                                        確変入球口（利益取得手段）
１０４０                                        傾倒部材（停留手段）
２０１０                                        球止め装置（第１特殊手段、第２特殊手段）
２０１２                                        環状溝（第１特殊手段の一部、第２特殊手段の一部）
３０１０                                        球止め装置（第２特殊手段、遅延駆動手段）
３０１１ａ                                      弾性バネ（遅延駆動手段の一部、復帰手段）
３０１２                                        駆動モータ（第２特殊手段の一部、遅延駆動手段の一部）
３０１３                                        切替クラッチ（第２特殊手段の一部、遅延駆動手段の一部）
３０１４                                        回転円板（第２特殊手段の一部、遅延駆動手段の一部、変位手段）
３０１６                                        切替部材（第２特殊手段の一部、遅延駆動手段の一部）
４０１０                                        球止め装置（第２特殊手段、遅延駆動手段）
４０１２                                        駆動モータ（第２特殊手段の一部、遅延駆動手段の一部、第２駆動手段）
４０１３                                        摩擦回転部材（第２特殊手段の一部、遅延駆動手段の一部、伝達クラッチ）
４０１４                                        回転円板（第２特殊手段の一部、遅延駆動手段の一部、変位手段、係合カム）
５１００                                        球止め装置（回数伝達手段）
５１２０                                        回転部材（回数伝達手段の一部）
５１２５                                        検出ピン（復帰手段の一部）
５１３０                                        付勢部（回数伝達手段の一部、防止ストッパ）
５１４０                                        切替装置（回数伝達手段の一部）
５１４４                                        位置センサ（復帰手段の一部）